(57)【要約】【課題】簡易な構成で、高スループットのブロードバンド無線環境の面展開を可能にすること。【解決手段】無線通信装置A,B間での双方向のトレーニング信号伝送を通じて、各無線通信装置A,Bにおいて、アンテナ群A１,A２,・・・,AＰ毎にダイバーシチ受信状態を最良化するための複素ウエイトを決定する。これにより決定された複素ウエイトを各アンテナ群A１,A２,・・・,AＰの各アンテナの信号に対して設定する。また、MIMO無線通信部A′,B′は、MIMO技術を用いて各アンテナ群A１,A２,・・・,AＰからの信号に空間マッピング処理を実施する。これにより、階層化MIMOにおいて、最適なウエイト処理を施して送受信の通信エリアを拡大できる。【選択図】図３５
2010183566.tif 000002
【特許請求の範囲】
【請求項１】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信方法において、
送受信を行う無線通信装置間での双方向のトレーニング信号の伝送を通じて、各無線通信装置において、前記アンテナ群毎にダイバーシチ受信状態を最良化するための前記各アンテナ群を構成する複数のアンテナの各々の信号に対するダイバーシチ合成情報をそれらの最適値として各々決定する第１のステップと、
前記第１のステップにより決定された、前記各アンテナ群を構成する複数のアンテナの各々の信号に対するダイバーシチ合成情報の最適値を前記無線通信装置に各々設定する第２のステップと、
前記第２のステップによりダイバーシチ合成情報の最適値が設定された状態で、各無線通信装置が前記アンテナ群毎にデータ送受信時のビームフォーミングおよびダイバーシチ合成を行う第３のステップを有し、
前記第１のステップは、1回または複数回の双方向のトレーニング信号のダイバーシチ受信において、各アンテナ群のダイバーシチ合成受信信号の受信状態を示すトレーニング受信情報に基づいて各アンテナ群のダイバーシチ受信状態を最良化するダイバーシチ合成情報を取得し、ダイバーシチ受信後に該ダイバーシチ合成情報でダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とるマルチアンテナを用いた無線通信方法。
【請求項２】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信方法において、
送受信を行う無線通信装置間での１回または複数回の双方向のトレーニング信号の伝送を通じて、各無線通信装置において、前記アンテナ群毎にダイバーシチ受信状態を最良化するための前記各アンテナ群を構成する複数のアンテナの各々の信号に対するダイバーシチ合成情報をそれらの最適値として各々決定する第１のステップと、
前記第１のステップにより決定された、前記各アンテナ群を構成する複数のアンテナの各々の信号に対するダイバーシチ合成情報の最適値を前記無線通信装置に各々設定する第２のステップと、
前記第２のステップによりダイバーシチ合成情報の最適値が設定された状態で、各無線通信装置が前記アンテナ群毎にデータ送受信時のビームフォーミングおよびダイバーシチ合成を行う第３のステップを有し、
前記トレーニング信号は、複数のトレーニングサブ信号からなり、
前記第１のステップは、前記トレーニングサブ信号のダイバーシチ受信に際し、無線通信装置に具備された各アンテナ群を構成する複数のアンテナの各々の信号に対するダーバーシチ合成情報の１つを順次変更し、変更の前後でのダイバーシチ合成受信信号の受信状態が良好な方のダーバーシチ合成情報で当該アンテナ群を構成する複数のアンテナの各々の信号に対するダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信方法。
【請求項３】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信方法において、
送受信を行う無線通信装置間での１回または複数回の双方向のトレーニング信号伝送を通じて、各無線通信装置において、前記アンテナ群毎にダイバーシチ受信状態を最良化するための前記各アンテナ群を構成する複数のアンテナの各々の信号に対するダイバーシチ合成情報をそれらの最適値として各々決定する第１のステップと、
前記第１のステップにより決定された、前記各アンテナ群を構成する複数のアンテナの各々の信号に対するダイバーシチ合成情報の最適値を前記無線通信装置に各々設定する第２のステップと、
前記第２のステップによりダイバーシチ合成情報の最適値が設定された状態で、各無線通信装置が前記アンテナ群毎にデータ送受信時のビームフォーミングおよびダイバーシチ合成を行う第３のステップを有し、
前記トレーニング信号は、複数のトレーニングサブ信号からなり、
前記第１のステップは、前記複数のトレーニングサブ信号のダイバーシチ受信に際し、無線通信装置に具備された各アンテナ群を構成する複数のアンテナの各々の信号に対するダイバーシチ合成情報を順次変更し、各ダイバーシチ合成情報に対応した受信状態を示すトレーニング受信情報に基づき、各アンテナ群のダイバーシチ合成受信信号の受信状態を最良化するダイバーシチ合成情報を決定し、ダイバーシチ受信後に該ダイバーシチ合成情報で各アンテナ群を構成する複数のアンテナの各々の信号に対するダイバーシチ合成情報を更新することにより、送受信を行う無線通信装置の１組のアンテナ群間での間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信方法。
【請求項４】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信方法において、
送受信を行う無線通信装置間での１回または複数回の双方向のトレーニング信号の伝送を通じて、各無線通信装置において、前記アンテナ群毎にダイバーシチ受信状態を最良化するための前記各アンテナ群を構成する複数のアンテナの各々の信号に対するダイバーシチ合成情報をそれらの最適値として各々決定する第１のステップと、
前記第１のステップにより決定された、前記各アンテナ群を構成する複数のアンテナの各々の信号に対するダイバーシチ合成情報の最適値を前記無線通信装置に各々設定する第２のステップと、
前記第２のステップによりダイバーシチ合成情報の最適値が設定された状態で、各無線通信装置が前記アンテナ群毎にデータ送受信時のビームフォーミングおよびダイバーシチ合成を行う第３のステップを有し、
前記トレーニング信号は、複数のトレーニングサブ信号からなり、
前記第１のステップは、前記複数のトレーニングサブ信号のダイバーシチ受信に際し、無線通信装置に具備された各アンテナ群を構成する複数のアンテナの各々の信号に対するダーバーシチ合成情報を順次変更し、各ダイバーシチ合成情報に対応した受信状態を示すトレーニング受信情報に基づき、各アンテナ群のダイバーシチ合成受信信号の受信状態を最良化する合成ウエイト情報を決定し、ダイバーシチ受信後に該ダイバーシチ受信の合成ウェイト情報でダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とるマルチアンテナを用いた無線通信方法。
【請求項５】
前記トレーニング受信情報は、ダイバーシチ合成受信信号のベースバンド受信ＩＱ情報もしくはベースバンド受信ＩＱ情報および受信レベル情報の両方であることを特徴とする請求項１、３、４のいずれかに記載のマルチアンテナを用いた無線通信方法。
【請求項６】
前記トレーニング受信情報は、ダイバーシチ合成受信信号と予め定められた情報系列の相関情報もしくは該相関情報と受信レベル情報の両方であることを特徴とする請求項１、３、４のいずれかに記載のマルチアンテナを用いた無線通信方法。
【請求項７】
前記ダイバーシチ合成情報が１ビット情報であり、前記第１のステップは、相手側無線通信装置からの(自無線通信装置のアンテナ数＋１)回のトレーニングサブ信号受信により各アンテナ群を構成する複数のアンテナの各々の信号に対するダイバーシチ合成情報の最適値を決定することを特徴とする請求項２に記載のマルチアンテナを用いた無線通信方法。
【請求項８】
前記ダイバーシチ合成情報がｎビット情報（ｎは２以上の自然数）であり、前記第１のステップは、相手側無線通信装置からの(自無線通信装置のアンテナ数＋１)回のトレーニングサブ信号受信により各アンテナ群を構成する複数のアンテナの各々の信号に対するダイバーシチ合成情報の最適値を決定することを特徴とする請求項３または４に記載のマルチアンテナを用いた無線通信方法。
【請求項９】
前記トレーニング信号は、複数のトレーニングサブ信号として少なくとも(自無線通信装置のアンテナ数＋１)個のフレームを含み、前記各アンテナ群において、この２番目以降のフレームを、当該アンテナ群を構成する複数のアンテナの各々の信号に対するダイバーシチ合成情報を順次変更して受信することを特徴とする請求項２ないし４のいずれかに記載のマルチアンテナを用いた無線通信方法。
【請求項１０】
前記トレーニング信号は、複数のトレーニングサブ信号として少なくとも(自無線通信装置のアンテナ数＋１)個のシンボルを含み、前記各アンテナ群において、この２番目以降のシンボルを、当該アンテナ群を構成する複数のアンテナの各々の信号に対するダイバーシチ合成情報を順次変更して受信することを特徴とする請求項２ないし４のいずれかに記載のマルチアンテナを用いた無線通信方法。
【請求項１１】
前記第１のステップは、直前の双方向のトレーニング信号の伝送を通じてダイバーシチ合成情報の最適値が設定されている場合には、前記各アンテナ群において、このダイバーシチ合成情報の最適値を初期値として新たにダイバーシチ合成情報の最適値を決定し、ダイバーシチ合成情報の最適値が設定されていない場合にはランダムな初期値を用いて新たにダイバーシチ合成情報の最適値を決定することを特徴とする請求項１ないし４のいずれかに記載のマルチアンテナを用いた無線通信方法。
【請求項１２】
一方の無線通信装置には直前の双方向のトレーニング信号の伝送を通じてダイバーシチ合成情報の最適値が設定されているが、もう一方の無線通信装置にはダイバーシチ合成情報の最適値が設定されていない場合において、次のトレーニング信号の伝送をダイバーシチ合成情報の最適値が設定されている方の無線通信装置から開始することを特徴とする請求項１ないし４のいずれかに記載のマルチアンテナを用いた無線通信方法。
【請求項１３】
複数の無線通信装置と無線通信を行う基地局側の無線通信装置における前記第１のステップでは、常にランダムな初期値を用いてダイバーシチ合成情報の最適値の決定を行い、基地局と無線通信を行う端末側の無線通信装置における前記第１のステップでは、直前の双方向のトレーニング信号の伝送を通じてダイバーシチ合成情報の最適値が設定されている場合には、このダイバーシチ合成情報の最適値を初期値として新たにダイバーシチ合成情報の最適値を決定し、ダイバーシチ合成情報の最適値が設定されていない場合にはランダムな初期値を用いて新たにダイバーシチ合成情報の最適値を決定することを特徴とする請求項１ないし４のいずれかに記載のマルチアンテナを用いた無線通信方法。
【請求項１４】
複数の無線通信装置と無線通信を行う基地局側の無線通信装置からのブロードキャストフレームもしくはマルチキャストフレームの送信では、互いに異なる複数のダイバーシチ合成情報を用いて、同一フレームを複数回送信することを特徴とする請求項１ないし４のいずれかに記載のマルチアンテナを用いた無線通信方法。
【請求項１５】
複数の無線通信装置と無線通信を行う基地局側の無線通信装置からのブロードキャストフレームもしくはマルチキャストフレームの送信では、前記複数の無線通信装置の各々に対して、双方向のトレーニング信号の伝送を通じて、前記第１のステップにより決定され、前記第２のステップにより設定されたダイバーシチ合成情報の最適値を用いて、ブロードキャストフレーム、もしくはマルチキャストフレームを各々送信することを特徴とする請求項１ないし４のいずれかに記載のマルチアンテナを用いた無線通信方法。
【請求項１６】
複数の無線通信装置と無線通信を行う基地局側の無線通信装置における前記第１のステップでは、直前の双方向のトレーニング信号の伝送において決定されたダイバーシチ合成情報の最適値を、当該基地局と無線通信を行う端末側の無線通信装置ごとに記憶しておき、これを初期値として、トレーニングサブ信号の受信における前記複数のアンテナの各々の信号に対するダイバーシチ合成情報を順次変更し、これに対するダイバーシチ受信状態に基づいてダイバーシチ合成情報の最適値を決定することを特徴とする請求項２ないし４のいずれかに記載のマルチアンテナを用いた無線通信方法。
【請求項１７】
前記第２のステップは、各ダイバーシチ合成情報の最適値をＲＦ帯において前記無線通信装置に各々設定することを特徴とする請求項１ないし４のいずれかに記載のマルチアンテナを用いた無線通信方法。
【請求項１８】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信システムにおいて、
送受信を行う無線通信装置間での双方向のトレーニング信号の伝送を通じて、各無線通信装置において、前記アンテナ群毎にダイバーシチ受信状態を最良化するための前記各アンテナ群を構成する複数のアンテナの各々の信号に対するダイバーシチ合成情報をそれらの最適値として各々決定する第１の手段と、
前記第１の手段により決定された、前記各アンテナ群を構成する複数のアンテナの各々の信号に対するダイバーシチ合成情報の最適値を前記無線通信装置に各々設定する第２の手段と、
前記第２の手段によりダイバーシチ合成情報の最適値が設定された状態で、各無線通信装置が前記アンテナ群毎にデータ送受信時のビームフォーミングおよびダイバーシチ合成を行う第３の手段を有し、
前記第１の手段は、1回または複数回の双方向のトレーニング信号のダイバーシチ受信において、各アンテナ群のダイバーシチ合成受信信号の受信状態を示すトレーニング受信情報に基づいてダイバーシチ受信状態を最良化するダイバーシチ合成情報を取得し、ダイバーシチ受信後に該ダイバーシチ合成情報でダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とるマルチアンテナを用いた無線通信システム。
【請求項１９】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信システムにおいて、
送受信を行う各無線通信装置は、
相手側無線通信装置との間での１回または複数回の双方向のトレーニング信号の伝送を通じて、前記アンテナ群毎にダイバーシチ受信状態を最良化するための前記各アンテナ群を構成する複数のアンテナの各々の信号に対するダイバーシチ合成情報をそれらの最適値として各々決定する第１の手段と、
前記第１の手段により決定された、前記各アンテナ群を構成する複数のアンテナの各々の信号に対するダイバーシチ合成情報の最適値を設定する第２の手段と、
前記第２の手段によりダイバーシチ合成情報の最適値が設定された状態で、前記アンテナ群毎にデータ送受信時のビームフォーミングおよびダイバーシチ合成を行う第３の手段を備え、
前記トレーニング信号は、複数のトレーニングサブ信号からなり、
前記第１の手段は、前記トレーニングサブ信号のダイバーシチ受信に際し、無線通信装置に具備された各アンテナ群を構成する複数のアンテナの各々の信号に対するダーバーシチ合成情報の１つを順次変更し、変更の前後でのダイバーシチ合成受信信号の受信状態が良好な方のダーバーシチ合成情報で当該アンテナ群を構成する複数のアンテナの各々の信号に対するダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信システム。
【請求項２０】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信システムにおいて、
送受信を行う各無線通信装置は、
相手側無線通信装置との間での１回または複数回の双方向のトレーニング信号の伝送を通じて、前記アンテナ群毎にダイバーシチ受信状態を最良化するための前記各アンテナ群を構成する複数のアンテナの各々の信号に対するダイバーシチ合成情報をそれらの最適値として各々決定する第１の手段と、
前記第１の手段により決定された、前記各アンテナ群を構成する複数のアンテナの各々の信号に対するダイバーシチ合成情報の最適値を設定する第２の手段と、
前記第２の手段によりダイバーシチ合成情報の最適値が設定された状態で、前記アンテナ群毎にデータ送受信時のビームフォーミングおよびダイバーシチ合成を行う第３の手段を備え、
前記トレーニング信号は、複数のトレーニングサブ信号からなり、
前記第１の手段は、前記複数のトレーニングサブ信号のダイバーシチ受信に際し、無線通信装置に具備された各アンテナ群を構成する複数のアンテナの各々の信号に対するダイバーシチ合成情報を順次変更し、各ダイバーシチ合成情報に対応した受信状態を示すトレーニング受信情報に基づき、各アンテナ群のダイバーシチ合成受信信号の受信状態を最良化するダイバーシチ合成情報を決定し、ダイバーシチ受信後に該ダイバーシチ合成情報で各アンテナ群を構成する複数のアンテナの各々の信号に対するダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信システム。
【請求項２１】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信システムにおいて、
送受信を行う各無線通信装置は、
相手側無線通信装置との間での１回または複数回の双方向のトレーニング信号の伝送を通じて、前記アンテナ群毎にダイバーシチ受信状態を最良化するための前記各アンテナ群を構成する複数のアンテナの各々の信号に対するダイバーシチ合成情報をそれらの最適値として各々決定する第１の手段と、
前記第１の手段により決定された、前記各アンテナ群を構成する複数のアンテナの各々の信号に対するダイバーシチ合成情報の最適値を設定する第２の手段と、
前記第２の手段によりダイバーシチ合成情報の最適値が設定された状態で、前記アンテナ群毎にデータ送受信時のビームフォーミングおよびダイバーシチ合成を行う第３の手段を備え、
前記トレーニング信号は、複数のトレーニングサブ信号からなり、
前記第１の手段は、前記複数のトレーニングサブ信号のダイバーシチ受信に際し、無線通信装置に具備された各アンテナ群を構成する複数のアンテナの各々の信号に対するダイバーシチ合成情報を順次変更し、各ダイバーシチ合成情報に対応した受信状態を示すトレーニング受信情報に基づき、各アンテナ群のダイバーシチ合成受信信号の受信状態を最良化するダイバーシチ合成情報を決定し、ダイバーシチ受信後に該ダイバーシチ受信の合成ウエイト情報で各アンテナ群を構成する複数のアンテナの各々の信号に対するダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信システム。
【請求項２２】
前記トレーニング受信情報は、ダイバーシチ合成受信信号のベースバンド受信ＩＱ情報もしくはベースバンド受信ＩＱ情報および受信レベル情報の両方であることを特徴とする請求項１８、２０、２１のいずれかに記載のマルチアンテナを用いた無線通信システム。
【請求項２３】
前記トレーニング受信情報は、ダイバーシチ合成受信信号と予め定められた情報系列の相関情報もしくは該相関情報と受信レベル情報の両方であることを特徴とする請求項１８、２０、２１のいずれかに記載のマルチアンテナを用いた無線通信システム。
【請求項２４】
前記ダイバーシチ合成情報が１ビット情報であり、前記第１の手段は、相手側無線通信装置からの(自無線通信装置のアンテナ数＋１)回のトレーニングサブ信号受信により各アンテナ群を構成する複数のアンテナの各々の信号に対するダイバーシチ合成情報の最適値を決定することを特徴とする請求項１９に記載のマルチアンテナを用いた無線通信システム。
【請求項２５】
前記ダイバーシチ合成情報がｎビット情報（ｎは２以上の自然数）であり、前記第１の手段は、相手側無線通信装置からの(自無線通信装置のアンテナ数＋１)回のトレーニングサブ信号受信により各アンテナ群を構成する複数のアンテナの各々の信号に対するダイバーシチ合成情報の最適値を決定することを特徴とする請求項２０または２１に記載のマルチアンテナを用いた無線通信システム。
【請求項２６】
前記トレーニング信号は、複数のトレーニングサブ信号として少なくとも(自無線通信装置のアンテナ数＋１)個のフレームを含み、前記各アンテナ群において、この２番目以降のフレームを、当該アンテナ群を構成する複数のアンテナの各々の信号に対するダイバーシチ合成情報を順次変更して受信することを特徴とする請求項１９ないし２１のいずれかに記載のマルチアンテナを用いた無線通信システム。
【請求項２７】
前記トレーニング信号は、複数のトレーニングサブ信号として少なくとも(自無線通信装置のアンテナ数＋１)個のシンボルを含み、前記各アンテナ群において、この２番目以降のシンボルを、当該アンテナ群を構成する複数のアンテナの各々の信号に対するダイバーシチ合成情報を順次変更して受信することを特徴とする請求項１９ないし２１のいずれかに記載のマルチアンテナを用いた無線通信システム。
【請求項２８】
前記第１の手段は、直前の双方向のトレーニング信号の伝送を通じてダイバーシチ合成情報の最適値が設定されている場合には、このダイバーシチ合成情報の最適値を初期値として新たにダイバーシチ合成情報の最適値を決定し、ダイバーシチ合成情報の最適値が設定されていない場合にはランダムな初期値を用いて新たにダイバーシチ合成情報の最適値を決定することを特徴とする請求項１８ないし２１のいずれかに記載のマルチアンテナを用いた無線通信システム。
【請求項２９】
一方の無線通信装置には直前の双方向のトレーニング信号の伝送を通じてダイバーシチ合成情報の最適値が設定されているが、もう一方の無線通信装置にはダイバーシチ合成情報の最適値が設定されていない場合において、次のトレーニング信号の伝送をダイバーシチ合成情報の最適値が設定されている方の無線通信装置から開始することを特徴とする請求項１８ないし２１のいずれかに記載のマルチアンテナを用いた無線通信システム。
【請求項３０】
複数の無線通信装置と無線通信を行う基地局側の無線通信装置における前記第１の手段では、常にランダムな初期値を用いてダイバーシチ合成情報の最適値の決定を行い、基地局と無線通信を行う端末側の無線通信装置における前記第１の手段では、直前の双方向のトレーニング信号の伝送を通じてダイバーシチ合成情報の最適値が設定されている場合には、このダイバーシチ合成情報の最適値を初期値として新たにダイバーシチ合成情報の最適値を決定し、ダイバーシチ合成情報の最適値が設定されていない場合にはランダムな初期値を用いて新たにダイバーシチ合成情報の最適値を決定することを特徴とする請求項１８ないし２１のいずれかに記載のマルチアンテナを用いた無線通信システム。
【請求項３１】
複数の無線通信装置と無線通信を行う基地局側の無線通信装置からのブロードキャストフレームもしくはマルチキャストフレームの送信では、互いに異なる複数のダイバーシチ合成情報を用いて、同一フレームを複数回送信することを特徴とする請求項１８ないし２１のいずれかに記載のマルチアンテナを用いた無線通信システム。
【請求項３２】
複数の無線通信装置と無線通信を行う基地局側の無線通信装置からのブロードキャストフレームもしくはマルチキャストフレームの送信では、前記複数の無線通信装置の各々に対して、双方向のトレーニング信号の伝送を通じて、前記第１の手段により決定され、前記第２の手段により設定されたダイバーシチ合成情報の最適値を用いて、ブロードキャストフレーム、もしくはマルチキャストフレームを各々送信することを特徴とする請求項１８ないし２１のいずれかに記載のマルチアンテナを用いた無線通信システム。
【請求項３３】
複数の無線通信装置と無線通信を行う基地局側の無線通信装置における前記第１の手段では、直前の双方向のトレーニング信号の伝送において決定されたダイバーシチ合成情報の最適値を、当該基地局と無線通信を行う端末側の無線通信装置ごとに記憶しておき、これを初期値として、各トレーニングサブ信号の受信における前記複数のアンテナの各々の信号に対するダイバーシチ合成情報を順次変更し、これらに対するダイバーシチ受信状態に基づいてダイバーシチ合成情報の最適値を決定することを特徴とする請求項１９ないし２１のいずれかに記載のマルチアンテナを用いた無線通信システム。
【請求項３４】
前記第２の手段は、各ダイバーシチ合成情報の最適値をＲＦ帯において前記無線通信装置に各々設定するすることを特徴とする請求項１８ないし２１のいずれかに記載のマルチアンテナを用いた無線通信システム。
【請求項３５】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信装置において、
アンテナ群を構成する複数のアンテナの各々の信号に対するダイバーシチ合成情報を生成するダイバーシチ合成情報生成手段と、
前記ダイバーシチ合成情報生成手段により生成されたダイバーシチ合成情報に基づいて前記各アンテナ群を構成する複数のアンテナの各々の信号の振幅および位相を制御するダイバーシチ合成情報設定手段と、
前記ダイバーシチ合成情報設定手段との組み合わせにより前記アンテナ群毎にビームフォーミング送信およびダイバーシチ受信を行う信号分配合成手段を備え、
前記ダイバーシチ合成情報生成手段は、
前記各アンテナ群を構成する複数のアンテナの各々の信号に対する初期捕捉用ダイバーシチ合成情報を出力し、初期状態からダイバーシチ合成情報の最適値への引き込みを可能にする初期捕捉用ダイバーシチ合成情報生成手段と、
相手側無線通信装置との間での双方向のトレーニング信号の伝送でのダイバーシチ受信に際し、前記各アンテナ群を構成する複数のアンテナの各々の信号に対するダイバーシチ合成情報を順次変更して生成するトレーニング用ダイバーシチ合成情報生成手段と、
前記ダイバーシチ合成情報生成手段により生成された各ダイバーシチ合成情報が各々設定された状態でダイバーシチ受信されるトレーニング信号の受信状態を示すトレーニング受信情報に基づいてダイバーシチ受信状態を最良化するダイバーシチ合成情報をダイバーシチ合成情報の最適値として決定し、データ送受信時のビームフォーミングおよびダイバーシチ合成のためのダイバーシチ合成情報の最適値を生成するダイバーシチ合成情報最適値生成手段を備え、
１回または複数回の双方向のトレーニング信号のダイバーシチ受信において、前記ダイバーシチ合成情報生成手段により生成された各ダーバーシチ合成情報が各々設定された状態でダイバーシチ受信されるトレーニング受信情報に基づいてダイバーシチ合成受信信号の受信状態を最良化するダイバーシチ合成情報を取得し、ダイバーシチ受信後に該ダイバーシチ合成情報でダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信装置。
【請求項３６】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信装置において、
アンテナ群を構成する複数のアンテナの各々の信号に対するダイバーシチ合成情報を生成するダイバーシチ合成情報生成手段と、
前記ダイバーシチ合成情報生成手段により生成されたダイバーシチ合成情報に基づいて前記各アンテナ群を構成する複数のアンテナの各々の信号の振幅および位相を制御するダイバーシチ合成情報設定手段と、
前記ダイバーシチ合成情報設定手段との組み合わせにより前記アンテナ群毎にビームフォーミング送信およびダイバーシチ受信を行う信号分配合成手段を備え、
前記ダイバーシチ合成情報生成手段は、
前記アンテナ群を構成する複数のアンテナの各々の信号に対する初期捕捉用ダイバーシチ合成情報を生成し、初期状態からダイバーシチ合成情報の最適値への引き込みを可能にする初期捕捉用ダイバーシチ合成情報生成手段と、
相手側無線通信装置との間での１回または複数回の双方向のトレーニング信号の伝送でのダイバーシチ受信に際し、前記各アンテナ群を構成する複数のアンテナの各々の信号に対するダイバーシチ合成情報を順次変更して生成するトレーニング用ダイバーシチ合成情報生成手段と、
前記ダイバーシチ合成情報生成手段により生成された各ダイバーシチ合成情報が各々設定された状態でダイバーシチ受信されるトレーニング信号の受信状態を示す情報に基づいて各設定におけるダイバーシチ受信状態を判定する受信状態判定手段と、
前記受信状態判定手段により判定されたダイバーシチ受信状態を最良化するダイバーシチ合成情報をダイバーシチ合成情報の最適値として決定し、データ送受信時のビームフォーミングおよびダイバーシチ合成のためのダイバーシチ合成情報の最適値を生成するダイバーシチ合成情報最適値生成手段を備え、
前記トレーニング信号は、複数のトレーニングサブ信号からなり、
前記トレーニングサブ信号のダイバーシチ受信に際し、無線通信装置に具備された各アンテナ群を構成する複数のアンテナの各々の信号に対するダイバーシチ合成情報の１つを順次変更し、変更前後でのダーバーシチ合成受信信号の受信状態が良好な方のダイバーシチ合成情報で当該アンテナ群を構成する複数のアンテナの各々の信号に対するダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信装置。
【請求項３７】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信装置において、
アンテナ群を構成する複数のアンテナの各々の信号に対するダイバーシチ合成情報を生成するダイバーシチ合成情報生成手段と、
前記ダイバーシチ合成情報生成手段により生成されたダイバーシチ合成情報に基づいて前記各アンテナ群を構成する複数のアンテナの各々の信号の振幅および位相を制御するダイバーシチ合成情報設定手段と、
前記ダイバーシチ合成情報設定手段との組み合わせにより前記アンテナ群毎にビームフォーミング送信およびダイバーシチ受信を行う信号分配合成手段を備え、
前記ダイバーシチ合成情報生成手段は、
前記アンテナ群を構成する複数のアンテナの各々の信号に対する初期捕捉用ダイバーシチ合成情報を生成し、初期状態からダイバーシチ合成情報の最適値への引き込みを可能にする初期捕捉用ダイバーシチ合成情報生成手段と、
相手側無線通信装置との間での１回または複数回の双方向のトレーニング信号の伝送でのダイバーシチ受信に際し、前記各アンテナ群を構成する複数のアンテナの各々の信号に対するダイバーシチ合成情報を順次変更して生成するトレーニング用ダイバーシチ合成情報生成手段と、
前記ダイバーシチ合成情報生成手段により生成された各ダイバーシチ合成情報が各々設定された状態でダイバーシチ受信されるトレーニング信号の受信状態を示すトレーニング受信情報を保持するトレーニング受信情報保持手段と、
前記トレーニング受信状態保持手段により保持されたトレーニング受信情報に基づいてダイバーシチ合成受信信号の受信状態を最良化するダイバーシチ合成情報をダイバーシチ合成情報の最適値として決定し、データ送受信時のビームフォーミングおよびダイバーシチ合成のためのダイバーシチ合成情報の最適値を生成するダイバーシチ合成情報最適値生成手段を備え、
前記トレーニング信号は、複数のトレーニングサブ信号からなり、
前記複数のトレーニングサブ信号のダイバーシチ受信に際し、無線通信装置に具備された各アンテナ群を構成する複数のアンテナの各々の信号に対するダイバーシチ合成情報を順次変更し、各ダーバーシチ合成情報に対応したトレーニング受信情報を取得して前記トレーニング受信情報保持手段に格納し、前記トレーニング受信情報保持手段に保持されたトレーニング受信情報に基づいてダイバーシチ合成受信信号の受信状態を最良化するダイバーシチ合成情報を決定し、ダイバーシチ受信後に該ダイバーシチ合成情報でダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信装置。
【請求項３８】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信装置において、
アンテナ群を構成する複数のアンテナの各々の信号に対するダイバーシチ合成情報を生成するダイバーシチ合成情報生成手段と、
前記ダイバーシチ合成情報に基づいて前記アンテナ群を構成する複数のアンテナの各々の信号の振幅および位相を制御するダイバーシチ合成情報設定手段と、
前記ダイバーシチ合成情報設定手段との組み合わせにより前記アンテナ群毎にビームフォーミング送信およびダイバーシチ受信を行う信号分配合成手段とを備え、
前記ダイバーシチ合成情報生成手段は、
前記アンテナ群を構成する複数のアンテナの各々の信号に対する初期捕捉用ダイバーシチ合成情報を生成し、初期状態からダイバーシチ合成情報の最適値への引き込みを可能にする初期捕捉用ダイバーシチ合成情報生成手段と、
相手側無線通信装置との間での１回または複数回の双方向のトレーニング信号の伝送でのダイバーシチ受信に際し、前記各アンテナ群を構成する複数のアンテナの各々の信号に対するダイバーシチ合成情報を順次変更して生成するトレーニング用ダイバーシチ合成情報生成手段と、
前記ダイバーシチ合成情報生成手段により生成された各ダイバーシチ合成情報が各々設定された状態でダイバーシチ受信されるトレーニング信号の受信状態を示すトレーニング受信情報を保持するトレーニング受信情報保持手段と、
前記トレーニング受信状態保持手段により保持されたトレーニング受信情報に基づいてダイバーシチ合成受信信号の受信状態を最良化する合成ウエイト情報をダイバーシチ合成情報の最適値として前記アンテナ群毎に決定し、データ送受信における前記アンテナ群毎のビームフォーミングおよびダイバーシチ合成のためのダイバーシチ合成情報の最適値を前記アンテナ群毎に生成するダイバーシチ合成情報最適値生成手段を備え、
前記トレーニング信号は、複数のトレーニングサブ信号からなり、
前記複数のトレーニングサブ信号のダイバーシチ受信に際し、無線通信装置に具備された各アンテナ群を構成する複数のアンテナの各々の信号に対するダイバーシチ合成情報を順次変更し、各ダーバーシチ合成情報に対応したトレーニング受信情報を取得して前記トレーニング受信情報保持手段に格納し、前記トレーニング受信情報保持手段に保持されたトレーニング受信情報に基づいてダイバーシチ合成受信信号の受信状態を最良化する合成ウエイト情報を決定し、ダイバーシチ受信後に該合成ウエイト情報でダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信装置。
【請求項３９】
前記トレーニング受信情報は、ダイバーシチ合成受信信号のベースバンド受信ＩＱ情報もしくはベースバンド受信ＩＱ情報および受信レベル情報の両方であることを特徴とする請求項３５、３７、３８のいずれかに記載のマルチアンテナを用いた無線通信システム。
【請求項４０】
前記トレーニング受信情報は、ダイバーシチ合成受信信号と予め定められた情報系列の相関情報もしくは該相関情報と受信レベル情報の両方であることを特徴とする請求項３５、３７、３８のいずれかに記載のマルチアンテナを用いた無線通信装置。
【請求項４１】
前記ダイバーシチ合成情報が１ビット情報であり、前記ダイバーシチ合成情報生成手段は、前記各アンテナ群を構成する複数のアンテナの各々の信号に対するダイバーシチ合成情報を順次位相反転して生成し、前記受信状態判定手段は、前記位相反転の前後での、前記トレーニング受信情報としての受信レベル情報を比較して前記アンテナ群毎のダイバーシチ受信状態を判定し、前記ダイバーシチ合成情報最適値生成手段は、前記受信状態判定手段により判定されたダイバーシチ受信状態に基づいて前記アンテナ群毎の当該複数のアンテナにおけるダイバーシチ合成情報の最適値を決定することを特徴とする請求項３６に記載のマルチアンテナを用いた無線通信装置。
【請求項４２】
前記ダイバーシチ合成情報がｎビット情報（ｎは２以上の自然数）であり、前記ダイバーシチ合成情報生成手段は、前記各アンテナ群を構成する複数のアンテナの各々の信号に対するダイバーシチ合成情報を順次位相反転して生成し、前記トレーニング受信情報保持手段は、前記位相反転の前後の、前記トレーニング受信情報としてのベースバンド受信ＩＱ情報もしくはベースバンド受信ＩＱ情報および受信レベル情報の両方を保持し、前記ダイバーシチ合成情報最適値生成手段は、前記トレーニング受信情報保持手段により保持されたトレーニング受信情報に基づいて前記アンテナ群毎の当該複数のアンテナにおけるダイバーシチ合成情報の最適値を決定することを特徴とする請求項３７または３８に記載のマルチアンテナを用いた無線通信装置。
【請求項４３】
前記ダイバーシチ合成情報生成手段は、直前の双方向のトレーニング信号の伝送を通じてダイバーシチ合成情報の最適値が設定されている場合には、このダイバーシチ合成情報の最適値を初期値として新たにダイバーシチ合成情報の最適値を決定し、ダイバーシチ合成情報の最適値が設定されていない場合にはランダムな初期値を用いて新たにダイバーシチ合成情報の最適値を決定することを特徴とする請求項３５ないし３８のいずれかに記載のマルチアンテナを用いた無線通信装置。
【請求項４４】
端末側の無線通信装置として機能するマルチアンテナを用いた無線通信装置であって、基地局側の無線通信装置との間のデータ送受信においてビームフォーミングおよびダイバーシチ合成を行うための直前の双方向のトレーニング信号の伝送において、最初のトレーニング信号の送信を行うことを特徴とする請求項３５ないし３８のいずれかに記載のマルチアンテナを用いた無線通信装置。
【請求項４５】
基地局側の無線通信装置として機能するマルチアンテナを用いた無線通信装置であって、前記ダイバーシチ合成情報生成手段において、直前に双方向のトレーニング信号の伝送を行った場合においても、そうでない場合においても常にランダムな初期値を用いて新たにダイバーシチ合成情報を決定することを特徴とする請求項３５ないし３８のいずれかに記載のマルチアンテナを用いた無線通信装置。
【請求項４６】
複数の無線通信装置と無線通信を行う基地局側の無線通信装置からのブロードキャストフレームもしくはマルチキャストフレームの送信では、互いに異なる複数のダイバーシチ合成情報を用いて、同一フレームを複数回送信することを特徴とする請求項３５ないし３８のいずれかに記載のマルチアンテナを用いた無線通信装置。
【請求項４７】
複数の無線通信装置と無線通信を行う基地局側の無線通信装置からのブロードキャストフレームもしくはマルチキャストフレームの送信では、前記複数の無線通信装置の各々に対して、双方向のトレーニング信号の伝送を通じて取得されたダイバーシチ合成情報の最適値を用いて、ブロードキャストフレーム、もしくはマルチキャストフレームを各々送信することを特徴とする請求項３５ないし３８のいずれかに記載のマルチアンテナを用いた無線通信装置。
【請求項４８】
複数の無線通信装置と無線通信を行う基地局側の無線通信装置において、双方向のトレーニング信号の伝送を通じて取得されたダイバーシチ合成情報の最適値を、当該基地局と無線通信を行う端末側の無線通信装置毎に記憶するためのダイバーシチ合成情報最適値記憶手段を備え、前記ダイバーシチ合成情報設定手段は、端末側の無線通信装置との間でのデータ送受信に先立ち、前記ダイバーシチ合成情報最適値記憶手段に保持された当該無線通信装置に対するダイバーシチ合成情報の最適値を設定することを特徴とする請求項３５ないし３８のいずれかに記載のマルチアンテナを用いた無線通信装置。
【請求項４９】
前記ダイバーシチ合成情報設定手段は、ＲＦ帯においてダイバーシチ合成情報を設定することを特徴とする請求項３５ないし３８のいずれかに記載のマルチアンテナを用いた無線通信装置。
【請求項５０】
前記受信状態判定手段は、前記各アンテナ群毎のダイバーシチ合成受信信号レベルあるいはAGCアンプの利得を指標としてダイバーシチ受信状態を判定することを特徴とする請求項３６に記載のマルチアンテナを用いた無線通信装置。
【請求項５１】
前記トレーニング信号が、前記トレーニングサブ信号として複数のフレームまたはシンボルを含み、前記ダイバーシチ合成情報最適値生成手段は、前記各アンテナ群毎の各フレームまたはシンボルのベースバンドＩＱ信号またはＩＦ信号の振幅を指標としてダイバーシチ合成受信信号の受信状態を判定することを特徴とする請求項３７または３８に記載のマルチアンテナを用いた無線通信装置。
【請求項５２】
前記ダイバーシチ合成情報設定手段および前記信号分配合成手段は、ＲＦ帯で動作しており、１つの送受信系統だけを用いてマルチアンテナでのビームフォーミング送信およびダイバーシチ受信を行うことを特徴とする請求項３５ないし３８のいずれかに記載のマルチアンテナを用いた無線通信装置。
【発明の詳細な説明】
【技術分野】
【０００１】
本発明は、マルチアンテナを用いた無線通信方法、無線通信システムおよび無線通信装置に関し、特に、送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信方法、無線通信システムおよび無線通信装置に関する。
【背景技術】
【０００２】
半導体プロセスルールの微細化により複数の送受信系統の1チップ化が可能となってきたこともあり、ブロードバンド無線通信の分野では、伝送容量の増大や信頼性の向上を目的として、MIMO技術を導入したシステムが一般化しつつある。例えば、家庭やオフィスにおいて普及が進んでいる無線LANは、現状ではOFDM(Orthogonal Frequency Division Multiplexing)技術をベースとしたIEEE802.11aあるいはIEEE802.11gに準拠したシステムが主流であるが、MIMO技術を導入した新しい標準であるIEEE802.11nの策定も進められている。最近では、IEEE802.11nのドラフトに準拠したMIMO技術を搭載した製品のリリースも始まっている。IEEE802.11nのドラフトは、非特許文献１に記載されている。
【０００３】
また、近々、サービスインが予定される2.5GHz帯広帯域移動アクセスシステムで採用予定のモバイルWiMAXあるいは次世代PHSなどの標準規格においても、MIMO技術の導入が考えられている。これについては非特許文献２に記載されている。
【０００４】
さらに、携帯電話システムにおいても、ブロードバンドサービスに対応するスーパー3G(NTTドコモの次世代携帯電話システムの名称)あるいはウルトラ3G(KDDIの次世代携帯電話システムの名称)以降では、MIMO技術が導入される見通しとなっている。このように、ブロードバンド無線通信が普及するにつれてMIMO技術は急速に広まる見通しである。これは、MIMO技術を用いると、空間多重により高スループット化が実現できると同時に、送受信ダイバーシチによる高信頼の無線通信が実現できるためである。
【０００５】
情報理論によれば、シャノンの定理よりSISO(Single Input Single Output)の通信容量を大きくしようとすると、所要S/Nが非常に大きくなるため、QAMの多値化による高速化には限界がある。MIMO伝送によると、ある程度のS/Nが確保できる領域では、SISOと比較して通信容量を大幅に増大できる。図４１は、MIMO伝送による通信容量の増大効果を示す図である。同図において、実線、破線、一点鎖線はそれぞれ、送受信アンテナ数4×4、2×2、1×1の場合のシャノンの通信容量を示している。
【０００６】
MIMO技術による通信容量の増大は、マルチストリーム伝送、すなわち、同一場所、同一周波数において、複数の独立したデータ系列を同時伝送することにより実現される。
【０００７】
マルチストリーム伝送を行う方法には、受信側において擬似逆行列等の手法を用いて送信データ系列を推定する方法と、伝送路行列における複数固有ベクトルの直交性を利用して固有ビーム伝送を行う方法の2通りがある。なお、後者においては送受信間での伝送路行列の情報の共有が必要となる。
【０００８】
MIMO技術では、マルチストリーム伝送以外に、送受信ダイバーシチを行うことが可能であり、S/Nが劣悪な環境下では送受信ダイバーシチを用いた方が通信容量を、より大きくできることが知られている。
【０００９】
送信側において伝送路行列の情報が既知の場合には、この情報を用いて送信ダイバーシチを行うことができる。また、送信側で伝送路行列が未知の場合でも、時空間符号を用いることにより送信ダイバーシチを行うことができる。受信側におけるアンテナ数が伝送ストリーム数よりも大きい場合には、アンテナ選択ダイバーシチあるいはベースバンド処理による等利得合成ダイバーシチ、最大比合成ダイバーシチなどを行うことができる。
【００１０】
ところで、MIMO技術を導入した無線システムにおいても、ハンドヘルド端末では、消費電力およびバッテリーの問題もあり、現状では1アンテナ構成を用いるのが一般的である。この場合には、マルチストリーム伝送による高速化はできないが、基地局側において、時空間符号を用いた送信ダイバーシチと受信ダイバーシチを適用することにより、基地局とハンドヘルド端末間の無線通信における平均S/Nを改善し、通信容量を増大することができる。
【００１１】
図４２は、従来のMIMO技術を用いた無線通信システムを示すブロック図である。この無線通信システムでは、無線通信装置Aと無線通信装置Bとの間で双方向の無線通信を行う。
【００１２】
無線通信装置Aは、P個のアンテナA１,A２,・・・,AＰ、P個の送受信回路13-1,13-2,・・・,13-P、空間マッピング部14、時空間ブロック符号・符号化復号部15、K個のベースバンド(BB)変復調部16-1,16-2,・・・,16-Kおよびストリーム分配・合成部17を備える。ここで、Kは伝送ストリーム数である。また、無線通信装置Bは、Q個のアンテナB１,B２,・・・,BＱ、Q個の送受信回路23-1,23-2,・・・,23-Q、空間マッピング部24、時空間ブロック符号・符号化復号部25、K個のBB変復調部26-1,26-2,・・・,26-Kおよびストリーム分配・合成部27を備える。
【００１３】
まず、送信側で伝送路行列が未知で、マルチストリーム伝送を行う場合、送信側の無線通信装置、例えば、無線通信装置Aでは、送信データをストリーム分配・合成部17でK個(Kは2以上の自然数)のデータ系列に分割する。分割された各データ系列は、BB変復調部16-1,16-2,・・・,16-Kで変調され、ベースバンド変調信号となる。ベースバンド変調信号は、時空間ブロック符号・符号化復号部15に出力される。この場合、時空間ブロック符号は使用しないので、時空間ブロック符号・符号化復号部15の入力信号は、そのまま空間マッピング部14に出力される。空間マッピング部14では、直接マッピングが適用される。結局、各ベースバンド変調信号は、各送受信回路13-1,13-2,・・・,13-Kに入力され、RF周波数に変換されて、各アンテナA１,A２,・・・,AＫから送信される。なお、P個のアンテナの中から通信状態の良好なK個のアンテナを選択して使用することにより送信ダイバーシチを行うこともできる。例えば、IEEE802.11nにおいては、このアンテナ選択のためのアンテナ選択シーケンスが定義されている。
【００１４】
受信側の無線通信装置、例えば、無線通信装置Bでは、無線通信装置Aからの送信信号を各アンテナB１,B２,・・・,BＱで受信し、各送受信回路23-1,23-2,・・・,23-Qでベースバンドに周波数変換してベースバンド受信信号とする。空間マッピング部24は、トレーニングにおいて推定した伝送路行列を用いて擬似逆行列等の手法により各データ系列に対応したベースバンド受信信号の推定値を計算し、時空間ブロック符号・符号化復号部25に出力する。この場合、時空間ブロック符号は使用しないので、時空間ブロック符号・符号化復号部25は、入力信号をそのままBB変復調部26-1,26-2,・・・,26-Kに出力する。ここで、Kは伝送ストリーム数である。BB復調部26-1,26-2,・・・,26-Kは、ベースバンド受信信号を復調し、各データ系列に対する復号データを出力する。ストリーム合成部27は、各BB復調部26-1,26-2,・・・,26-Kから出力された復号データを合成して最終的な受信データとして出力する。
【００１５】
伝送路行列は、例えば、以下のようにしてプリアンブル系列において推定できる。送信側の無線通信装置Aの各アンテナA１,A２,・・・,AＰからアダマール符号等の直交系列Sをプリアンブル系列として送信する。例えば、4アンテナ構成の場合、各アンテナA１,A２,A３,A４からそれぞれ(1,1,1,1),(1,−1,1,−1),(1,1,−1,−1),(1,−1,−1,1)を送信する。受信側も4アンテナ構成とすると、プリアンブル系列に対する各アンテナB１,B２,B３,B４での受信系列BTは、4×4行列となり、伝送路行列Hは、H = T・S−1で計算できる。アダマール符号を使用する場合には、上述の計算は、プリアンブル系列の受信信号に対して加減算を行うだけで実現できる。
【００１６】
次に、送信側で伝送路行列が既知であり、固有ビームを用いてマルチストリーム伝送を行う場合、無線通信装置Aでは、送信データをストリーム分配・合成部17でK個(Kは2以上の自然数)のデータ系列に分割する。分割された各データ系列は、BB変復調部16-1,16-2,・・・,16-Kで変調され、ベースバンド変調信号となる。ベースバンド変調信号は、時空間ブロック符号・符号化復号部15に出力される。この場合、時空間ブロック符号は使用しないので、時空間ブロック符号・符号化復号部15の入力信号は、そのまま空間マッピング部14に出力される。
【００１７】
空間マッピング部14は、既知の伝送路行列から計算したK個の固有ベクトルを、各データ系列のベースバンド変調信号に乗算する。例えば、K=2で、4アンテナ構成の場合、2つの固有ベクトルV１(v１１,v１２,v１３,v１４)およびV２(v２１,v２２,v２３,v２４)を事前に計算しておき、2つのベースバンド変調信号m１,m２に対して、アンテナごとにそれぞれv１１・m１＋v２１・m２，v１２・m１＋v２２・m２，v１３・m１＋v２３・m２，v１４・m１＋v２４・m２を計算し、出力する。空間マッピング部14の出力信号は、各送受信回路13-1,13-2,・・・,13-4に入力され、RF周波数に変換されて、各アンテナA１,A２,・・・,A4から送信される。
【００１８】
無線通信装置Bでは、無線通信装置Aからの送信信号を各アンテナB１,B２,・・・,B4で受信し、各送受信回路23-1,23-2,・・・,23-4でベースバンドに周波数変換してベースバンド受信信号とする。空間マッピング部24は、伝送路行列から計算したK個の固有ベクトルを各データ系列のベースバンド受信信号に乗算する。例えば、K=2で、4アンテナ構成の場合、2つの固有ベクトルV１′(v１１′,v１２′,v１３′,v１４′)およびV２′(v２１′,v２２′,v２３′,v２４′)を事前に計算しておき、4つのベースバンド受信信号r１,r２,r３,r４に対して、v１１′・r１＋v１２′・r２＋v１３′・r３＋v１４′・r４およびv２１′・r１＋v２２′・r２＋v２３′・r３＋v２４′を計算し、時空間ブロック符号・符号化復号部25に出力する。この場合、時空間ブロック符号は使用しないので、時空間ブロック符号・符号化復号部25は、入力信号をそのままBB変復調部26-1,26-2,・・・,26-Kに出力する。
【００１９】
BB復調部26-1,26-2,・・・,26-Kは、ベースバンド受信信号を復調し、各データ系列に対する復号データを出力する。ストリーム合成部27は、各BB復調部26-1,26-2,・・・,26-Kから出力された復号データを合成して最終的な受信データとして出力する。
【００２０】
なお、送信側において伝送路行列情報を取得する方法としては、直前に受信した相手端末からの受信信号のプリアンブルを用いて伝送路行列を推定する方法と、相手端末に対して事前にプリアンブルを送信し、相手端末からトレーニングの受信結果あるいはそれから求めた伝送路行列の推定値のフィードバックを受ける方法がある。
【００２１】
次に、送信側で伝送路行列が未知であり、時空間符号を適用して送信ダイバーシチを行う場合、無線通信装置Aでは、送信データをストリーム分配・合成部17でK個(Kは1以上の自然数)のデータ系列に分割する。だだし、K=1の場合には、送信データがそのままBB変復調部16-1に出力される。分割された各データ系列は、BB変復調部16-1,16-2,・・・,16-Kで変調され、ベースバンド変調信号となる。ベースバンド変調信号は、時空間ブロック符号・符号化復号部15に出力される。
【００２２】
時空間ブロック符号・符号化復号部15は、mシンボル(mは2以上の自然数)を用いて時空間符号によるブロック符号化を行う。例えば、1ストリームを用いるハンドヘルド端末に対しては、情報シンボル(s０,s１)、アンテナ0送信シンボル(s０,-s１＊)、アンテナ1送信シンボル(s１,s０＊)として、2アンテナを用いた符号化を行い、2シンボル期間に2シンボルの情報を伝送する(符号化率1)。この例では、1ストリームに対して2つの時空間ブロック符号系列が時空間ブロック符号・符号化復号部15から出力される。空間マッピング部14においては、直接マッピングが適用される。すなわち、時空間ブロック符号・符号化復号部15の出力信号がそのまま送受信回路13-1,13-2,・・・,13-Lに出力され、RF周波数に変換されて、各アンテナA１,A２,・・・,ALから送信される。ここで、Lは2以上の自然数であり、時空間ブロック符号の系列数を表している。
【００２３】
無線通信装置Bでは、無線通信装置Aからの送信信号を各アンテナB１,B２,・・・,BＱで受信し、各送受信回路23-1,23-2,・・・,23-Qでベースバンドに周波数変換してベースバンド受信信号とし、空間マッピング部24に出力する。空間マッピング部24では、ダイバーシチ合成が行われ、Q個の入力信号を用いてL個のダイバーシチ合成されたベースバンド受信信号を得る。特に、Q=Lの場合には、入力信号をそのまま時空間ブロック符号・符号化復号部25に出力する。
【００２４】
時空間ブロック符号・符号化復号部25は、トレーニングで推定した伝送路行列を用いて、各データ系列に対応したベースバンド受信信号を計算し、BB変復調部26-1,26-2,・・・,26-Kに出力する。例えば、1アンテナ構成のハンドヘルド端末では、情報シンボル(s０,s１)、受信シンボル(r０,r１)、推定シンボル(s０,s１)として、時空間ブロック符号を式(1)により復号する。なお、X＊は、Xの複素共役を表している。
【００２５】
【数１】
2010183566.tif 000003
【００２６】
BB復調部26-1,26-2,・・・,26-Kは、ベースバンド受信信号を復調し、各データ系列に対する復号データを出力する。ストリーム合成部27は、各BB復調部26-1,26-2,・・・,26-Kから出力された復号データを合成して最終的な受信データとして出力する。
【００２７】
これらのMIMO技術に基づくブロードバンド無線通信システムにおいては、64QAMあるいは256QAM等の多値変調およびMIMO技術の空間多重によりブロードバンドを実現しているため、高速伝送できるのはS/N(信号対雑音電力比)が良好となる基地局近傍のごく狭いエリアとなってしまう。
【００２８】
MIMO技術においては、空間多重とダイバーシチを併用することにより、高速伝送の可能なエリアを拡大することも行われているが、MIMOの空間多重数と同じか、あるいはこれよりも1本ないし2本多いアンテナが使用されるのが通常であり、この場合に得られるダイバーシチ利得は高々5dB程度である。この程度のダイバーシチ利得では、高速伝送エリアの十分な拡大は期待できない。
【００２９】
一例として、IEEE802.11nシステムにおけるスループットとサービスエリア半径の関係のシミュレーション結果を図４３に示す。同図は、送信電力PＴ=23dBm、電力が距離の3.5乗で減衰する伝搬モデルの場合のシミュレーション結果である。
【００３０】
実線は、2(送信側)×4(受信側)のアンテナ構成を用い、2つの伝送信号(ストリーム)を空間多重(SDM)した場合のグラフである。この場合、64QAM(太線)を使用した場合のPHY伝送速度は108Mbps、MAC最大スループットは78Mbps、256QAM(細線)を使用した場合のPHY伝送速度は144Mbps、MAC最大スループットは92Mbpsであり、256QAMの方が64QAMと比較して、PHY伝送速度、MAC最大スループット共に大きな値となるが、サービスエリア半径は小さくなっている。スループットが100Mbpsに近い値をとるのは通信距離が10m程度以下となるAP近傍のエリアに限定されている。
【００３１】
一方、破線は、3(送信側)×4(受信側)のアンテナ構成を用い、3ストリームを空間多重した場合のグラフである。この場合、64QAM(太線)を使用した場合にはPHY伝送速度は162Mbps、MAC最大スループットは100Mbps、256QAM(細線)を使用した場合にはPHY伝送速度は216Mbps、MAC最大スループットは118Mbpsである。この場合も、256QAMを使用した場合の方が64QAMを使用した場合よりPHY伝送速度、MAC最大スループット共に大きく、スループットが100Mbps以上の値をとるのは通信距離が10m程度以下となるAP近傍のエリアに限定されている。
【００３２】
次に、一点鎖線は、4(送信側)×4(受信側)のアンテナ構成を用い、2ストリームを空間多重した場合のグラフである。この場合、64QAM(太線)を使用した場合および256QAM(細線)を使用した場合とも、2ストリーム空間多重(STBCなし)よりエリア半径は僅かに大きくなっているが、その改善効果は非常に小さく、スループットが100Mbpsに近い値をとるのは、結局、通信距離が10m程度以下となるAP近傍のエリアに限定されている。時空間符号は、送信ダイバーシチの一種であり、PHY伝送速度およびMAC最大スループットは2ストリーム空間多重(STBCなし)と同一である。
【００３３】
二点鎖線は、4(送信側)×4(受信側)のアンテナ構成を用い、3ストリームの空間多重と送信アンテナ選択ダイバーシチ(TS)を併用した場合のグラフである。この場合、64QAM(太線)を使用した場合および256QAM(細線)を使用した場合とも、3ストリーム空間多重(TSなし)よりもエリア半径は若干改善している。ただし、この場合も、スループットが100Mbps以上の値をとるのは通信距離が10m程度以下となるAP近傍のエリアに限定されていることに変わりない。送信アンテナ選択は送信ダイバーシチの一種であり、PHY伝送速度およびMAC最大スループットは3ストリーム空間多重(TSなし)と同一である。
【００３４】
IEEE802.11n準拠の無線LANシステムのサービスエリア半径は100m程度といわれているが、100Mbps以上の高スループット伝送ができるのは、APからの距離が10m程度以下となるPAN(Personal Area Network)エリアに限定されており、その周辺エリアにおいては、高々数Mbps程度のリアルタイム性を要求されない無線通信が利用できるにすぎない。
【００３５】
IEEE802.11準拠の無線LANのサービスエリアを拡大する技術としては、例えば、米国のジラス社(Xirrus, Inc.)により開発されたものが既に存在しており、この技術を搭載した無線基地局も既に製品化されている。
【００３６】
図４４は、ジラス社の技術による無線基地局の構成を示すブロック図である。この無線基地局は、16個のアクセスポイント(AP)を備え、各アクセスポイントはそれぞれ、指向性アンテナを備えている。各アクセスポイントが備えた指向性アンテナは、互いに指向性が異なり、16個の指向性アンテナで全方位をカバーする。各アクセスポイントには互いに無線周波数の異なるチャネルが割り当てられる。コントローラは、16個のアクセスポイントと指向性アンテナを制御する。図４４の構成によれば、オムニアンテナを使用する場合と比較して12dB程度のアンテナ利得を得ることができる。
【００３７】
無線LANのサービスエリアを拡大する技術の他の一例としては、米国のラッカス・ワイヤレス社(Ruckus Wireless Inc.)により開発されたものが存在し、この技術を搭載した無線基地局も既に製品化されている。この技術は、特許文献１に記載されている。
【００３８】
図４５は、ラッカス・ワイヤレス社の技術による無線基地局の構成を示すブロック図である。この無線基地局は、16個の指向性アンテナを使用し、アンテナ利得によりサービスエリアを拡大する点ではジラス社の技術と同じであるが、アンテナ毎にアクセスポイントを備えておらず、高周波スイッチによりアンテナの組み合わせを適応的に切り替えて使用する点が異なる。この構成では、無線基地局毎に1台のアクセスポイントを備えればよいので、低コスト化および低消費電力化を図ることができる。
【００３９】
ジラス社あるいはラッカス・ワイヤレス社のような指向性アンテナ技術をAPに適用すると、送受信において12dBのアンテナ利得が得られ、この結果、100Mbps以上の高スループット伝送ができるエリアの半径は2倍程度に拡大する。しかし、それでもサービスエリア半径は20m程度に過ぎず、LANというよりもPANに近いサービスエリアとなってしまう。
【００４０】
一方、MIMO技術において、通信エリアを拡大する技術として、ビームフォーミング技術がある。これは、送信側および受信側において、伝送路情報に基づき、各アンテナの信号に対するダイバーシチ合成情報を最適に設定することで、最適ビームを形成し、通信エリアを拡大する技術である。ビームフォーミング技術には、固有ビーム形成によるものと、到来方向推定によるものの２種類が存在する。前者はフェージングの抑圧により通信エリアを大きく改善できるが、フェージング変動の周波数よりも短い時間でフェージング情報をフィードバックする必要がある。一方、後者は到来方向推定に基づいてビームを形成するので、通常の移動速度ではフィードバックにそれほど高速性は要求されないが、得られる利得は送受合わせて高々12dB程度であり、大幅な通信エリアの改善は得られない。
【００４１】
このように、通信エリアを大幅に拡大するためには前者のビームフォーミングを用いる、すなわち、固有伝送路を形成する必要がある。このための最適なダイバーシチ合成情報は、従来では、まず、伝送路行列の相関行列を計算し、次に、相関行列の最大固有値に対応した固有ベクトルを計算し、この固有ベクトルを各アンテナの信号に対するダイバーシチ合成情報とするという手法で求められていた。
【００４２】
ここで、相関行列の計算における演算量は、アンテナ数の2乗に比例して増大し、固有ベクトルの計算における演算量はアンテナ数の3乗に比例して増大する。このように、最適なダイバーシチ合成情報を求めるための演算量は、アンテナ数の増大に伴って急激に増大するので、アンテナ数の増大には限度がある。
【００４３】
また、フェージングの最大周波数を50Hz(無線周波数5GHzのとき時速10キロメートルに相当)とすると、伝送路推定誤差を小さく抑えるには、伝送路行列推定から数ミリセカンド以内に伝送を行う必要があり、この数ミリセカンドの間に固有ベクトルまで計算する必要がある。アンテナ数が5以上の場合には固有ベクトルを解析的に計算して求めることができず、反復処理による解法が必要となるので、その演算時間が問題になる。
【００４４】
また、MIMOを用いて固有ビーム伝送を行うことにより非常に大きな利得が得られるが、固有ビーム伝送を行うためには伝送路行列の情報を送受信で共有しなければならないので、伝送路行列の情報を伝送する必要がある。アンテナ数が大きくなるにつれて伝送路行列の情報量も増大する。高速なフェージング環境においては伝送路行列の情報の頻繁な伝送が必要となり、システム全体の効率を大きく劣化させてしまう。
【００４５】
以上のような観点から、現状ではアンテナ数の上限は4程度となる。実際、現時点の最先端のMIMO技術を取り込んだ無線通信の標準規格のIEEE802.11nあるいはIEEE802.16においても、MIMO伝送における最大アンテナ数は4となっている。
【００４６】
また、従来のMIMO技術においては、ダイバーシチ合成をベースバンド処理で行っているため、送受信回路の入力信号はダイバーシチ合成前の受信信号となる。すなわち、送受信回路の入力信号においては、ダイバーシチ利得およびMIMO利得が得られない。固有ビーム形成前の初期捕捉の段階では、送信ビームフォーミングなしで、送受信回路において受信信号を検出する必要がある。このため、従来のMIMO技術においては、通信エリアは、初期捕捉により固有ビームが形成できるエリアに限定されている。
【００４７】
本当の意味でのブロードバンド無線LANを実現する、すなわち、100Mbps以上の高スループット伝送をLANエリアのどこからでも実行可能とするためには、空間多重とダイバーシチの組み合わせによるMIMO技術では性能的に十分ではなく、空間多重とビームフォーミングの組み合わせによるMIMO技術が必要となるが、このような技術は現在のところ存在しない。
【先行技術文献】
【特許文献】
【００４８】
【特許文献１】Circuit board having a peripheral antenna apparatus with selectable antenna elements(US Patent No.7,193,562)
【非特許文献】
【００４９】
【非特許文献１】IEEE802.11n Draft 5.0
【非特許文献２】IEEE802.16e-2005
【発明の開示】
【発明が解決しようとする課題】
【００５０】
近年、MIMO技術の導入による100Mbps以上のブロードバンド無線通信システムが実用化されつつある。しかし、従来のこのようなブロードバンド無線通信システムでは、適応変調が使用されるのが一般的であり、基地局近傍の無線環境の良好なエリアではブロードバンド環境を享受できるが、基地局から離れた無線環境の劣悪なエリアではスループットが低下していた。
【００５１】
すなわち、従来においては、ブロードバンド無線環境はスポット的であり、面的エリアでは、より低スループットのサービスしか受けられなかった。すなわち、100Mbps以上のブロードバンド無線環境を面的エリアに提供できないという課題があった。
【００５２】
本発明の目的は、上記課題を解決し、高スループット、例えば100Mbps以上のブロードバンド無線環境の面展開を可能とする簡易な構成の、マルチアンテナを用いた無線通信方法、無線通信システムおよび無線通信装置を提供することにある。
【課題を解決するための手段】
【００５３】
上記課題を解決するため、本発明の、マルチアンテナを用いた無線通信方法は、送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信方法であって、  送受信を行う無線通信装置間での双方向のトレーニング信号の伝送を通じて、各無線通信装置において、前記アンテナ群毎にダイバーシチ受信状態を最良化するための前記各アンテナ群を構成する複数のアンテナの各々の信号に対するダイバーシチ合成情報をそれらの最適値として各々決定する第１のステップと、前記第１のステップにより決定された、前記各アンテナ群を構成する複数のアンテナの各々の信号に対するダイバーシチ合成情報の最適値を前記無線通信装置に各々設定する第２のステップと、前記第２のステップによりダイバーシチ合成情報の最適値が設定された状態で、各無線通信装置が前記アンテナ群毎にデータ送受信時のビームフォーミングおよびダイバーシチ合成を行う第３のステップを有し、前記第１のステップは、1回または複数回の双方向のトレーニング信号のダイバーシチ受信において、各アンテナ群のダイバーシチ合成受信信号の受信状態を示すトレーニング受信情報に基づいて各アンテナ群のダイバーシチ受信状態を最良化するダイバーシチ合成情報を取得し、ダイバーシチ受信後に該ダイバーシチ合成情報でダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定する点に特徴がある。
【００５４】
また、本発明の、マルチアンテナを用いた無線通信方法は、送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信方法であって、送受信を行う無線通信装置間での１回または複数回の双方向のトレーニング信号の伝送を通じて、各無線通信装置において、前記アンテナ群毎にダイバーシチ受信状態を最良化するための前記各アンテナ群を構成する複数のアンテナの各々の信号に対するダイバーシチ合成情報をそれらの最適値として各々決定する第１のステップと、前記第１のステップにより決定された、前記各アンテナ群を構成する複数のアンテナの各々の信号に対するダイバーシチ合成情報の最適値を前記無線通信装置に各々設定する第２のステップと、前記第２のステップによりダイバーシチ合成情報の最適値が設定された状態で、各無線通信装置が前記アンテナ群毎にデータ送受信時のビームフォーミングおよびダイバーシチ合成を行う第３のステップを有し、前記トレーニング信号は、複数のトレーニングサブ信号からなり、前記第１のステップは、前記トレーニングサブ信号のダイバーシチ受信に際し、無線通信装置に具備された各アンテナ群を構成する複数のアンテナの各々の信号に対するダーバーシチ合成情報の１つを順次変更し、変更の前後でのダイバーシチ合成受信信号の受信状態が良好な方のダーバーシチ合成情報で当該アンテナ群を構成する複数のアンテナの各々の信号に対するダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定する点に特徴がある。
【００５５】
また、本発明の、マルチアンテナを用いた無線通信方法は、送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信方法であって、送受信を行う無線通信装置間での１回または複数回の双方向のトレーニング信号伝送を通じて、各無線通信装置において、前記アンテナ群毎にダイバーシチ受信状態を最良化するための前記各アンテナ群を構成する複数のアンテナの各々の信号に対するダイバーシチ合成情報をそれらの最適値として各々決定する第１のステップと、前記第１のステップにより決定された、前記各アンテナ群を構成する複数のアンテナの各々の信号に対するダイバーシチ合成情報の最適値を前記無線通信装置に各々設定する第２のステップと、前記第２のステップによりダイバーシチ合成情報の最適値が設定された状態で、各無線通信装置が前記アンテナ群毎にデータ送受信時のビームフォーミングおよびダイバーシチ合成を行う第３のステップを有し、前記トレーニング信号は、複数のトレーニングサブ信号からなり、前記第１のステップは、前記複数のトレーニングサブ信号のダイバーシチ受信に際し、無線通信装置に具備された各アンテナ群を構成する複数のアンテナの各々の信号に対するダイバーシチ合成情報を順次変更し、各ダイバーシチ合成情報に対応した受信状態を示すトレーニング受信情報に基づき、各アンテナ群のダイバーシチ合成受信信号の受信状態を最良化するダイバーシチ合成情報を決定し、ダイバーシチ受信後に該ダイバーシチ合成情報で各アンテナ群を構成する複数のアンテナの各々の信号に対するダイバーシチ合成情報を更新することにより、送受信を行う無線通信装置の１組のアンテナ群間での間での伝送における伝送路行列の相関行列の最大固有値に対する固有ベクトルの組に漸近するベクトルの組を、該１組の無線通信装置の各アンテナ群間でのダイバーシチ合成情報の最適値として決定する点に特徴がある。
【００５６】
さらに、本発明の、マルチアンテナを用いた無線通信方法は、送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信方法であって、送受信を行う無線通信装置間での１回または複数回の双方向のトレーニング信号の伝送を通じて、各無線通信装置において、前記アンテナ群毎にダイバーシチ受信状態を最良化するための前記各アンテナ群を構成する複数のアンテナの各々の信号に対するダイバーシチ合成情報をそれらの最適値として各々決定する第１のステップと、前記第１のステップにより決定された、前記各アンテナ群を構成する複数のアンテナの各々の信号に対するダイバーシチ合成情報の最適値を前記無線通信装置に各々設定する第２のステップと、前記第２のステップによりダイバーシチ合成情報の最適値が設定された状態で、各無線通信装置が前記アンテナ群毎にデータ送受信時のビームフォーミングおよびダイバーシチ合成を行う第３のステップを有し、前記トレーニング信号は、複数のトレーニングサブ信号からなり、前記第１のステップは、前記複数のトレーニングサブ信号のダイバーシチ受信に際し、無線通信装置に具備された各アンテナ群を構成する複数のアンテナの各々の信号に対するダーバーシチ合成情報を順次変更し、各ダイバーシチ合成情報に対応した受信状態を示すトレーニング受信情報に基づき、各アンテナ群のダイバーシチ合成受信信号の受信状態を最良化する合成ウエイト情報を決定し、ダイバーシチ受信後に該ダイバーシチ受信の合成ウエイト情報でダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定する点に特徴がある。
【００５７】
本発明の、マルチアンテナを用いた無線通信システムは、送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信システムであって、送受信を行う無線通信装置間での双方向のトレーニング信号の伝送を通じて、各無線通信装置において、前記アンテナ群毎にダイバーシチ受信状態を最良化するための前記各アンテナ群を構成する複数のアンテナの各々の信号に対するダイバーシチ合成情報をそれらの最適値として各々決定する第１の手段と、前記第１の手段により決定された、前記各アンテナ群を構成する複数のアンテナの各々の信号に対するダイバーシチ合成情報の最適値を前記無線通信装置に各々設定する第２の手段と、前記第２の手段によりダイバーシチ合成情報の最適値が設定された状態で、各無線通信装置が前記アンテナ群毎にデータ送受信時のビームフォーミングおよびダイバーシチ合成を行う第３の手段を有し、前記第１の手段は、1回または複数回の双方向のトレーニング信号のダイバーシチ受信において、各アンテナ群のダイバーシチ合成受信信号の受信状態を示すトレーニング受信情報に基づいてダイバーシチ受信状態を最良化するダイバーシチ合成情報を取得し、ダイバーシチ受信後に該ダイバーシチ合成情報でダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定する点に特徴がある。
【００５８】
また、本発明の、マルチアンテナを用いた無線通信システムは、送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信システムであって、送受信を行う各無線通信装置は、相手側無線通信装置との間での１回または複数回の双方向のトレーニング信号の伝送を通じて、前記アンテナ群毎にダイバーシチ受信状態を最良化するための前記各アンテナ群を構成する複数のアンテナの各々の信号に対するダイバーシチ合成情報をそれらの最適値として各々決定する第１の手段と、前記第１の手段により決定された、前記各アンテナ群を構成する複数のアンテナの各々の信号に対するダイバーシチ合成情報の最適値を設定する第２の手段と、前記第２の手段によりダイバーシチ合成情報の最適値が設定された状態で、前記アンテナ群毎にデータ送受信時のビームフォーミングおよびダイバーシチ合成を行う第３の手段を備え、前記トレーニング信号は、複数のトレーニングサブ信号からなり、前記第１の手段は、前記トレーニングサブ信号のダイバーシチ受信に際し、無線通信装置に具備された各アンテナ群を構成する複数のアンテナの各々の信号に対するダーバーシチ合成情報の１つを順次変更し、変更の前後でのダイバーシチ合成受信信号の受信状態が良好な方のダーバーシチ合成情報で当該アンテナ群を構成する複数のアンテナの各々の信号に対するダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定する点に特徴がある。
【００５９】
また、本発明の、マルチアンテナを用いた無線通信システムは、送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信システムであって、送受信を行う各無線通信装置は、相手側無線通信装置との間での１回または複数回の双方向のトレーニング信号の伝送を通じて、前記アンテナ群毎にダイバーシチ受信状態を最良化するための前記各アンテナ群を構成する複数のアンテナの各々の信号に対するダイバーシチ合成情報をそれらの最適値として各々決定する第１の手段と、前記第１の手段により決定された、前記各アンテナ群を構成する複数のアンテナの各々の信号に対するダイバーシチ合成情報の最適値を設定する第２の手段と、前記第２の手段によりダイバーシチ合成情報の最適値が設定された状態で、前記アンテナ群毎にデータ送受信時のビームフォーミングおよびダイバーシチ合成を行う第３の手段を備え、前記トレーニング信号は、複数のトレーニングサブ信号からなり、前記第１の手段は、前記複数のトレーニングサブ信号のダイバーシチ受信に際し、無線通信装置に具備された各アンテナ群を構成する複数のアンテナの各々の信号に対するダイバーシチ合成情報を順次変更し、各ダイバーシチ合成情報に対応した受信状態を示すトレーニング受信情報に基づき、各アンテナ群のダイバーシチ合成受信信号の受信状態を最良化するダイバーシチ合成情報を決定し、ダイバーシチ受信後に該ダイバーシチ合成情報で各アンテナ群を構成する複数のアンテナの各々の信号に対するダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定する点に特徴がある。
【００６０】
さらに、本発明の、マルチアンテナを用いた無線通信システムは、送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信システムであって、送受信を行う各無線通信装置は、相手側無線通信装置との間での１回または複数回の双方向のトレーニング信号の伝送を通じて、前記アンテナ群毎にダイバーシチ受信状態を最良化するための前記各アンテナ群を構成する複数のアンテナの各々の信号に対するダイバーシチ合成情報をそれらの最適値として各々決定する第１の手段と、前記第１の手段により決定された、前記各アンテナ群を構成する複数のアンテナの各々の信号に対するダイバーシチ合成情報の最適値を設定する第２の手段と、前記第２の手段によりダイバーシチ合成情報の最適値が設定された状態で、前記アンテナ群毎にデータ送受信時のビームフォーミングおよびダイバーシチ合成を行う第３の手段を備え、前記トレーニング信号は、複数のトレーニングサブ信号からなり、前記第１の手段は、前記複数のトレーニングサブ信号のダイバーシチ受信に際し、無線通信装置に具備された各アンテナ群を構成する複数のアンテナの各々の信号に対するダイバーシチ合成情報を順次変更し、各ダイバーシチ合成情報に対応した受信状態を示すトレーニング受信情報に基づき、各アンテナ群のダイバーシチ合成受信信号の受信状態を最良化するダイバーシチ合成情報を決定し、ダイバーシチ受信後に該ダイバーシチ受信の合成ウエイト情報で各アンテナ群を構成する複数のアンテナの各々の信号に対するダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定する点に特徴がある。
【００６１】
本発明の、マルチアンテナを用いた無線通信装置は、送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信装置であって、アンテナ群を構成する複数のアンテナの各々の信号に対するダイバーシチ合成情報を生成するダイバーシチ合成情報生成手段と、前記ダイバーシチ合成情報生成手段により生成されたダイバーシチ合成情報に基づいて前記各アンテナ群を構成する複数のアンテナの各々の信号の振幅および位相を制御するダイバーシチ合成情報設定手段と、前記ダイバーシチ合成情報設定手段との組み合わせにより前記アンテナ群毎にビームフォーミング送信およびダイバーシチ受信を行う信号分配合成手段を備え、前記ダイバーシチ合成情報生成手段は、前記各アンテナ群を構成する複数のアンテナの各々の信号に対する初期捕捉用ダイバーシチ合成情報を出力し、初期状態からダイバーシチ合成情報の最適値への引き込みを可能にする初期捕捉用ダイバーシチ合成情報生成手段と、相手側無線通信装置との間での双方向のトレーニング信号の伝送でのダイバーシチ受信に際し、前記各アンテナ群を構成する複数のアンテナの各々の信号に対するダイバーシチ合成情報を順次変更して生成するトレーニング用ダイバーシチ合成情報生成手段と、前記ダイバーシチ合成情報生成手段により生成された各ダイバーシチ合成情報が各々設定された状態でダイバーシチ受信されるトレーニング信号の受信状態を示すトレーニング受信情報に基づいてダイバーシチ受信状態を最良化するダイバーシチ合成情報をダイバーシチ合成情報の最適値として決定し、データ送受信時のビームフォーミングおよびダイバーシチ合成のためのダイバーシチ合成情報の最適値を生成するダイバーシチ合成情報最適値生成手段を備え、１回または複数回の双方向のトレーニング信号のダイバーシチ受信において、前記ダイバーシチ合成情報生成手段により生成された各ダーバーシチ合成情報が各々設定された状態でダイバーシチ受信されるトレーニング受信情報に基づいてダイバーシチ合成受信信号の受信状態を最良化するダイバーシチ合成情報を取得し、ダイバーシチ受信後に該ダイバーシチ合成情報でダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定する点に特徴がある。
【００６２】
また、本発明の、マルチアンテナを用いた無線通信装置は、送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信装置であって、アンテナ群を構成する複数のアンテナの各々の信号に対するダイバーシチ合成情報を生成するダイバーシチ合成情報生成手段と、前記ダイバーシチ合成情報生成手段により生成されたダイバーシチ合成情報に基づいて前記各アンテナ群を構成する複数のアンテナの各々の信号の振幅および位相を制御するダイバーシチ合成情報設定手段と、前記ダイバーシチ合成情報設定手段との組み合わせにより前記アンテナ群毎にビームフォーミング送信およびダイバーシチ受信を行う信号分配合成手段を備え、前記ダイバーシチ合成情報生成手段は、前記アンテナ群を構成する複数のアンテナの各々の信号に対する初期捕捉用ダイバーシチ合成情報を生成し、初期状態からダイバーシチ合成情報の最適値への引き込みを可能にする初期捕捉用ダイバーシチ合成情報生成手段と、相手側無線通信装置との間での１回または複数回の双方向のトレーニング信号の伝送でのダイバーシチ受信に際し、前記各アンテナ群を構成する複数のアンテナの各々の信号に対するダイバーシチ合成情報を順次変更して生成するトレーニング用ダイバーシチ合成情報生成手段と、前記ダイバーシチ合成情報生成手段により生成された各ダイバーシチ合成情報が各々設定された状態でダイバーシチ受信されるトレーニング信号の受信状態を示す情報に基づいて各設定におけるダイバーシチ受信状態を判定する受信状態判定手段と、
前記受信状態判定手段により判定されたダイバーシチ受信状態を最良化するダイバーシチ合成情報をダイバーシチ合成情報の最適値として決定し、データ送受信時のビームフォーミングおよびダイバーシチ合成のためのダイバーシチ合成情報の最適値を生成するダイバーシチ合成情報最適値生成手段を備え、前記トレーニング信号は、複数のトレーニングサブ信号からなり、前記トレーニングサブ信号のダイバーシチ受信に際し、無線通信装置に具備された各アンテナ群を構成する複数のアンテナの各々の信号に対するダイバーシチ合成情報の１つを順次変更し、変更前後でのダーバーシチ合成受信信号の受信状態が良好な方のダイバーシチ合成情報で当該アンテナ群を構成する複数のアンテナの各々の信号に対するダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定する点に特徴がある。
【００６３】
また、本発明の、マルチアンテナを用いた無線通信装置は、送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信装置であって、アンテナ群を構成する複数のアンテナの各々の信号に対するダイバーシチ合成情報を生成するダイバーシチ合成情報生成手段と、前記ダイバーシチ合成情報生成手段により生成されたダイバーシチ合成情報に基づいて前記各アンテナ群を構成する複数のアンテナの各々の信号の振幅および位相を制御するダイバーシチ合成情報設定手段と、前記ダイバーシチ合成情報設定手段との組み合わせにより前記アンテナ群毎にビームフォーミング送信およびダイバーシチ受信を行う信号分配合成手段を備え、前記ダイバーシチ合成情報生成手段は、前記アンテナ群を構成する複数のアンテナの各々の信号に対する初期捕捉用ダイバーシチ合成情報を生成し、初期状態からダイバーシチ合成情報の最適値への引き込みを可能にする初期捕捉用ダイバーシチ合成情報生成手段と、相手側無線通信装置との間での１回または複数回の双方向のトレーニング信号の伝送でのダイバーシチ受信に際し、前記各アンテナ群を構成する複数のアンテナの各々の信号に対するダイバーシチ合成情報を順次変更して生成するトレーニング用ダイバーシチ合成情報生成手段と、前記ダイバーシチ合成情報生成手段により生成された各ダイバーシチ合成情報が各々設定された状態でダイバーシチ受信されるトレーニング信号の受信状態を示すトレーニング受信情報を保持するトレーニング受信情報保持手段と、前記トレーニング受信状態保持手段により保持されたトレーニング受信情報に基づいてダイバーシチ合成受信信号の受信状態を最良化するダイバーシチ合成情報をダイバーシチ合成情報の最適値として決定し、データ送受信時のビームフォーミングおよびダイバーシチ合成のためのダイバーシチ合成情報の最適値を生成するダイバーシチ合成情報最適値生成手段を備え、前記トレーニング信号は、複数のトレーニングサブ信号からなり、前記複数のトレーニングサブ信号のダイバーシチ受信に際し、無線通信装置に具備された各アンテナ群を構成する複数のアンテナの各々の信号に対するダイバーシチ合成情報を順次変更し、各ダーバーシチ合成情報に対応したトレーニング受信情報を取得して前記トレーニング受信情報保持手段に格納し、前記トレーニング受信情報保持手段に保持されたトレーニング受信情報に基づいてダイバーシチ合成受信信号の受信状態を最良化するダイバーシチ合成情報を決定し、ダイバーシチ受信後に該ダイバーシチ合成情報でダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定する点に特徴がある。
【００６４】
さらに、本発明の、マルチアンテナを用いた無線通信装置は、送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信装置であって、アンテナ群を構成する複数のアンテナの各々の信号に対するダイバーシチ合成情報を生成するダイバーシチ合成情報生成手段と、前記ダイバーシチ合成情報に基づいて前記アンテナ群を構成する複数のアンテナの各々の信号の振幅および位相を制御するダイバーシチ合成情報設定手段と、前記ダイバーシチ合成情報設定手段との組み合わせにより前記アンテナ群毎にビームフォーミング送信およびダイバーシチ受信を行う信号分配合成手段とを備え、前記ダイバーシチ合成情報生成手段は、前記アンテナ群を構成する複数のアンテナの各々の信号に対する初期捕捉用ダイバーシチ合成情報を生成し、初期状態からダイバーシチ合成情報の最適値への引き込みを可能にする初期捕捉用ダイバーシチ合成情報生成手段と、相手側無線通信装置との間での１回または複数回の双方向のトレーニング信号の伝送でのダイバーシチ受信に際し、前記各アンテナ群を構成する複数のアンテナの各々の信号に対するダイバーシチ合成情報を順次変更して生成するトレーニング用ダイバーシチ合成情報生成手段と、前記ダイバーシチ合成情報生成手段により生成された各ダイバーシチ合成情報が各々設定された状態でダイバーシチ受信されるトレーニング信号の受信状態を示すトレーニング受信情報を保持するトレーニング受信情報保持手段と、前記トレーニング受信状態保持手段により保持されたトレーニング受信情報に基づいてダイバーシチ合成受信信号の受信状態を最良化する合成ウエイト情報をダイバーシチ合成情報の最適値として前記アンテナ群毎に決定し、データ送受信における前記アンテナ群毎のビームフォーミングおよびダイバーシチ合成のためのダイバーシチ合成情報の最適値を前記アンテナ群毎に生成するダイバーシチ合成情報最適値生成手段を備え、前記トレーニング信号は、複数のトレーニングサブ信号からなり、前記複数のトレーニングサブ信号のダイバーシチ受信に際し、無線通信装置に具備された各アンテナ群を構成する複数のアンテナの各々の信号に対するダイバーシチ合成情報を順次変更し、各ダーバーシチ合成情報に対応したトレーニング受信情報を取得して前記トレーニング受信情報保持手段に格納し、前記トレーニング受信情報保持手段に保持されたトレーニング受信情報に基づいてダイバーシチ合成受信信号の受信状態を最良化する合成ウエイト情報を決定し、ダイバーシチ受信後に該合成ウエイト情報でダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定する点に特徴がある。
【発明の効果】
【００６５】
本発明では、従来のMIMO技術である空間多重、ダイバーシチまたはビームフォーミングに加えて、さらにアンテナ群による、これらとは独立のビームフォーミング技術を組み合わせており、空間多重により高スループット伝送、例えば100Mbps以上の高スループット伝送ができるエリアをスポットから面的エリアに拡大することができる。また、従来のMIMO技術においては、VoIP等のアプリケーションではダイバーシチが用いられるが、ダイバーシチだけでは従来のPHSシステムのような狭帯域無線システムと比較すると通信エリアは非常に狭くなるが、本発明によると、ダイバーシチとビームフォーミングの組み合わせにより、PHSシステムのような狭帯域無線システムに匹敵する通信エリアを実現することもできる。
【００６６】
また、本発明では、送受信を行う無線通信装置間での双方向のトレーニング信号伝送を通じて各無線通信装置に具備された各アンテナ群におけるダイバーシチ合成情報の最適値を決定するので、無線通信装置の各アンテナ群を構成するアンテナ数が大きい場合でも、ダイバーシチ合成情報の最適値を簡単に求めることができ、このダイバーシチ合成情報の最適値を用いてデータ伝送を行うことにより大きなMIMO利得を得ることができる。本発明と同等の性能は大規模MIMOでも実現できるが、実際にはRFおよびベースバンドのハード規模が膨大となるため、コスト、消費電力および処理量の面から実現は困難である。
【００６７】
さらに、各アンテナ群でのダイバーシチ合成を無線周波数帯で行うようにすれば、送受信系統数を増加することなく、すなわち、従来のMIMO技術をそのまま使用し、個々のアンテナを各アンテナ群で置換し、アンテナ群毎に最大固有値に対する固有ビーム伝送が実現できるので、コストおよび消費電力をあまり増加することなく、従来のMIMO技術での通信エリアを飛躍的に改善することができる。
【００６８】
従来は、最大スループットが100Mbps以上のブロードバンド無線システムにおいても、100Mbps以上の高スループット伝送ができるエリアはスポットであったが、本発明によれば、100Mbps以上の高スループット伝送エリアを面展開できるという画期的な利点がある。
【００６９】
また、従来のMIMO技術による固有ビーム伝送では、伝送路行列に関する情報を送信側と受信側で共有する必要があり、高速フェージング環境下への適用が困難であったが、本発明によれば、伝送路行列の共有は不要であり、高速フェージング環境下への固有ビーム伝送の適用が可能になるという利点もある。
【００７０】
図４６は、従来のMIMO技術および本発明によるMIMO技術の初期捕捉段階における受信レベル分布の比較を示す。ここでは、無線伝送路はレイリーフェージング環境であるとし、各無線通信装置の送受信アンテナの数が４本であるとしている。また、参考としてSISOおよび最適ウエイトを使用した場合の受信レベル分布も合わせて示している。図４６を参照すると、SISOと比較した場合の従来のMIMO技術での初期捕捉における受信レベルの改善は16dBであり、最適ウエイトでのMIMO利得より11dB劣化していることが分かる。これは、送信ビームが形成されておらず、また受信でのダイバーシチ合成も行われていないためであり、SISOよりも４ブランチ選択ダイバーシチの利得分だけ改善している。
【００７１】
一方、本発明におけるダイバーシチ合成情報の設定を無線周波数帯で行う場合には、初期捕捉段階においても、ほぼ最適ウエイトでのMIMO利得に近い利得を得ることができている。最適ウエイトでのMIMO利得からの劣化分は、複素ウエイトとして固有ベクトルを用いるのではなく移相器を用いて複素ウエイトを設定していることに起因する。このように、従来のMIMO技術においては、MIMO利得が通信エリアの拡大に十分活かされていないが、本発明においてダイバーシチ合成情報の設定を無線周波数帯で行う場合には、MIMO利得により通信エリアを拡大することができる。
【図面の簡単な説明】
【００７２】
【図１】本発明に係る無線通信システムの第１実施形態の基本構成を示すブロック図である。
【図２】ウエイト処理部に1ビット移相器を用いた場合の動作を概念的に示す図である。
【図３】ウエイト処理部の具体的構成の一例を示すブロック図である。
【図４】トレーニング信号の例を示す図である。
【図５】第１実施形態における、複素ウエイトの最適値決定処理を示すフローチャートである。
【図６】本発明に係る無線通信装置の第１実施形態の構成を示すブロック図である。
【図７】図６のビーム形成用ウエイト生成部の具体的構成を示すブロック図である。
【図８】図７のビーム形成用ウエイト生成部の動作の一例を示すタイミングチャートである。
【図９】第１実施形態におけるダイバーシチ合成受信信号生成の様子を示す図である。
【図１０】トレーニング信号の他の例を示す図である。
【図１１】トレーニング信号のさらに他の例を示す図である。
【図１２】送信側からベースバンド送信IQ情報"１"を送信したときの受信側での受信情報を模式的に示す図である。
【図１３】無線LANで使用されるバースト検出、AGC動作およびタイミング同期のためのプリアンブルにおけるベースバンドIQ信号を示す図である。
【図１４】マルチパス波が存在しない場合の、相関演算の出力信号を示す
【図１５】第２実施形態における、複素ウエイトの最適値決定処理を示すフローチャートである。
【図１６】本発明に係る無線通信装置の第２実施形態の構成を示すブロック図である。
【図１７】図１６のビーム形成用ウエイト生成部の具体的構成を示すブロック図である。
【図１８】図１７のビーム形成用ウエイト生成部の動作の一例を示すタイミングチャートである。
【図１９】ブロードキャストフレームもしくはマルチキャストフレームの伝送を含めた場合の、本発明の無線通信システムの動作例を示す図である。
【図２０】トレーニング開始フレームの再送の送信回数とACKフレームが送信される確率の関係(STA側で移相器の最適設定が既知の場合)を示す図である。
【図２１】トレーニング開始フレームの再送の送信回数とACKフレームが送信される確率の関係(STA側で移相器の最適設定が未知の場合)を示す図である。
【図２２】STA側で移相器設定が最適化されている場合の、AP側の移相器設定とその時の受信レベルとの関係を示す図である。
【図２３】仮想AP技術を用いた場合の、本発明の無線通信システムの動作例を示す図である。
【図２４】STAがパワーセーブ動作を行う場合の動作例を示す図である。
【図２５】APからSTAへのマルチキャストフレーム、ブロードキャストフレームを伝送する場合の、本発明の無縁通信システムの動作例を示す図である。
【図２６】マルチキャストフレームおよびブロードキャストフレームの送信を行う場合の、本発明の無線通信システムの動作例を示す図である。
【図２７】図１１に示したトレーニング信号の受信による、無線通信装置における複素ウエイトの最適値決定処理を示すフローチャートである。
【図２８】本発明に係る無線通信装置の第３実施形態の構成を示すブロック図である。
【図２９】図２８のビーム形成用ウエイト生成部の具体的構成を示すブロック図である。
【図３０】トレーニングシンボルを用いて双方向トレーニングを行う場合の伝送シーケンスの例である。
【図３１】複数回の双方向のレーニングを行う場合の伝送シーケンスの例である。
【図３２】アンテナ間の伝達関数の一例を示す図である。
【図３３】本発明における複素ウエイト(素波SＡｉＢｊ)の更新の一例を示す説明図である。
【図３４】本発明における複素ウエイト(受信信号RＸ)の更新一例を示す説明図である。
【図３５】複数のアンテナ群を備えた無線通信システムのモデル構成を示すブロック図である。
【図３６】アンテナ群の数が共に1である無線通信システムのモデル構成を示すブロック図である。
【図３７】基地局側が最初のトレーニング信号伝送を行った場合のトレーニング信号伝送回数と受信レベル分布の改善を示す。
【図３８】端末側が最初のトレーニング信号伝送を行った場合のトレーニング信号伝送回数と受信レベル分布の改善を示す。
【図３９】受信信号の合成をベースバンド処理で行った場合とRF帯処理で受信信号の合成を行った場合のバースト検出での受信レベルの改善の比較を示す。
【図４０】IEEE802.11nのアンテナ選択用のトレーニングシーケンスを示す図である。
【図４１】MIMO伝送による通信容量の増大効果を示す図である。
【図４２】従来のMIMO技術を用いた無線通信システムを示すブロック図である。
【図４３】IEEE802.11nシステムにおけるスループットとサービスエリア半径の関係のシミュレーション結果を示す図である。
【図４４】従来技術による無線基地局の構成を示すブロック図である。
【図４５】従来技術による無線基地局の他の構成を示すブロック図である。
【図４６】従来のMIMO技術および本発明における初期捕捉段階における受信レベル分布の比較を示す図である。
【発明を実施するための最良の形態】
【００７３】
以下、図面を参照して本発明を説明する。図１は、本発明に係る無線通信システムの第１実施形態の基本構成を示すブロック図である。この基本構成は、第２および第３実施形態でも同じである。なお、本発明は、無線通信システムとしてだけでなく、無線通信方法としても実現でき、また、無線通信装置単体としても特徴がある。
【００７４】
図１の無線通信システムは、無線伝送路を介して双方向の無線通信を行う2つの無線通信装置A,Bを備える。無線通信装置A,Bは、2つの無線基地局、2つの無線端末、あるいは無線基地局と無線端末であってもよい。
【００７５】
無線通信装置Aは、P個のアンテナ群A１１〜A１Ｍ,A２１〜A２Ｍ,・・・,AＰ１〜AＰＭ、P個のウエイト処理部11-1,11-2,・・・,11-P、P個のRF信号分配・合成部12-1,12-2,・・・,12-P、P個の送受信回路13-1,13-2,・・・,13-P、空間マッピング部14、時空間ブロック符号・符号化復号部15、K個のベースバンド(BB)変復調部16-1,16-2,・・・,16-Kおよびストリーム分配・合成部17を備える。ここで、各アンテナ群A１１〜A１Ｍ,A２１〜A２Ｍ,・・・,AＰ１〜AＰＭはそれぞれ、M本(Mは2以上の整数)のアンテナAｋ１,Aｋ２,・・・,AｋＭ(k=1,2,・・・,P、以下同じ)からなる。なお、各アンテナ群を構成するアンテナ数は必ずしもすべてのアンテナ群で同一である必要はない。この場合には、各アンテナ群を構成するアンテナの数の最大値をMとする。
【００７６】
無線通信装置Bは、Q個のアンテナ群B１１〜B１Ｎ,B２１〜B２Ｎ,・・・,BＱ１〜BＱＮ、Q個のウエイト処理部21-1,21-2,・・・,21-Q、Q個のRF信号分配・合成部22-1,22-2,・・・,22-Q、Q個の送受信回路23-1,23-2,・・・,23-Q、空間マッピング部24、時空間ブロック符号・符号化復号部25、K個のBB変復調部26-1,26-2,・・・,26-Kおよびストリーム分配・合成部27を備える。ここで、各アンテナ群B１１〜B１Ｎ,B２１〜B２Ｎ,・・・,BＱ１〜BＱＮはそれぞれ、N本(Nは2以上の整数)のアンテナBｎ１,Bｎ２,・・・,BｎＮ(n=1,2,・・・,Q、以下同じ)からなる。なお、各アンテナ群を構成するアンテナ数は必ずしもすべてのアンテナ群で同一である必要はない。この場合には、各アンテナ群を構成するアンテナの数の最大値をNとする。
【００７７】
なお、第１実施形態では、スマートアンテナ技術を用いたMIMOと簡易な構成の移相器を用いたMIMOを併用するので、無線通信装置A,Bの少なくとも一方が備えるアンテナ群は複数、すなわちPとQの少なくとも一方は2以上の整数である。
【００７８】
各ウエイト処理部11-1,11-2,・・・,11-Pと各RF信号分配・合成部12-1,12-2,・・・,12-Pの組み合わせは、P個のダイバーシチ回路として機能し、各ウエイト処理部21-1,21-2,・・・,21-Qと各RF信号分配・合成部22-1,22-2,・・・,22-Qの組み合わせは、Q個のダイバーシチ回路として機能する。
【００７９】
また、無線通信装置Aにおいて各RF信号分配・合成部12-1,12-2,・・・,12-Pと各ウエイト処理部11-1,11-2,・・・,11-Pの間、あるいは各ウエイト処理部11-1,11-2,・・・,11-Pと各アンテナ群Aｋ１〜AｋＭの間に送信パワーアンプ、受信LNA(Low Noise Amplifier)あるいはその両方を挿入して、送信電力の増大あるいは受信感度の向上を図ることもできる。
【００８０】
同様に、無線通信装置Bにおいて各RF信号分配・合成部22-1,22-2,・・・,22-Qと各ウエイト処理部21-1,21-2,・・・,21-Qの間、あるいはウエイト処理部21-1,21-2,・・・,21-Qと各アンテナ群Bｎ１〜BｎＮの間に送信パワーアンプ、受信LNA(Low Noise Amplifier)あるいはその両方を挿入して、送信電力の増大あるいは受信感度の向上を図ることもできる。
【００８１】
無線通信装置AのP個のウエイト処理部11-1,11-2,・・・,11-Pはそれぞれ、複数の乗算器を有し、各乗算器は、各アンテナ群Aｋ１〜AｋＭの各アンテナAｋ１,Aｋ２,・・・,AｋＭからの受信信号あるいは各RF信号分配・合成部12-1,12-2,・・・,12-Pからの送信信号にダイバーシチ合成情報(複素ウエイト)WＡｋ１,WＡｋ２,・・・,WＡｋＭを乗算する。
【００８２】
無線通信装置BのQ個のウエイト処理部21-1,21-2,・・・,21-Qもそれぞれ、複数の乗算器を有し、各乗算器は、各アンテナ群Bｎ１〜BｎＮの各アンテナBｎ１,Bｎ２,・・・,BｎＮからの受信信号あるいは各RF信号分配・合成部22-1,22-2,・・・,22-Qからの送信信号にダイバーシチ合成情報(複素ウエイト)WＢｎ１,WＢｎ２,・・・,WＢｎＮを乗算する。
【００８３】
ダイバーシチ合成情報WＡｋ１,WＡｋ２,・・・,WＡｋＭ、WＢｎ１,WＢｎ２,・・・,WＢｎＮは、一般的には複素数であるので、以下では、ダイバーシチ合成情報を複素ウエイトと称する。各乗算器はそれぞれ、入力信号の振幅と位相を複素ウエイトWＡｋ１,WＡｋ２,・・・,WＡｋＭ、WＢｎ１,WＢｎ２,・・・,WＢｎＮに応じて変化させて出力する。乗算器として1ビット移相器を用いることができる。この場合、複素ウエイトは"0","1"の1ビットであり、入力信号は、例えば、複素ウエイト"0","1"に応じて、そのまま、あるいは位相反転して出力される。
【００８４】
しかし、ウエイト処理部11-k,21-nの乗算器は、1ビット移相器に限られるものではなく、ｎ(ｎは２以上の自然数)ビット移相器でもよい。ウエイト処理部11-k,21-nの乗算器がｎ(ｎは２以上の自然数)ビット移相器の場合については第２実施形態において説明する。
【００８５】
図２は、ウエイト処理部11-kに1ビット移相器を用いた場合の動作を概念的に示す図である。アンテナ群Aｋ１〜AｋＭを構成する各アンテナAｋ１,Aｋ２,・・・,AｋＭからの信号あるいはRF信号分配・合成器12-kからの信号は、ウエイト処理部11-kに入力される。ウエイト処理部11-kは、複素ウエイトWＡｋ１,WＡｋ２,・・・,WＡｋＭが"0"か"1"かにより、入力信号をそのまま、あるいは位相反転して出力する。図２は、複素ウエイトWＡｋ１,WＡｋ２,・・・,WＡｋＭが"0"の時、信号がそのまま出力され、複素ウエイトWＡｋ１,WＡｋ２,・・・,WＡｋＭが"1"の時、信号が位相反転されて出力される場合を示している。
【００８６】
図３は、ウエイト処理部11-kの具体的構成の一例を示すブロック図である。ウエイト処理部11-kの各乗算器は、2つの切替スイッチと180度遅延線で構成されている。2つの切替スイッチは、複素ウエイトWＡｋ１,WＡｋ２,・・・,WＡｋＭに従って同時に切り替えられる。アンテナ群を構成する各アンテナAｋ１,Aｋ２,・・・,AｋＭあるいはRF信号合成・分配器12-kからの信号は、複素ウエイトWＡｋ１,WＡｋ２,・・・,WＡｋＭが"0"の場合180度遅延線を通さずに出力側に送出され複素ウエイトWＡｋ１,WＡｋ２,・・・,WＡｋＭが"1"の場合、180度遅延線を通して出力側に送出される。
【００８７】
図１に戻って、無線通信装置AのP個の各RF信号分配・合成部12-1,12-2,・・・,12-Pは、送信時には、各送受信回路13-1,13-2,・・・,13-Pからの送信信号をエネルギー的にM分配して各ウエイト処理部11-1,11-2,・・・,11-Pの各乗算器に出力し、受信時には、各乗算器からの出力信号を合成(ベクトル加算)し、ダイバーシチ合成受信信号として各送受信回路13-1,13-2,・・・,13-Pに出力する。
【００８８】
また、無線通信装置BのQ個の各RF信号分配・合成部22-1,22-2,・・・,22-Qは、送信時には、各送受信回路23-1,23-2,・・・,23-Qからの送信信号をエネルギー的にN分配して各ウエイト処理部21-1,21-2,・・・,21-Qの各乗算器に出力し、受信時には、各乗算器からの出力信号を合成(ベクトル加算)し、ダイバーシチ合成受信信号として各送受信回路23-1,23-2,・・・,23-Qに出力する。
【００８９】
すなわち、各RF信号分配・合成部12-1,12-2,・・・,12-P、22-1,22-2,・・・,22-Qは、双方向のハイブリッド回路であり、送信時には分配器として機能し、受信時には合成器として機能する。具体的には、ウイルキンソン型分配合成回路をRF信号分配・合成部12-1,12-2,・・・,12-P、22-1,22-2,・・・,22-Qとして使用できる。
【００９０】
無線通信装置AのP個の送受信回路13-1,13-2,・・・,13-Pは、送信時には、空間マッピング部14から出力されるP個のBB変調信号を入力とし、これをRF帯へ周波数変換し、RF信号をRF信号分配・合成部12-1,12-2,・・・,12-Pに出力する。また、送受信回路13-1,13-2,・・・,13-Pは、受信時には、P個のダイバーシチ合成受信信号を入力とし、これをベースバンドに周波数変換して空間マッピング部14に出力する。なお、送信時において、送信アンテナ選択ダイバーシチ等を行う場合では、P個の送受信回路13-1,13-2,・・・,13-Pの中の一部のみが使用される。
【００９１】
無線通信装置BのQ個の送受信回路23-1,23-2,・・・,23-Qは、送信時には、空間マッピング部24から出力されるQ個のBB変調信号を入力とし、これをRF帯へ周波数変換し、RF信号をRF信号分配・合成部22-1,22-2,・・・,22-Qに出力する。また、送受信回路23-1,23-2,・・・,23-Qは、受信時には、Q個のダイバーシチ合成受信信号を入力とし、これをベースバンドに周波数変換して空間マッピング部24に出力する。なお、送信時において、送信アンテナ選択ダイバーシチ等を行う場合では、Q個の送受信回路23-1,23-2,・・・,23-Qの中の一部のみが使用される。
【００９２】
空間マッピング部14,24は、空間マッピングあるいは空間デマッピングを行う。この過程は、従来のMIMO技術と同様である。例えば、無線通信装置Aでは、ストリーム分配・合成部17において、送信データがストリーミング数のデータに分割される。この分割されたデータは、各BB変復調部16-1,16-2,・・・,16-Kに入力されて、K個のBB変調信号が出力される。
【００９３】
時空間符号が使用される場合には、該時空間符号に基づく時空間符号化処理が時空間ブロック符号・符号化復号部15で行われる。時空間符号が使用されない場合には、時空間ブロック符号・符号化復号部15では何の処理も行われない。
【００９４】
空間マッピング部14は、時空間ブロック符号・符号化復号部15の出力を入力とし、各アンテナ群Aｋ１〜AｋＭに対するマッピングを行う。このマッピングには、Cyclic Prefix付与、Steering Matrix乗算、Direct Mapping等を利用できる。マッピングについては、非特許文献１および非特許文献２に詳細に記載されている。
【００９５】
無線通信装置A,Bは、双方向のトレーニング信号伝送を通じて、各アンテナ群Aｋ１〜AｋＭ,Bｎ１〜BｎＮにおける複素ウエイトの最適値を各々決定し、これにより決定された複素ウエイトの最適値を当該アンテナ群Aｋ１〜AｋＭ,Bｎ１〜BｎＮのウエイト処理部11-k,21-nの乗算器に設定し、アンテナ群Aｋ１〜AｋＭ,Bｎ１〜BｎＮ毎にデータ送受信時のビームフォーミングおよびダイバーシチ合成を行う。
【００９６】
トレーニング信号は、無線通信装置AおよびBの各アンテナ群Aｋ１〜AｋＭ,Bｎ１〜BｎＮにおける複素ウエイトの最適値を決定するために用いられる。１つのトレーニング信号は、複数のトレーニングサブ信号から構成される。各トレーニングサブ信号を、ウエイト処理部11-k,21-nに互いに異なる複素ウエイトを設定した状態で受信し、このときの受信レベル情報を用いて複素ウエイトの最適値を決定する。トレーニング信号としては既知の信号に対する受信レベル情報が取得できるものであればよく、任意のフレーム、シンボル、サブキャリア、拡散信号等を使用することができる。トレーニング信号の具体例については、後で詳述する。なお、ここで受信レベル情報は、複数のトレーニングサブ信号に対する受信信号の大きさが比較できるものであれば何でもよい。例えば、トレーニング信号として、同一フレームの複数シンボルを使用する場合には、ベースバンド受信IQ情報を用いて受信レベル情報を取得することができる。
【００９７】
ウエイト処理部11-k,21-nは、乗算器を用いて等価的に複素ウエイトを乗算する。この複素ウエイトは、送信及び受信の両方で用いられる。すなわち、送信時にはこの複素ウエイトの乗算により送信ビームフォーミングが行われ、受信時にはこの複素ウエイトの乗算によりダイバーシチ合成が行われる。
【００９８】
図４は、無線通信装置間で1トレーニング期間内に送受信されるトレーニング信号の具体例を示す。同図は、受信側無線通信装置のアンテナ数を4とした場合に用いられるトレーニング信号の一例である。図４の例では、トレーニング信号は５つのトレーニングフレーム1,2-1〜2-4とACKフレーム(Acknowledgement Frame)の組み合わせからなる。トレーニングサブ信号は、１つのトレーニングフレームとこれに対するACKフレームの組み合わせからなる。ACKフレームは、トレーニングフレームの宛先の無線通信装置においてトレーニングフレームが誤りなしで受信された場合に、宛先の無線通信装置から送信される。宛先の無線通信装置でのトレーニングフレームの受信において伝送誤りが検出された場合にはACKフレームは送信されず、その時点でトレーニング信号は終了となる。また、トレーニングフレームの送信元である無線通信装置でのACKフレームの受信において伝送誤りが検出された場合には、その次のトレーニングフレームは送信されず、その時点で、トレーニング信号は終了となる。
【００９９】
トレーニング信号は、各アンテナ群において、現状の複素ウエイトでダイバーシチ受信した時の受信レベル情報および現状の複素ウエイトを所定のアルゴリズムで変更してダイバーシチ受信した時の受信レベル情報を得るために用いられる。各無線通信装置は、1トレーニング期間内のトレーニング信号を受信することにより、その時点での、各アンテナ群におけるダイバーシチ受信状態を最良化する複素ウエイトの最適値を決定できる。
【０１００】
先頭のトレーニングフレーム1には送信元アドレス、送信先アドレスおよびフレーム種別などの情報を含ませることができる。このトレーニングフレーム1を用いて、現状の各アンテナ群の複素ウエイトでダイバーシチ受信した時の各アンテナ群における受信レベル情報を取得する。トレーニングフレーム2-1〜2-4は、複素ウエイトを所定のアルゴリズムで変更してダイバーシチ受信した時の各アンテナ群におけるダイバーシチ受信状態を測定するためのものであり、既定のプリアンブルパターンを含むフレームまたはその一部を用いて受信レベル情報を取得する。
【０１０１】
トレーニング信号は、相手側無線通信装置から送信される信号を所定の複素ウエイトを用いてダイバーシチ受信した時の各アンテナ群における受信レベル情報を取得するためのものであるので、図４に示される形式の信号に限られない。トレーニングフレーム1,2-1〜2-4は、トレーニングのために特別に用意したものでなくてもよく、例えば、データフレームのヘッダの中の拡張プリアンブルに含ませた複数のシンボルをトレーニングフレームとすることもできる。
【０１０２】
図１において、例えば、無線通信装置Aにおける各アンテナ群Aｋ１〜AｋＭを構成するアンテナAｋ１,Aｋ２,・・・,AｋＭの信号に対する複素ウエイトWＡｋ１,WＡｋ２,・・・,WＡｋＭの最適値を決定する場合、無線通信装置Aは、無線通信装置Bが送信するトレーニングフレーム1,2-1〜2-4をダイバーシチ受信してそれぞれACKを返信する。
【０１０３】
トレーニングフレーム1は、各アンテナ群Aｋ１〜AｋＭでの現状の複素ウエイトWＡｋ１,WＡｋ２,・・・,WＡｋＭを用いてダイバーシチ受信され、トレーニングフレーム2-1〜2-4は、各アンテナ群Aｋ１〜AｋＭでの現状の複素ウエイトWＡｋ１,WＡｋ２,・・・,WＡｋＭを所定のアルゴリズムで変更した複素ウエイトWＡｋ１,WＡｋ２,・・・,WＡｋＭを用いてダイバーシチ受信される。
【０１０４】
この時の各アンテナ群Aｋ１〜AｋＭでのダイバーシチ受信状態に基づいて、当該アンテナ群Aｋ１〜AｋＭの複素ウエイトWＡｋ１,WＡｋ２,・・・,WＡｋＭの最適値が決定される。ACKが返信されない場合、そこでトレーニングは終了となる。ACKを用いないで、既定のアンテナ数M個分のトレーニングフレーム2-1〜2-Mを常に送信してもよい。このようなACKを用いない例についても後述する。
【０１０５】
次に、図１の無線通信システムにおける複素ウエイトの最適値決定動作を簡単に説明する。ここでは、図４に示す形式のトレーニング信号を用いて無線通信装置Aにおける各アンテナ群Aｋ１〜AｋＭを構成するアンテナAｋ１,Aｋ２,・・・,AｋＭの信号に対する複素ウエイトWＡｋ１,WＡｋ２,・・・,WＡｋＭの最適値を決定する場合について説明する。また、ここでは、ウエイト処理部11-kの乗算器に1ビット移相器を用いて等利得合成でダイバーシチ合成を行うものとする。
【０１０６】
ダイバーシチ合成には、さらに高精度の等利得合成や最大比合成などの任意の合成手法を使用することもできる。
【０１０７】
まず、無線通信装置Bは、過去の直近のトレーニングで取得された、各アンテナ群Bｎ１〜BｎＮでの、ほぼ最適の複素ウエイトWＢｎ１,WＢｎ２,・・・,WＢｎＮを用いてトレーニング信号を、各アンテナ群Bｎ１〜BｎＮを構成する各アンテナBｎ１,Bｎ２,・・・,BｎＮから送信する。この無線通信装置Bの各アンテナ群Bｎ１〜BｎＮにおける複素ウエイトWＢｎ１,WＢｎ２,・・・,WＢｎＮは、無線通信装置Aが、その時点での複素ウエイトの最適値に更新する1トレーニング期間中で固定とする。
【０１０８】
なお、無線通信装置A,B間の通信が全くの初期状態からである場合、無線通信装置A,Bは、後述するように、トレーニング信号を互いに送受信して複素ウエイトWＡｋ１,WＡｋ２,・・・,WＡｋＭ、WＢｎ１,WＢｎ２,・・・,WＢｎＮの最適値への引き込みを可能にする。
【０１０９】
無線通信装置Aは、まず、無線通信装置Bに具備されたQ個のアンテナ群Bｎ１〜BｎＮから送信された最初のトレーニングフレーム1を、無線通信装置Aに具備されたP個のアンテナAｋ１〜AｋＭ群で受信し、トレーニングフレーム1に対するACKを返信する。無線通信装置Bに具備されたQ個のアンテナ群Bｎ１〜BｎＮはそれぞれ、N本のアンテナBｎ１,Bｎ２,・・・,BｎＮからなり、アンテナ群Bｎ１〜BｎＮ毎にN個の信号波が送信される。無線通信装置A に具備されたP個のアンテナ群Aｋ１〜AｋＭはそれぞれ、M本のアンテナAｋ１,Aｋ２,・・・,AｋＭからなり、アンテナ群Aｋ１〜AｋＭ毎にM個の信号波の合成波が受信される。
【０１１０】
各アンテナ群Aｋ１〜AｋＭ、Bｎ１〜BｎＮにおいては、互いに独立に固有ビーム伝送が行われる。無線通信装置AのP個のウエイト処理部11-1,11-2,・・・,11-Pの各乗算器では、当該アンテナ群Aｋ１〜AｋＭを構成するM個のアンテナAｋ１,Aｋ２,・・・,AｋＭからの各受信信号に、当該アンテナ群Aｋ１〜AｋＭにおける複素ウエイトWＡｋ１,WＡｋ２,・・・,WＡｋＭを乗算する。各乗算器は、複素ウエイトが"0"であれば、入力信号をそのまま出力し、複素ウエイトが"1"であれば、入力信号を位相反転して出力する。
【０１１１】
最初のトレーニングフレーム1を受信する時の複素ウエイトWＡｋ１,WＡｋ２,・・・,WＡｋＭとしては、過去の直近のトレーニングで取得されたものを用いる。この場合、各アンテナ群Aｋ１〜AｋＭにおける複素ウエイトWＡｋ１,WＡｋ２,・・・,WＡｋＭは、現状でも、ほぼ最適値となっていると考えられる。しかし、この時に用いる複素ウエイトWＡｋ１,WＡｋ２,・・・,WＡｋＭは、任意に設定することができる。この各アンテナ群Aｋ１〜AｋＭにおける複素ウエイトWＡｋ１,WＡｋ２,・・・,WＡｋＭは、後述するように、続く複数のトレーニングフレーム2-1〜2-4のダイバーシチ受信を通じてさらに最適値へと更新される。
【０１１２】
無線通信装置AのP個のRF信号分配・合成部12-1,12,2,・・・,12-Pはそれぞれ、対応するウエイト処理部11-1,11-2,・・・,11-Pにおいて複素ウエイトWＡｋ１,WＡｋ２,・・・,WＡｋＭが乗算された受信信号を加算してダイバーシチ合成受信信号を生成する。
【０１１３】
次に、各アンテナ群Aｋ１〜AｋＭにおいて、1つのアンテナ、例えばアンテナAｋ１の信号に対する複素ウエイトWＡｋ１だけを先の複素ウエイトの最適値WＡｋ１から反転(0⇔1)させる。この新しい複素ウエイトWＡｋ１,WＡｋ２,・・・,WＡｋＭを用いて、引き続くトレーニングフレーム2-1をダイバーシチ受信し、このときの各アンテナ群Aｋ１〜AｋＭにおける受信状態が先の複素ウエイトの最適WＡｋ１,WＡｋ２,・・・,WＡｋＭを用いた時より改善されたどうかを調べる。
【０１１４】
このときの受信状態が先の複素ウエイトの最適値WＡｋ１,WＡｋ２,・・・,WＡｋＭを用いた時より改善されていなければ、先の複素ウエイトの最適WＡｋ１,WＡｋ２,・・・,WＡｋＭをそのまま保持し、改善されていれば、複素ウエイトの最適値WＡｋ１,WＡｋ２,・・・,WＡｋＭを今回のものに更新して保持する。以上により、当該アンテナ群Aｋ１〜AｋＭにおけるアンテナAｋ１の信号に対する複素ウエイトの最適値WＡｋ１を決定する。
【０１１５】
各アンテナ群Aｋ１〜AｋＭにおいて受信状態が改善されたかどうかは、例えば、当該アンテナ群Aｋ１〜AｋＭにおけるダイバーシチ合成受信信号のレベル、送受信回路13-1,13-2,・・・,13-Pの無線受信部が備えるAGCアンプの利得、あるいはそれをレベル情報に変換したレベルなどの、当該アンテナ群Aｋ１〜AｋＭの受信レベル情報を指標として判定できる。なお、受信レベル情報は必ずしも当該アンテナ群Aｋ１〜AｋＭの受信信号レベルまたはその対数に比例する必要はないが、受信信号レベルに対して単調増加または単調減少の関係を有する必要がある。トレーニング信号として、同一フレームの複数シンボルを使用する場合には、ベースバンド受信IQ情報を用いて受信レベル情報を取得することができる。
【０１１６】
次に、トレーニングフレーム2-1に対するACKを返信した後、各アンテナ群Aｋ１〜AｋＭにおいて、決定されたアンテナAｋ１の信号に対する複素ウエイトWＡｋ１はそのままとし、アンテナAｋ１以外、例えばアンテナAｋ２の信号に対する複素ウエイトWＡｋ２だけを先の複素ウエイトの最適値WＡｋ２から反転(0⇔1)させる。
【０１１７】
この新しい各アンテナ群Aｋ１〜AｋＭにおける複素ウエイトWＡｋ１,WＡｋ２,・・・,WＡｋＭを用いて、引き続く2番目のトレーニングフレーム2-2をダイバーシチ受信し、この時の各アンテナ群Aｋ１〜AｋＭでの受信状態が、当該アンテナ群Aｋ１〜AｋＭにおける先の複素ウエイトの最適値WＡｋ１,WＡｋ２,・・・,WＡｋＭを用いた時より改善されたどうかを調べる。
【０１１８】
この時の、当該アンテナ群Aｋ１〜AｋＭでの受信状態が先の複素ウエイトの最適値WＡｋ１,WＡｋ２,・・・,WＡｋＭを用いた時より改善されていなければ、当該アンテナ群Aｋ１〜AｋＭにおける先の複素ウエイトの最適値WＡｋ１,WＡｋ２,・・・,WＡｋＭをそのまま保持し、改善されていれば、当該アンテナ群Aｋ１〜AｋＭにおける複素ウエイトの最適値WＡｋ１,WＡｋ２,・・・,WＡｋＭを今回のものに更新して保持する。以上により、各アンテナ群Aｋ１〜AｋＭごとに、アンテナAｋ２からの信号に対する複素ウエイトの最適値WＡｋ２を決定する。
【０１１９】
同様に、3番目以降のトレーニングフレーム2-3,2-4を順次受信し、この時の各アンテナ群Aｋ１〜AｋＭでの受信レベル情報を基に、アンテナAｋ３, Aｋ４の信号に対する各アンテナ群Aｋ１〜AｋＭにおける複素ウエイトの最適値WＡｋ３, WＡｋ４を、順次決定する。
【０１２０】
すなわち、無線通信装置BのQ個のアンテナ群Bｎ１〜BｎＮを構成する各アンテナBｎ１,Bｎ２,・・・,BｎＮから送信されるトレーニングフレーム2-3を受信し、この時の、各アンテナ群Aｋ１〜AｋＭでの受信状態からアンテナAｋ３の信号に対する複素ウエイトの最適値WＡｋ３を決定し、続いてトレーニングフレーム2-4を受信し、このときの受信状態からアンテナAｋ４の信号に対する複素ウエイトの最適値WＡｋ４を決定する。
【０１２１】
このように、トレーニングフレーム1,2-1〜2-Mを順次受信し、それに対するACKを返信する度に、各アンテナ群Aｋ１〜AｋＭを構成する各アンテナAｋ１,Aｋ２,・・・,AｋＭの信号に対する複素ウエイトWＡｋ１,WＡｋ２,・・・,WＡｋＭを1つずつ順次変更(反転)し、この時の受信状態を判定して各複素ウエイトの最適値WＡｋ１,WＡｋ２,・・・,WＡｋＭを順次決定する。
【０１２２】
これによれば、(アンテナ数M+1)回のトレーニングフレームの受信で、全てのアンテナ群Aｋ１〜AｋＭの全てのアンテナAｋ１,Aｋ２,・・・,AｋＭの信号に対する複素ウエイトの最適値WＡｋ１,WＡｋ２,・・・,WＡｋＭを決定できる。以上により、無線通信装置Aにおいて、各アンテナ群Aｋ１〜AｋＭを構成するM個のアンテナAｋ１,Aｋ２,・・・,AｋＭの信号に対する複素ウエイトの最適値WＡｋ１,WＡｋ２,・・・,WＡｋＭが決定される。
【０１２３】
その後、無線通信装置Aは、各アンテナ群Aｋ１〜AｋＭにおいて、この複素ウエイトの最適値WＡｋ１,WＡｋ２,・・・,WＡｋＭを用いて、無線通信装置Bに対してトレーニングフレーム1,2-1〜2-Nを送信する。
【０１２４】
今度は、無線通信装置Bが、無線通信装置AのP個のアンテナ群群Aｋ１〜AｋＭから送信されたトレーニングフレーム1,2-1〜2-Nを受信し、各アンテナ群Bｎ１〜BｎＮを構成する各アンテナBｎ１,Bｎ２,・・・,BｎＮの信号に対する複素ウエイトの最適値WＢｎ１,WＢｎ２,・・・,WＢｎＮを順次決定する。
【０１２５】
その動作は、無線通信装置Aの動作と同じであるので、説明を省略する。さらに、無線通信装置A,B間で双方向のトレーニング信号伝送を行って、各アンテナ群Aｋ１〜AｋＭ、Bｎ１〜BｎＮにおける複素ウエイトの最適値WＡｋ１,WＡｋ２,・・・,WＡｋＭおよびWＢｎ１,WＢｎ２,・・・,WＢｎＮをより最適化することができる。
【０１２６】
無線通信装置A,Bは、データ送受信に際し、以上のようにして決定した各アンテナ群Aｋ１〜AｋＭ、Bｎ１〜BｎＮにおける複素ウエイトの最適値WＡｋ１,WＡｋ２,・・・,WＡｋＭ、WＢｎ１,WＢｎ２,・・・,WＢｎＮを用いてビームフォーミングおよびダイバーシチ合成を行う。
【０１２７】
図５は、第１実施形態の無線通信装置Aにおける複素ウエイトの最適値決定処理を示すフローチャートである。ここでは、各アンテナ群Aｋ１〜AｋＭを構成するアンテナ数をMとし、ウエイト処理部11-1,11-2,・・・,11-Pの乗算器として1ビット移相器を用いた場合を想定している。
【０１２８】
まず、各アンテナ群Aｋ１〜AｋＭにおける複素ウエイトの最適値WＡｋ=(WＡｋ１,WＡｋ２,・・・,WＡｋＭ)を用いて先頭のトレーニングフレーム1をダイバーシチ受信して、各アンテナ群Aｋ１〜AｋＭでの受信レベル情報PＡｋ０を取得し、PＡｋ０を当該アンテナ群Aｋ１〜AｋＭにおける受信レベル情報の最大値PＡｋ，ＭＡＸとして保持する。また、変数iに1を代入(i←1)する(S1)。変数iは、以下のステップからなるループをアンテナ数M回だけ行わせることを規定する。
【０１２９】
なお、ここでの値WＡｋ=(WＡｋ１,WＡｋ２,・・・,WＡｋＭ)はそれぞれ、各アンテナ群Aｋ１〜AｋＭにおける複素ウエイトWＡｋ１,WＡｋ２,・・・,WＡｋＭの初期の最適値である。ここではP個のウエイト処理部11-1,11-2,・・・,11-Pに具備された乗算器が1ビット移相器である場合を想定しているので、複素ウエイトのWＡｋ１,WＡｋ２,・・・,WＡｋＭは、1ビット("0"か"1")である。
【０１３０】
次に、次トレーニングフレームがあるか否かを判定する(S2)。S2で、次トレーニングフレームがあると判定すれば、S3に進むが、ないと判定すれば、トレーニングを終了する。S3では、各アンテナ群Aｋ１〜AｋＭにおいて、i番目の複素ウエイトWＡｋｉを反転させた複素ウエイトWＡｋでトレーニングフレームを受信し、そのときの受信レベル情報PＡｋｉを取得する。
【０１３１】
次に、受信レベル情報PＡｋｉを、これまでの受信レベル情報の最大値PＡｋ，ＭＡＸと比較し(S4)、PＡｋｉ＞PＡｋ，ＭＡＸであれば、当該アンテナ群Aｋ１〜AｋＭにおける複素ウエイトの最適値WＡｋをS3で新たに設定された複素ウエイトWＡｋに更新する。同時に、当該アンテナ群Aｋ１〜AｋＭでの受信レベル情報の最大値PＡｋ，ＭＡＸをPＡｋｉに更新する(S5)。その後、S6に進む。
【０１３２】
S4での比較結果がPｋｉ＞Pｋ，ＭＡＸでなければ、複素ウエイトの最適値WＡｋを更新せずに、S6に進む。S6では、変数iを1だけインクリメントする(i←i+1)。次に、変数iがアンテナ数M以下か否かを判定する(S7)。S7で、変数iがアンテナ数M以下と判定されれば、S2に戻って処理を繰り返し、変数iがアンテナ数M以下でないと判定されれば、変数iにi-Mを代入(i←i-M)、すなわち変数iを再び1とした後、S2に戻って処理を繰り返す。
【０１３３】
以上のフローにより、各アンテナ群Aｋ１〜AｋＭを構成する各アンテナAｋ１,Aｋ２,・・・,AｋＭの信号に対する複素ウエイトWＡｋ１,WＡｋ２,・・・,WＡｋＭを、最初のトレーニングフレーム1に続くトレーニングフレームを受信する度に1つずつ最適化できる。したがって、アンテナ数がMの場合、少なくとも(M+1)個のトレーニングフレームのダイバーシチ受信により各アンテナ群群Aｋ１〜AｋＭにおける複素ウエイトWＡｋ=(WＡｋ１,WＡｋ２,・・・,WＡｋＭ)を最適化できる。なお、以上のフローにより、各アンテナ群Aｋ１〜AｋＭを構成する各アンテナAｋ１,Aｋ２,・・・,AｋＭの信号のベクトルの向きを合わせて最適化することはできるが、これだけでは、各アンテナ郡でダイバーシチ受信された受信信号のベクトルの向きを合わせることはできない。無線通信装置Aでの受信においては、送受信回路13-1〜13-Pから出力されるベースバンド受信IQ情報におけるベクトルの向きのばらつきは、直後の空間デマッピング部14において補償され、同一向きに揃えられた上でダイバーシチ合成される。しかし、無線通信装置Aからの送信においては、送受信回路13-1〜13-Pには同一向きのベクトルの送信信号が印加されるので、無線通信装置Bでの受信においては、無線通信装置Aの各アンテナ群からの信号が必ずしも同相で合成されない。このため、さらに、各アンテナ郡でダイバーシチ受信された受信信号のベクトルの向きを合わせる処理を行ってもよい。例えば、トレーニング信号として同一フレームの複数シンボルを使用する場合には、送受信回路13-1〜13-Pから出力されるベースバンド受信IQ情報が右半平面内（I>0の領域）となるように当該アンテナ郡の複素ウエイトに対して回転の処理を行ってもよい。具体的には、トレーニングフレーム１に対する当該アンテナ郡でのベースバンド受信IQ情報が右半平面内にある場合には、以上のフローで求まったM個の複素ウエイトをそのまま使用し、左半平面にある場合にはM個の複素ウエイトを各々位相反転したものを複素ウエイトとして使用してもよい。
【０１３４】
無線通信装置Bの各アンテナ群Bｎ１〜BｎＮの各アンテナBｎ１,Bｎ２,・・・,BｎＮの信号に対する複素ウエイトWＢｎ１,WＢｎ２,・・・,WＢｎＮも同様のフローに従って少なくとも(N+1)個のトレーニングフレームのダイバーシチ受信で最適化できる。
【０１３５】
このように、本発明の無線通信システムでは、2つの無線通信装置間での双方向のトレーニング信号伝送を通じて、各アンテナ群を構成する複数のアンテナの各々の信号に対する複素ウエイトの最適値を決定し、これにより決定された複素ウエイトを用いて、データ送受信時のビームフォーミングおよびダイバーシチ合成を行う。
【０１３６】
なお、トレーニングにおける最初のトレーニングフレーム1は、ほぼ最適なダイバーシチ合成で受信できるが、それに続くトレーニングフレーム2-1以降の受信では複素ウエイトをほぼ最適値から故意にずらしているので、受信レベルが低くなる可能性がある。特に、最適なダイバーシチ合成受信により、かろうじて通信可能となる通信エリアの周辺部においては、トレーニングフレーム2-1以降を大部分受信できない場合が生じる。
【０１３７】
この場合、図４に示すように、各トレーニングフレームに対してACKを返信するものとすると、トレーニングは1フレームすなわちトレーニングフレーム1のみで終了してしまう。しかし、この場合でも、トレーニングフレーム2-1以降の最初のトレーニングフレーム2-1の受信で最適化する各アンテナ群のアンテナを1番目のアンテナに固定せず、各アンテナ群において、前回にトレーニングしたアンテナの次のアンテナからトレーニングを開始するようにすれば、通信エリアの周辺部においてもトレーニングが可能となる。
【０１３８】
ただし、この場合、各アンテナ群において1回のトレーニングで複素ウエイトを最適化できず、少なくともアンテナ数以上のトレーニングが必要となる。ACKを用いないで、トレーニングフレーム1に続けて既定のアンテナ数分のトレーニングフレームを常に送信する場合あるいはデータフレームのヘッダの拡張プリアンブルに含ませたアンテナ数分のシンボルを使用する場合には、当然通信エリア周辺部においても、1つのトレーニング信号での最適化が可能である。
【０１３９】
送受信を行う無線通信装置についての各アンテナ群における複素ウエイトは、それらの間での双方向のトレーニング信号伝送を通じてそれぞれ最適化されるので、データ送受信に際し、この各アンテナ群における複素ウエイトを用いてビームフォーミングおよびダイバーシチ合成を行うことにより、2つの無線通信装置の各アンテナ群間において、双方のアンテナ群を構成する複数のアンテナ間での伝達関数からなる伝送路行列の最大固有値に対応した固有伝送路に全エネルギーを集中してデータを伝送することができ、大きなMIMO利得を得ることができる。
【０１４０】
したがって、MIMOによる空間多重時、ダイバーシチ通信あるいはビームフォーミングにより通信のサービスエリアを拡大できるばかりでなく、通話のような双方向リアルタイム通信の品質を改善することもできる。なお、MIMO利得は、送信アンテナ利得、受信アンテナ利得およびダイバーシチ利得を含む。
【０１４１】
本発明と同様の効果は、無線通信において、(M×P)×(N×Q)のMIMO伝送を行うことにより原理的には実現できる。ただし、M×P個あるいはN×Q個の送受信機を具備することは、コスト的にも消費電力の面からも困難である。また、高次のMIMO伝送では演算量および演算時間が大きくなる問題もある。また、ビームフォーミングを行うためには、伝送路行列の情報を送受信で共有する必要があるが、フィードバックにおけるオーバーヘッドを考慮すると、高速フェージング環境下において高次のMIMOの実現は非常に困難である。
【０１４２】
しかし、本発明では、MIMO伝送を行う各アンテナ群において、伝送路行列の相関行列や相関行列の最大固有値に対応した固有ベクトルを演算することなく、双方向のトレーニング信号伝送を通じて各アンテナ群における複素ウエイトの最適値を決定するので、複素ウエイトの最適値を決定するための演算量および演算時間、双方の無線通信装置においてチャネル情報を共有化するための情報伝送および消費電力の大きな送受信回路の数の増加なしにMIMO通信における各アンテナ群間の通信品質を大幅に改善することができる。これにより、MIMOによる通信品質の改善におけるアンテナ数の制限が大幅に緩和されるので、各アンテナ群間の無線伝送におけるMIMO利得を容易に増大させることができる。
【０１４３】
図６は、本発明に係る無線通信装置の第１実施形態の構成を示すブロック図である。なお、図６において、図１と同一あるいは同等部分には同じ番号を付しており、ここでは図１の無線通信装置Aを示しているが、無線通信装置Bも同様である。また、図６は、無線通信装置のウエイト処理部11-kの乗算器が１ビット移相器である場合における実施形態を示している。ウエイト処理部11-kの乗算器が、ｎビット移相器(ｎは２以上の自然数)の場合については第２実施形態として説明する。
【０１４４】
本実施形態の無線通信装置Aは、それぞれがM本(Mは2以上の整数)のアンテナAｋ１,Aｋ２,・・・,AｋＭ(ｋは１以上P以下の整数)からなるP個のアンテナ群Aｋ１〜AｋＭ、ウエイト処理部11-1,11-2,・・・,11-PおよびRF信号分配・合成部12-1,12-2,・・・,12-PからなるP個のダイバーシチ回路およびMIMO送受信部19を備える。MIMO送受信部19は、図１の送受信回路13-1,13-2,・・・,13-P〜ストリーム分配・合成部17に相当する。
【０１４５】
MIMO送受信部19は、信号合成部101、ストリーム分配部102、ベースバンド変調部103-1,103-2,・・・,103-K、時空間符号・符号化部104、空間マッピング部105、無線送信部106-1,106-2,・・・,106-P、無線受信部107-1,107-2,・・・,107-P、空間デマッピング部108、時空間符号・復号部109、ベースバンド復調部110-1,110-2,・・・,110-K、ストリーム合成部111、デュプレクサ18-1,18-2,・・・,18-P、伝送路特性推定部112および送受信の切替制御のための送受信制御部113を備える。これらの多くは、一般的なMIMO伝送を行う無線通信装置が備える構成要素である。時空間符号を使用しない場合には、時空間符号・符号化部および時空間符号・復号部はなくてもよい。
【０１４６】
MIMO送受信部19において、送信データは、信号合成部101を介してストリーム分配部102に入力され、無線伝送されるストリーム数のデータ系列に分割される。この信号は、無線伝送されるストリーム数Kと同数のベースバンド変調部103-1,103-2,・・・,103-Kに入力される。
【０１４７】
各ベースバンド変調部103-1,103-2,・・・,103-Kにおいては、入力されたデータ系列に基づいてベースバンド変調が行われる。例えば、OFDM変調を用いる場合には、各データ系列は、シリアルパラレル変換された後に、各サブキャリアに対応したデータに基づいてQAMマッピングが行われ、さらに逆フーリエ変換により時間系列に変換されて、複素ベースバンド変調信号となる。
【０１４８】
時空間符号を使用する場合、複素ベースバンド変調信号は時空間符号・符号化部104で時空間符号を用いて符号化され、時空間符号に応じた数の時間系列が出力される。時空間符号を使用しない場合には、複素ベースバンド変調信号はそのまま時空間符号・符号化部104から出力される。時空間符号・符号化部104の出力信号は、空間マッピング部105に入力される。
【０１４９】
空間マッピング部105では、MIMOにおける処理、例えば、空間多重、時空間符号化、送信アンテナ選択ダイバーシチ、ビームフォーミング等に応じた処理が行われる。空間マッピング部105では各アンテナ群から送出する送信信号を得るための処理が行われるが、この処理の詳細については、非特許文献１または非特許文献２に詳細に記載されている。
【０１５０】
空間マッピング部105から出力されるP個の複素送信IQ信号は、対応する無線送信部106-1,106-2,・・・,106-Pに入力される。無線送信部106-1,106-2,・・・,106-Pからは、例えば、この信号で直交変調されたRF送信信号が出力される。無線送信部106-1,106-2,・・・,106-Pから出力された各RF送信信号は、各デュプレクサ18-1,18-2,・・・,18-Pに入力される。
【０１５１】
デュプレクサ18-1,18-2,・・・,18-Pは、RF送信信号の送信とRF受信信号の受信を時間的に切り替える。例えば、送受信制御部113から送信期間に"1"となり、受信期間に"0"となる送受信制御情報を受け、送受信制御情報が"1"の場合には各無線送信部106-1,106-2,・・・,106-PからのRF送信信号をRF信号分配・合成部12-1,12-2,・・・,12-Pに出力し、送受信制御情報が"0" の場合にはRF信号分配・合成部12-1,12-2,・・・,12-PからのRF受信信号を無線受信部107-1,107-2,・・・,107-Pに出力する。デュプレクサ18-1,18-2,・・・,18-Pとしては、方向性結合器、高周波スイッチ等を使用することができる。
【０１５２】
デュプレクサ18-1,18-2,・・・,18-Pからの出力信号はそれぞれ、RF信号分配・合成器12-1,12-2,・・・,12-Pおよびウエイト処理部11-1,11-2,・・・,11-Pからなるダイバーシチ回路に入力される。P個のダイバーシチ回路はそれぞれ、M個のアンテナAｋ１,Aｋ２,・・・,AｋＭに接続されており、(P×M)個のアンテナからRF送信信号が無線伝播路上へ送出される。
【０１５３】
一方、P個のアンテナ群を構成するM個のアンテナAｋ１,Aｋ２,・・・,AｋＭにおいて受信されたRF受信信号は、P個のダイバーシチ回路において合成され、その出力信号はそれぞれ、デュプレクサ18-1,18-2,・・・,18-Pに入力される。デュプレクサ18-1,18-2,・・・,18-Pの出力信号はそれぞれ、無線受信部107-1,107-2,・・・,107-Pに入力され、複素受信IQ信号が出力される。
【０１５４】
これらP個の複素受信IQ信号は空間デマッピング部108に入力され、MIMOにおける処理、例えば、空間多重、時空間符号化、受信ダイバーシチ等に応じた処理が行われる。空間デマッピング部108から出力される複素IQ信号は時空間符号・復号部109に入力される。
【０１５５】
時空間符号を使用する場合には、当該時空間符号に対する復号処理が行われ、その処理された信号が時空間符号・復号部109から出力される。時空間符号を使用しない場合には、時空間符号・復号部109に入力された複素IQ信号がそのまま出力される。
【０１５６】
時空間符号・復号部109からの1つまたは複数の出力信号はそれぞれ、ベースバンド復調部110-1,110-2,・・・,110-Kに入力され、復調処理される。OFDM変調を用いる場合には、入力された複素IQ信号信号をシンボル毎に分割し、それぞれをフーリエ変換する。フーリエ変換で求まった各周波数成分をQAM復調したデータをパラレルシリアル変換して受信データ系列を得る。
【０１５７】
ベースバンド復調部110-1,110-2,・・・,110-Kから出力される受信データ系列は、ストリーム合成部111において1つの受信データ系列に合成される。なお、OFDM変調においては、誤り訂正符号化およびインターリーブを使用するのが一般的であり、この場合には上述の合成された受信データに対して、誤り訂正符号に対する復号処理およびデインターリーブ処理が行われる。
【０１５８】
P個の無線受信部107-1,107-2,・・・,107-Pから出力される複素受信IQ信号は、伝送路特性推定部112にも入力されており、例えば、RF受信信号の各フレームに含まれる既知の系列であるプリアンブルを用いて、送信側における各アンテナ群と受信側における各アンテナ群間での伝送路特性の推定が行われる。この推定された伝送路特性は、空間デマッピング部108および時空間・復号部109での処理に使用される。
【０１５９】
無線受信部107-1,107-2,・・・,107-Pからは、上述の複素受信IQ信号以外に、RF受信信号それぞれの各フレームについての受信レベル情報が出力される。この受信レベル情報はビーム形成用ウエイト生成部30に入力される。受信レベル情報は、ダイバーシチ合成受信信号の各フレームについての受信レベルに関連する情報ならば如何なるものでもよく、例えば、RSSI(Received Signal Strength Information)情報、あるいはそれをレベルに変換した情報、無線受信部が備えるAGCアンプの利得、あるいはそれをレベルに変換した情報などを用いることができる。なお、トレーニング信号として同一フレームの複数シンボルを使用する場合には、ベースバンド受信IQ情報を用いて受信レベル情報を取得することができるので、複素受信IQ信号以外の受信レベル情報は出力しなくてよい。
【０１６０】
送受信制御部113は、無線通信装置の必須の構成要素である無線アクセス制御部の一部であり、例えば、送信期間に"1"となり受信期間に"0"となる送受信制御情報をP個のデュプレクサ18-1,18-2,・・・,18-Pおよびビーム形成用ウエイト生成部30に出力する。
【０１６１】
ビーム形成用ウエイト生成部30は、各アンテナ群に対する複素ウエイトの最適値WＡｋ１,WＡｋ２,・・・,WＡｋＭを保持しており、送受信制御部113から出力される送受信制御情報に基づき、各アンテナ群Aｋ１〜AｋＭに対して、トレーニング信号の各フレームに対して異なる複素ウエイトWＡｋ１,WＡｋ２,・・・,WＡｋＭを生成する。ここで、ｋは１以上P以下の整数である。ビーム形成用ウエイト生成部30は、さらに、P個の無線受信部107-1,107-2,・・・,107-Pから出力される受信レベル情報に基づいて、各アンテナ群に対する複素ウエイトの最適値WＡｋ１,WＡｋ２,・・・,WＡｋＭを決定する。
【０１６２】
ここで生成されたアンテナ群Aｋ１〜AｋＭ毎の複素ウエイトの最適値WＡｋ１,WＡｋ２,・・・,WＡｋＭは、当該アンテナ群Aｋ１〜AｋＭに対するウエイト処理部11-kの各乗算器に与えられる。ビーム形成用ウエイト生成部30の詳細は、後述する。ビーム形成用ウエイト生成部30は、"ダイバーシチ合成情報生成手段"として機能し、それには、"初期捕捉用ダイバーシチ合成情報生成手段"、"トレーニング用ダイバーシチ合成情報生成手段"、"受信状態判定手段"および"ダイバーシチ合成情報最適値生成手段"が含まれている。
【０１６３】
トレーニング信号生成部40は、トレーニングを実行させ、相手側無線通信装置がビームフォーミングするために必要なトレーニング信号を生成する。ここで生成されるトレーニング信号は、トレーニング用の送信データ系列であり、例えば、PLCPヘッダ、MACヘッダ等の情報を含んでもよい。トレーニング信号生成部40から出力されるトレーニング用の送信データは、送信データとともに信号合成部101に入力される。
【０１６４】
信号合成部101は、送信データとトレーニング信号生成部40からのトレーニング用送信データを時間的に合成して出力する。信号合成部101は、送信データが与えられた場合にはこのデータをストリーム 分配部102に出力し、トレーニング信号生成部40からトレーニング用送信データが出力された場合には、これをストリーム分配部102に出力する。
【０１６５】
ウエイト処理部11-kは、ビーム形成用ウエイト生成部30から与えられる複素ウエイトの最適値WＡｋ１,WＡｋ２,・・・,WＡｋＭに従って、各アンテナ群のRF受信信号およびRF送信信号にウエイト処理を施す。すなわち、各ウエイト処理部11-kは、各アンテナ群Aｋ１〜AｋＭを構成する各アンテナAｋ１,Aｋ２,・・・,AｋＭのRF受信信号にウエイト処理を施して当該RF信号分配・合成部12-kに出力し、また、当該RF信号分配・合成部12-kからのRF送信信号にウエイト処理を施して各アンテナ群を構成する各アンテナAｋ１,Aｋ２,・・・,AｋＭに出力する。
【０１６６】
ウエイト処理部11-kにおけるウエイト処理は、1ビット移相器による0度あるいは180度の移相処理により実現できる。ウエイト処理部11-kは、"ダイバーシチ合成情報設定手段"として機能する。
【０１６７】
RF信号分配・合成部12-kは、各アンテナ群Aｋ１〜AｋＭにおけるRF送受信信号の分配および合成を行う。すなわち、当該ウエイト処理部11-kからのM個のRF受信信号を入力とし、それらを合成した信号を当該デュプレクサ18-kに出力し、また、当該デュプレクサ18-kからのRF送信信号を入力とし、これをM分配して当該ウエイト処理部11-kに出力する。
【０１６８】
なお、RF信号分配・合成部12-kで合成されてデュプレクサ18-kに出力されるRF受信信号のレベルは、インピーダンス変換に起因してウエイト処理部11-kから入力されたRF受信信号のレベルの1/√Mになる。同様に、M分配されてウエイト処理部11-kに出力されるRF送信信号のレベルは、デュプレクサ18-kから入力されたRF送信信号のレベルに対して、1/√Mになる。RF信号分配・合成部12-kは、"信号分配合成手段"として機能する。
【０１６９】
図７は、ビーム形成用ウエイト生成部30の具体的構成を示すブロック図である。ビーム形成用ウエイト生成部30は、基本的にはアンテナ群Aｋ１〜AｋＭ毎に独立に動作する。ここでは、その中の1つの構成および動作について説明する。
【０１７０】
実際には、ビーム形成用ウエイト生成部30は、図７と同一のブロック構成をP個備える。すなわち、ビーム形成用ウエイト生成部30は、P個の受信レベル保持部50、P個の移相器制御部60およびタイミング部70を備え、双方向のトレーニング信号伝送を通じて、アンテナ群Aｋ１〜AｋＭ毎にビームフォーミングおよびダイバーシチ合成のための複素ウエイトの最適値を決定する。
【０１７１】
受信レベル保持部50は、当該アンテナ群用の受信レベル情報比較部51および1トレーニング期間内最大受信レベル保持部52を備える。受信レベル保持部50は、"受信状態判定手段"として機能する。
【０１７２】
受信レベル情報比較部51は、トレーニング信号の各フレームについての各アンテナ群における受信レベル情報を、当該1トレーニング期間内最大受信レベル保持部が保持している受信レベル情報と比較する。そして、新たに入力された受信レベル情報の方が大きければ、当該1トレーニング期間内最大受信レベル保持部52が保持している受信レベル情報を該受信レベル情報に更新するとともに、最適ウエイト更新信号を当該移相器制御部60のトレーニング時ウエイト生成部62に出力する。なお、各アンテナ群において最大の受信レベル情報を求める際の初期値としては、トレーニング信号の先頭フレームの受信レベル情報を用いる。
【０１７３】
1トレーニング期間内最大受信レベル保持部52が保持する受信レベル情報は、アンテナ群毎に大きい受信レベル情報へと順次更新され、トレーニング終了時点では、各アンテナ群において最大の受信レベル情報となる。
【０１７４】
各移相器制御部60は、非ビーム形成時ウエイト生成部61、トレーニング時ウエイト生成部62およびウエイト選択部63を備える。非ビーム形成時ウエイト生成部61、トレーニング時ウエイト生成部62はそれぞれ、"初期捕捉用ダイバーシチ合成情報生成手段"、"トレーニング用ダイバーシチ合成情報生成手段"として機能し、トレーニング時ウエイト生成部62は、受信レベル情報比較部51と組み合わされて"ダイバーシチ合成情報最適値生成手段"としても機能する。
【０１７５】
全くの初期状態から複素ウエイトの最適値への引き込みには、まず、通信相手とする無線通信装置から少なくとも、アンテナ群を構成するアンテナの数+1個のフレームを含むトレーニング信号を受信することが必要である。しかし、当初から、通信相手とする無線通信装置が送信するトレーニング信号を受信できるとは限らない。そこで、全くの初期状態でも、自無線通信装置Aが送信する少なくとも1個のトレーニング信号((アンテナ数+1)個のフレーム)を相手側無線通信装置Bが受信できるようにする。これは、異なる複素ウエイトWＡｋ１,WＡｋ２,・・・,WＡｋＭを用いて複数のトレーニング信号を送信し、相手側無線通信装置Bがいずれかのトレーニング信号を受信できるようにすることにより実現できる。ここで、kは１以上P以下の整数である。
【０１７６】
非ビーム形成時ウエイト生成部61は、アンテナ群Aｋ１〜AｋＭ毎に、このような非ビーム形成時における複素ウエイトWＡｋ１(NB),WＡｋ２(NB),・・・,WＡｋＭ(NB)を生成する。各アンテナ群Aｋ１〜AｋＭにおいて、このトレーニング信号を送信する際の複素ウエイトWＡｋ１,WＡｋ２,・・・,WＡｋＭは任意であるが、トレーニング信号の送信毎に変化させることが望ましい。CSMA(Carrier Sense Multiple Access)システムにおいては、各アンテナ群Aｋ１〜AｋＭの非ビーム形成時の複素ウエイトWＡｋ１,WＡｋ２,・・・,WＡｋＭを時間的にランダムに変化させ、トレーニング信号の送信開始時点での複素ウエイトWＡｋ１,WＡｋ２,・・・,WＡｋＭを当該トレーニング信号の送信で使用することができる。具体的には、アンテナ数がMの場合、Mビットカウンタを自走クロックで動作させ、そのM個のカウンタ値を各複素ウエイトWＡｋ１,WＡｋ２,・・・,WＡｋＭとして用いることができる。このランダム変化の時間間隔は、例えば1μs程度に設定すればよい。
【０１７７】
相手側無線通信装置Bがいずれかのトレーニング信号を受信して各アンテナ群Bｎ１〜BｎＮにおける複素ウエイトの最適値を決定し、その最適値を設定して、各アンテナ郡Bｎ１〜BｎＮからトレーニング信号をビームフォーミングして送信すれば、自無線通信装置Aは、そのトレーニング信号を受信できる。なお、相手側無線通信装置Bから同様にアンテナ群Bｎ１〜BｎＮ毎にランダムに変化された複素ウエイトを用いて送信されるいずれかのトレーニング信号を受信できれば、自無線通信装置Aでそのまま各アンテナ群Aｋ１〜AｋＭでの複素ウエイトの最適値への引き込みが行われる。
【０１７８】
各アンテナ群Aｋ１〜AｋＭに対するトレーニング時ウエイト生成部62は、当該トレーニングカウント部74からのトレーニングカウンタ情報に従って、当該アンテナ群Aｋ１〜AｋＭにおける複素ウエイトWＡｋ１(TR),WＡｋ２(TR),・・・,WＡｋＭ(TR)のうちのWＡｋｉ(TR)をフレーム毎に順次変更し、当該アンテナ群Aｋ１〜AｋＭの受信レベル情報比較部51から最適ウエイト更新信号が出力された時の各複素ウエイトWＡｋｉ(TR)を保持する。なお、複素ウエイトWＡｋ１(TR),WＡｋ２(TR),・・・,WＡｋＭ(TR)の初期の最適値は、過去の直近のトレーニングによって得られたものとするのが好ましい。その複素ウエイトは、ほぼ最適なものとなっていると考えられるからである。
【０１７９】
ウエイト選択部63は、非ビーム形成時ウエイト生成部61から出力される複素ウエイトWＡｋ１(NB),WＡｋ２(NB),・・・,WＡｋＭ(NB)あるいはトレーニング時ウエイト生成部62から出力される複素ウエイトWＡｋ１(TR),WＡｋ２(TR),・・・,WＡｋＭ(TR)をビーム形成有効フラグに基づいて選択し、各アンテナ群Aｋ１〜AｋＭにおける複素ウエイトWＡｋ１,WＡｋ２,・・・,WＡｋＭとして出力する。
【０１８０】
ビーム形成有効フラグは、初期状態では"無効"(例えば"0")であるが、所定回数、例えば(アンテナ数+1)回のフレームの受信で"有効"(例えば"1")となる。また、所定の期間、例えば100msの間にフレームを十分に(例えば(アンテナ数+1)回以上)受信できなかった場合には、ビーム形成有効フラグを"無効"としてもよい。
【０１８１】
この結果、各アンテナ群Aｋ１〜AｋＭのウエイト選択部63は、所定回数のフレームが受信されるまでは複素ウエイトWＡｋ１(NB),WＡｋ２(NB),・・・,WＡｋＭ(NB)を選択し、それ以降では、複素ウエイトWＡｋ１(TR),WＡｋ２(TR),・・・,WＡｋＭ(TR)を選択する。
【０１８２】
タイミング部70は、フレーム受信検出部71、フレーム終了検出部72、シーケンス終了検出部73、トレーニングカウント部74およびビーム形成有効フラグ生成部75を備える。
【０１８３】
フレーム受信検出部71は、送受信制御情報および受信レベル情報を入力とし、フレーム受信検出信号を出力する。送受信制御情報は、例えば、無線送信部106-1,106-2,・・・,106-P(図６)がイネーブルとなる期間に"1"となり、無線受信部107-1,107-2,・・・,107-P(図６)がイネーブルとなる期間に"0"となる信号であり、受信レベル情報は、RSSI(Received Signal Strength Information)情報あるいはP個の無線受信部107-1,107-2,・・・,107-Pがそれぞれ備えるAGCアンプの利得などの情報であり、フレーム受信検出部71は、無線受信部107-1,107-2,・・・,107-Pのイネーブル期間における受信レベルの増加の検出に基づきフレーム受信検出信号を生成する。受信検出信号として、各アンテナ群における受信検出信号を論理和した信号を用いてもよい。
【０１８４】
上述のフレーム受信検出信号は、各アンテナ群Aｋ１〜AｋＭの1トレーニング期間内最大受信レベル保持部52、シーケンス終了検出部73およびトレーニングカウンタ部74に与えられる。フレーム受信検出信号は、各フレームの受信開始を示す信号であり、例えば、各アンテナ群Aｋ１〜AｋＭにおいて、受信レベル情報の増大に基づいて検出された各フレームの受信開始タイミングをトリガとして発生させた所定幅(例えば、1μs)のパルスを論理和した信号である。
【０１８５】
フレーム終了検出部72は、送受信制御情報および各アンテナ群Aｋ１〜AｋＭの受信レベル情報を入力とし、フレーム終了検出信号をトレーニング時ウエイト生成部62、シーケンス終了検出部73およびトレーニングカウンタ部74へ出力する。フレーム終了検出信号は、各フレームの受信終了を示す信号であり、例えば、各アンテナ群での受信レベル情報の減少に基づいて検出された各フレームの受信終了タイミングをトリガとして発生させた所定幅(例えば、1μs)のパルスを論理和した信号である。また、トレーニングシーケンスにおいてACKを使用する場合には、ACKの送信完了を送受信制御情報により検出し、これをトリガとして前記所定幅のパルスを生成してもよい。
【０１８６】
送受信制御情報は、送信状態、受信状態、パワーセーブ状態などの無線通信装置の状態を表す情報である。フレーム受信検出部71およびフレーム終了検出部72は、送受信制御情報が受信状態になっている場合の受信レベル情報を用いてフレームの受信開始およびフレームの受信終了を検出することができる。
【０１８７】
シーケンス終了検出部72は、シーケンス終了検出信号をアンテナ群毎のトレーニング時ウエイト生成部62へ出力する。シーケンス終了検出信号はトレーニングの終了を示す信号であり、例えば、フレーム終了検出信号のパルスが発生してから一定期間(例えば、30μs)内に全てのアンテナ群においてフレーム受信検出信号のパルスが発生しないことが検出された時点のタイミングで発生させた所定幅(例えば、1μs)のパルスである。トレーニングシーケンスにおいてACKを用いる場合には、ACKの送信完了を送受信制御情報により検出し、これをトリガとして前記所定幅のパルスを生成してよい。
【０１８８】
図４に示した例のように、各フレームに対してACKを返信するものとすると、受信したフレームでエラーが発生しこれに対してACKを返信しない場合、その時点でトレーニングは終了する。これに対応して、全てのアンテナ群Aｋ１〜AｋＭにおいてACKの返信タイミングになっても送受信制御情報が受信状態のままであり、送信状態に遷移しない場合には、シーケンス終了検出信号のパルスを生成してもよい。
【０１８９】
トレーニングカウント部74は、トレーニングカウンタ情報をアンテナ群Aｋ１〜AｋＭ毎のトレーニング時ウエイト生成部62およびビーム形成有効フラグ生成部75へ出力する。トレーニングカウンタ情報は、トレーニング信号におけるフレーム数のカウント情報であり、例えば、フレーム終了検出信号によりカウンタのカウント値を1ずつインクリメントし、シーケンス終了検出信号により該カウンタのカウント値を"0"にクリアすることにより生成される。
【０１９０】
ビーム形成有効フラグ生成部75は、アンテナ群Aｋ１〜AｋＭ毎に所定回数のフレームが受信されたことを示すビーム形成有効フラグを当該ウエイト選択部63へ出力する。上述のビーム形成有効フラグは、トレーニングカウンタ部74からのトレーニングカウンタ情報に基づいて生成される。ウエイト選択部63は、ビーム形成有効フラグが無効の場合、各アンテナ群Aｋ１〜AｋＭの非トレーニング時ウエイト生成部61からの複素ウエイトWＡｋ１(NB),WＡｋ２(NB),・・・,WＡｋＭ(NB)を選択し、ビーム形成有効フラグが有効の場合、各アンテナ群のトレーニング時ウエイト生成部62からの複素ウエイトWＡｋ１(TR),WＡｋ２(TR),・・・,WＡｋＭ(TR)を選択する。
【０１９１】
アンテナ群Aｋ１〜AｋＭ毎の移相器制御部60は、基本的には、トレーニングを通じて受信レベル情報が最大となる複素ウエイトWＡｋ１(TR),WＡｋ２(TR),・・・,WＡｋＭ(TR)を見つけ出すように動作する。すなわち、受信側の無線通信装置Aでは、フレーム毎に、各アンテナ群Aｋ１〜AｋＭの複素ウエイトWＡｋ１(TR),WＡｋ２(TR),・・・,WＡｋＭ(TR)の各複素ウエイトWＡｋｉ(TR)を変更し、アンテナ群Aｋ１〜AｋＭ毎に、その過程で受信レベル情報が大きくなった時の複素ウエイトWＡｋ１(TR),WＡｋ２(TR),・・・,WＡｋＭ(TR)を保持する。
【０１９２】
トレーニングが終-了した時、各アンテナ群Aｋ１〜AｋＭにおいて受信レベル情報が最大となった時の複素ウエイトWＡｋ１(TR),WＡｋ２(TR),・・・,WＡｋＭ(TR)が保持されている。トレーニングに続くデータの双方向伝送では、アンテナ群Aｋ１〜AｋＭ毎に保持されている複素ウエイトWＡｋ１(TR),WＡｋ２(TR),・・・,WＡｋＭ(TR)を読み出してウエイト処理部11-kに与える。
【０１９３】
図８は、図７のビーム形成用ウエイト生成部30の動作の一例を示すタイミングチャートである。ここでは、１つのアンテナ群Aｋ１〜AｋＭに対する動作を示している。他のアンテナ群においても同様の動作が独立して行われる。
【０１９４】
図９は、1つのアンテナ群Aｋ１〜AｋＭを構成するアンテナAｋ１,Aｋ２,Aｋ３,Aｋ４の信号A1,A2,A3,A4がダイバーシチ合成(ベクトル加算)されて当該アンテナ群Aｋ１〜AｋＭでのダイバーシチ合成受信信号が生成される様子を示す図である。ここでは、無線通信装置Aにおいて、1つのアンテナ群Aｋ１〜AｋＭを構成するアンテナの数が4であり、1つのアンテナ群Aｋ１〜AｋＭにおいて各アンテナAｋ１,Aｋ２,Aｋ３,Aｋ４の信号に対する複素ウエイトをWＡｋ１,WＡｋ２,WＡｋ３,WＡｋ４とし、それらが1ビットである場合を想定している。また、受信レベルが大きいほど受信レベル情報の値が大きくなるとしている。この場合、ウエイト処理部11-kは、アンテナ数分の1ビット移相器で構成され、各移相器は各1ビットの複素ウエイトWＡｋ１,WＡｋ２,WＡｋ３,WＡｋ４に応じて、例えば、複素ウエイトが"0"の場合には移相量0度、"1"の場合には移相量180度に制御される。
【０１９５】
無線通信装置Aは、通信相手の無線通信装置Bからのトレーニングフレーム1を現状の複素ウエイトWＡｋ１,WＡｋ２,WＡｋ３,WＡｋ４を用いてダイバーシチ受信し、複数のトレーニングフレーム2-1〜2-4を、複素ウエイトWＡｋ１,WＡｋ２,WＡｋ３,WＡｋ４の各複素ウエイトWＡｋｉを変更しながら順次ダイバーシチ受信する。そして、そのときの受信レベル情報に基づいて最終的に複素ウエイトの最適値WＡｋ１,WＡｋ２,WＡｋ３,WＡｋ４を決定する。これにより決定された複素ウエイトの最適値WＡｋ１,WＡｋ２,WＡｋ３,WＡｋ４をデータ送受信時のビームフォーミングおよびダイバーシチ合成に用いる。
【０１９６】
トレーニングフレーム1は、実際にトレーニングが実行される先頭フレームであり、これを受信してからトレーニングが開始されると共に、そのときの受信レベル情報が測定される。トレーニングフレーム1には送信元アドレス、送信先アドレスおよびフレーム種別などの情報を含ませることができ、これを用いて現状の複素ウエイトでダイバーシチ受信した時の受信レベル情報が取得される。後続するトレーニングフレーム2-1〜2-4は、複素ウエイトを所定のアルゴリズムで変更してダイバーシチ受信した時の受信レベル情報を測定するために用いられる。
【０１９７】
受信レベル情報は、無線受信部のAGCアンプにおいて利得調整が起動された場合、通常、比較的短時間(例えば、10μs)に変化する。AGCアンプの利得調整は、トレーニングフレームの受信開始または受信終了でも発生するが、それ以外にも、例えば、ノイズの影響により発生する場合もある。また、トレーニングフレームの受信開始でAGCアンプの利得調整が起動された後、フレームヘッダの受信に失敗した場合では、該フレーム受信期間においてAGCアンプの利得調整が複数回起動される場合もある。受信レベル情報の測定では、これらの点を考慮する。
【０１９８】
まず、トレーニングカウンタ情報が"0"の時、トレーニング時ウエイト生成部52は、複素ウエイト0(WＡｋ１=1,WＡｋ２=0,WＡｋ３=1,WＡｋ４=1)を生成し、通信相手の無線通信装置Bからのトレーニングフレーム1をこの複素ウエイト0を用いてをダイバーシチ受信する。複素ウエイト0は、例えば、過去の直近のトレーニングによって得られ、前のデータフレームの受信時に用いられたものが好ましい。過去においてビームフォーミングがなされている場合、その時の複素ウエイトは、今回でもほぼ最適となっていると考えられるからである。過去においてビームフォーミングがなされていない場合には、任意の複素ウエイトを用いることができる。このときの受信レベル情報(100)が1トレーニング期間内最大受信レベル保持部52で保持される。
【０１９９】
図９(a)は、このときの各アンテナAｋ１,Aｋ２,Aｋ３,Aｋ４の受信信号のダイバーシチ合成(ベクトル加算)を示している。なお、トレーニングフレーム1を受信する前の受信レベル情報は"5"である。これは、熱雑音レベルに相当する。また、トレーニングフレーム1を受信してから次のフレーム2-1を受信するまでの期間の受信レベル情報は"3"に低下する。これも熱雑音レベルに相当する。以下同様に、フレームの受信間で熱雑音が発生する。
【０２００】
次に、フレーム1のフレーム終了が検出され、トレーニングカウンタ情報が"1"になると、トレーニング時ウエイト生成部は、複素ウエイト1(WＡｋ１=0,WＡｋ２=0,WＡｋ３=1,WＡｋ４=1)を生成する。複素ウエイト1は、複素ウエイトWＡｋ１だけが反転されたものである。複素ウエイト1を用いてトレーニングフレーム2-1を受信した時の受信レベル情報(88)は、複素ウエイト0の時の受信レベル情報(100)より低下している。
【０２０１】
図９(b)は、このときの各アンテナAｋ１,Aｋ２,Aｋ３,Aｋ４の受信信号のダイバーシチ合成を示している。この受信レベル情報の変化は、伝送路の変化によるものではなく、複素ウエイトを変化させたことによるものである。複素ウエイト1の時の受信レベル情報(88)は、複素ウエイト0の時の受信レベル情報(100)より低下しているので、複素ウエイトWＡｋ１を"1"に決定する。1トレーニング期間内最大受信レベル保持部で保持される受信レベル情報は、"100"のまま更新されない。
【０２０２】
次に、トレーニングカウンタ情報が"2"になると、トレーニング時ウエイト生成部は、複素ウエイト2(WＡｋ１=1,WＡｋ２=1,WＡｋ３=1,WＡｋ４=1)を生成する。複素ウエイト2は、複素ウエイト0において複素ウエイトWＡｋ2だけが反転されたものである。複素ウエイト2を用いてトレーニングフレーム2-2を受信した時の受信レベル情報(70)も、複素ウエイト0の時の受信レベル情報(100)より低下している。
【０２０３】
図９(c)は、このときの各アンテナAｋ１,Aｋ２,Aｋ３,Aｋ４の受信信号のダイバーシチ合成を示している。複素ウエイト2の時の受信レベル情報(70)も、複素ウエイト0の時の受信レベル情報(100)より低下しているので、複素ウエイトWＡｋ２を"0"に決定する。1トレーニング期間内最大受信レベル保持部で保持される受信レベル情報は、"100"のまま更新されない。
【０２０４】
次に、トレーニングカウンタ情報が"3"になると、トレーニング時ウエイト生成部は、複素ウエイト3(WＡｋ１=1,WＡｋ２=0,WＡｋ３=0,WＡｋ４=1)を生成する。複素ウエイト3は、複素ウエイト0において複素ウエイトWＡｋ３だけが反転されたものである。複素ウエイト3を用いてトレーニングフレーム2-3を受信した時の受信レベル情報(102)は、複素ウエイト0の時の受信レベル情報(100)より増大している。
【０２０５】
図９(d)は、このときの各アンテナAｋ１,Aｋ２,Aｋ３,Aｋ４の受信信号のダイバーシチ合成を示している。複素ウエイト3の時の受信レベル情報(102)は、複素ウエイト0の時の受信レベル情報(100)より増大しているので、複素ウエイトWＡｋ３を"0"に決定する。1トレーニング期間内最大受信レベル保持部で保持される受信レベル情報は、"102"に更新される。また、最適ウエイト更新信号は、トレーニングフレーム2-1以降のフレーム受信検出信号が出力された後、当該トレーニングフレームの受信レベル情報がそれまでの最大受信レベル情報を上回った時点で出力される。トレーニングフレーム2-3の受信中に、受信レベル情報比較部から最適ウエイト更新信号が出力されるので、トレーニング時ウエイト生成部は、複素ウエイト3(WＡｋ１=1,WＡｋ２=0,WＡｋ３=0,WＡｋ４=1)を記憶する。
【０２０６】
次に、トレーニングカウンタ情報が"4"になると、トレーニング時ウエイト生成部は、複素ウエイト4(WＡｋ１=1,WＡｋ２=0,WＡｋ３=0,WＡｋ４=0)を生成する。複素ウエイト4は、複素ウエイト3において複素ウエイトWＡｋ４だけが反転されたものである。複素ウエイト4を用いてトレーニングフレーム2-4を受信した時の受信レベル情報(90)は、複素ウエイト3の時の受信レベル情報(102)より低下している。
【０２０７】
図９(e)は、このときの各アンテナAｋ１,Aｋ２,Aｋ３,Aｋ４の受信信号のダイバーシチ合成を示している。複素ウエイト4の時の受信レベル情報(90)は、複素ウエイト3の時の受信レベル情報(102)より低下しているので、複素ウエイトWＡｋ４を"1"に決定する。1トレーニング期間内最大受信レベル保持部で保持される受信レベル情報は、"102"のまま更新されない。
【０２０８】
トレーニングフレーム2-4に対するフレーム終了検出信号が出力された時、トレーニングカウンタ情報が"5"になり、次のトレーニングフレームの受信に備えて、複素ウエイト3において複素ウエイトWＡｋ１だけが反転された複素ウエイトWＡｋ１=0,WＡｋ２=0,WＡｋ３=0,WＡｋ４=1に変更される。しかし、直後のトレーニングフレームはなく、シーケンス終了検出信号が出力されるので、次のデータフレームの送信および受信に備えて複素ウエイトは、WＡｋ１=1,WＡｋ２=0,WＡｋ３=0,WＡｋ４=1が最適値として設定される。
【０２０９】
以上のトレーニングにより、複素ウエイト3(WＡｋ１=1,WＡｋ２=0,WＡｋ３=0,WＡｋ４=1)が受信レベル情報を最大とすること、すなわち、複素ウエイト3が複素ウエイトの最適値であることが分かる。この複素ウエイトの最適値3(WＡｋ１=1,WＡｋ２=0,WＡｋ３=0,WＡｋ４=1)をウエイト処理部へ出力し、複素ウエイトの最適値3を用いて、続くデータフレーム送受信時のビームフォーミングおよびダイバーシチ合成を行う。
【０２１０】
伝送路の状況は時間とともに変化するので、複素ウエイトWＡｋ１,WＡｋ２,WＡｋ３,WＡｋ４は常に最適化しつづける必要がある。トレーニングでは、以上のようにして、複数のトレーニングフレームを受信し、大きな受信レベル情報が得られる複素ウエイトが見つかれば、この複素ウエイトを最適な複素ウエイトとして設定し直す。
【０２１１】
このように、トレーニング中に各アンテナの信号に対する複素ウエイトを順次変更し、そのときの受信レベル情報を調べるというアルゴリズムに従って常に複素ウエイトの最適値を見つけ出し、これをデータ送受信時の複素ウエイトの最適値として用いる。これによれば、最短で、(アンテナ数+１)個のトレーニングフレームにより各アンテナの信号に対する複素ウエイトの最適値を決定できる。
【０２１２】
次に、本発明に係る無線通信システムの第２実施形態について説明する。第１実施形態においては、ウエイト処理部11-kの乗算器が1ビット移相器であると想定し、等利得合成でダイバーシチ合成を行う場合の、複素ウエイトの最適値決定動作について説明した。
【０２１３】
しかし、ウエイト処理部11-kの乗算器は、1ビット移相器に限られるものではなく、ｎビット移相器(ｎは２以上の自然数)でもよい。例えば、ｎ＝２の場合、複素ウエイトは"00" ("0")，"01" ("1") ，"10" ("2")，"11" ("3")の２ビットであり、入力信号は、例えば、複素ウエイト"00"，"01" ，"10"，"11"に応じて、そのまま、＋９０度回転、位相反転あるいは−９０度回転して出力される。
【０２１４】
ｎビット移相器(ｎは２以上の自然数)を用いる場合でも、第１実施形態と同様に、複素ウエイトを順次変更し、そのときの受信レベル情報を調べるというアルゴリズムに従って常に複素ウエイトの最適値を見つけ出し、これをデータ送受信時の複素ウエイトの最適値とすることができる。
【０２１５】
以下に説明する第２実施形態では、ウエイト処理部11-kの乗算器にｎビット移相器(ｎは２以上の自然数)を用い、等利得合成でダイバーシチ合成を行う場合の複素ウエイトの最適値を決定する。
【０２１６】
上述したように、ウエイト処理部11-kの乗算器にｎビット移相器(ｎは２以上の自然数)を用いる場合でも、複素ウエイトを順次変更し、そのときの受信レベル情報を調べるというアルゴリズムに従って常に複素ウエイトの最適値を見つけ出すことができる。しかし、第２実施形態では、(アンテナ数+１)個のトレーニングサブ信号により、各アンテナ群を構成する複数のアンテナの各々の信号に対する複素ウエイトの最適値を決定できるようにしている。
【０２１７】
複素ウエイトの最適値決定動作はｎの値にはよらないが、簡単のためｎ＝２とし、図１０に示すトレーニング信号を用いるものとする。トレーニング信号は、現状の複素ウエイトでダイバーシチ受信した時のアンテナ群毎のベースバンド受信IQ情報もしくはベースバンド受信IQ情報と受信レベル情報の両方、および現状の複素ウエイトを所定のアルゴリズムで変更してダイバーシチ受信した時のアンテナ群毎のベースバンド受信IQ情報もしくはベースバンド受信IQ情報と受信レベル情報の両方を得るために用いられる。
【０２１８】
ここで、ベースバンド受信IQ情報とは、ベースバンド送信IQ信号とベースバンド受信IQ信号の間における複素伝達関数となる情報であり、例えば、各トレーニングフレームに含まれるプリアンブルに対応したベースバンド受信IQ信号そのものである。後述するように、ベースバンド受信IQ信号に代えて、ベースバンド受信IQ信号と予め定められた特定情報系列の相関情報を用いることもできる。
【０２１９】
各無線通信装置は、1トレーニング期間内のトレーニング信号を受信することにより、その時点での、アンテナ群毎のダイバーシチ受信状態を最良化する複素ウエイトの最適値を決定できる。
【０２２０】
本例のトレーニング信号(図１０)は、1トレーニング期間内に、複数のトレーニングフレーム1,2-1〜2-4を含む。この場合、トレーニングサブ信号は、各々のトレーニングフレームである。
【０２２１】
このような信号の具体例としては、IEEE802.11n (Draft 5.0)におけるアンテナ選択信号があり、トレーニング信号としてこのような信号を用いることができる。本例のトレーニング信号では、ACKフレームは使用されず、常に(受信側の無線通信装置のアンテナ数＋１)個のトレーニングフレームが断続的に送信される。
【０２２２】
先頭のトレーニングフレーム1には送信元アドレス、送信先アドレスおよびフレーム種別などの情報を含ませることができる。このトレーニングフレーム1を用いて、現状の複素ウエイトでダイバーシチ受信した時のベースバンド受信IQ情報もしくはベースバンド受信IQ情報と受信レベル情報の両方を取得する。
【０２２３】
トレーニングフレーム2-1〜2-4は、複素ウエイトを所定のアルゴリズムで変更してダイバーシチ受信した時のアンテナ群毎のベースバンド受信IQ情報もしくはベースバンド受信IQ情報と受信レベル情報の両方を取得するためものである。
【０２２４】
以下では、ベースバンド受信IQ情報と受信レベル情報の両方を取得して複素ウエイトの最適値を決定する場合について説明する。
【０２２５】
第２実施形態の無線通信システムの基本構成は図１と同じであるので、図１を参照して、その動作を説明する。図１において、例えば、無線通信装置Aにおける複素ウエイトの最適値を決定する場合、無線通信装置Aは、無線通信装置Bが送信するトレーニングフレーム1,2-1〜2-4をダイバーシチ受信する。トレーニングフレーム1は、アンテナ群毎に、現状の複素ウエイトWＡｋ１, WＡｋ２,・・・, WＡｋＭを用いてダイバーシチ受信され、トレーニングフレーム2-1〜2-4は、アンテナ群毎に、現状の複素ウエイトWＡｋ１, WＡｋ２,・・・, WＡｋＭを所定のアルゴリズムで変更した複素ウエイトWＡｋ１, WＡｋ２,・・・, WＡｋＭを用いてダイバーシチ受信される。これらのダイバーシチ受信で得られるベースバンド受信IQ情報と受信レベル情報の両方に基づいて複素ウエイトWＡｋ１, WＡｋ２,・・・, WＡｋＭの最適値が決定される。
【０２２６】
また、無線通信装置Bは、過去の直近のトレーニングで取得された、ほぼ最適の複素ウエイトを用いてトレーニング信号を各アンテナ群の各アンテナBｎ１, Bｎ２,・・・, B ｎＮから送信する。この無線通信装置Bの複素ウエイトは、無線通信装置Aが、その時点での複素ウエイトの最適値に更新する1トレーニング期間中で固定とする。なお、無線通信装置A,B間の通信が全くの初期状態からである場合、無線通信装置A,Bは、後述するように、トレーニング信号を互いに送受信して複素ウエイトの最適値への引き込みを可能にする。
【０２２７】
無線通信装置Aは、まず、無線通信装置Bに具備されたQ個のアンテナ群Bｎ１〜BｎＮ（n=1〜Q）から送信された最初のトレーニングフレーム1を、P個のアンテナ群Aｋ１〜AｋＭ（k=1〜P）が備えるM本のアンテナAｋ１,Aｋ２,・・・,AｋＭで受信する。アンテナ群毎のウエイト処理部11-kの各乗算器は、各アンテナ群の各アンテナAｋ１,Aｋ２,・・・,AｋＭからの各受信信号にアンテナ群毎の複素ウエイトWＡk１,WＡk２,・・・,WＡkＭを乗算する。
【０２２８】
各乗算器は、複素ウエイトが"00"であれば、入力信号をそのまま出力し、複素ウエイトが"01"であれば、入力信号を＋９０度回転して出力する。また、複素ウエイトが"10"あるいは"11"の場合には、各々、入力信号を位相反転、−９０度回転して出力する。最初のトレーニングフレーム1を受信する時の複素ウエイトWＡk１,WＡk２,・・・,WＡkＭとしては、過去の直近のトレーニングで取得されたものを用いる。この複素ウエイトWＡk１,WＡk２,・・・,WＡkＭは、現状でも、ほぼ最適値となっていると考えられる。しかし、この時に用いる複素ウエイトWＡk１,WＡk２,・・・,WＡkＭは、任意に設定することができる。複素ウエイトWＡ１,WＡ２,・・・,WＡＭは、後述するように、続く複数のトレーニングフレーム2-1〜2-4のダイバーシチ受信後にさらに最適値へと更新される。
【０２２９】
アンテナ群毎のRF信号分配・合成部12-kは、アンテナ群毎のウエイト処理部11-kにより複素ウエイトWＡk１,WＡk２,・・・,WＡkＭが乗算された受信信号を加算してアンテナ群毎のダイバーシチ合成受信信号RＡを生成する。
【０２３０】
次に、アンテナ群毎に、1つのアンテナ、例えばアンテナAｋ１の信号に対する複素ウエイトWＡk１だけを先の複素ウエイトの最適値WＡk１から位相反転させる。この新しい複素ウエイトWＡk１,WＡk２,・・・,WＡkＭを用いて、引き続くトレーニングフレーム2-1をダイバーシチ受信し、このときのベースバンド受信IQ情報と受信レベル情報の両方を取得する。
【０２３１】
次に、アンテナAｋ１以外の1つのアンテナ、例えばアンテナAｋ２の信号に対する複素ウエイトWＡk２だけを先の複素ウエイトの最適値WＡk２から位相反転させる。この新しい複素ウエイトWＡk１,WＡk２,・・・,WＡkＭを用いて、引き続くトレーニングフレーム2-2をダイバーシチ受信し、この時のベースバンド受信IQ情報と受信レベル情報の両方を取得する。
【０２３２】
同様に、トレーニングフレーム2-3,2-4を順次受信し、この時のベースバンド受信IQ情報と受信レベル情報の両方を取得する。
【０２３３】
このように、トレーニングフレーム1,2-1〜2-Mを順次受信し、その度に、アンテナ群毎に、アンテナAｋ１,Aｋ２,・・・,AｋＭの信号に対する複素ウエイトWＡk１,WＡk２,・・・,WＡkＭを1つずつ順次変更(位相反転)し、この時のベースバンド受信IQ情報と受信レベル情報の両方をアンテナ群毎に取得する。
【０２３４】
以上では、トレーニング信号として複数のトレーニングフレームを用いる場合について説明した。しかし、トレーニング信号としては、それを用いてベースバンド受信IQ情報と受信レベル情報の両方を取得できるものであればよく、任意のフレーム、シンボル、サブキャリア、拡散信号等を用いることができる。図１１は、複数のトレーニングシンボルからなるトレーニング信号の例を示す。この場合、トレーニングサブ信号は、各々のトレーニングシンボルであり、それらのシンボルは受信側において既知である。この場合、トレーニングシンボル1を用いて、現状の複素ウエイトでダイバーシチ受信した時のベースバンド受信IQ情報と受信レベル情報の両方を取得する。また、トレーニングシンボル2-1〜2-4を用い、複素ウエイトを所定のアルゴリズムで変更してダイバーシチ受信した時のベースバンド受信IQ情報と受信レベル情報の両方を取得する。
【０２３５】
図１２は、送信側からベースバンド送信IQ情報"１"を送信したときの受信側でのアンテナ群毎の受信情報を模式的に表したものである。ここでは、無線通信装置において1つのアンテナ群を構成するアンテナをAｋ１,Aｋ２,・・・,Aｋ4の４本とし、各アンテナAｋ１,Aｋ２,・・・,Aｋ4の受信情報をA1,A2,・・・,A4と表記している。これは、図９と同様である。
【０２３６】
同図(ａ)は、トレーニングフレーム１に対する受信情報rA1の一例であり、同図(ｂ)〜(ｅ)は、トレーニングフレーム2-1〜2-4 の受信情報rA2-1, rA2-2,・・・, rA2-4の一例である。各トレーニングフレームに含まれるプリアンブル等の既知パターンに対するベースバンド受信IQ信号から受信情報rA1, rA2-1, rA2-2,・・・, rA2-4を求めることができる。また、各フレーム受信におけるAGC利得の情報等を用いて各フレームの受信レベル情報、すなわち、受信情報rA1, rA2-1, rA2-2,・・・, rA2-4の振幅の情報を得ることができる。
【０２３７】
トレーニングフレーム１では、受信信号A1,A2,・・・,A4をベクトル加算したものが受信される。トレーニングフレーム2-1では受信信号-A1（A1の反転ベクトル）,A2,・・・,A4をベクトル加算したものが受信される。トレーニングフレーム2-2では受信信号A1, -A2（A2の反転ベクトル）,・・・,A4をベクトル加算したものが受信される。トレーニングフレーム2-3、2-4についても同様である。無線通信装置Aにおいて、トレーニング信号の各トレーニングフレームに対するベースバンド受信IQ情報と受信レベル情報の両方を用いてアンテナ群毎の各アンテナAｋ１,Aｋ２,・・・,AｋＭの信号に対する複素ウエイトの最適値WＡｋ１,WＡｋ２,・・・,WＡｋＭを決定する。その決定手法については後述する。
【０２３８】
その後、無線通信装置Aは、このアンテナ群毎の複素ウエイトの最適値WＡｋ１,WＡｋ２,・・・,WＡｋＭを用いて、無線通信装置Bに対してトレーニングフレーム1,2-1〜2-4を送信する。今度は、無線通信装置Bが、無線通信装置AのP個のアンテナ群Aｋ１〜AｋＭ（k=1〜P）から送信されたトレーニングフレーム1,2-1〜2-4を受信し、アンテナ群毎の各アンテナBｎ１,Bｎ２,・・・,BｎＮ（n=1〜Q）の信号に対する複素ウエイトの最適値WＢｎ１,WＢｎ２,・・・,WＢｎＮを決定する。その動作は、無線通信装置Aの動作と同じである。  さらに、無線通信装置A,B間で双方向のトレーニング信号伝送を行って、アンテナ群毎に複素ウエイトの最適値WＡｋ１,WＡｋ２,・・・,WＡｋＭおよびWＢｎ１,WＢｎ２,・・・,WＢｎＮをより最適化することができる。
【０２３９】
無線通信装置A,Bは、データ送受信に際し、以上のようにして決定したアンテナ群毎の複素ウエイトの最適値WＡｋ１,WＡｋ２,・・・,WＡｋ４およびWＢｎ１,WＢｎ２,・・・,WＢｎ４を用いて、ビームフォーミングおよびダイバーシチ合成を行う。
【０２４０】
さて、アンテナ群毎の各アンテナAｋ１,Aｋ２,・・・,AｋＭの信号に対する複素ウエイトの最適値WＡｋ１,WＡｋ２,・・・,WＡｋＭは、以上のようにして得られたベースバンド受信IQ情報および受信レベル情報の両方を用いて、以下のようにして決定できる。
【０２４１】
トレーニングフレーム１の受信における任意のアンテナ群のベースバンド受信IQ情報rA1は、式(2)で表される。
【０２４２】
【数２】
2010183566.tif 000004
【０２４３】
ここで、C1は、トレーニングフレーム１の受信における無線通信装置Aの当該アンテナ群の受信系での利得である。C1による規格化により、ベースバンド受信IQ情報rA1は、受信レベルによらず、ほぼ一定の大きさとなる。
【０２４４】
一方、トレーニングフレーム2-1〜2-4受信における当該アンテナ群のベースバンド受信IQ情報rA2-1, rA2-2,・・・, rA2-4は、式(3)で表される。
【０２４５】
【数３】
2010183566.tif 000005
【０２４６】
ここで、C2-1,C2-2,・・・,C2-4は、トレーニングフレーム2-1〜2-4の受信における無線通信装置Aの当該アンテナ群の受信系での利得である。C2-1,C2-2,・・・,C2-4による規格化により、ベースバンド受信IQ情報rA2-1,rA2-2,・・・,rA2-4は、受信レベルによらず、ほぼ一定の大きさとなる。
【０２４７】
当該アンテナ群の受信系での利得CX は、当該アンテナ群の受信レベル情報PXから式(4)で求めることができる。
【０２４８】
【数４】
2010183566.tif 000006
【０２４９】
ここで、kは定数である。式(4)を式(2),(3)に代入することにより、式(5)が得られる。
【０２５０】
【数５】
2010183566.tif 000007
【０２５１】
式(5)より、式(6)が得られる。
【０２５２】
【数６】
2010183566.tif 000008
【０２５３】
ここで、A1,A2,・・・,A4は複素ベクトルであり、これらの位相をそれぞれθ1,θ2,・・・,θ4とする。
【０２５４】
４つのベクトルA1,A2,・・・,A4の位相が同一となるように、複素ウエイトWＡｋ１,WＡｋ２,・・・,WＡｋ4を更新することにより、複素ウエイトWＡｋ１,WＡ２,・・・,WＡｋ4を最適化できる。ｋ
【０２５５】
例えば、当該アンテナ群のトレーニングフレーム１の受信情報rA1に、これらの４つのベクトルの向きを合わせることにより、複素ウエイトWＡｋ１,WＡｋ２,・・・,WＡｋ4を最適化できる。この場合、受信情報rA1の位相をθ0とすると、複素ウエイトWＡｋ１,WＡｋ２,・・・,WＡｋ4を式(7)により更新すればよい。
【０２５６】
【数７】
2010183566.tif 000009
【０２５７】
θ0,θ1, θ2,・・・, θ4は、式(8)で与えられる。ただし、実際には、θ0,θ1, θ2,・・・, θ4をｎビットで量子化した位相が複素ウエイトとして使用される。
【０２５８】
【数８】
2010183566.tif 000010
【０２５９】
以上では、複素ウエイトの最適値WＡｋ１,WＡｋ２,・・・,WＡｋＭを決定するためにベースバンド受信IQ情報と受信レベル情報の両方を得ているが、受信レベル情報を用いなくても複素ウエイトの最適値WＡｋ１,WＡｋ２,・・・,WＡｋＭを決定できる。例えば、図１１のトレーニング信号を用いる場合、フレーム先頭のトレーニングフィールドの一部を用いて受信AGC動作は完了するので、トレーニングシンボル1,2-1〜2-4受信時の利得は同一(C1=C2-1=C2-2= C2-３=C2-4)となる。トレーニングシンボル1,2-1〜2-4受信におけるベースバンド受信IQ情報rA1,rA2-1,rA2-2,・・・,rA2-4は、式(9)で表され、ベースバンド受信IQ情報rA1,rA2-1,rA2-2,・・・,rA2-4のみから各アンテナの相対的な受信信号を求めることができる。
【０２６０】
【数９】
2010183566.tif 000011
【０２６１】
なお、（７）式で求まる複素ウエイトを用いると、当該アンテナ群でのトレーニングフレーム１の受信情報rA1に、当該アンテナ群の各アンテナでの受信信号のベクトルの向きを合わるように動作する。一般に、トレーニングフレーム１における受信情報rA1のベクトルの向きは、アンテナ群毎に異なる。無線通信装置Aでの受信においては、無線受信部107-1〜107-Pから出力される受信情報rA1におけるベクトルの向きのばらつきは、直後の空間デマッピング部108において補償され、同一向きに揃えられた上でダイバーシチ合成される。しかし、今度は無線通信装置Aからの送信においては、無線送信部106-1〜106-Pには同一向きのベクトルの送信信号が印加されるので、無線通信装置Bでの受信においては、無線通信装置Aの各アンテナ群からの信号が必ずしも同相で合成されない。このため、トレーニングフレーム１での受信信号のベクトルが、例えば、第1象限に入るように、（７）式で求まる複素ウエイトをさらに回転したものを複素ウエイトとして使用してもよい。例えば、トレーニングフレーム１の受信信号ベクトルが第2象限となり、（７）式で求まる複素ウエイトが各々"00"、"01"、"10"、"11"となる場合には、複素ウエイトを各々"11"、"00"、"01"、"10"とすればよい。
【０２６２】
また、ダイバーシチ合成受信信号と予め定められた情報系列の相関情報もしくは該相関情報と受信レベル情報の両方に基づいて複素ウエイトの最適値WＡ１,WＡ２,・・・,WＡＭを決定することもできる。
【０２６３】
例えば、図１０のトレーニング信号を用いる場合、ダイバーシチ合成受信信号と予め定められた情報系列の相関情報と受信レベル情報の両方を用いて複素ウエイトの最適値WＡｋ１,WＡｋ２,・・・,WＡｋＭを決定することができる。
【０２６４】
図１３は、無線LANで使用されるバースト検出、AGC動作およびタイミング同期のためのプリアンブルにおけるベースバンドIQ信号を示す。ここでは、基本パターンの約4周期分を図示しているが、無線LANでは基本パターンの10周期分がプリアンブルとして送信される。受信側では、バースト検出後に、まず、AGC動作を行う。また、タイミング同期のために、ベースバンド受信IQ信号と、基本パターンの複素共役となる信号との相関演算を行う。図１４は、マルチパス波が存在しない場合の、相関演算の出力信号を示す。
【０２６５】
例えば、図１０のトレーニング信号を用いる場合には、相関ピークのタイミングでの上記相関演算の出力信号を式(6)におけるベースバンド受信IQ情報rA1,rA2-1,rA2-2,・・・,rA2-4の代わりに用いることができる。
【０２６６】
相関ピークのタイミングでの上記相関演算の出力信号をrA1,rA2-1,rA2-2,・・・,rA2-4とし、出力信号rA1の位相をθ0とすると、この場合でも、複素ウエイトWＡｋ１,WＡｋ２,・・・,WＡｋ4を式(7)により更新すればよい。
【０２６７】
また、例えば、図１１のトレーニング信号を用いる場合、フレーム先頭のトレーニングフィールドの一部を用いて受信AGC動作は完了するので、トレーニングシンボル1,2-1〜2-4受信時の利得は同一(C1=C2-1=C2-2= C2-３=C2-4)となる。したがって、トレーニングシンボル1,2-1〜2-4受信における、相関ピークのタイミングでの上記相関演算の出力信号rA1,rA2-1,rA2-2,・・・,rA2-4から各アンテナの相対的な受信信号を求めることができる。
【０２６８】
相関ピークのタイミングでの上記相関演算の出力信号は、時間的に積分された情報であり、これを用いることにより、熱雑音あるいは干渉信号の影響を低減しつつ、複素ウエイトの最適値WＡｋ１,WＡｋ２,・・・,WＡｋＭを決定することができる。
【０２６９】
図１５は、第２実施形態の無線通信装置Aにおけるアンテナ群毎の複素ウエイトの最適値決定処理を示すフローチャートである。ここでは、1つのアンテナ群Aｋ１〜AｋＭを構成するアンテナをAｋ１, Aｋ２,・・・,AｋＭのM本とし、ウエイト処理部11-kの乗算器としてｎ(ｎは２以上の自然数)ビット移相器を用いた場合のフローを示している。
【０２７０】
先頭のトレーニングフレーム1が受信されると(S11)、まず、当該アンテナ群の複素ウエイトの最適値WＡｋ=(WＡｋ１, WＡｋ２,・・・, WＡｋＭ)を用いて先頭のトレーニングフレーム1をダイバーシチ受信してベースバンド受信IQ情報r1および受信レベル情報P1を取得する。また、変数iに1を代入(i←1)する(S12)。変数iは、以下のステップからなるループをアンテナ数M回だけ行わせることを規定する。なお、ここでのWＡｋ=(WＡｋ１, WＡｋ２,・・・, WＡｋＭ)はそれぞれ、当該アンテナ群の複素ウエイトの初期値である。ここではウエイト処理部11-kの乗算器がｎビット移相器である場合を想定しているので、複素ウエイトWＡｋ１,WＡｋ２,・・・,WＡｋＭの各々は、ｎビット情報である。
【０２７１】
次に、トレーニングフレーム2-i が受信されると(S13)、i番目の複素ウエイトWＡｋｉを反転させた複素ウエイトWＡｋ′でトレーニングフレーム2-iを受信してベースバンド受信IQ情報r2-iおよび受信レベル情報P2-iを取得する(S14)。また、S14では、さらに変数iを1だけインクリメントする(i←i+1)。次に、変数iがアンテナ数M以下か否かを判定する(S15)。S15で、変数iがアンテナ数M以下と判定されれば、S13に戻って処理を繰り返し、変数iがアンテナ数M以下でないと判定されれば、S12およびS14で取得したベースバンド受信IQ情報 r1,r2-1,r2-2,・・・,r2-4および受信レベル情報 P1,P2-1,Pr2-2,・・・,P2-4を用いて複素ウエイトを更新する(S16)。トレーニングフレーム2-i が受信されなければ、ベースバンド受信IQ情報r2-iを0とし、受信レベル情報P2-iを1とし、また、変数iに1+1を代入(i←i+1)する(S17)
【０２７２】
以上のフローにより、当該アンテナ群の各アンテナAｋ１,Aｋ２,・・・,AｋＭの信号に対する複素ウエイトW１, W２,W３,・・・,WＭを最適化できる。したがって、アンテナ数がMの場合、ｎ(ｎは２以上の自然数)ビット移相器を用いた場合においても、合計(M+1)個のフレームのダイバーシチ受信により複素ウエイトWＡｋ=(WＡｋ１,WＡｋ２,・・・,WＡｋＭ)を最適化できる。
【０２７３】
図１６は、本発明に係る無線通信装置の第２実施形態の構成を示すブロック図である。なお、図１６において、図１および図６と同一あるいは同等部分には同じ符号を付しており、ここでは図１の無線通信装置Aを示しているが、無線通信装置Bも同様である。また、図１６は、無線通信装置のウエイト処理部11-kの乗算器がｎビット移相器（nは２以上の自然数）である場合における実施形態を示している。
【０２７４】
第２実施形態の無線通信装置Aは、それぞれがM本(Mは2以上の整数)のアンテナAｋ１,Aｋ,・・・,AｋＭ(ｋは１以上P以下の整数)からなるP個のアンテナ群Aｋ１〜AｋＭ、ウエイト処理部11-1,11-2,・・・,11-PおよびRF信号分配・合成部12-1,12-2,・・・,12-PからなるP個のダイバーシチ回路およびMIMO送受信部19を備える。該P個のダイバーシチ回路は、複素ウエイトの最適値を用いて、該アンテナ群Aｋ１〜AｋＭでのビームフォーミングおよびダイバーシチ合成を行ってトレーニング信号やデータの送受信を行う。MIMO送受信部19は、図１の送受信回路13-1,13-2,・・・,13-P〜ストリーム分配・合成部17に相当する。
【０２７５】
MIMO送受信部19は、信号合成部101、ストリーム分配部102、ベースバンド変調部103-1,103-2,・・・,103-K、時空間符号・符号化部104、空間マッピング部105、無線送信部106-1,106-2,・・・,106-P、無線受信部107-1,107-2,・・・,107-P、空間デマッピング部108、時空間符号・復号部109、ベースバンド復調部110-1,110-2,・・・,110-K、ストリーム合成部111、デュプレクサ18-1,18-2,・・・,18-P、伝送路特性推定部112および送受信の切替制御のための送受信制御部113を備える。時空間符号を使用しない場合には、時空間符号・符号化部および時空間符号・復号部はなくてもよい。ここでは、該ダイバーシチ回路をRF帯で動作させ、送受信回路13-1, 13-2,・・・,13-Pが各アンテナ群に対して1つだけで済むようにしている。すなわち、無線通信装置Aは、各アンテナ群に対して1つだけの送受信系統だけを用いてマルチアンテナでのビームフォーミングおよびダイバーシチ受信を行う。上記の各部のうち、ウエイト処理部11およびビーム形成用ウエイト生成部38以外は、一般的な無線通信装置が備える構成要素である。
【０２７６】
MIMO送受信部19において、送信データは、信号合成部101を介してストリーム分配部102に入力され、無線伝送されるストリーム数のデータ系列に分割される。この信号は、無線伝送されるストリーム数Kと同数のベースバンド変調部103-1,103-2,・・・,103-Kに入力される。
【０２７７】
各ベースバンド変調部103-kにおいては、入力されたデータ系列に基づいてベースバンド変調が行われる。例えば、OFDM変調を用いる場合には、各データ系列は、シリアルパラレル変換された後に、各サブキャリアに対応したデータに基づいてQAMマッピングが行われ、さらに逆フーリエ変換により時間系列に変換されて、複素ベースバンド変調信号となる。
【０２７８】
時空間符号を使用する場合、複素ベースバンド変調信号は時空間符号・符号化部104で時空間符号を用いて符号化され、時空間符号に応じた数の時間系列が出力される。時空間符号を使用しない場合には、複素ベースバンド変調信号はそのまま時空間符号・符号化部104から出力される。時空間符号・符号化部104の出力信号は、空間マッピング部105に入力される。
【０２７９】
空間マッピング部105では、MIMOにおける処理、例えば、空間多重、時空間符号化、送信アンテナ選択ダイバーシチ、ビームフォーミング等に応じた処理が行われる。空間マッピング部105では各アンテナ群から送出する送信信号を得るための処理が行われるが、この処理の詳細については、非特許文献１または非特許文献２に詳細に記載されている。
【０２８０】
空間マッピング部105から出力されるP個の複素送信IQ信号は、対応する無線送信部106-1,106-2,・・・,106-Pに入力される。無線送信部106-1,106-2,・・・,106-Pからは、例えば、この信号で直交変調されたRF送信信号が出力される。無線送信部106-1,106-2,・・・,106-Pから出力された各RF送信信号は、各デュプレクサ18-1,18-2,・・・,18-Pに入力される。
【０２８１】
デュプレクサ18-1,18-2,・・・,18-Pは、RF送信信号の送信とRF受信信号の受信を時間的に切り替える。例えば、送受信制御部113から送信期間に"1"となり、受信期間に"0"となる送受信制御情報を受け、送受信制御情報が"1"の場合には各無線送信部106-1,106-2,・・・,106-PからのRF送信信号をRF信号分配・合成部12-1,12-2,・・・,12-Pに出力し、送受信制御情報が"0" の場合にはRF信号分配・合成部12-1,12-2,・・・,12-PからのRF受信信号を無線受信部107-1,107-2,・・・,107-Pに出力する。デュプレクサ18-1,18-2,・・・,18-Pとしては、方向性結合器、高周波スイッチ等を使用することができる。
【０２８２】
デュプレクサ18-1,18-2,・・・,18-Pからの出力信号はそれぞれ、RF信号分配・合成器12-1,12-2,・・・,12-Pおよびウエイト処理部11-1,11-2,・・・,11-Pからなるダイバーシチ回路に入力される。P個のダイバーシチ回路はそれぞれ、M個のアンテナAｋ１,Aｋ２,・・・,AｋＭに接続されており、(P×M)個のアンテナからRF送信信号が無線伝播路上へ送出される。
【０２８３】
一方、P個のアンテナ群Aｋ１〜AｋＭを構成するM個のアンテナAｋ１,Aｋ２,・・・,AｋＭにおいて受信されたRF受信信号は、P個のダイバーシチ回路において合成され、その出力信号はそれぞれ、デュプレクサ18-1,18-2,・・・,18-Pに入力される。デュプレクサ18-1,18-2,・・・,18-Pの出力信号はそれぞれ、無線受信部107-1,107-2,・・・,107-Pに入力され、複素受信IQ信号が出力される。ここで、無線受信部107-1,107-2,・・・,107-Pは、RF受信信号を複素受信IQ信号に復調するだけでなく、トレーニング信号の各トレーニングフレームから各々受信レベル情報を取得する。
【０２８４】
これらP個の複素受信IQ信号は空間デマッピング部108およびビーム形成用ウエイト生成部30の両方に入力される。一方、受信レベル情報は、ビーム形成用ウエイト生成部30に入力される。受信レベル情報は、ダイバーシチ合成受信信号の各トレーニングフレームについての受信レベルに関連する情報ならば如何なるものでもよく、例えば、RSSI(Received Signal Strength Information)情報、あるいはそれをレベルに変換した情報、無線受信部36が備えるAGCアンプの利得、あるいはそれをレベルに変換した情報などを用いることができる。ただし、トレーニング信号として、同一フレームの複数のトレーニングシンボルを使用する場合には、受信レベル情報は複数のトレーニングシンボルで同一であるので、受信レベル情報を使用せず、P個の複素受信IQ信号だけを使用することもできる。空間デマッピング部108では、MIMOにおける処理、例えば、空間多重、時空間符号化、受信ダイバーシチ等に応じた処理が行われる。空間デマッピング部108から出力される複素IQ信号は時空間符号・復号部109に入力される。
【０２８５】
時空間符号を使用する場合には、当該時空間符号に対する復号処理が行われ、その処理された信号が時空間符号・復号部109から出力される。時空間符号を使用しない場合には、時空間符号・復号部109に入力された複素IQ信号がそのまま出力される。
【０２８６】
時空間符号・復号部109からの1つまたは複数の出力信号はそれぞれ、ベースバンド復調部110-1,110-2,・・・,110-Kに入力され、復調処理される。OFDM変調を用いる場合には、入力された複素IQ信号信号をシンボル毎に分割し、それぞれをフーリエ変換する。フーリエ変換で求まった各周波数成分をQAM復調したデータをパラレルシリアル変換して受信データ系列を得る。
【０２８７】
ベースバンド復調部110-1,110-2,・・・,110-Kから出力される受信データ系列は、ストリーム合成部111において1つの受信データ系列に合成される。なお、OFDM変調においては、誤り訂正符号化およびインターリーブを使用するのが一般的であり、この場合には上述の合成された受信データに対して、誤り訂正符号に対する復号処理およびデインターリーブ処理が行われる。
【０２８８】
P個の無線受信部107-1,107-2,・・・,107-Pから出力される複素受信IQ信号は、伝送路特性推定部112にも入力されており、例えば、RF受信信号の各フレームに含まれる既知の系列であるプリアンブルを用いて、送信側における各アンテナ群と受信側における各アンテナ群間での伝送路特性の推定が行われる。この推定された伝送路特性は、空間デマッピング部108および時空間・復号部109での処理に使用される。
【０２８９】
無線受信部107-1,107-2,・・・,107-Pからは、上述の複素受信IQ信号以外に、RF受信信号それぞれの各フレームについての受信レベル情報が出力される。この受信レベル情報はビーム形成用ウエイト生成部30に入力される。受信レベル情報は、ダイバーシチ合成受信信号の各フレームについての受信レベルに関連する情報ならば如何なるものでもよく、例えば、RSSI(Received Signal Strength Information)情報、あるいはそれをレベルに変換した情報、無線受信部が備えるAGCアンプの利得、あるいはそれをレベルに変換した情報などを用いることができる。
【０２９０】
送受信制御部113は、無線通信装置の必須の構成要素である無線アクセス制御部の一部であり、例えば、送信期間に"1"となり受信期間に"0"となる送受信制御情報をP個のデュプレクサ8-1,18-2,・・・,18-Pおよびビーム形成用ウエイト生成部30に出力する。
【０２９１】
ビーム形成用ウエイト生成部30は、アンテナ群毎の各アンテナAｋ１〜AｋＭに対する複素ウエイトWＡｋ１,WＡｋ２,・・・,WＡｋＭの最適値を保持しており、送受信制御部113から出力される送受信制御情報および受信レベル情報に基づき、各アンテナ群Aｋ１〜AｋＭに対して、トレーニング信号の各トレーニングサブ信号に対して、異なる複素ウエイトWＡｋ１,WＡｋ２,・・・,WＡｋＭを生成し、各無線受信部107-kから出力される受信レベル情報に基づいて複素ウエイトの最適値WＡｋ１,WＡｋ２,・・・,WＡｋＭを決定する。ここで生成された複素ウエイトの最適値WＡｋ１,WＡｋ２,・・・,WＡｋＭは、ウエイト処理部11-kの各乗算器に与えられる。ビーム形成用ウエイト生成部30の詳細は、後述する。ビーム形成用ウエイト生成部30は、"ダイバーシチ合成情報生成手段" として機能し、それには、"初期捕捉用ダイバーシチ合成情報生成手段"、"トレーニング用ダイバーシチ合成情報生成手段"、"トレーニング受信情報保持手段"および"ダイバーシチ合成情報最適値生成手段"が含まれている。
【０２９２】
トレーニング信号生成部40は、アンテナ群毎にトレーニングを実行させ、相手側無線通信装置がビームフォーミングするために必要なトレーニング信号を生成する。ここで生成されるトレーニング信号は、トレーニング用の送信データ系列であり、例えば、PLCPヘッダ、MACヘッダ等の情報を含んでもよい。トレーニング信号生成部40から出力されるトレーニング用の送信データは、送信データとともにアンテナ群毎の信号合成部101に入力される。
【０２９３】
信号合成部101は、送信データとトレーニング信号生成部40からのトレーニング用送信データを時間的に合成して出力する。信号合成部101は、送信データが与えられた場合にはこのデータをストリーム 分配部102に出力し、トレーニング信号生成部40からトレーニング用送信データが出力された場合には、これをストリーム分配部102に出力する。
【０２９４】
ウエイト処理部11-kは、ビーム形成用ウエイト生成部30から与えられるアンテナ群毎の複素ウエイトの最適値WＡｋ１,WＡｋ２,・・・,WＡｋＭに従って、各アンテナ群Aｋ１〜AｋＭのRF受信信号およびRF送信信号にウエイト処理を施す。すなわち、各ウエイト処理部11-kは、各アンテナ群Aｋ１〜AｋＭを構成する各アンテナAｋ１,Aｋ２,・・・,AｋＭのRF受信信号にウエイト処理を施して当該RF信号分配・合成部12-kに出力し、また、当該RF信号分配・合成部12-kからのRF送信信号にウエイト処理を施して各アンテナ群Aｋ１〜AｋＭを構成する各アンテナAｋ１,Aｋ２,・・・,AｋＭに出力する。
【０２９５】
アンテナ群毎のウエイト処理部11-kにおけるウエイト処理は、ｎビット移相器による移相処理で実現できる。例えば、ｎ＝２の場合におけるウエイト処理は、0度、90度、180度あるいは270度の移相処理で実現できる。ウエイト処理部11-1,11-2,・・・,11-Pは、第２実施形態の無線通信装置において、"ダイバーシチ合成情報設定手段"として機能する。
【０２９６】
RF信号分配・合成部12-kは、各アンテナ群Aｋ１〜AｋＭにおけるRF送受信信号の分配および合成を行う。すなわち、ウエイト処理部11-kからのM個のRF受信信号を入力とし、それらを合成した信号をデュプレクサ18-ｋに出力し、また、デュプレクサ18-kからのRF送信信号を入力とし、これをM分配してウエイト処理部11-kに出力する。
【０２９７】
なお、RF信号分配・合成部12-kで合成されてデュプレクサ18-kに出力されるRF受信信号のレベルは、インピーダンス変換に起因してウエイト処理部11-kから入力されたRF受信信号のレベルの1/√Mになる。同様に、M分配されてウエイト処理部11-kに出力されるRF送信信号のレベルは、デュプレクサ18-kから入力されたRF送信信号のレベルに対して、1/√Mになる。これらのRF信号分配・合成部12-kは、"信号分配合成手段"として機能する。
【０２９８】
図１７は、図１６のビーム形成用ウエイト生成部30の具体的構成を示すブロック図である。なお、図１７において、図７と同一あるいは同等部分には同じ符号を付してある。ビーム形成用ウエイト生成部30は、基本的にはアンテナ群毎に独立に動作する。ここでは、その中の1つの構成および動作について説明する。
【０２９９】
実際には、ビーム形成用ウエイト生成部30は、図１７と同一のブロック構成をP個備える。すなわち、ビーム形成用ウエイト生成部30は、P個の受信情報保持部80、P個の最適ウエイト決定部84、P個の移相器制御部60およびタイミング部70を備え、双方向のトレーニング信号伝送を通じて、アンテナ群毎にビームフォーミングおよびダイバーシチ合成のための複素ウエイトの最適値を決定する。
【０３００】
トレーニング受信情報保持部80は、ベースバンド受信IQ信号保持部81および受信レベル情報保持部82を備える。トレーニング受信情報保持部80は、"トレーニング受信情報保持手段"として機能する。
【０３０１】
ベースバンド受信IQ信号保持部81は、トレーニングシーケンス受信に際して、各トレーニングフレームに含まれる既知パターンに対応したベースバンド受信信号であるベースバンド受信IQ信号を保持する。
【０３０２】
具体的には、既知パターン"1"(複素数)に対応したベースバンド受信信号を保持するものとすると、ベースバンド受信IQ信号は、送信ベースバンド部と受信ベースバンド部の間における位相回転を表す複素伝達関数(ベクトル)となる。
【０３０３】
既知パターンとして、例えば802.11nにおけるLTFを使用し、これに対応したベースバンド受信信号とLTFとの相関演算出力をベースバンド受信IQ信号とすることにより、複素伝達関数の推定における雑音の影響を軽減することができる。トレーニングシーケンスのすべてのトレーニングフレームに既知パターンが含まれていれば、それを用いて複素伝達関数の推定値となるベースバンド受信IQ信号を求めることができる。各トレーニングフレームに含まれる既知パターンは、すべて同一でもよいし、すべてが互いに異なっていてもよい。
【０３０４】
これを実現するために、ベースバンド受信IQ信号保持部81には、ベースバンド受信信号およびタイミング部70からのフレーム受信検出信号が印加されている。例えば、フレーム受信に際して、ヘッダ部分に、当該フレームがトレーニングフレームであることを示す情報要素が含まれている場合にパルスを出力し、それ以外では"0"となる信号をフレーム受信検出信号として用いることができる。トレーニングフレームの判別には、ヘッダ部分の情報要素を用いることができる。あるいはフレーム受信検出信号の時間間隔が所定値以下の場合のフレームをトレーニングフレームと判別することもできる。
【０３０５】
一方、受信レベル情報保持部82は、トレーニングシーケンスの受信に際して、各トレーニングフレームに含まれる既知パターンに対応した受信レベル情報を保持する。受信レベル情報としてRSSI値を用いる場合には、例えば既知パターンに対応したRSSI値を受信レベル情報として保持してもよい。あるいは、一般に先頭フレームは既知パターンであるので、これを受信した時の受信AGC利得を受信レベル情報として用いてもよい。
【０３０６】
複素伝達関数の情報からは、受信AGCの働きにより振幅情報が失われている。受信レベル情報を用いることにより、この振幅情報を復元して、位相情報だけではない真の複素伝達関数の情報を得ることができる。
【０３０７】
フレーム受信検出信号はトレーニングフレーム毎に出力され、各トレーニングフレームにおけるベースバンド受信IQ信号および受信レベル情報がトレーニング受信情報保持部80において保持される。これらの情報は、最適ウエイト決定部84に印加される。最適ウエイト決定部84は、式(6)に基づいて最適な複素ウエイトWＡｋ１(B),WＡｋ２(B),・・・,WＡｋＭ(B)を計算し、トレーニング時ウエイト生成部62に出力する。なお、最適ウエイト決定部84からの最適な複素ウエイトWＡｋ１(B),WＡｋ２(B),・・・,WＡｋＭ(B)の出力は、タイミング部70からの最適ウエイト更新信号で示されたタイミングで行われる。トレーニングシーケンス受信が終了した直後にパルスを出力し、それ以外では"0"となる信号を最適ウエイト更新信号としてもよい。
【０３０８】
移相器制御部60は、非ビーム形成時ウエイト生成部61、トレーニング時ウエイト生成部62およびウエイト選択部63を備える。非ビーム形成時ウエイト生成部61、トレーニング時ウエイト生成部62はそれぞれ、"初期捕捉用ダイバーシチ合成情報生成手段"、"トレーニング用ダイバーシチ合成情報生成手段"として機能し、トレーニング時ウエイト生成部62は、最適ウエイト決定部84と組み合わされて"ダイバーシチ合成情報最適値生成手段"としても機能する。
【０３０９】
全くの初期状態から複素ウエイトの最適値への引き込みには、まず、相手側無線通信装置から少なくとも、アンテナ群を構成するアンテナの数+1個のフレームを含むトレーニング信号を受信することが必要である。しかし、当初から、相手側無線通信装置が送信するトレーニング信号を受信できるとは限らない。そこで、全くの初期状態でも、自無線通信装置が送信する少なくとも1個のトレーニング信号((アンテナ数+1)個のフレーム)を相手側無線通信装置が受信できるようにする。これは、異なる複素ウエイトWＡｋ１,WＡｋ２,・・・,WＡｋＭを用いて複数のトレーニング信号を送信し、相手側無線通信装置がいずれかのトレーニング信号を受信できるようにすることにより実現できる。
【０３１０】
非ビーム形成時ウエイト生成部61は、このような非ビーム形成時の複素ウエイトWＡｋ１(NB),WＡｋ２(NB),・・・,WＡｋＭ(NB)を生成する。このトレーニング信号を送信する際の複素ウエイトWＡｋ１,WＡｋ２,・・・,WＡｋＭは、任意であるが、トレーニング信号の送信ごとに変化させることが望ましい。CSMA(Carrier Sense Multiple Access)システムにおいては、非ビーム形成時かつ非送受信時の複素ウエイトWＡｋ１,WＡｋ２,・・・,WＡｋＭを時間的にランダムに変化させ、トレーニング信号の送信開始時点での複素ウエイトWＡｋ１,WＡｋ２,・・・,WＡｋＭを当該トレーニング信号の送信で使用することができる。
【０３１１】
具体的には、アンテナ数がMの場合、Mビットカウンタを自走クロックで動作させ、そのM個のカウンタ値を各複素ウエイトWＡｋ１,WＡｋ２,・・・,WＡｋＭとして用いることができる。このランダム変化の時間間隔は、例えば1μs程度に設定すればよい。
【０３１２】
相手側無線通信装置がいずれかのトレーニング信号を受信して複素ウエイトの最適値を決定し、その最適値を設定してトレーニング信号をビームフォーミングして送信すれば、自無線通信装置は、そのトレーニング信号を受信できる。なお、相手側無線通信装置から同様にランダムに変化された複素ウエイトを用いて送信されるいずれかのトレーニング信号を受信できれば、自無線通信装置でそのまま複素ウエイトの最適値への引き込みが行われる。
【０３１３】
トレーニング時ウエイト生成部62は、トレーニングカウント部64からのトレーニングカウンタ情報に従って複素ウエイトWＡｋ１(TR),WＡｋ２(TR),・・・,WＡｋＭ(TR)の各々WＡｋｉ(TR)をフレームごとに順次変更し、最適ウエイト更新信号生成部85から最適ウエイト更新信号が出力された時の各複素ウエイトWＡｋｉ(TR)を保持する。なお、複素ウエイトWＡ１(TR),WＡ２(TR),・・・,WＡＭ(TR)の初期の最適値は、過去の直近のトレーニングによって得られたものとするのが好ましい。その複素ウエイトは、ほぼ最適なものとなっていると考えられるからである。
【０３１４】
ウエイト選択部63は、非ビーム形成時ウエイト生成部61から出力される複素ウエイトWＡｋ１(NB),WＡｋ２(NB),・・・,WＡｋＭ(NB)あるいはトレーニング時ウエイト生成部62から出力される複素ウエイトWＡｋ１(TR),WＡｋ２(TR),・・・,WＡｋＭ(TR)をビーム形成有効フラグに基づいて選択し、複素ウエイトWＡｋ１,WＡｋ２,・・・,WＡｋＭとして出力する。
【０３１５】
ビーム形成有効フラグは、初期状態では"無効"(例えば"0")であるが、所定回数、例えば(アンテナ数+1)回のフレームの受信で"有効"(例えば"1")となる。また、所定の期間、例えば100msの間にフレームを十分に(例えば(アンテナ数+1)回以上)受信できなかった場合には、ビーム形成有効フラグを"無効"としてもよい。
【０３１６】
この結果、ウエイト選択部63は、所定回数のフレームが受信されるまでは複素ウエイトWＡｋ１(NB),WＡｋ２(NB),・・・,WＡｋＭ(NB)を選択し、それ以降では、複素ウエイトWＡｋ１(TR),WＡｋ２(TR),・・・,WＡｋＭ(TR)を選択する。
【０３１７】
タイミング部70は、フレーム受信検出部71、フレーム終了検出部72、最適ウエイト更新信号生成部85、トレーニングカウント部74およびビーム形成有効フラグ生成部75を備える。
【０３１８】
フレーム受信検出部71は、送受信制御情報、ベースバンド受信IQ信号および受信レベル情報を入力とし、フレーム受信検出信号を出力する。送受信制御情報は、例えば、無線送信部106-1,・・・,106-P(図１６)がイネーブルとなる期間に"1"となり、それ以外で"0"となる信号であり、受信レベル情報は、RSSI (Received Signal Strength Information) 情報あるいは無線受信部107-1,・・・,107-P(図１６)が備えるAGCアンプの利得などの情報であり、フレーム受信検出部71は、無線受信部36がイネーブルとなる期間での受信レベル変化、またはベースバンド受信信号の振幅変化、あるいは既定のプリアンブルパターン、例えば802.11nにおけるLTFを検出し、かつヘッダ情報等により当該フレームがトレーニングフレームであると判定した場合に、フレーム受信検出信号を生成する。要するに、トレーニングシーケンス受信のみで、最適ウエイト更新を行い、それ以外の場合には最適ウエイト更新を行わなければよい。
【０３１９】
例えば、フレーム受信検出信号はトレーニングフレーム以外でも生成するが、最適ウエイト更新信号は、当該フレームがトレーニングシーケンスであると判定した場合にのみ行うようにしてもよい。また、トレーニングフレーム2-M（Mは無線通信装置のアンテナ数）における複素ウエイトは一般には最適値ではないので、受信レベル変化、ベースバンド受信信号の振幅変化、既定のプリアンブルパターンのいずれもが検出できない可能性もある。このような場合に備えて、ヘッダ情報等により当該フレームがトレーニングフレームであると判定した場合には、受信レベル変化、ベースバンド受信信号の振幅変化、既定のプリアンブルパターンのいずれもが検出できない場合でも、所定のタイミングでパルスを生成してもよい。なお、このような場合の当該トレーニングフレームに対応した複素伝達関数を"0"としてもよい。
【０３２０】
フレーム受信検出信号はベースバンド受信IQ信号保持部81および受信レベル情報保持部82に与えられる。フレーム受信検出信号は、各トレーニングフレームの受信開始を示す信号であり、例えば無線受信部107-1,・・・,107-Pがイネーブルとなる期間での受信レベル変化、またはベースバンド受信信号の振幅変化、あるいは既定のプリアンブルパターン、例えば802.11nにおけるLTFを検出し、かつヘッダ情報に等により当該フレームがトレーニングフレームであると判定した場合に発生させた所定幅(例えば、1μs)のパルスである。
【０３２１】
フレーム終了検出部72は、送受信制御情報、ベースバンド受信IQ信号および受信レベル情報を入力とし、フレーム終了検出信号をトレーニングカウント部74へ出力する。フレーム終了検出信号は、各フレームの受信終了を示す信号であり、例えば、無線受信部107-1,・・・,107-Pがイネーブルとなる期間での受信レベル変化あるいはベースバンド受信信号の振幅変化の検出に基づく各フレームの受信終了タイミングをトリガとして発生させた所定幅(例えば、1μs)のパルスである。また、トレーニングフレーム2-M（Mは無線通信装置のアンテナ数）における複素ウエイトは一般には最適値ではないので、受信レベル変化、ベースバンド受信信号の振幅変化、既定のプリアンブルパターンのいずれもが検出できない可能性もある。このような場合に備えて、ヘッダ情報等により当該フレームがトレーニングフレームであると判定した場合には、受信レベル変化、ベースバンド受信信号の振幅変化、既定のプリアンブルパターンのいずれもが検出できない場合でも、所定のタイミングでパルスを生成してもよい。
【０３２２】
送受信制御情報は、送信状態、受信状態、パワーセーブ状態などの無線通信装置の状態を表す情報である。フレーム受信検出部71およびフレーム終了検出部72は、送受信制御情報が受信状態になっている場合の受信レベル情報を用いてフレームの受信開始およびフレームの受信終了を検出することができる。
【０３２３】
最適ウエイト更新信号生成部85は、最適ウエイト更新信号をトレーニング時ウエイト生成部62へ出力する。最適ウエイト更新信号はトレーニングシーケンス受信完了後に、当該トレーニングシーケンス受信で新たに決定された最適な複素ウエイトを設定するためのタイミング信号であり、例えば、当該トレーニングシーケンスの最終フレームのフレーム終了検出信号のパルスが発生してから一定期間(例えば、3μs)後に発生させた所定幅(例えば、1μs)のパルスである。
【０３２４】
トレーニングカウント部74は、トレーニングカウンタ情報を、トレーニング時ウエイト生成部62、最適ウエイト更新信号生成部85およびビーム形成有効フラグ生成部75へ出力する。トレーニングカウンタ情報は、トレーニングシーケンスにおけるフレーム数のカウント情報であり、例えば、フレーム終了検出信号によりカウンタのカウント値を1ずつインクリメントし、最適ウエイト更新信号により該カウンタのカウント値を"0"にクリアすることにより生成される。
【０３２５】
ビーム形成有効フラグ生成部75は、所定回数のフレームが受信されたことを示すビーム形成有効フラグをウエイト選択部63へ出力する。ビーム形成有効フラグは、トレーニングカウンタ部74からのトレーニングカウンタ情報に基づいて生成される。ウエイト選択部63は、ビーム形成有効フラグが無効の場合、非トレーニング時ウエイト生成部61からの複素ウエイトWＡｋ１(NB),WＡｋ２(NB),・・・,WＡｋＭ(NB)を選択し、ビーム形成有効フラグが有効の場合、トレーニング時ウエイト生成部62からの複素ウエイトWＡｋ１(TR),WＡｋ２(TR),・・・,WＡｋＭ(TR)を選択する。
【０３２６】
移相器制御部60は、基本的には、トレーニングを通じて受信レベル情報が最大となる複素ウエイトWＡｋ１(TR),WＡｋ２(TR),・・・,WＡｋＭ(TR)を見つけ出すように動作する。すなわち、受信側の無線通信装置では、フレームごとに複素ウエイトWＡｋ１(TR),WＡｋ２(TR),・・・,WＡｋＭ(TR)の各複素ウエイトWＡｋｉ(TR)を変更し、各複素ウエイトWＡｋｉ(TR)でのベースバンド受信IQ信号および受信レベル情報を保持する。これらの保持情報から、式(7)に基づいて最適な複素ウエイトWＡｋ１,WＡｋ２,・・・,WｋＡＭを求めて、複素ウエイトの更新を行う。
【０３２７】
トレーニングに続くデータの双方向伝送では、保持されている複素ウエイトWＡｋ１(TR),WＡｋ２(TR),・・・,WＡｋＭ(TR)を読み出してウエイト処理部11-kに与える。
【０３２８】
図１８は、図１７のビーム形成用ウエイト生成部30の動作の一例を示すタイミングチャートである。アンテナ群毎の各アンテナAｋ１,Aｋ２,Aｋ３,Aｋ４（k=1〜P）の信号A1,A2,A3,A4がダイバーシチ合成(ベクトル加算)されてダイバーシチ合成受信信号が生成される様子は、図１２で示される。ここでは、無線通信装置Aのアンテナ群毎の各アンテナAｋ１〜AｋＭのアンテナの数が4であり、各アンテナAｋ１,Aｋ２,Aｋ３,Aｋ４の信号に対する複素ウエイトWＡｋ１,WＡｋ２,WＡｋ３,WＡｋ４がｎビット（ｎは２以上の自然数）である場合を想定している。また、受信レベルが大きいほど受信レベル情報の値が大きくなるとしている。この場合、ウエイト処理部11-kは、アンテナ数分のｎビット移相器で構成され、各移相器は各ｎビットの複素ウエイトWＡｋ１,WＡｋ２,WＡｋ３,WＡｋ４に応じて制御される。ｎ＝２の場合、例えば、複素ウエイトが"0"の場合には移相量0度、"1"の場合には移相量90度、"2"の場合には移相量180度、"3"の場合には移相量270度に、制御される。
【０３２９】
無線通信装置は、通信相手の無線通信装置からのトレーニングフレーム1を現状の複素ウエイトWＡｋ１,WＡｋ２,WＡｋ３,WＡｋ４を用いてダイバーシチ受信し、複数のトレーニングフレーム2-1〜2-4を、複素ウエイトWＡｋ１,WＡｋ２,WＡｋ３,WＡｋ４の各複素ウエイトWＡｋｉを変更しながら順次ダイバーシチ受信する。そして、得られた受信レベル情報およびベースバンド受信IQ信号を保持しておき、トレーニングシーケンス受信の終了後に、これらの保持された情報に基づいて最終的に複素ウエイトの最適値WＡｋ１,WＡｋ２,WＡｋ３,WＡｋ４を決定する。これにより決定された複素ウエイトの最適値WＡｋ１,WＡｋ２,WＡｋ３,WＡｋ４をデータ送受信時のビームフォーミングおよびダイバーシチ合成に用いる。
【０３３０】
トレーニングフレーム1は、実際にトレーニングが実行される先頭フレームであり、これを受信してからトレーニングが開始されると共に、そのときの受信レベル情報およびベースバンド受信IQ信号が測定される。例えば、IEEE802.11nのアンテナ選択シーケンスをトレーニングシーケンスとして使用する場合には、受信フレームのMACヘッダの解析を行い、当該受信フレームがアンテナ選択シーケンスである場合にトレーニングを開始してもよい。ベースバンド受信IQ信号としては、PLCP（Physical Layer Convergence Protocol）ヘッダに含まれる既知パターンに対応したベースバンド受信IQを用いることができる。例えば、IEEE802.11nの場合には、PLCPヘッダに含まれるLTF（Long Training Field）のベースバンド受信IQをベースバンド受信IQ信号として用いることができる。この場合には、ベースバンド受信IQ信号は、送信側無線通信装置のベースバンド送信IQと受信側無線通信装置のベースバンド受信IQ間の伝達関数を表す。
【０３３１】
トレーニングフレーム1には送信元アドレス、送信先アドレスおよびフレーム種別などの情報を含ませることができる。トレーニングフレーム1を用いて、現状の複素ウエイトでダイバーシチ受信した時の受信レベル情報が取得される。後続するトレーニングフレーム2-1〜2-4は、複素ウエイトを所定のアルゴリズムで変更してダイバーシチ受信した時のベースバンド受信IQ信号および受信レベル情報を測定するために用いられる。
【０３３２】
受信レベル情報は、無線受信部のAGCアンプにおいて利得調整が起動された場合、通常、比較的短時間(例えば、10μs)に変化する。AGCアンプの利得調整は、トレーニングフレームの受信開始または受信終了でも発生するが、それ以外にも、例えば、ノイズの影響により発生する場合もある。また、トレーニングフレームの受信開始でAGCアンプの利得調整が起動された後、フレームヘッダの受信に失敗した場合では、該フレーム受信期間においてAGCアンプの利得調整が複数回起動される場合もある。受信レベル情報の測定では、これらの点を考慮する。
【０３３３】
まず、トレーニングカウンタ情報が"0"の時、トレーニング時ウエイト生成部52は、複素ウエイト0(WＡｋ１="01",WＡｋ２="00",WＡｋ３="10",WＡｋ４="11")を生成し、通信相手の無線通信装置からのトレーニングフレーム1をこの複素ウエイト0を用いてをダイバーシチ受信する。複素ウエイト0は、例えば、過去の直近のトレーニングによって得られ、前のデータフレームの受信時に用いられたものが好ましい。過去においてビームフォーミングがなされている場合、その時の複素ウエイトは、今回でもほぼ最適となっていると考えられるからである。過去においてビームフォーミングがなされていない場合には、任意の複素ウエイトを用いることができる。このときのベースバンド受信IQ信号および受信レベル情報(100)が1トレーニング期間内最大受信レベル情報保持部42で保持される。図１２(a)は、このときの各アンテナAｋ１,Aｋ２,Aｋ３,Aｋ４の受信信号のダイバーシチ合成(ベクトル加算)を示している。なお、トレーニングフレーム1を受信する前の受信レベル情報は"5"である。これは、熱雑音レベルに相当する。また、トレーニングフレーム1を受信してから次のトレーニングフレーム2-1を受信するまでの期間の受信レベル情報は"3"に低下する。これも熱雑音レベルに相当する。以下同様に、トレーニングフレームの受信間で熱雑音が発生する。
【０３３４】
次に、トレーニングフレーム1のフレーム終了が検出され、トレーニングカウンタ情報が"1"になると、トレーニング時ウエイト生成部52は、複素ウエイト1(WＡｋ１="11",WＡｋ２="00",WＡｋ３="10",WＡｋ４="11")を生成する。複素ウエイト1は、複素ウエイトWＡｋ１だけが反転されたものである。複素ウエイト1を用いてトレーニングフレーム2-1を受信した時の受信レベル情報(88)は、複素ウエイト0の時の受信レベル情報(100)より低下している。図１２(b)は、このときの各アンテナAｋ１,Aｋ２,Aｋ３,Aｋ４の受信信号のダイバーシチ合成を示している。この受信レベル情報の変化は、伝送路の変化によるものではなく、複素ウエイトを変化させたことによるものである。
【０３３５】
次に、トレーニングカウンタ情報が"2"になると、トレーニング時ウエイト生成部52は、複素ウエイト2(WＡｋ１="01",WＡｋ２="10",WＡｋ３="10",WＡｋ４="11")を生成する。複素ウエイト2は、複素ウエイト0において複素ウエイトWＡｋ2だけが反転されたものである。複素ウエイト2を用いてトレーニングフレーム2-2を受信した時のベースバンド受信IQ信号および受信レベル情報(70)が取得され、保持される。なお、このときの受信レベルは複素ウエイト0の時の受信レベル情報(100)より低下している。図１２(c)は、このときの各アンテナAｋ１,Aｋ２,Aｋ３,Aｋ４の受信信号のダイバーシチ合成を示している。
【０３３６】
次に、トレーニングカウンタ情報が"3"になると、トレーニング時ウエイト生成部52は、複素ウエイト3(WＡｋ１="01",WＡｋ２="00",WＡｋ３="00",WＡｋ４="11")を生成する。複素ウエイト3は、複素ウエイト0において複素ウエイトWＡｋ３だけが反転されたものである。複素ウエイト3を用いてトレーニングフレーム2-3を受信した時のベースバンド受信IQ信号および受信レベル情報(102) が取得され、保持される。なお、このときの受信レベルは複素ウエイト0の時の受信レベル情報(100)より増大している。図１２(d)は、このときの各アンテナAｋ１,Aｋ２,Aｋ３,Aｋ４の受信信号のダイバーシチ合成を示している。
【０３３７】
次に、トレーニングカウンタ情報が"4"になると、トレーニング時ウエイト生成部52は、複素ウエイト4(WＡｋ１="01",WＡｋ２="00",WＡｋ３="10",WＡｋ４=" 00")を生成する。複素ウエイト4は、複素ウエイト0において複素ウエイトWＡｋ４だけが反転されたものである。複素ウエイト4を用いてトレーニングフレーム2-4を受信した時のベースバンド受信IQ信号および受信レベル情報(90) が取得され、保持される。なお、このときの受信レベルは複素ウエイト0の時の受信レベル情報(100)より低下している。図１２(e)は、このときの各アンテナAｋ１,Aｋ２,Aｋ３,Aｋ４の受信信号のダイバーシチ合成を示している。
【０３３８】
複素ウエイト4を用いてトレーニングフレーム2-4を受信した時のベースバンド受信IQ信号および受信レベル情報(90) の取得し保持した後に、これらの保持された情報に基づいて最終的に複素ウエイトの最適値WＡｋ１,WＡｋ２,WＡｋ３,WＡｋ４を決定する。
【０３３９】
′
新しい複素ウエイトの最適値WＡｋ１,WＡｋ２,WＡｋ３,WＡｋ４は、式(6)に基づいて決定される。式(6)において、WＡｋ１,WＡｋ２,WＡｋ３,WＡｋ４はトレーニング信号受信前の複素ウエイトの最適値を表し、WＡｋ１′,WＡｋ２′,WＡｋ３′,WＡｋ４′はトレーニング信号受信後の新しく決定された複素ウエイトの最適値を表す。
【０３４０】
新しく決定された複素ウエイトの最適値WＡｋ１′,WＡｋ２′,WＡｋ３′,WＡｋ４′は、トレーニングフレーム2-4に対するフレーム終了検出信号が出力された後で、次のデータフレームの送信および受信に備えて設定される。
【０３４１】
次に、ブロードキャストフレームもしくはマルチキャストフレームの伝送を含めた場合の、本発明の無線通信システムの動作について説明する。
【０３４２】
図１９は、この場合のAPおよび複数STA間でのトレーニングおよびデータ伝送時の動作例を示す図である。同図は、AP-STA間で伝送される無線フレームおよびそのときのAPおよびSTAの移相器の動作を示している。なお、ここでは、APおよびSTAの各アンテナ群がそれぞれ４本のアンテナを具備し、それらのアンテナに各々１ビットの移相器が接続されるとした場合の、1つのアンテナ群についての動作を示している。また、４本のアンテナに対する移相器設定の状態を0から15までの整数で表している。例えば、移相器設定が5の場合、これは２進数表示では"0101"であることから、アンテナ１およびアンテナ３に対する移相器設定が"0度"であり、アンテナ２およびアンテナ４に対する移相器設定が"180度"であることを表している。
【０３４３】
APは、一定周期、例えば100msごとにビーコンを送信し、無線ネットワークの存在をその周辺に報知する。ビーコン送信時のAPにおける移相器設定は、0〜15の中からランダムに決定される。この場合、移相器設定は、ビーコンの送信ごとに互いに異なる確率が大きい。
【０３４４】
CSMA/CAシステムにおいて、ランダムに移相器設定を決定する１つの方法として、無線装置がアイドル状態、すなわち無線装置が送信も受信も行っていない場合に、移相器設定を、例えば1usごとに変化させ、フレーム送信またはフレーム受信時に、送受信の開始時点での移相器設定とする方法がある。
【０３４５】
APは、ビーコンの送信に引き続き、STA1宛てのトレーニング開始フレームを送信する。このトレーニング開始フレーム送信時のAPにおける移相器設定は、0〜15の中からランダムに決定される。このときの移相器設定は、最適であるとは限らないので、STA1がトレーニング開始フレームを正常に受信できる場合もあれば、そうでない場合もある。STA1がトレーニング開始フレームを正常に受信した場合、STA1からAPにACKフレームが送信される。STA1がトレーニング開始フレームを正常に受信しなかった場合、STA1からAPにACKフレームが送信されない。この場合、APは、先ほどとは異なる移相器設定を用いてSTA1宛てのトレーニング開始フレームを再送する。このトレーニング開始フレームの再送は、基本的にはSTA1からAPにACKフレームが送信されるまで繰り返される。
【０３４６】
図２０、図２１は、再送を含めたトレーニング開始フレームの送信回数と、これに対するACKフレームが送信される確率(初期捕捉累積確率)の関係を示す。図２０は、STA側で移相器の最適設定が既知の場合であり、図２１は、STA側で移相器の最適設定が未知の場合である。図２０を参照すると、再送を含めたトレーニング開始フレームの送信回数の平均値は2.3であり、合計で最大10フレームまで送信するようにすれば99.9%以上の確率でトレーニング開始フレームに対するACKフレームが送信されることが分かる。また、図２１を参照すると、再送を含めたトレーニング開始フレームの送信回数の平均値は2.9であり、合計で最大20フレームまで送信するようにすれば、99.9%以上の確率でトレーニング開始フレームに対するACKフレームが送信されることが分かる。実際には、フェージングの状況に応じて、図２０、図２１あるいはその中間の状況が発生する。
【０３４７】
APは、STA1へのトレーニング開始フレームに対するACKを受信すると、STA1に対する双方向のトレーニング信号伝送を開始する。図１９の例では、まず、STA1側からトレーニング信号を送信してAP側の移相器設定を最適化する。その後、AP側からトレーニング信号を送信してSTA側の移相器設定を最適化する。AP側の移相器設定の最適化においては、トレーニング開始フレームに対するSTA1からのACKフレームを受信したときのAP側の移相器設定を初期値としてトレーニングを行う。
【０３４８】
図１９の例では、APは、1個目、2個目のトレーニング開始フレームに対するACKフレームを受信しない。このため、APは、移相器設定をランダム移相にする。次に、APは、３番目のトレーニング開始フレームに対するACKフレームを受信する。APは、３番目のトレーニング開始フレーム送信時の移相器設定14（"1110"）をトレーニング初期値とする。
【０３４９】
本例では、APは、STA1に対してNull Data（ペイロードのデータ長0のフレーム）を送信し、これに対するSTA1からのACKフレームをトレーニング用の移相器設定で受信し、その時の受信レベルからAP側の最適な移相器設定を求める。
【０３５０】
具体的には、図１９に示すように、APは、まず、トレーニング開始フレームに対するACKフレームの受信レベルを、トレーニング初期設定14（"1110"）での受信レベルとして保持する。
【０３５１】
次に、APは、移相器設定は14（"1110"）のままとしてSTA1に対してNull Dataを送信した後、移相器設定をトレーニング用に変更する。APは、例えば、アンテナ１に対する移相器設定を反転した6（"0110"）に変更してACKフレームを受信し、その受信レベルを調べる。この場合、移相器設定が14（"1110"）の場合の方が受信レベルは高いので、APは、移相器設定を14（"1110"）に戻して、さらにNull Dataを送信する。その後、APは、アンテナ２に対する移相器設定を反転した10（"1010"）に変更してACKフレームを受信し、その受信レベルを調べる。この場合も、移相器設定が14（"1110"）の場合の方が受信レベルは高いので、APは、移相器設定を14（"1110"）に戻して、さらにNull Dataを送信する。この後、APは、さらにアンテナ３に対する移相器設定を反転した12（"1100"）に変更してACKフレームを受信して、その受信レベルを調べる。この場合の受信レベルは移相器設定が14（"1110"）の場合よりも大きいので、移相器設定を12（"1100"）とし、この移相器設定で次のNull Dataを送信する。この後、APは、アンテナ４に対する移相器設定を反転した13（"1101"）に変更してACKフレームを受信して、その受信レベルを調べる。本例では、移相器設定が12（"1100"）のとき受信レベルが最大であるので、APは、移相器設定12（"1100"）を用いて、その後のトレーニング信号送信およびデータの送受信を行う。
【０３５２】
AP側の４本のアンテナに対する移相器設定の最適化が完了すると、今度は、APは、最適化された移相器設定12（"1100"）を用いてトレーニング信号をSTA1に送信する。ここでは、トレーニング用にNo-AckのNull Dataフレームを使用している。STA1では、過去のトレーニングにおいて獲得した最適な移相器設定を保持しておき、この移相器設定を、直後のデータ伝送だけでなくその後のトレーニング伝送において使用する。フェージング等により最適な移相器設定は時々刻々と変化するが、この場合でも、以前に獲得した最適な移相器設定を初期値としてトレーニングを行うことにより、短時間で最適な移相器設定を決定することができる。
【０３５３】
図１９において、STA1は、以前に獲得した最適な移相器設定2（"0010"）を保持しているが、さらにAP側からのトレーニング信号を受信し、移相器設定をさらに最適に更新する。STA1は、まず、以前の移相器設定2（"0010"）を用いて最初のNo-AckのNull Dataフレームを受信し、移相器設定2（"0010"）での受信レベルを獲得する。STA1は、自端末宛のNo-AckのNull Dataフレームを受信することで、自端末のためのトレーニングが開始されたと判断し、引き続くNo-AckのNull Dataフレームを、トレーニング用に変更された移相器設定を用いて受信し、その受信レベルを調べる。
【０３５４】
具体的には、STA1は、最初のNo-AckのNull Dataフレームの受信後、アンテナ１に対する移相器設定を反転した10（"1010"）に変更して、次のNo-AckのNull Dataフレームを受信し、その受信レベルを調べる。次に、STA1は、2番目のNo-AckのNull Dataフレームの受信後、アンテナ２に対する移相器設定を反転した6（"0110"）に変更して、次のNo-AckのNull Dataフレームを受信し、その受信レベルを調べる。次に、STA1は、３番目のNo-AckのNull Dataフレームの受信後、アンテナ３に対する移相器設定を反転した0（"0000"）に変更して、次のNo-AckのNull Dataフレームを受信し、その受信レベルを調べる。さらに、STA1は、４番目のNo-AckのNull Dataフレームの受信後、アンテナ４に対する移相器設定を反転した3（"0011"）に変更して、次のNo-AckのNull Dataフレームを受信し、その受信レベルを調べる。本例では、移相器設定2（"0010"）のとき受信レベルが最大であるので、STA1は、移相器設定2（"0010"）を用いて引き続くデータの送受信を行う。
【０３５５】
なお、他のSTA（STA1以外のSTA）がトレーニング信号を受信してもトレーニング動作を行わないようにするため、自端末宛ではないフレームを受信してもトレーニング動作を行わないようにする。これは、STAは、MACアドレスが自端末宛ではないフレームを受信してもトレーニング動作を行わないようにする、あるいは、自端末宛のフレームに対してのみACKフレームを送信し、ACKフレーム送信後の一定期間のみでトレーニング動作を行うようにすることにより実現できる。
【０３５６】
以上の動作により、AP側の移相器設定が12（"1100"）に最適化され、STA1側の移相器設定が2（"0010"）に最適された後、これらの移相器設定でAPとSTA1間での双方向のデータ伝送が行われる。
【０３５７】
また、図１９の例では、APは、STA1とのデータ伝送の終了後に、STA1に対する移相器設定12（"1100"）を用いてSTA2宛てのトレーニング開始フレームを送信する。このときのAP側の移相器設定は、STA2に対して最適であるとは限らないので、STA2は、トレーニング開始フレームを正しく受信できる場合もあればそうでない場合もある。STA2は、このトレーニング開始フレームを正しく受信した場合、APにACKフレームを送信する。STA2は、トレーニング開始フレームを正しく受信しない場合、STA2は、APにACKフレームを送信しない。この場合、APは、先ほどとは異なる移相器設定を用いてSTA2宛てのトレーニング開始フレームを再送する。このトレーニング開始フレームの再送は、STA2からAPにACKフレームが送信されるまで繰り返される。なお、このトレーニング開始フレームの再送では、ランダムな移相器設定を用いる。
【０３５８】
本例では、STA2は、2番目のトレーニング開始フレームに対してACKフレームを送信する。ビーコン後におけるSTA2に対する最初の送信においてランダムな移相器設定とするために、例えば、AP側において、送信先のMACアドレスが変化した場合に、その次のフレームからランダムな移相器設定にするようにしてもよい。あるいは、ビーコン後での各STAへの送信の開始前に固有パターンの伝送を行い、この固有パターンを検出したときに、その次のフレームからランダムな移相器設定にするようにしてもよい。
【０３５９】
本例では、APは、２番目のトレーニング開始フレームに対してACKフレームを受信する。そこで、２番目のトレーニング開始フレームの送信で用いた移相器設定5（"0101"）を、AP側の移相器設定のトレーニング初期値とする。APは、STA2に対してNull Data（ペイロードのデータ長0のフレーム）を送信し、これに対するSTA2からのACKフレームをトレーニング用の移相器設定にて受信し、その受信レベルを調べることにより、AP側の移相器設定を最適化する。
【０３６０】
具体的には、APは、まず、トレーニング開始フレームに対するACKフレームの受信レベルを、トレーニング初期設定5（"0101"）での受信レベルとして保持する。次に、APは、STA2に対して、移相器設定を5（"0101"）としたままでNull Dataを送信し、その後、移相器設定をトレーニング用に変更する。
【０３６１】
例えば、APは、アンテナ１に対する移相器設定を反転した13（"1101"）に変更してACKフレームを受信し、その受信レベルを調べる。移相器設定が5（"0101"）の場合の方が受信レベルは高いので、APは、移相器設定を5（"0101"）に戻して、さらにNull Dataを送信する。この後、APは、アンテナ２に対する移相器設定を反転した1（"0001"）に変更してACKフレームを受信し、その受信レベルを調べる。このときの受信レベルは移相器設定が5（"0101"）の場合よりも大きいので、移相器設定を1（"0001"）とし、次のNull Dataをこの移相器設定で送信する。この後、APは、アンテナ３に対する移相器設定を反転した3（"0011"）に変更してACKフレームを受信し、その受信レベルを調べる。移相器設定が1（"0001"）の場合の方が受信レベルは高いので、移相器設定を1（"0001"）に戻して、さらにNull Dataを送信する。この後、APは、アンテナ４に対する移相器を反転した0（"0000"）に変更してACKフレームを受信し、その受信レベルを調べる。本例では、移相器設定が1（"0001"）のとき受信レベルが最大であるのでり、APは、移相器設定1（"0001"）を用いて引き続くトレーニング信号送信およびデータの送受信を行う。
【０３６２】
AP側の４本のアンテナに対する移相器設定の最適化が完了すると、APは、その最適化された移相器設定1（"0001"）を用いてトレーニング信号をSTA2に送信する。ここでは、トレーニング信号として、No-AckのNull Dataフレームを使用している。STA2では、過去のトレーニングにおいて獲得した最適な移相器設定を保持しておき、この移相器設定を、直後のデータ伝送だけでなくその後のトレーニング伝送において使用する。フェージング等により最適な移相器設定は時々刻々と変化するが、この場合でも、以前に獲得した最適な移相器設定を初期値としてトレーニングを行うことにより、短時間で最適な移相器設定を決定することができる。
【０３６３】
図１９において、STA2は、以前に獲得した最適な移相器設定15（"1111"）を保持しているが、さらにAP側からのトレーニング信号を受信し、移相器設定をさらに最適化する。STA2は、まず、以前の移相器設定15（"1111"）を用いて最初のNo-AckのNull Dataフレームを受信し、移相器設定15（"1111"）での受信レベルを獲得する。STA2は、自端末宛のNo-AckのNull Dataフレームを受信することで、自端末のためのトレーニングが開始されたと判断し、引き続くNo-AckのNull Dataフレームを、トレーニング用に変更された移相器設定を用いて受信し、その受信レベルを調べる。
【０３６４】
具体的には、STA2は、最初のNo-AckのNull Dataフレームの受信後、アンテナ１に対する移相器設定を反転した7（"0111"）に変更して次のNo-AckのNull Dataフレームを受信し、その受信レベルを調べる。次に、STA2は、2番目のNo-AckのNull Dataフレームの受信後、アンテナ２に対する移相器設定を反転した11（"1011"）に変更して次のNo-AckのNull Dataフレームを受信し、その受信レベルを調べる。次に、STA2は、３番目のNo-AckのNull Dataフレームの受信後、アンテナ３に対する移相器設定を反転した13（"1101"）に変更して次のNo-AckのNull Dataフレームを受信し、その受信レベルを調べる。さらに、STA2は、４番目のNo-AckのNull Dataフレームの受信後、アンテナ４に対する移相器設定を反転した14（"1110"）に変更して次のNo-AckのNull Dataフレームを受信し、その受信レベルを調べる。本例では、移相器設定が15（"1111"）のとき受信レベルが最大であるので、STA2は、移相器設定15（"1111"）を用いて引き続くデータを送受信する。
【０３６５】
図１９の例では、STA2とのデータ伝送が終了して無線機がアイドル状態へ移行してから一定時間が経過した時点で、AP側の各アンテナの移相器設定をランダム移相にしている。
【０３６６】
なお、本例の場合、ビーコンの送信時、各STAの移相器設定は最適化されないが、ビーコンは、ビーコンごとにランダムな移相器設定を用いて送信されるので、各STAでは、少なくともビーコンフレームの一部を受信することができ、これにより無線ネットワークへの接続確認を行うことができる。
【０３６７】
図２２は、STA側で移相器設定が最適化されている場合の、AP側の移相器設定とその時の受信レベルとの関係を示す。同図を参照すると、最適化された移相器設定を用いた場合には約20dBのMIMO利得が得られること、移相器設定をランダムとした場合に20dBのMIMO利得が得られる確率は1/8であること、および移相器設定をランダムとした場合でも約50%の確率で15dB以上のMIMO利得が得られることが分かる。すなわち、20dBのMIMO利得を考慮してエリア設計を行った場合のエリア周辺部においても1/8以上の確率でビーコンを受信することができることが分かる。
【０３６８】
実際には、受信レベルが低下するにつれてビーコンの受信確率は徐々に劣化する。この点を考慮すると、エリア周辺部におけるビーコンの受信確率は、1/8よりも大きな値になる。ビーコンフレームは、無線ネットワークへの接続確認のために使用されるので、必ずしもすべてのビーコンフレームを受信する必要はなく、ビーコンの受信確率は、この程度で問題ない。また、無線環境に応じて適用的に無線伝送速度を選択する無線通信システムにおいては、通信エリア内におけるスループットを高めるために、最低無線伝送速度ではなく、より高速の無線伝送速度を想定してエリア設計を行う場合もある。この場合には、エリア周辺部においても、より高い受信確率でビーコンフレームを受信できる。
【０３６９】
上述のように、各STAに対して、まず、双方向のトレーニング伝送を行い、これに引き続いて、そのSTAとのデータ伝送を行うためには、集中制御での無線伝送のアクセス制御を行う必要がある。TDMA(Time Division Multiple Access)方式を採用した無線システムでは、TDMAシステムにおけるスケジューラの機能を用いてこれを実現することができる。一方、CSMA/CA(Carrier Sense Multiple Access/ Collision Avoidance)方式のような分散制御を採用する無線システムでは、例えば、PCF(Point Coordination Function)機能を用いることにより、上述の一連のシーケンスを実現することができる。図１９は、CSMA/CA方式においてPCF機能を用いた場合の例であり、ビーコンフレームにおいて宣言されたCFP(Contention Free Period)期間において、各STAに対する双方向のトレーニング伝送およびデータ伝送を行う。
【０３７０】
以上の説明では、ビーコンを送信した後に各STAとのトレーニング伝送およびデータ伝送をシーケンシャルに行う場合について説明したが、このようなトレーニング伝送およびデータ伝送は、仮想APと呼ばれる技術を用いて実現することもできる。仮想APとは、ハードウェア的には１台のAPが、複数の異なるネットワーク情報を含むビーコンを送信し、論理的には複数のAPが存在するかのように振舞うことにより、１台のAPを用いて複数のネットワークの収容を可能とする技術である。
【０３７１】
以下では、仮想AP技術を用いた場合の、本発明の無線通信システムの動作について説明する。図２３は、この場合のAPおよび複数STA間でのトレーニングおよびデータ伝送時の動作例を示す図である。
【０３７２】
この場合の動作は、図１９に示した動作とほぼ同様であるが、各STAに対して別個のビーコンを使用している点が異なる。すなわち、APは、STA1に対するトレーニング伝送およびデータ伝送の終了後、移相器設定をランダムにし、次のビーコンの送信後に、STA2に対するトレーニング伝送およびデータ伝送を行う。APは、STA2に対するトレーニング伝送およびデータ伝送の終了後、再び移相器設定をランダムにする。STAの数が３以上の場合、各STAのための３つ以上のビーコンを送信してもよい。また、マルチアンテナを具備しないSTA、すなわちシングルアンテナのSTAをシステム内に収容するために、シングルアンテナのSTAのためのビーコンを送信してもよい。図２３において、１つ、または複数のSTAがパワーセーブ動作を行う場合には、STAごとのビーコンを用いてパワーセーブ動作を行わせることができる。
【０３７３】
図２４は、STA１およびSTA2の両方がパワーセーブ動作を行う場合の動作例を示す。パワーセーブ動作を行うSTAは、各ビーコンを受信あるいはビーコンをｋ個（Kは２以上の整数）間隔で受信し、それ以外の期間はスリープ状態となる。通常、ビーコンが送信される間隔は、ほぼ一定である。STAは、ビーコンを受信した後から次に受信を予定するビーコンの直前までスリープ状態となる。APは、その配下にパワーセーブ動作を行うSTAがある場合、当該STA宛てのトラフィック(フレーム)は、一旦、内部メモリに保持し、ビーコンに含まれるTIM(Traffic Indication Map)情報を用いて、当該STA宛てのトラフィックがあることを予め通知する。APは、当該STAからの応答を受けて、初めて当該STA宛てのフレームを無線伝送路上に送信する。
【０３７４】
図２４は、STA１は、ビーコンを受信するが、STA2は、スリープ状態にあってビーコンを受信しない場合の例である。この場合の動作は、トレーニング伝送の終了後、データ伝送の開始前に、APがSTA１に対してTIM情報を送信することを除けば、図２３と同じである。
【０３７５】
ビーコンフレームは、トレーニング伝送の前に送信されるため、この中に含まれるTIM情報は、STA側において受信されるとは限らない。このため、本例では、トレーニング伝送の終了後にTIM情報を再送している。なお、通常のビーコンは、すべてのSTAで受信できるように、最低の無線伝送速度で送信されるのが一般的であるが、このTIM情報の再送においては、必ずしも最低の無線伝送速度とする必要はなく、より高速の伝送速度を用いることができる。
【０３７６】
図２４において、STA2は、スリープ状態にあり、ビーコンを受信しない。この場合、STA2は、APからのトレーニング開始信号に対して応答しないので、トレーニングシーケンスは、ここで終了し、データ伝送も行われない。
【０３７７】
図２５は、APからSTAへのマルチキャストフレーム、ブロードキャストフレームを伝送する場合の、本発明の無縁通信システムの動作例を示す図である。同図に示すように、APからのマルチキャストフレーム、ブロードキャストフレームあるいはその両方は、ビーコンを送信した直後に、異なる移相器設定を用いて、複数回送信される。既に説明したように、STA側の移相器設定が最適化されている場合、APが異なる移相器設定を用いて10回程度の再送を行うことにより、99.9%程度の確率でマルチキャストフレームあるいはブロードキャストフレームを各STAに伝送することができる。
【０３７８】
無線環境に応じて適用的に無線伝送速度を選択する無線通信システムにおいては、通信エリア内におけるスループットを高めるために、最低無線伝送速度ではなく、より高速の無線伝送速度を想定してエリア設計を行う場合もある。この場合には、マルチキャストフレームあるいはブロードキャストフレームの再送回数を少なくした場合でも、これらのフレームが各STAに正しく伝送される確率を十分に高くすることができる。
【０３７９】
APからSTAへのマルチキャストフレーム、ブロードキャストフレームを伝送する方法としては、上述の方法以外にも、例えば、各STAに対してトレーニング信号を伝送した後で、かつデータを伝送する前に、トレーニングにおいて得られた最適の移相器設定を用いて、マルチキャストフレームおよびブロードキャストフレームの送信を各々行う方法がある。
【０３８０】
図２６は、この場合の、APからSTAへのマルチキャストフレーム、ブロードキャストフレームの伝送を示す。本例では、仮想AP技術を用い、各STAに対して個別のビーコンを使用している。また、各STAに対してトレーニング信号を伝送した後に、トレーニングにおいて得られた当該STAに対する最適の移相器の設定を用いて同一のマルチキャストフレーム、ブロードキャストフレームを、送信する。
【０３８１】
次に、本発明に係る無線通信システムの第３実施形態について説明する。第１および第２実施形態においては、ウエイト処理部11-kの乗算器を1ビット移相器あるいはnビット移相器(ｎは2以上の自然数)とし、等利得合成でダイバーシチ合成を行う場合の、複素ウエイトの最適値決定動作について説明した。
【０３８２】
しかし、ウエイト処理部11-kの乗算器は、移相器に限られるものではなく、さらに一般化して、複素乗算器を使用することもできる。この場合には、複素ウエイトは複素数となり、ウエイト処理部11-kでは、複素数での乗算が行われる。第３実施形態では、トレーニング信号をダイバーシチ受信し、その際の合成ウエイト情報で複素ウエイトを更新することにより最適な複素ウエイトを得る。これにより、１組の無線通信装置の各アンテナ群間での伝送における伝送路行列の相関行列の最大固有値に対する固有ベクトルの組に漸近するベクトルの組を設定することができる。複素乗算器の具体的な実現方法としては、例えば、直交変調器を使用してもよい。直交変調器の変調信号のI成分をI（t）、Q成分をQ（t）とし、直交変調器の入力無線信号を等価低域系でZ（t）と表すと、直交変調器の出力信号U（t）は、式(10)で表現される。
【０３８３】
【数１０】
2010183566.tif 000012
【０３８４】
複素乗算器を用いる場合でも、第１実施形態と同様に複素ウエイトを順次変更し、そのときの受信ベースバンド情報を調べるというアルゴリズムに従って複素ウエイトの最適値を見つけ出し、これをデータ送受信時の複素ウエイトの最適値とすることができる。
【０３８５】
以下に説明する第３実施形態では、アンテナ群毎のウエイト処理部11-kの乗算器に複素乗算器を用い、最大比等利得合成でダイバーシチ合成を行う場合の複素ウエイトの最適値を決定する。
【０３８６】
上述したように、ウエイト処理部11-kの乗算器に複素乗算器を用いる場合でも、複素ウエイトを順次変更し、そのときの受信ベースバンド情報を調べるというアルゴリズムに従って複素ウエイトの最適値を見つけ出すことができる。しかし、以下に説明する第３実施形態では、(アンテナ数)個のトレーニングサブ信号により各アンテナの信号に対する複素ウエイトの最適値を決定できるようにしている。
【０３８７】
以下では、一例として、図１１に示したトレーニング信号を用いた場合の、第３実施形態の無線通信システムにおける動作について説明する。各トレーニングサブ信号の受信においては、各アンテナ群での現状の複素ウエイトでダイバーシチ受信したときのベースバンド受信IQ情報、および現状の複素ウエイトを所定のアルゴリズムで変更してダイバーシチ受信した時のベースバンド受信IQ情報の取得が行われる。
【０３８８】
ここで、ベースバンド受信IQ情報とは、ベースバンド送信IQ信号とベースバンド受信IQ信号の間における複素伝達関数となる情報であり、例えば、各トレーニングフレームに含まれるプリアンブルに対応したベースバンド受信IQ信号そのものである。後述するように、ベースバンド受信IQ信号に代えて、ベースバンド受信IQ信号と予め定められた特定情報系列の相関情報を用いることもできる。
【０３８９】
各無線通信装置は、1トレーニング期間内のトレーニング信号を受信することにより、その時点での、アンテナ群毎のダイバーシチ受信状態を最良化する複素ウエイトの最適値を決定できる。
【０３９０】
本例のトレーニング信号（図１１）はプリアンブルのトレーニングフィールドの直後に配置される。1トレーニング信号は、複数のトレーニングシンボル1,2-1〜2-3を含む。この場合、トレーニングサブ信号は、各々のトレーニングシンボルである。
【０３９１】
トレーニングシンボル2-1〜2-3は、複素ウエイトを所定のアルゴリズムで変更してダイバーシチ受信した時のベースバンド受信IQ情報を取得するためものである。
【０３９２】
第３実施形態の無線通信システムの基本構成は図１と同じであるので、図１を参照して、その動作を説明する。図１において、例えば、無線通信装置Aにおける複素ウエイトの最適値を決定する場合、無線通信装置Aは、無線通信装置BのQ個のアンテナ群Bｎ１〜BｎＮ（n=1〜Q）から送信されるトレーニング信号（トレーニングシンボル1,2-1〜2-3を含む）を各アンテナ群Aｋ１〜AｋＭ（k=1〜P）においてダイバーシチ受信する。トレーニングシンボル1は、当該アンテナ群の現状の複素ウエイトWＡｋ１, WＡｋ２,・・・, WＡｋＭを用いてダイバーシチ受信される。一方、トレーニングシンボル2-1〜2-3は、当該アンテナ群の現状の複素ウエイトWＡｋ１, WＡｋ２,・・・, WＡｋＭを所定のアルゴリズムで変更した複素ウエイトWＡｋ１, WＡｋ２,・・・, WＡｋＭを用いてダイバーシチ受信される。具体的には、トレーニングシンボル2-1〜2-3としては現状の複素ウエイトからなる列ベクトルと４次アダマール行列の２列目〜４列目の内積となるベクトルの各成分を各々複素ウエイトとすればよい。さらに具体的には、当該アンテナ群の現状の複素ウエイトをWＡｋ１, WＡｋ２,・・・, WＡｋ4とすると、トレーニングシンボル1,2-1〜2-3に対する複素ウエイトは下記のようにすればよい。
トレーニングシンボル1：WＡｋ１, WＡｋ２, WＡｋ3, WＡｋ4
トレーニングシンボル2-1：WＡｋ１, −WＡｋ２, WＡｋ3, −WＡｋ4
トレーニングシンボル2-2：WＡｋ１, WＡｋ２, −WＡｋ3, −WＡｋ4
トレーニングシンボル2-3：WＡｋ１, −WＡｋ２, −WＡｋ3, WＡｋ4
これらのダイバーシチ受信で得られるベースバンド受信IQ情報に基づいて各アンテナ群Aｋ１〜AｋＭにおける複素ウエイトWＡｋ１, WＡｋ２,・・・, WＡｋＭの最適値が決定される。
【０３９３】
また、無線通信装置Bは、過去の直近のトレーニングで取得された、当該アンテナ群のほぼ最適の複素ウエイトを用いてトレーニング信号をQ個のアンテナ群群Bｎ１〜BｎＮのアンテナBｎ１, Bｎ２,・・・, B ｎＮから送信する。この無線通信装置Bのアンテナ群毎の複素ウエイトは、無線通信装置Aが、その時点での複素ウエイトの最適値に更新する1トレーニング期間中で固定とする。なお、無線通信装置A,B間の通信が全くの初期状態からである場合、無線通信装置A,Bは、後述するように、トレーニング信号を互いに送受信して複素ウエイトの最適値への引き込みを可能にする。
【０３９４】
無線通信装置Aは、まず、無線通信装置BのQ個のアンテナ群Bｎ１〜BｎＮのアンテナBｎ１,Bｎ２,・・・,BｎＮから送信された最初のトレーニングシンボル1を各アンテナ群Aｋ１〜AｋＭのM本のアンテナAｋ１,Aｋ２,・・・,AｋＭで、受信する。アンテナ群毎のウエイト処理部11-kの各乗算器はアンテナ群Aｋ１〜AｋＭの各アンテナAｋ１,Aｋ２,・・・,AｋＭからの各受信信号に複素ウエイトWＡｋ１,WＡｋ２,・・・,WＡｋＭを乗算する。
【０３９５】
各乗算器は、複素ウエイトの複素数表現と入力信号の等価低域系での表現の乗算となる信号を出力する。最初のトレーニングフレーム1を受信する時のアンテナ群毎の複素ウエイトWＡｋ１,WＡｋ２,・・・,WＡｋＭとしては、過去の直近のトレーニングで取得されたものを用いる。この、複素ウエイトWＡｋ１,WＡｋ２,・・・,WＡｋＭは、現状でも、ほぼ最適値となっていると考えられる。しかし、この時に用いる複素ウエイトWＡｋ１,WＡｋ２,・・・,WＡｋＭは、任意に設定することができる。このアンテナ群毎の複素ウエイトWＡｋ１,WＡｋ２,・・・,WＡｋＭは、後述するように、続く複数のトレーニングシンボル2-1〜2-4のダイバーシチ受信後にさらに最適値へと更新される。
【０３９６】
アンテナ群毎のRF信号分配・合成部12-kは、ウエイト処理部11-kにより複素ウエイトWＡｋ１,WＡｋ２,・・・,WＡｋＭが乗算された受信信号を加算してアンテナ群毎のダイバーシチ合成受信信号RＡを生成する。
【０３９７】
次に、アンテナ群毎の現状の複素ウエイトからなる列ベクトルと４次アダマール行列の２列目との内積となるベクトルの各成分を各々複素ウエイトとする。この新しい複素ウエイトWＡｋ１, −WＡｋ２, WＡｋ3, −WＡｋ4を用いて、引き続くトレーニングシンボル2-1をダイバーシチ受信し、このときのベースバンド受信IQ情報を取得する。
【０３９８】
次に、現状の複素ウエイトからなる列ベクトルと４次アダマール行列の３列目との内積となるベクトルの各成分を各々複素ウエイトとする。この新しい複素ウエイトWＡｋ１, WＡｋ２, −WＡｋ3, −WＡｋ4を用いて、引き続くトレーニングシンボル2-2をダイバーシチ受信し、このときのベースバンド受信IQ情報を取得する。
【０３９９】
同様に、トレーニングシンボル2-3を順次受信し、この時のベースバンド受信IQ情報を取得する。
【０４００】
このように、トレーニングシンボル1,2-1〜2-3を順次受信し、その各々において現状の複素ウエイトからなる列ベクトルと４次アダマール行列の３列目との内積となるベクトルの各成分を各々複素ウエイトとし、この時のベースバンド受信IQ情報を取得する。
【０４０１】
さて、アンテナ群毎の各アンテナAｋ１,Aｋ２,・・・,AｋＭの信号に対する複素ウエイトの最適値WＡｋ１,WＡｋ２,・・・,WＡｋＭは、以上のようにして得られたベースバンド受信IQ情報を用いて、以下のようにして決定できる。
【０４０２】
トレーニングシンボル1,2-1〜2-3の受信における任意のアンテナ群のベースバンド受信IQ情報rA1は、式(11)で表される。
【０４０３】
【数１１】
2010183566.tif 000013
【０４０４】
ここで、C0は、トレーニングフレーム2-1〜2-３に先立つプリアンブルの受信における無線通信装置Aの当該アンテナ群の受信系での利得である。
【０４０５】
式(11)より、式(12)が得られる。
【０４０６】
【数１２】
2010183566.tif 000014
【０４０７】
ここで、A1,A2,・・・,A4は複素ベクトルである。
【０４０８】
４つのベクトルA1,A2,・・・,A4の複素共役に各々比例するように複素ウエイトWＡｋ１,WＡｋ２,・・・,WＡｋ4を更新することにより、当該アンテナ群における複素ウエイトWＡｋ１,WＡｋ２,・・・,WＡｋ4を最適化できる。すなわち、式(13)が得られる。
【０４０９】
【数１３】
2010183566.tif 000015
【０４１０】
図１１のトレーニング信号の受信において、フレーム先頭のトレーニングフィールドの一部を用いて受信AGC動作は完了するので、トレーニングシンボル1,2-1〜2-3受信時の利得は同一(C1=C2-1=C2-2= C2-３=C2-4)となる。したがって、トレーニングシンボル1,2-1〜2-4受信における、相関ピークのタイミングでの上記相関演算の出力信号rA1,rA2-1,rA2-2,・・・,rA2-4から各アンテナの相対的な受信信号を求めることができる。
【０４１１】
相関ピークのタイミングでの上記相関演算の出力信号は、時間的に積分された情報であり、これを用いることにより、熱雑音あるいは干渉信号の影響を低減しつつ、複素ウエイトの最適値WＡｋ１,WＡｋ２,・・・,WＡｋＭを決定することができる。
【０４１２】
図２７は、図１１に示したトレーニング信号の受信による、無線通信装置Aでのアンテナ群毎の複素ウエイトの最適値決定処理を示すフローチャートである。ここでは、アンテナ群毎のアンテナ数をMとし、ウエイト処理部11の乗算器として複素乗算器を用いた場合のフローを示している。
【０４１３】
先頭のトレーニングフィールドが受信されると(S21)、まず、当該アンテナ群の複素ウエイトの最適値WＡｋ=(WＡｋ１, WＡｋ２,・・・, WＡｋＭ)を用いて、トレーニング信号の先頭のトレーニングシンボル1をダイバーシチ受信してベースバンド受信IQ情報r1を取得する。また、変数iに1を代入(i←1)する(S22)。変数iは、以下のステップからなるループをアンテナ数M回だけ行わせることを規定する。なお、ここでのWＡｋ=(WＡｋ１, WＡｋ２,・・・, WＡｋＭ)はそれぞれ、当該アンテナ群の複素ウエイトの初期値である。ここでは各アンテナ群のウエイト処理部11-kの乗算器が複素乗算器である場合を想定しているので、複素ウエイトの各々WＡｋ１,WＡｋ２,・・・,WＡｋＭは、複素情報である。
【０４１４】
次に、当該アンテナ群の複素ウエイトの最適値WＡｋ=(WＡｋ１, WＡｋ２,・・・, WＡｋ4)と４次アダマール行列の第（i + 1）列の対応する成分を各々乗算して得られる複素ウエイトを用いてトレーニングシンボル2-i をダイバーシチ受信する(S23)。また、S23では、さらに変数iを1だけインクリメントする(i←i+1)。次に、変数iがアンテナ数M以下か否かを判定する(S24)。S24で、変数iがアンテナ数M以下と判定されれば、S23に戻って処理を繰り返し、変数iがアンテナ数M以下でないと判定されれば、S22およびS23で取得したベースバンド受信IQ情報 r1,r2-1,r2-2,・・・,r2-4を用いて複素ウエイトWＡｋ1,WＡｋ2,・・・,WＡｋ4を更新する(S25)。
【０４１５】
以上のフローにより、各アンテナ群Aｋ１〜AｋＭ（k=1〜P）の各アンテナAｋ１,Aｋ２,・・・,AｋＭの信号に対する複素ウエイトWＡｋ２,WＡｋ３,・・・,WＡｋＭを最適化できる。したがって、各アンテナ群Aｋ１〜AｋＭ（k=1〜P）のアンテナ数がMの場合、乗算器として複素乗算器を用いた場合においても、合計(M+1)個のシンボルのダイバーシチ受信により当該アンテナ群の複素ウエイトWＡｋ=(WＡｋ１,WＡｋ２,・・・,WＡｋＭ)を最適化できる。
【０４１６】
図２８は、本発明に係る無線通信装置の第３実施形態の構成を示すブロック図である。なお、図２８において、図１および図６と同一あるいは同等部分には同じ符号を付しており、ここでは図１の無線通信装置Aを示しているが、無線通信装置Bも同様である。また、図２８は、ウエイト処理部11-kの乗算器が複素乗算器である場合における実施形態を示している。第３実施形態のブロック構成は、第２実施形態のブロック構成とほとんど同じであるが、各無線受信部107-ｋから受信レベル情報が出力されておらず、受信ベースバンドIQ情報のみが出力されている点が異なる。各無線受信部107-kからの受信ベースバンドIQ情報は、空間デマッピング部108およびビーム形成用ウエイト生成部30の両方に、印加される。第３実施形態においては、ビーム形成用ウエイト生成部30は受信ベースバンドIQ情報のみに基づいて移相器の制御を行う。
【０４１７】
図２９は、図２８のビーム形成用ウエイト生成部30の具体的構成を示すブロック図である。なお、図２９において、図７と同一あるいは同等部分には同じ符号を付してある。ビーム形成用ウエイト生成部30は、"ダイバーシチ合成情報生成手段" として機能し、それには、"初期捕捉用ダイバーシチ合成情報生成手段"、"トレーニング用ダイバーシチ合成情報生成手段"、"トレーニング受信情報保持手段"および"ダイバーシチ合成情報最適値生成手段"が含まれている。
【０４１８】
ビーム形成用ウエイト生成部30は、トレーニング受信情報保持部80、最適ウエイト決定部84、移相器制御部60およびタイミング部70を備え、双方向のトレーニング信号伝送を通じて、ビームフォーミングおよびダイバーシチ合成のための複素ウエイトの最適値を決定する。
【０４１９】
トレーニング受信情報保持部80は、ベースバンド受信IQ信号保持部81を備える。トレーニング受信情報保持部80は、"トレーニング受信情報保持手段" として機能する。
【０４２０】
ベースバンド受信IQ信号保持部81は、トレーニングシーケンス受信に際して、各トレーニングフレームに含まれる既知パターンに対応したベースバンド受信信号であるベースバンド受信IQ信号を保持する。
【０４２１】
具体的には、既知パターン"1"(複素数)に対応したベースバンド受信信号を保持するものとすると、ベースバンド受信IQ信号は、送信ベースバンド部と受信ベースバンド部の間における位相回転を表す複素伝達関数(ベクトル)となる。
【０４２２】
既知パターンとして、例えば802.11nにおけるLTFを使用し、これに対応したベースバンド受信信号とLTFとの相関演算出力をベースバンド受信IQ信号とすることにより、複素伝達関数の推定における雑音の影響を軽減することができる。トレーニングシーケンスのすべてのトレーニングフレームに既知パターンが含まれていれば、それを用いて複素伝達関数の推定値となるベースバンド受信IQ信号を求めることができる。各トレーニングフレームに含まれる既知パターンは、すべて同一でもよいし、すべてが互いに異なっていてもよい。ベースバンド受信信号は、フレーム受信検出部71およびトレーニング期間シンボルクロック生成部86にも印加されている。
【０４２３】
フレーム受信検出部71には、送受信制御情報も印加されている。送受信制御情報は、送信状態、受信状態、パワーセーブ状態などの無線通信装置の状態を表す情報である。フレーム受信検出部71は、送受信制御情報が受信状態になっている場合のベースバンド受信IQ信号を用いてトレーニングシンボルの開始タイミングを示すフレーム受信検出信号を生成し出力する。例えば、フレーム受信検出部71は、フレーム受信に際して、プリアンブルヘッダ部分を用いてシンボルタイミングを抽出し、これによりトレーニングシンボルの開始タイミングを示すフレーム受信検出信号を生成し出力する。フレーム受信検出信号は、トレーニング期間シンボルクロック生成部86に印加される。トレーニング期間シンボルクロック生成部86は、各トレーニングシンボルに対応したトレーニング用クロック信号を生成する。トレーニング用クロック信号は、ベースバンド受信IQ信号保持部81に印加され、ベースバンド受信IQ信号保持部81 は、トレーニング用クロック信号を用いて複素伝達関数の推定値となるベースバンド受信IQ信号の情報を保持する。トレーニング用クロック信号は、トレーニングカウント部74にも印加されており、トレーニングカウント部74からは、受信したトレーニングシンボル数のカウント値であるトレーニングカウンタ情報が出力される。
【０４２４】
トレーニングカウンタ情報は、最適ウエイト更新信号生成部85に印加される。最適ウエイト更新信号生成部66は、カウンタ値が、例えば各アンテナ群のアンテナ数の最大値に達したときに所定時間、例えば1usの間だけ"1"となりそれ以外では"0"となるパルス信号である最適ウエイト更新信号を出力する。最適ウエイト更新信号は、最適ウエイト決定部84に印加される。最適ウエイト決定部84には、ベースバンド受信IQ信号保持部81で保持されているベースバンド受信IQ信号も印加されている。最適ウエイト決定部84は、最適ウエイト更新信号のパルス信号のタイミングで、ベースバンド受信IQ信号を例えばアダマール変換して、さらに複素共役の処理を施すことにより、最適ウエイトを求め決定する。この最適な複素ウエイトWＡｋ１(B),WＡｋ２(B),・・・, WＡｋＭ(B)はトレーニング時ウエイト生成部62に出力される。トレーニング時ウエイト生成部62にはトレーニングカウンタ部からのトレーニングカウンタ情報が印加されている。トレーニング時ウエイト生成部62は、トレーニングカウンタ情報がトレーニング中であることを示している場合、最適な複素ウエイトWＡｋ１(B),WＡｋ２(B),・・・, WＡｋＭ(B)の各々に、トレーニングカウンタ情報で決まるアダマール行列の所定の列ベクトルの各成分を乗算したものをトレーニング用の複素ウエイトWＡｋ１(TR),WＡｋ２(TR),・・・,WＡｋＭ(TR)の各々WＡｋｉ(TR)として出力する。トレーニングカウンタ情報がトレーニング中であることを示していない場合には、上記の最適な複素ウエイトWＡｋ１(B),WＡｋ２(B),・・・, WＡｋＭ(B)をトレーニング用の複素ウエイトWＡｋ１(TR),WＡｋ２(TR),・・・,WＡｋＭ(TR)の各々WＡｋｉ(TR)として出力する。これは、過去の直近のトレーニングによって得られた複素ウエイトは、ほぼ最適なものとなっていると考えられるからである。
【０４２５】
移相器制御部60は、非ビーム形成時ウエイト生成部61、トレーニング時ウエイト生成部62およびウエイト選択部63を備える。非ビーム形成時ウエイト生成部61、トレーニング時ウエイト生成部62はそれぞれ、"初期捕捉用ダイバーシチ合成情報生成手段"、"トレーニング用ダイバーシチ合成情報生成手段"として機能し、トレーニング時ウエイト生成部62は、最適ウエイト決定部84と組み合わされて"ダイバーシチ合成情報最適値生成手段"としても機能する。
【０４２６】
全くの初期状態から複素ウエイトの最適値への引き込みには、まず、相手側無線通信装置からトレーニング信号を含むフレームを受信することが必要である。しかし、当初から、相手側無線通信装置が送信するトレーニング信号を含むフレームを受信できるとは限らない。そこで、全くの初期状態でも、自無線通信装置が送信するトレーニング信号を含むフレームを相手側無線通信装置が受信できるようにする。これは、複素ウエイトWＡｋ１,WＡｋ２,・・・,WＡｋＭを、各トレーニングシンボルにおいて互いに異なるように設定してトレーニング信号を送信し、相手側無線通信装置がいずれかのトレーニングシンボルを受信できるようにすることにより実現できる。
【０４２７】
非ビーム形成時ウエイト生成部61は、このような非ビーム形成時の複素ウエイトWＡｋ１(NB),WＡｋ２(NB),・・・,WＡｋＭ(NB)を生成する。このトレーニング信号を送信する際の複素ウエイトWＡｋ１,WＡｋ２,・・・,WＡｋＭは、任意であるが、トレーニングシンボルごとに変化させることが望ましい。
【０４２８】
具体的には、1つのアンテナ群Aｋ１〜AｋＭを構成するアンテナの数がMの場合、Mビットカウンタをシンボルクロックで動作させ、そのM個のカウンタ値を各複素ウエイトWＡｋ１,WＡｋ２,・・・,WＡｋＭとして用いてもよい。例えば、２M周期のカウンタ情報の中の任意のM個をあるフレームの受信において使用したとすると、次のフレームの受信においては、その続きのM個のカウンタ情報を使用することにより、フレーム毎に異なる複素ウエイトWＡｋ１,WＡｋ２,・・・,WＡｋＭを用いることができ、初期ビーム形成を確実に行うことができる。
【０４２９】
ビーム形成有効フラグ生成部75は、所定数のトレーニングシンボルを受信し、最適ウエイトが決定されていることを示すビーム形成有効フラグをウエイト選択部63へ出力する。ビーム形成有効フラグは、トレーニングカウンタ部74からのトレーニングカウンタ情報に基づいて生成される。
【０４３０】
ビーム形成有効フラグは、初期状態では"無効"(例えば"0")であるが、所定回数、例えばアンテナ数回のフレームの受信で"有効"(例えば"1")となる。また、所定の期間、例えば100msの間にフレームを受信できなかった場合には、ビーム形成有効フラグを"無効"としてもよい。ウエイト選択部63は、ビーム形成有効フラグが無効の場合、非トレーニング時ウエイト生成部61からの複素ウエイトWＡｋ１(NB),WＡｋ２(NB),・・・,WＡｋＭ(NB)を選択し、ビーム形成有効フラグが有効の場合、トレーニング時ウエイト生成部62からの複素ウエイトWＡｋ１(TR),WＡｋ２(TR),・・・,WＡｋＭ(TR)を選択する。
【０４３１】
この結果、ウエイト選択部63は、所定回数のフレームが受信されるまでは複素ウエイトWＡｋ１(NB),WＡｋ２(NB),・・・,WＡｋＭ(NB)を選択し、それ以降では、複素ウエイトWＡｋ１(TR),WＡｋ２(TR),・・・,WＡｋＭ(TR)を選択する。
【０４３２】
トレーニングに続くデータの双方向伝送では、保持されている複素ウエイトWＡｋ１(TR),WＡｋ２(TR),・・・,WＡｋＭ(TR)を読み出してウエイト処理部に与える。次に、本発明の第３実施形態において、トレーニングシンボルからなるトレーニング信号を用いる場合のトレーニング動作について詳述する。
【０４３３】
図３０は、このような場合における双方向トレーニングを含んだ伝送シーケンスの一例である。図３０においては、最初のトレーニング用パケットを基地局（AP）側から送信している。このトレーニング用パケットは、トレーニングフィールドTFと複数のトレーニングシンボルTS1〜TSMからなるトレーニング信号を含む。トレーニングフィールドTFは、一般的な無線パケット伝送において使用されるものであり、既知の信号パターンで構成される。受信側では、これを用いて、AGC動作、タイミング同期、キャリア周波数オフセットの補償などの動作を行う。このトレーニングフィールドTFに引き続いて、端末（STA）側の各アンテナ群のアンテナの数の最大値に相当する数のトレーニングシンボルTS1〜TSMからなるトレーニング信号が伝送される。このトレーニング用パケットを受信したSTAは、その直後にAPに対してトレーニング用パケットを送信する。この最初のトレーニング用パケットと２番目のトレーニング用パケットの時間間隔は数100us以下であることが望ましい。例えば、IEEE802.11のような無線システムにこの技術を適用する場合には、一連の双方向伝送の全体を単一のシーケンスとし、すべてのパケット間隔をSIFSとすることが望ましい。最初のトレーニング用パケットのSTAでの受信において、STA側の各アンテナの各アンテナに対する複素ウエイトはほぼ最適化される。また、２番目のトレーニング用パケットのAPでの受信において、AP側の各アンテナの各アンテナに対する複素ウエイトは、ほぼ最適化される。
【０４３４】
図３０に示した例では、その後、APからSTAへのPHYペイロード伝送が行われ、最後にSTAからAPに対してACKパケットが送信される。このような伝送シーケンスは、IEEE802.11におけるRTS/CTSを用いた伝送シーケンスにおいて、RTSおよびCTSに複数のトレーニングシンボルTS1〜TSMからなるトレーニング信号を追加することで実現できる。このような一連の伝送シーケンスの時間長は、通常数ミリセカンド以下であるので、STAが高速に移動して電波伝搬環境が変動する場合においても、通常フェージング周波数は数10Hz以下であり、一連の伝送シーケンスの中での電波伝搬環境の変動は無視できるので、ほぼ最適な無線伝送路を実現できる。
【０４３５】
図３０においては、トレーニング信号の伝送は１往復のみである。これでも、略最適な無線伝送路を形成できるが、より伝送路を最適化するために、図３１に示すような複数回の双方向のトレーニング信号伝送を行ってもよい。図３０あるいは図３１において、IEEE802.11におけるRTS/CTSを用いた伝送シーケンスのように、APまたはSTAのいずれかのパケット受信においてエラーが発生した場合に、当該パケットの受信で伝送シーケンスを中断してもよい。また、例えば、最初のトレーニング用パケットのSTAでの受信においてエラーが発生した場合に、APが各アンテナ群の各アンテナにおける移相設定を変更してから該パケットの再送を行うようにしてもよい。なお、このような伝送シーケンスを用いたトレーニングは、本発明の第３実施形態だけでなく、本発明の第１実施形態および第２実施形態でも適用可能である。
【０４３６】
次に、複素ウエイトが最適となる状態について説明する。まず、無線通信装置A,Bが共に1つのアンテナ群だけを備え、各アンテナ群が2本のアンテナを備えるモデル構成を考える。それらのアンテナをA１,A２、B１,B２とし、各アンテナA１,A２,B１,B２の信号に乗算される複素ウエイトをそれぞれWＡ１,WＡ２,WＢ１,WＢ２とする。
【０４３７】
アンテナA１,A２とアンテナB１,B２の間における伝達関数がそれぞれHＡ１Ｂ１,HＡ１Ｂ２,HＡ２Ｂ１,HＡ２Ｂ２であり、無線通信装置Aと無線通信装置B間の無線伝送路がフラットフェージング環境であるとすると、伝達関数HＡ１Ｂ１,HＡ１Ｂ２,HＡ２Ｂ１,HＡ２Ｂ２は複素数となり、ベクトルで表現できる。図３２は、伝達関数HＡ１Ｂ１,HＡ１Ｂ２,HＡ２Ｂ１,HＡ２Ｂ２の一例を示す。
【０４３８】
各アンテナA１,A２,B１,B２に接続されている乗算器は、各アンテナA１,A２,B１,B２からの受信信号にそれぞれ複素ウエイトWＡ１,WＡ２,WＢ１,WＢ２を乗算する。送信時に送信信号に乗算する複素ウエイトは、受信時に受信信号に乗算する複素ウエイトと基本的には同じである。しかし、厳密には、双方向伝送における送信系統と受信系統が異なることに起因した補正が必要になる。
【０４３９】
信号分配・合成部は、送信時には、送信信号SＡ，SＢをエネルギー的に2分配した信号を2つの乗算器に出力し、受信時には、2つの乗算器からの出力信号を合成(ベクトル加算)した信号を受信信号RＡ,RＢとして出力する。
【０４４０】
いま、無線通信装置Aから無線通信装置Bへの伝送を考えると、無線通信装置AのアンテナA１,A２からそれぞれ、SＡ・WＡ１/√2，SＡ・WＡ２/√2 が送信される。これらの信号は、無線通信装置BのアンテナB１,B２で受信される。アンテナB１,B２の受信信号はそれぞれ、SＡ・(WＡ１・HＡ１Ｂ１+WＡ２・HＡ２Ｂ１)/√2，SＡ・(WＡ１・HＡ１Ｂ２+WＡ２・HＡ２Ｂ２)/√2 となる。これらの信号に複素ウエイトを乗算した後、加算することで受信信号RＢが生成される。受信信号RＢは、式(14)で示される。
【０４４１】
【数１４】
2010183566.tif 000016
【０４４２】
次に、無線通信装置Bから無線通信装置Aへの伝送を考える。無線通信装置BのアンテナB１,B２からそれぞれ、SＢ・WＢ１/√2，SＢ・WＢ２/√2 が送信される。これらの信号は、無線通信装置AのアンテナA１,A２で受信される。アンテナA１,A２の受信信号はそれぞれ、SＢ・(WＢ１・HＡ１Ｂ１+WＢ２・HＡ１Ｂ２)/√2，SＢ・(WＢ１・HＡ２Ｂ１+WＢ２・HＡ２Ｂ２)/√2 となる。これらの信号に複素ウエイトを乗算した後、加算することで受信信号RＡが生成される。受信信号RＡは、式(15)で示され、受信信号RＢと同じである。
【０４４３】
【数１５】
2010183566.tif 000017
【０４４４】
複素ウエイトWＡ１,WＡ２,WＢ１,WＢ２が最適となる状態とは、受信信号RＡ,RＢのレベルが最大となり、MIMO利得が最大となる状態である。各複素ウエイトWＡ１,WＡ２,WＢ１,WＢ２における振幅を各アンテナの受信信号の振幅に比例させると最大比合成となり、各複素ウエイトWＡ１,WＡ２,WＢ１,WＢ２における振幅を一定値、例えば1とすると等利得合成となる。
【０４４５】
一般に、無線通信装置Aのアンテナ数をMとし、無線通信装置Bのアンテナ数をNとすると、受信信号RＡ,RＢは、(M×N)個のWＡｉ・HＡｉＢｊ・WＢｊ成分を含む。以下では、この各成分を素波SＡｉＢｊと称する。各素波SＡｉＢｊは、送信アンテナAｉと受信アンテナBｊ間の伝達関数HＡｉＢｊ、送信アンテナAｉに対応した複素ウエイトWＡｉおよび受信アンテナBｊに対応した複素ウエイトWＢｊの3つの複素数の積で表現される。
【０４４６】
各素波SＡｉＢｊは、ベクトル量であり、(M×N)個の素波SＡｉＢｊの向きを同一にすることにより、受信信号RＡ，RＢのレベルを最大化でき、その時の複素ウエイトWＡ１,WＡ２,WＢ１,WＢ２が最適となる。
【０４４７】
図３３および図３４は、2つの無線通信装置A,B間での伝送を通じて素波SＡｉＢｊ(i=1,2、j=1,2)の向きをI軸方向に揃えるものとした場合の動作の一例を示す説明図である。図３３は、素波SＡｉＢｊの更新を示し、図３４は、受信信号RＸ(XはAまたはB)の更新を示す。図３４では、各アンテナの受信信号RＸの位相をθＸで示している。説明を簡単にするため、以下では、伝達関数HＡｉＢｊは常に一定であり、時間的変化がないものとする。
【０４４８】
初期状態における素波SＡｉＢｊをSＡｉＢｊ(0)とし、ｋ回(ｋは１以上の整数)の複素ウエイトの更新後における素波SＡｉＢｊをSＡｉＢｊ(k)とする。また、初期状態における受信信号RＸをRＸ(0)とし、複素ウエイトのｋ回(ｋは１以上の整数)更新後における受信信号RＸをRＸ(k)とする。なお、複素ウエイトの更新は、受信側のみで行われるが、素波SＡｉＢｊは、無線通信装置A,Bの両方の複素ウエイトWＡ１,WＡ２,WＢ１,WＢ２を含むので、素波SＡｉＢｊは、伝送の向きによらず、伝送が行われる度に更新される。受信信号RＡ，RＢは、受信側の無線通信装置の2本のアンテナからの受信信号をダイバーシチ合成した信号であるが、素波SＡｉＢｊが更新される度に各アンテナA１,A２,B１,B２の受信信号RＡ１,RＡ２,RＢ１,RＢ２も更新される。このため、kの値は、伝送の向きによらず伝送が行われる度に更新されるものとする。
【０４４９】
図３３(a)は、初期状態における素波SＡｉＢｊ(0)を示す。初期状態での複素ウエイトWＡ１,WＡ２,WＢ１,WＢ２は全て1としているため、素波SＡｉＢｊ(0)は、図３２の伝達関数HＡｉＢｊと一致する。
【０４５０】
初期状態において、無線通信装置Aから無線通信装置Bへの伝送が行われた時、無線通信装置Bの複素ウエイトが更新される。図３４(a)は、初期状態において無線通信装置Aから無線通信装置Bへの伝送が行われた時の、無線通信装置BのアンテナB１,B２による受信信号RＢ１(0),RＢ２(0)を示す。
【０４５１】
アンテナB１による受信信号RＢ１(0)は、2つの素波SＡ１Ｂ１(0),SＡ２Ｂ１(0)の合成信号であり、アンテナB２による受信信号RＢ２(0)は、2つの素波SＡ１Ｂ２(0),SＡ２Ｂ２(0)の合成信号である。無線通信装置Bでは、2つの受信信号RＢ１(0),RＢ２(0)に対して、そのベクトルの向きをI軸に向けるような移相処理を行うことにより、ダイバーシチ合成を行う。すなわち、受信信号RＢ１(0)のベクトルを、-θＢ１(0)(θＢ１(0)は正)だけ回転させ、受信信号RＢ２(0)のベクトルを-θＢ２(0)(θＢ２(0)は負)だけ回転させてダイバーシチ合成を行う。この処理は、複素ウエイトWＢ１,WＢ２をそれぞれ、exp{-jθＢ１(0)}，exp{-jθＢ２(0)}とすることに相当する。これにより、素波SＡ１Ｂ１(0),SＡ２Ｂ１(0)は-θＢ１(0)だけ回転し、素波SＡ１Ｂ２(0),SＡ２Ｂ２(0)は-θＢ２(0)だけ回転する。図３３(b)は、この様子を示す。
【０４５２】
無線通信装置Aから無線通信装置Bへの伝送に引き続いて無線通信装置Bから無線通信装置Aへの伝送が行われた時、無線通信装置Aの複素ウエイトが更新される。無線通信装置Aから無線通信装置Bへの伝送により複素ウエイトWＡ１,WＡ２,WＢ１,WＢ２が更新された後では、素波SＡｉＢｊは、素波SＡｉＢｊ(1)(図３３(b))に更新されている。無線通信装置Bから無線通信装置Aへの伝送は、素波SＡｉＢｊ(1)を用いて行われる。図３４(b)は、このときの無線通信装置Aの各アンテナA１,A２による受信信号RＡ１(1)，RＡ２(1)を示す。アンテナA１による受信信号RＡ１(1)は、2つの素波素波SＡ１Ｂ１(1),SＡ１Ｂ２(1)の合成信号であり、アンテナA２による受信信号RＡ２(1)は、2つの素波SＡ２Ｂ１(1),SＡ２Ｂ２(1)の合成信号である。
【０４５３】
無線通信装置Aでは、2つの受信信号RＡ１(1),RＡ２(1)に対して、そのベクトルの向きをI軸に向けるような移相処理を行うことにより、ダイバーシチ合成を行う。すなわち、受信信号RＡ１(1)のベクトルを-θＡ１(1)だけ回転させ、受信信号RＡ２(1)のベクトルを-θＡ２(1)だけ回転させてダイバーシチ合成を行う。この処理は、複素ウエイトWＡ１,WＡ２をそれぞれ、exp{-jθＡ１(1)}、exp{-jθＡ２(1)}とすることに相当する。これにより、素波SＡ１Ｂ１(1),SＡ１Ｂ２(1)は-θＡ１(2)だけ回転し、素波SＡ２Ｂ１(1),SＡ２Ｂ２(1)は-θＡ２(2)だけ回転する。図３４(c)は、この様子を示す。
【０４５４】
図３３(a)〜(c)を参照すると、双方向に1回ずつ伝送を行って複素ウエイトWＡ１,WＡ２,WＢ１,WＢ２を更新することにより、各素波SＡｉＢｊはI軸に近い向きに揃ってくることが分かる。双方向の伝送を繰り返し行って複素ウエイトを逐次更新すれば、各素波SＡｉＢｊの向きを、よりI軸に近づけることができる。ただし、(M×N)個の数の素波SＡｉＢｊに対して、制御可能な位相は(M+N)個しかないので、一般的には、全ての素波SＡｉＢｊをI軸の向きに完全に一致させることはできない。本発明では、結果的には、素波SＡｉＢｊの向きが同一あるいはそれに近い状態を双方向のトレーニングを通じて得ている。
【０４５５】
受信信号RＡ,RＢのレベルを最大化するためには、伝送路行列の相関行列における固有値が最大の固有ベクトルを複素ウエイトとすればよいことが知られている。しかし、上述したように、アンテナ数が大きな場合に受信信号を最大化する複素ウエイトを計算上で求めるには、演算量が問題になる。そこで、本発明では、双方向のトレーニング信号伝送を通じて、結果的に、複素ウエイトの最適値を見つけ出す。このときの指標として受信レベル情報を用いる。ただし、(M×N)個の素波SＡｉＢｊが存在するにもかかわらず、制御できる移相量の数は(M+N)個しかないので、実際には、全ベクトルの向きを同一化できるのは、伝送路行列が特定の条件を満足する特殊な場合に限定される。
【０４５６】
以下では、無線通信装置A,Bが、双方向伝送での受信レベル情報を指標として複素ウエイトの最適値をそれぞれ見つけ出すことができることを数式を用いて説明する。なお、ここでは、上記のモデル構成を一般化して、無線通信装置AがM本のアンテナ数を備え、無線通信装置BがN本のアンテナ数を備えるとする。
【０４５７】
まず、無線通信装置A,B間の伝送での受信信号の電力(受信レベル情報)を数式上で求める。いま、無線通信装置Aから無線通信装置Bへの伝送における伝送路行列HＡＢは、式(16)で表現される。
【０４５８】
【数１６】
2010183566.tif 000018
【０４５９】
ここで、hｉ,ｊは複素数であり、無線通信装置AのアンテナAｊと無線通信装置BのアンテナBｉ間の伝達関数を表している。また、無線通信装置A,Bにおける複素ウエイトWＡ,WＢはそれぞれ、式(17),(18)で表現される。なお、XＴは、行列Xの転置行列を表す。
【０４６０】
【数１７】
2010183566.tif 000019
【０４６１】
【数１８】
2010183566.tif 000020
【０４６２】
無線通信装置Aから無線通信装置Bへの伝送が行われる時、無線通信装置Aの信号分配・合成部に入力される送信信号をSＡＢとし、無線通信装置Bの信号分配・合成部から出力される受信信号をRＡＢとすると、式(19)が成り立つ。なお、NＢは無線通信装置Bの各アンテナB１〜BＮにおける熱雑音を表している。
【０４６３】
【数１９】
2010183566.tif 000021
【０４６４】
このときの無線通信装置Bにおける平均受信信号電力PＢは、式(20)で表される。なお、E[X]は、Xのアンサンブル平均を表している。
【０４６５】
【数２０】
2010183566.tif 000022
【０４６６】
式(19)を式(20)へ代入すると、式(21)が得られる。なお、XＨは、Xの複素共役転置を表している。
【０４６７】
【数２１】
2010183566.tif 000023
【０４６８】
ここで、PＳは、無線通信装置Aにおける平均送信電力であり、式(22)で表される。また、無線通信装置Bの各アンテナB１〜BＮにおける平均雑音電力は同一であると仮定し、これをPＮとしている。すなわち、式(23)が成り立つとしている。なお、IＮはN次元の単位行列を表している。
【０４６９】
【数２２】
2010183566.tif 000024
【０４７０】
【数２３】
2010183566.tif 000025
【０４７１】
一方、無線通信装置Bから無線通信装置Aへの伝送が行われる時、無線通信装置Bの信号分配・合成部に入力される送信信号をSＢＡ、無線通信装置Aの信号分配・合成部から出力される受信信号をRＢＡとすると、式(24)が成り立つ。なお、NＡは無線通信装置Aの各アンテナA１〜AＭにおける熱雑音を表している。
【０４７２】
【数２４】
2010183566.tif 000026
【０４７３】
このときの無線通信装置Aにおける平均受信信号電力PＡは、式(25)で表される。
【０４７４】
【数２５】
2010183566.tif 000027
【０４７５】
ここで、無線通信装置Bにおける平均送信電力は、無線通信装置Aにおける平均送信電力PＳと同一であると仮定している。また、無線通信装置Aの各アンテナA１〜AＭにおける平均雑音電力も、無線通信装置Bの各アンテナB１〜BＮにおける平均雑音電力PＮと同一であると仮定している。
【０４７６】
以上のように、無線通信装置A,Bにおける平均受信信号電力PＡ,PＢはそれぞれ、式(25),(21)で表される。
【０４７７】
次に、受信信号RＡ，RＢの電力(式(25),(21))を最大化する条件を求める。複素ウエイトWＡ,WＢの大きさを共に1としても一般性は失われないので、式(26)とおくと、式(21),(25)は、式(27)に集約できる。
【０４７８】
【数２６】
2010183566.tif 000028
【０４７９】
【数２７】
2010183566.tif 000029
【０４８０】
式(27)のPを最大化する条件は、ラグランジュの未定乗数法を用いて求めることができる。すなわち、複素ウエイトWＡ,WＢの大きさが共に1であるという条件下でλが最大となる条件は、ラグランジュの未定乗数法を用いて求めることができる。
【０４８１】
いま、式(28)で関数U(WＡ,WＢ,λＡ,λＢ)を定義する。なお、X＊は、Xの複素共役を表す。
【０４８２】
【数２８】
2010183566.tif 000030
【０４８３】
このとき、λが最大となる条件は、式(29)で表される。
【０４８４】
【数２９】
2010183566.tif 000031
【０４８５】
式(29)における後半の2つの条件は、複素ウエイトWＡ,WＢの大きさが1であるための条件である。一方、式(29)における前半の2つの条件を整理すると、式(30),(31)が得られる。
【０４８６】
【数３０】
2010183566.tif 000032
【０４８７】
【数３１】
2010183566.tif 000033
【０４８８】
式(30),(31)を式(26)に代入すると、式(32)が得られる。λＡとλＢは等しいので、以下ではλＡ,λＢを共にλと表記する。
【０４８９】
【数３２】
2010183566.tif 000034
【０４９０】
ところで、無線通信装置Aから無線通信装置Bへの伝送において、送信信号SＡＢが1の時の、無線通信装置BのN本のアンテナB１〜BＮによる受信信号のベクトルをRＢ0とすると、RＢ0は、式(33)で表される。
【０４９１】
【数３３】
2010183566.tif 000035
【０４９２】
式(33)を式(31)に代入すると、式(34)が得られる。
【０４９３】
【数３４】
2010183566.tif 000036
【０４９４】
式(34)は、無線通信装置Bにおいて、最大比合成ダイバーシチ動作を行う場合、すなわち、複素ウエイトWＢがWＢ=RＢ0＊/√λとなる場合に成立する。
【０４９５】
同様に、無線通信装置Bから無線通信装置Aへの伝送において、送信信号SＢＡが１の時の、無線通信装置AのＭ本のアンテナA１〜AＭによる受信信号のベクトルをRＡ0とすると、RＡ0は、式(35)で表される。
【０４９６】
【数３５】
2010183566.tif 000037
【０４９７】
式(35)を式(30)に代入すると、式(36)が得られる。
【０４９８】
【数３６】
2010183566.tif 000038
【０４９９】
式(36)は、無線通信装置Aにおいて、最大比合成ダイバーシチ動作を行う場合、すなわち、複素ウエイトWＡがWＡ=RＡ0＊/√λとなる場合に成立する。
【０５００】
以上のように、MIMO伝送において、平均受信信号電力が最大となるように送受信の複素ウエイトを設定した場合、WＡ=RＡ0＊/√λ,WＢ=RＢ0＊/√λが成り立つ。これは、平均受信信号電力が最大となる条件下における複素ウエイトが、最大比合成ダイバーシチの複素ウエイトと一致することを示している。すなわち、トレーニング信号の伝送におけるダイバーシチ受信の後に、当該ダイバーシチ受信の合成ウエイト情報で複素ウエイトを更新することにより、１組の無線通信装置に対する複素ウエイトの最適値、すなわち、送受信を行う１組の無線通信装置の間での伝送における伝送行列の相関行列に最大固有値に対する固有ベクトルの組を得ることができることを示している。
【０５０１】
無線通信装置A,B間での双方向伝送を通じて複素ウエイトが収束するアルゴリズムは、数式表現を用いると、式(37),(38)で表される。
【０５０２】
【数３７】
2010183566.tif 000039
【０５０３】
【数３８】
2010183566.tif 000040
【０５０４】
式(37),(38)において、WＸ(k)(XはAまたはB)は、無線通信装置Xにおける、複素ウエイトの更新回数がk回の時の複素ウエイトを表している。式(37)は、無線通信装置Aから無線通信装置Bへの伝送における、無線通信装置Bでの複素ウエイトの更新動作を表しており、式(38)は、無線通信装置Bから無線通信装置Aへの伝送における、無線通信装置Aでの複素ウエイトの更新動作を表している。
【０５０５】
なお、式(37)におけるkの値の更新は、無線通信装置Aから無線通信装置Bへのトレーニング伝送において行われる。また、式(38)におけるkの値の更新は、無線通信装置 Bから無線通信装置Aへのトレーニング伝送において行われる。
【０５０６】
式(37),(38)は、送信信号SＡＢ,SＢＡが1であるフレームまたは拡張プリアンブルに含ませたシンボルなどがアンテナA１〜AＭ,B１〜BＮで受信された時の受信信号に対して、受信側の無線通信装置において最大比合成となるように複素ウエイトを逐次更新していく動作を表している。
【０５０７】
複素ウエイトの初期値としては、例えば、全ての要素の大きさが等しく、かつ全ての要素がI軸方向を向いた、式(39),(40)で表されるベクトルを使用することができる。
【０５０８】
【数３９】
2010183566.tif 000041
【０５０９】
【数４０】
2010183566.tif 000042
【０５１０】
最後に、式(37),(38)で表されるアルゴリズムの適用により、式(30),(31)を満足する複素ウエイトを求めることができることについて説明する。
【０５１１】
式(30)は、M次正方行列[HＡＢＴ・WＢ・WＢＨ・HＡＢ＊]の固有ベクトルがWＡ＊であることを表している。一方、式(31)は、N次正方行列[HＡＢ・WＡ・WＡＨ・HＡＢＨ]の固有ベクトルがWＢ＊であることを表している。これらの固有ベクトルはそれぞれ、式(41),(42)で表現できる。
【０５１２】
【数４１】
2010183566.tif 000043
【０５１３】
【数４２】
2010183566.tif 000044
【０５１４】
式(41),(42)を用いると、式(37),(38)のアルゴリズムは式(43),(44)で表現できる。
【０５１５】
【数４３】
2010183566.tif 000045
【０５１６】
【数４４】
2010183566.tif 000046
【０５１７】
式(33),(44)より、複素ウエイトWＡ,WＢに関する漸化式が得られる。この漸化式を式(45),(46)で示す。
【０５１８】
【数４５】
2010183566.tif 000047
【０５１９】
【数４６】
2010183566.tif 000048
【０５２０】
式(45),(46)より、複素ウエイトWＡ,WＢを求めるアルゴリズムは、式(47),(48)で表現される。
【０５２１】
【数４７】
2010183566.tif 000049
【０５２２】
【数４８】
2010183566.tif 000050
【０５２３】
ところで、式(41),(42)より、式(49),(50)が成り立つ。
【０５２４】
【数４９】
2010183566.tif 000051
【０５２５】
【数５０】
2010183566.tif 000052
【０５２６】
式(49),(50)より、複素ウエイトWＡ,WＢはそれぞれ、相関行列[HＡＢＨ・HＡＢ]，[HＡＢ＊・HＡＢＴ]の固有ベクトルであることが分かる。さらに、複素ウエイトWＡ,WＢは、式(25)の条件も満足するので、最大固有値に対する固有ベクトルであることが分かる。すなわち、式(49),(50)を満足する固有ベクトルの最大数は、それぞれM個およびN個であるが、式(47),(48)で表される複素ウエイトWＡ,WＢは、最大固有値に対する固有ベクトルであり、[HＡＢＨ・HＡＢ]ｋ・WＡ(0)，[HＡＢ＊・HＡＢＴ]ｋ・WＢ(0)は、kが大きくなるにつれて、最大固有値に対する固有ベクトルに収束することが分かる。
【０５２７】
したがって、平均受信電力が最大となるように受信側の複素ウエイトを決定する漸近アルゴリズムにより、最適な複素ウエイトWＡ,WＢを求めることができることが分かる。
【０５２８】
以上では、上記のモデル構成において、無線通信装置A,Bの各アンテナの信号に対する複素ウエイトの最適値を見つけ出すことができることを数式(16)〜(50)を用いて説明したが、以下では、さらに従来のMIMO技術を併用しても各アンテナの信号に対する複素ウエイトの最適値を見つけ出すことができることを数式を用いて説明する。
【０５２９】
図３５は、複数のアンテナ群を備えた無線通信システムのモデル構成を示すブロック図である。以下では、このモデル構成において複素ウエイトが最適となる状態について説明する。無線通信装置Aは、アンテナ群A１,A２,‥,Aｍを備え、各アンテナ群A１,A２,‥,Aｍはそれぞれ、M１,M２,‥,Mｍ個のアンテナを備える。また、無線通信装置Bは、アンテナ群B１,B２,‥,Bｎを備え、各アンテナ群B１,B２,‥,Bｎはそれぞれ、N１,N２,‥,Nｎ個のアンテナを備える。
【０５３０】
MIMO送受信部A′,B′は、各アンテナ群毎の信号に対するウエイト処理を行うが、各アンテナ群の各アンテナの信号に対するウエイト処理は、図示の各アンテナ群が行う。各アンテナ群では複素ウエイトの最適化が独立して行われる。階層化MIMOは、これら両者のウエイト処理により実現される。
【０５３１】
いま、無線通信装置Aから無線通信装置Bへの無線伝送における伝達関数(伝送路行列)がHＡＢが式(51)で表現されるとする。ここで、Hｊ,ｋ(j=1,2,・・・,n、k=1,2,・・・,m)は、アンテナ群Aｋからアンテナ群Bｊへの伝送の伝送路行列である。また、M=M１+M２＋‥＋Mｍ、N=N１+N２＋‥＋Nｎが成立する。
【０５３２】
【数５１】
2010183566.tif 000053
【０５３３】
MIMO送受信部A′,B′における複素ウエイトVＡ,VＢはそれぞれ、式(52),(53)で表現され、これは、MIMO技術を用いてどのような伝送を行うかにより決定される。
【０５３４】
【数５２】
2010183566.tif 000054
【０５３５】
【数５３】
2010183566.tif 000055
【０５３６】
無線通信端末Aから無線通信端末Bへの無線伝送における複素ウエイトVＡ,VＢは、例えば、以下の(例1)〜(例3)のようにして決定できる。
(例１)送信側で伝送路行列が未知の場合のマルチストリーム伝送
【０５３７】
送信側では、それぞれ異なるデータ系列に対応したベースバンド変調信号がそのまま、対応する送信機に入力され、RF信号に変換されて送信される(直接マッピング)。すなわち、複素ウエイトVＡを式(54)とする。
【０５３８】
【数５４】
2010183566.tif 000056
【０５３９】
受信側では、トレーニングにおいて伝送路行列Hｎ,ｍを推定し、この結果を用いて、データ系列ごとの複素ウエイトVＢｐ(pは、P以下の自然数。Pは、マルチストリーム数)を式(55)で求める。
【０５４０】
【数５５】
2010183566.tif 000057
【０５４１】
(例２)送信側で伝送路行列が既知の場合の固有ビームによるマルチストリーム伝送
【０５４２】
送信側では、伝送路行列から計算したP個(Pはマルチストリーム数)の固有ベクトルを各データ系列のベースバンド変調信号に対する複素ウエイトVＡｐ(pは、P以下の自然数)とする。すなわち、複素ウエイトVＡｐを式(56)で求める。
【０５４３】
【数５６】
2010183566.tif 000058
【０５４４】
受信側においても同様に、伝送路行列から計算したP個の固有ベクトルを各データ系列のベースバンド受信信号に対する複素ウエイトVＢｐとする。すなわち、複素ウエイトVＢｐを式(57)で求める。
【０５４５】
【数５７】
2010183566.tif 000059
【０５４６】
(例３)送信側で伝送路行列が未知の場合の時空間符号を用いた送信ダイバーシチ
【０５４７】
送信側では、時空間符号を用いてブロック符号化された互いに異なる複数のベースバンド変調信号がそのまま、対応する送信機に入力され、RF信号に変換されて送信される(直接マッピング)。すなわち、すなわち、複素ウエイトVＡを式(58)とする。
【０５４８】
【数５８】
2010183566.tif 000060
【０５４９】
受信側では、トレーニングにおいて伝送路行列Hｎ,ｍを推定し、この結果を用いて、データ系列ごとに、複素ウエイトVＢｑｒ(qは、Q以下の自然数。Qは、空間マッピング数。rは、R以下の自然数。Rは、ブロック符号の符号長)を式(59)で求める。
【０５５０】
【数５９】
2010183566.tif 000061
【０５５１】
一方、階層化MIMOにおいて、アンテナ群Aｋを構成する各アンテナにおける複素ウエイトWＡｋおよびアンテナ群Bｊを構成する各アンテナにおける複素ウエイトWＢｊは、式(60),(61)で表現される。
【０５５２】
【数６０】
2010183566.tif 000062
【０５５３】
【数６１】
2010183566.tif 000063
【０５５４】
ここで、複素ウエイトVＡ、VＢ、WＡｋおよびWＢｊの大きさは、すべて1であるものとする。すなわち、式(62)が成り立つとする。ここで、XＴ、X＊はそれぞれ、行列Xの転置行列、複素共役を表す。
【０５５５】
【数６２】
2010183566.tif 000064
【０５５６】
次に、階層化MIMOにおいて、トレーニング動作により最適な複素ウエイトが求まることについて説明する。トレーニング時には、MIMO送受信部A′,B′では直接マッピングが行われるものとする。すなわち、式(63),(64)が成り立つものとする。
【０５５７】
【数６３】
2010183566.tif 000065
【０５５８】
【数６４】
2010183566.tif 000066
【０５５９】
また、トレーニング時には、任意のアンテナ群Aｋからの送信信号SＡｋおよび任意のアンテナ群Bｊからの送信信号SＢｊはすべて1であるものとする。
【０５６０】
このとき、無線通信装置Bにおける合成された受信信号をRＢとすると、式(65)が成り立つ。
【０５６１】
【数６５】
2010183566.tif 000067
【０５６２】
ここで、NＢｊは、アンテナ群Bｊを構成する各アンテナにおける熱雑音を表すNｊ次の列ベクトルであり、式(66)で表される。
【０５６３】
【数６６】
2010183566.tif 000068
【０５６４】
式(63)および式(64)を式(65)に代入することにより式(67)が得られる。
【０５６５】
【数６７】
2010183566.tif 000069
【０５６６】
ところで、アンテナ群Aｋからの送信信号をアンテナ群Bｊで受信した場合の、各アンテナでの受信波成分を表すNｊ次の列ベクトルをRＡｋＢｊとすると、式(68)が成り立つ。
【０５６７】
【数６８】
2010183566.tif 000070
【０５６８】
式(68)を式(67)に代入することにより、式(69)が得られる。
【０５６９】
【数６９】
2010183566.tif 000071
【０５７０】
ところで、アンテナ群Bｊでの合成された受信信号RＢｊは、式(70)で表される。
【０５７１】
【数７０】
2010183566.tif 000072
【０５７２】
同様に、無線通信装置Aにおける合成された受信信号をRＡとすると、式(71)が成り立つ。
【０５７３】
【数７１】
2010183566.tif 000073
【０５７４】
ところで、アンテナ群Bｊからの送信信号をアンテナ群Aｋで受信した場合の、各アンテナでの受信波成分を表すNｋ次の列ベクトルをRＢｊＡｋとすると、式(72)が成り立つ。
【０５７５】
【数７２】
2010183566.tif 000074
【０５７６】
式(72)を式(71)に代入することにより式(73)が得られる。
【０５７７】
【数７３】
2010183566.tif 000075
【０５７８】
また、アンテナ群Aｋでの合成された受信信号RＡｋは、式(74)で表される。
【０５７９】
【数７４】
2010183566.tif 000076
【０５８０】
トレーニング時には、無線通信装置Aと無線通信装置Bの間で交互にトレーニング信号の送信を行う。この双方向のトレーニング伝送により、アンテナ群Aｋを構成する各アンテナの複素ウエイトWＡｋおよびアンテナ群Bｊを構成する各アンテナの複素ウエイトWＢｊを逐次更新し、最適化する。この逐次最適化はトレーニング信号の受信側の無線通信装置で行われ、更新された複素ウエイトはそれ以降の送信時において使用される。
【０５８１】
アンテナ群Aｋを構成する各アンテナの複素ウエイトWＡｋの初期値をWＡｋ(1)、u回(uは自然数)更新後の複素ウエイトをWＡｋ(u+1)とし、アンテナ群Bｊを構成する各アンテナの複素ウエイトWＢｊの初期値をVＢｊ(1)、u回更新後の複素ウエイトをWＢｊ(u+1)とする。また、u回目のトレーニング信号伝送における受信信号をRＡｋＢｊ(u)およびRＢｊＡｋ(u)とする。
【０５８２】
階層化MIMOのトレーニングにおいては、送信側ではすべてのアンテナ群を構成するすべてのアンテナからトレーニング信号の送信を行う。一方、受信側においては、アンテナ群ごとに受信レベルを最大化するように、当該アンテナ群を構成する各アンテナの複素ウエイトを決定する。
【０５８３】
受信レベルを最大化する複素ウエイト、すなわち、最大比合成受信時における複素ウエイトは、IQ平面上での"1"に相当する信号を送信した場合の、各アンテナでの受信信号の複素共役またはその定数倍(複素数)となることが一般に知られている。ただし、各アンテナブランチにおける雑音電力は、すべて同一であるものとしている。
【０５８４】
トレーニング時のアンテナ群Aｋからの送信信号SＡｋおよびアンテナ群Bｊからの送信信号SＢｊは、すべて１であるとしているので、受信レベルを最大とする複素ウエイトは、トレーニング時の受信信号の複素共役またはその定数倍(複素数)となる。以上より式(75),(76)が成り立つ。ここで、cＢｊおよびcＡｋは、任意の複素定数であり、k=1,2,‥,m、j=1,2,‥,nである。また、uは、自然数である。
【０５８５】
【数７５】
2010183566.tif 000077
【０５８６】
【数７６】
2010183566.tif 000078
【０５８７】
次に、式(75),(76)の漸化式で求まる複素ウエイトWＢｊ(u)およびWＡｋ(u)が、最適な複素ウエイトに収束することについて説明する。
【０５８８】
図３６に示すように、無線通信装置Aおよび無線通信装置Bにおけるアンテナ群の数が共に1であり、各アンテナ群を構成するアンテナの数がそれぞれM,Nであるモデルについて考える。これは、アンテナ群の数が1である特別なケースである。まず、この場合に、トレーニング動作により複素ウエイトWＢｊ(u)およびWＡｋ(u)が最適な複素ウエイトに収束し、M×N次の伝送路行列の最大固有値に等しい受信レベルを実現できることを示す。それに続いて、無線通信装置Aおよび無線通信装置Bにおけるアンテナ群の数がそれぞれm,nである階層化MIMOにおいても、トレーニング動作により、上記と同一の最適な複素ウエイトWＢｊ(u)およびWＡｋ(u)に収束することを示す。
【０５８９】
図３６に示すような、アンテナ群の数が1、アンテナ群を構成するアンテナの数がそれぞれMおよびNである場合においても、先に述べたようにトレーニング時にはSISO送受信部A′,B′において直接マッピングが行われるものとする。すなわち、式(77)が成り立つものとする。
【０５９０】
【数７７】
2010183566.tif 000079
【０５９１】
このとき、無線通信装置Bにおいて合成された受信信号をRＢとすると、式(78)が成り立つ。
【０５９２】
【数７８】
2010183566.tif 000080
【０５９３】
このときの無線通信装置Bにおける平均受信信号電力PＢは、式(79)で表される。ここで、E[X]は、Xのアンサンブル平均を表す。
【０５９４】
【数７９】
2010183566.tif 000081
【０５９５】
式(78)を式(79)へ代入することにより式(80)が得られる。
【０５９６】
【数８０】
2010183566.tif 000082
【０５９７】
ここで、無線通信装置Bの各アンテナにおける平均雑音電力は同一であると仮定しており、これをPＮとしている。すなわち、式(81)が成り立つ、ここで、IＮは、N次元の単位行列である。
【０５９８】
【数８１】
2010183566.tif 000083
【０５９９】
一方、無線通信装置Bから無線通信装置Aへのパケット伝送で、無線通信装置Aにおいて合成された受信信号をRＡとすると、式(82)が成り立つ。ここで、NＡは、無線通信装置Aの各アンテナにおける熱雑音を表している。
【０６００】
【数８２】
2010183566.tif 000084
【０６０１】
このときの無線通信装置Aにおける平均受信信号電力PＡは、式(83)で表される。ここで、無線通信装置Aの各アンテナにおける平均雑音電力は、無線通信装置Bの各アンテナにおける平均雑音電力PＮと同一であると仮定している。
【０６０２】
【数８３】
2010183566.tif 000085
【０６０３】
以下では、本発明における基本動作により求まる複素ウエイトWＡ１およびWＢ１は、式(80)および式(83)で求まるPＢおよびPＡを同時に最大化することについて説明する。
【０６０４】
いま、式(84)とおくと、式(80),(83)は、式(85)に集約できる。
【０６０５】
【数８４】
2010183566.tif 000086
【０６０６】
【数８５】
2010183566.tif 000087
【０６０７】
式(85)のPを最大化する条件については、ラグランジュの未定乗数法を用いて求めることができる。すなわち、WＡ１およびWＢ１の大きさがともに1である条件下においてλ１,１が最大となる条件は、ラグランジュの未定乗数法を用いて求めることができる。
【０６０８】
いま、式(86)で関数U(WＡ１,WＢ１,λＡ_１,１,λＢ_１,１)を定義する。
【０６０９】
【数８６】
2010183566.tif 000088
【０６１０】
このとき、λ１,１が最大となる条件は、式(87)で表される。
【０６１１】
【数８７】
2010183566.tif 000089
【０６１２】
式(87)における後半の２つの条件は、WＡ１およびWＢ１の大きさが1であるための条件である。一方、前半の２つの条件を整理すると、式(88),(89)が得られる。
【０６１３】
【数８８】
2010183566.tif 000090
【０６１４】
【数８９】
2010183566.tif 000091
【０６１５】
式(88),(89)を式(85)に代入することにより式(90)が得られる。そこで、以下ではλＡ_１,１およびλＢ_１,１を、共にλ１,１と表記することにする。
【０６１６】
【数９０】
2010183566.tif 000092
【０６１７】
ところで、無線通信装置Aから無線通信装置Bへのトレーニング信号の伝送において、無線通信装置Bに具備されたN本の各アンテナにおける受信信号からなるベクトルをRＢ０とすると、RＢ０は、式(91)で表される。
【０６１８】
【数９１】
2010183566.tif 000093
【０６１９】
式(91)を式(90)に代入することにより式(92)が得られる。
【０６２０】
【数９２】
2010183566.tif 000094
【０６２１】
式(92)は、無線通信装置Bにおいて最大比合成ダイバーシチ動作を行う場合、すなわち、複素ウエイトがWＢ１=RＢ０＊/√λ１,１となる場合に成立する。
【０６２２】
同様に、無線通信装置Bから無線通信装置Aへのトレーニング信号伝送において、無線通信装置Aに具備されたM本の各アンテナでの受信信号からなるベクトルをRＡ０とすると、RＡ０は、式(93)で表される。
【０６２３】
【数９３】
2010183566.tif 000095
【０６２４】
式(93)を式(88)に代入することにより式(94)が得られる。
【０６２５】
【数９４】
2010183566.tif 000096
式(94)は、無線通信装置Aにおいて最大比合成ダイバーシチ動作を行う場合、すなわち、複素ウエイトがWＡ１=RＡ０＊/√λ１,１となる場合に成立する。
【０６２６】
以上より、トレーニング信号のように送信信号1が伝送される場合には、受信側においてλ１,１を最大化する複素ウエイトを用いて合成受信することにより、最大比合成ダイバーシチが実現できることが分かる。 上述の基本動作は、数式表現を用いると、式(95),(96)で表される。
【０６２７】
【数９５】
2010183566.tif 000097
【０６２８】
【数９６】
2010183566.tif 000098
【０６２９】
式(95),(96)において、VＸ(u)(Xは、AまたはBは、無線通信装置Xにおける複素ウエイトの更新回数がu回のときの複素ウエイトを表している。式(95)は、無線通信装置Aから無線通信装置Bへのトレーニング信号伝送における無線通信装置Bでの複素ウエイトの更新動作を表しており、式(96)は、無線通信装置Bから無線通信装置Aへのトレーニング信号伝送における、無線通信装置Aでの複素ウエイトの更新動作を表している。
【０６３０】
式(95),(96)は、送信信号が1となるトレーニング用パケットまたはパケットのプリアンブル等に含まれるトレーニング系列の各アンテナでの受信信号に対して、受信側の無線通信装置において最大比合成となるように逐次複素ウエイトを更新していく動作を表している。
【０６３１】
複素ウエイトの初期値としては、例えば、式(82),(83)で表されるベクトルを使用することができる。式(97),(98)は、すべての要素の大きさが等しく、かつすべての要素がI軸方向を向いたベクトルを表している。
【０６３２】
【数９７】
2010183566.tif 000099
【０６３３】
【数９８】
2010183566.tif 000100
【０６３４】
最後に、式(95),(96)で表されるアルゴリズムの適用により、式(88),(89)を満足する複素ウエイトが求まることについて説明する。
【０６３５】
式(88)は、M次正方行列[H１,１Ｔ・WＢ１・WＢ１Ｈ・H１,１＊]の固有ベクトルがWＡ１＊であることを表しており、式(89)は、N次正方行列[H１,１・WＡ１・WＡ１Ｈ・H１,１Ｈ]の固有ベクトルがWＢ１＊であることを表している。これらの固有ベクトルは、式(99),(100)で表される。
【０６３６】
【数９９】
2010183566.tif 000101
【０６３７】
【数１００】
2010183566.tif 000102
【０６３８】
式(99),(100)を用いると、式(95),(96)のアルゴリズムは、式(101),(102)で表される。
【０６３９】
【数１０１】
2010183566.tif 000103
【０６４０】
【数１０２】
2010183566.tif 000104
【０６４１】
式(101),(102)より、複素ウエイトWＡ１およびWＢ１に関する漸化式が得られる。すなわち、複素ウエイトWＡ１およびWＢ１に関する漸化式は、式(103),(104)で表される。
【０６４２】
【数１０３】
2010183566.tif 000105
【０６４３】
【数１０４】
2010183566.tif 000106
【０６４４】
式(103),(104)より、複素ウエイトWＡ１およびWＢ１は、式(105),(106)で表される。
【０６４５】
【数１０５】
2010183566.tif 000107
【０６４６】
【数１０６】
2010183566.tif 000108
【０６４７】
ところで、式(99),(100)より、式(107),(108)が成り立つ。
【０６４８】
【数１０７】
2010183566.tif 000109
【０６４９】
【数１０８】
2010183566.tif 000110
【０６５０】
式(107),(108)より、複素ウエイトWＡ１およびWＢ１はそれぞれ、相関行列[H１,１Ｈ・H１,１]および[H１,１＊・H１,１Ｔ]の固有ベクトルであることが分かる。さらに、複素ウエイトWＡ１およびWＢ１は、式(87)の条件も満足するので、最大固有値に対する固有ベクトルであることが分かる。すなわち、式(107),(108)を満足する固有ベクトルは、最大でそれぞれM個およびN個あるが、式(105),(106)で表される複素ウエイトはその中の最大固有値に対する固有ベクトルである。したがって、[H１,１Ｈ・H１,１/λ１,１]ｕ−１・WＡ１(1)および[H１,１＊・H１,１Ｔ/λ１,１]ｕ−１・WＢ１(1)は、uを大きくするにつれて、最大固有値に対応した固有ベクトルに収束することが分かる。
【０６５１】
すなわち、アンテナ群の数が1である特別なケースにおいては、トレーニング動作で求まる複素ウエイトWＢ１(u)およびWＡ１(u)は、最適な複素ウエイトに収束すること、およびこの最適な複素ウエイトを使用すれば、M×N次の伝送路行列の最大固有値に等しい受信レベルが実現できることが分かる。
【０６５２】
続いて、無線通信装置Aおよび無線通信装置Bにおけるアンテナ群の数がそれぞれmおよびn(mおよびnは自然数であり、少なくともどちらか一方は2以上)である階層化MIMOの場合においても、送受信のアンテナ群の数が共に1である場合と同様に、同一の最適な複素ウエイトWＢ１(u)およびWＡ１(u)がトレーニング動作で求まることを示す。
【０６５３】
式(91),(92)をそれぞれ式(102),(101)に代入することにより式(109),(110)が得られる。
【０６５４】
【数１０９】
2010183566.tif 000111
【０６５５】
【数１１０】
2010183566.tif 000112
【０６５６】
式(75),(76)と式(109),(110)を比較すると、式(111),(112)の条件が成立する場合に、M×N構成で送受信アンテナ群の数が共に1である場合の最適複素ウエイトと同一の複素ウエイトが、M×N構成で階層化MIMOとした場合にも得られることが分かる。
【０６５７】
【数１１１】
2010183566.tif 000113
【０６５８】
【数１１２】
2010183566.tif 000114
【０６５９】
式(111),(112)より、cＢｊおよびcＡｋは、アンテナ群にはよらない定数であることが分かる。
【０６６０】
以上より、M×Nアンテナ構成を用いて階層化MIMOとした場合においても、送受信のアンテナ群の数を共に1とした場合と同様に、M×N次の伝送路行列の最大固有値に等しい受信レベルが実現できることが分かる。
【０６６１】
階層化MIMOにおいて伝送路行列の最大固有値に対応した固有ビーム伝送が実現できることは既に述べた。以下では、MIMOによるマルチストリーム伝送においても、階層化MIMOとすることにより、アンテナ群毎にその最大固有値に対応した固有ビーム伝送が実現できることを示す。
【０６６２】
無線通信装置Aから無線通信装置Bへのパケット伝送において、無線通信装置Bにおける合成された受信信号をRＢとすると、式(113)が成り立つ。ここで、RＡｋＢｊは、アンテナ群Aｋからの送信信号をアンテナ群Bｊで受信した場合の各アンテナでの受信波成分を表すNｊ次の列ベクトルである。
【０６６３】
【数１１３】
2010183566.tif 000115
【０６６４】
式(113)において、WＢｊＴ・RＡｋＢｊは、アンテナ群Bｊを構成するNｊ個のアンテナでの受信信号の合成信号を表している。これに対して、トレーニング動作により求まる複素ウエイトは、式(114)で表される。
【０６６５】
【数１１４】
2010183566.tif 000116
【０６６６】
これは、アンテナ群BｊにおけるNｊ個の受信信号の合成が最大比合成で行われることを示している。すなわち、階層化MIMOにおいて、アンテナ群毎にその最大固有値に対応した固有ビーム伝送が実現できることを示している。
【０６６７】
ところで、一方の無線通信装置では最適な複素ウエイトが得られているが、もう一方の無線通信装置では最適な複素ウエイトが得られていない場合において、最初のトレーニングシーケンスをどちらの無線通信装置から送信するかにより、最適な固有ビームを形成するのに必要なトレーニング信号伝送の回数は異なる。
【０６６８】
図３７は、基地局(AP)側の無線通信装置では最適な複素ウエイトが得られていないが、端末(STA)側の無線通信装置では最適な複素ウエイトが得られている場合に、基地局(AP)側が最初のトレーニング信号伝送を行った場合のトレーニング信号伝送回数と受信レベル分布の改善を示す。トレーニング信号伝送回数が１回、すなわち１往復のトレーニング信号伝送では最適な固有ビーム伝送と比較して4dB程度の劣化が生じており、４回のトレーニング信号伝送を行うとほぼ最適な固有ビーム伝送が実現できることが分かる。
【０６６９】
図３８は、端末(STA)側が最初のトレーニング信号伝送を行った場合のトレーニング信号伝送回数と受信レベル分布の改善を示す。この場合には、１回、すなわち１往復のトレーニング信号伝送でほぼ最適な固有ビーム伝送が実現できることが分かる。
【０６７０】
すなわち、本発明において、トレーニング信号伝送を最適な複素ウエイトが得られている無線通信装置、例えば端末(STA)側が最初のトレーニング信号伝送を行うようにすることにより、１往復のトレーニング信号伝送でほぼ最適な固有ビーム伝送が実現できる。このように、本発明によれば、ごく短時間のトレーニング信号伝送によりほぼ最適な固有ビーム伝送が実現できるので、高速フェージング環境においても通信エリアを大きく拡大することができる。
【０６７１】
本発明では、伝送路行列の情報を求めることなしに、トレーニング信号伝送における複数のアンテナからの受信信号を合成した信号の受信状態の最適化処理だけで最大固有値に対応した固有ビーム伝送を実現しており、RF帯処理で実現できる。一方、通常の固有ビーム伝送においては、受信側ではアンテナ毎に受信機を備えており、受信信号の合成をベースバンド処理にて行っている。このため、各アンテナでの受信レベルは十分に大きくないため、通信エリアの周辺部では、バースト検出、すなわち、受信信号の到来を検出できない場合がある。
【０６７２】
図３９は、通常の固有ビーム伝送のように、受信信号の合成をベースバンド処理で行った場合とRF帯処理で受信信号の合成を行った場合のバースト検出での受信レベルの改善の比較を示す。
【０６７３】
ベースバンド処理での固有ビーム伝送においては、バースト検出における受信レベルの改善は理想的なMIMO伝送と比較して12dB程度劣化している。一方、本発明をRF帯の処理で実現する場合には、理想的なMIMO伝送からの劣化量は2dB程度である。なお、この2dBの劣化の原因は、複素ウエイト処理を移相器で実現することに起因する。このように、従来のベースバンド処理での固有ビーム伝送を実現する方法あるいは装置では、バースト検出が可能なエリアにおいては大きなMIMO利得が得られ、これにより例えば多値QAMの使用による高速伝送が可能となる。しかし、通信エリアそのものは、バースト検出が可能なエリアに制限されるので、通信エリアにおける改善量はMIMO利得と比較すると、12dB程度小さくなってしまう。これに対して、本発明をRF帯の処理で実現する場合には、通信エリアにおける改善量はMIMO利得に等しい。すなわち、本発明によると、MIMO利得による通信エリアの大幅な改善を実現することができる。
【０６７４】
以上、実施形態を説明したが、本発明は、上記実施形態に限られるものではなく、種々に変形することができる。例えば、ウエイト処理部の乗算器は、1ビット移相器や2ビット移相器に限らず、ダイバーシチ合成に際しての重み付けを行うものであればよく、2ビット以上の移相器を用いることもできる。2ビット以上の移相器を用いれば、より細かく複素ウエイトを変更することができるので、より細かいダイバーシチ制御ができる。
【０６７５】
また、トレーニング信号は、受信レベル情報を測定するために用いられるものであり、ダイバーシチ受信した時の受信レベル情報を測定できるものであればどのようなものでもよい。例えば、データフレームのヘッダ中のプリアンブルのみ、拡張プリアンブルに含ませた複数のシンボルなどをトレーニング信号として利用することもでき、トレーニング用として特別に用意されたものでなくてもよい。ただし、トレーニング中の伝送路の状況はほぼ一定であるとみなしているので、その時間長は短い方がよい。
【０６７６】
なお、複数のシンボルをトレーニング信号として用いる場合、最短で、(自無線通信装置のアンテナ数+1)個のシンボルで各アンテナの信号に対する複素ウエイトの最適値を決定できる。また、受信レベル情報は、RFトレーニング信号をIF信号に周波数変換し、その段階で取得することもできる。
【０６７７】
図４０は、IEEE802.11nのアンテナ選択用のトレーニングシーケンスである。このトレーニングシーケンスの時間長は、184μsである。高速移動時においても、フェージング周波数は高々100Hzであり、184μsの間で伝送路の状況はほぼ一定とみなすことができるので、本発明のトレーニングでは、このトレーニングシーケンスを用いることができる。もちろん、これに限られない。
【０６７８】
また、M個のアンテナに対するM個のフレームは、単一のトレーニングシーケンス内にある必要はない。例えば、受信アンテナ数が4本の場合、1つのトレーニングシーケンス内で2本のアンテナを最適化し、次のトレーニングシーケンス内でさらに1本のアンテナを最適化し、その次のトレーニングシーケンス内で残り1本のアンテナの最適化するというようなことも可能である。
【０６７９】
さらに、相手の無線通信装置から、トレーニング信号の各フレームに対するACKが返信される場合には、ACKを検出してトレーニングカウンタ情報を得ることもできる。
【０６８０】
本発明は、例えば、車車間通信や車両歩行者間通信に利用することができる。しかし、それに限られるものではなく、その他、例えば、無線通信用の携帯端末などでも利用することもできる。また、本発明は、必ずしも移動通信にその適用範囲が限定されるものではなく、多元接続方式を採用する自律分散型の任意の無線通信システムに適用することができる。
【符号の説明】
【０６８１】
11-1〜11-P,21-1〜21-Q・・・ウエイト処理部、12-1〜12-P,22-1〜22-Q・・・RF信号分配・合成部、13-1〜13-P,23-1〜23-Q・・・送受信回路、14,24,105・・・空間マッピング部、15,25・・・時空間ブロック符号・符号化復号部、16-1〜16-K,26-1〜26-K・・・BB変復調部、17,27・・・ストリーム分配・合成部、18-1〜18-P・・・デュプレクサ、19・・・MIMO送受信部、30・・・ビーム形成用ウエイト生成部、40・・・トレーニング信号生成部、50,82・・・受信レベル保持部、51・・・受信レベル情報比較部、52・・・トレーニング期間内最大受信レベル保持部、60・・・移相器制御部、61・・・非ビーム形成時ウエイト生成部、62・・・トレーニング時ウエイト生成部、63・・・ウエイト選択部、70・・・タイミング部、71・・・フレーム受信検出部、72・・・フレーム終了検出部、73・・・シーケンス終了検出部、74・・・トレーニングカウント部、75・・・ビーム形成有効フラグ生成部、80・・・トレーニング受信情報保持部、81・・・ベースバンド受信IQ信号保持部、84・・・最適ウエイト決定部、85・・・最適ウエイト更新信号生成部、101・・・信号合成部、102・・・ストリーム分配部、103-1〜103-K・・・ベースバンド変調部、104・・・時空間符号・符号化部、106-1〜106-P・・・無線送信部、107-1〜107-P・・・無線受信部、108・・・空間デマッピング部、109・・・時空間符号・復号部、110-1〜110-K・・・ベースバンド復調部、111・・・ストリーム合成部、112・・・伝送路特性推定部、113・・・送受信制御部、A,B・・・無線通信装置、A′,B′・・・MIMO(またはSISO)送受信部、A１１〜AＰＭ,B１１〜BＱＮ・・・アンテナ
【図１】
2010183566.tif 000117
【図２】
2010183566.tif 000118
【図３】
2010183566.tif 000119
【図４】
2010183566.tif 000120
【図５】
2010183566.tif 000121
【図６】
2010183566.tif 000122
【図７】
2010183566.tif 000123
【図８】
2010183566.tif 000124
【図９】
2010183566.tif 000125
【図１０】
2010183566.tif 000126
【図１１】
2010183566.tif 000127
【図１２】
2010183566.tif 000128
【図１３】
2010183566.tif 000129
【図１４】
2010183566.tif 000130
【図１５】
2010183566.tif 000131
【図１６】
2010183566.tif 000132
【図１７】
2010183566.tif 000133
【図１８】
2010183566.tif 000134
【図１９】
2010183566.tif 000135
【図２０】
2010183566.tif 000136
【図２１】
2010183566.tif 000137
【図２２】
2010183566.tif 000138
【図２３】
2010183566.tif 000139
【図２４】
2010183566.tif 000140
【図２５】
2010183566.tif 000141
【図２６】
2010183566.tif 000142
【図２７】
2010183566.tif 000143
【図２８】
2010183566.tif 000144
【図２９】
2010183566.tif 000145
【図３０】
2010183566.tif 000146
【図３１】
2010183566.tif 000147
【図３２】
2010183566.tif 000148
【図３３】
2010183566.tif 000149
【図３４】
2010183566.tif 000150
【図３５】
2010183566.tif 000151
【図３６】
2010183566.tif 000152
【図３７】
2010183566.tif 000153
【図３８】
2010183566.tif 000154
【図３９】
2010183566.tif 000155
【図４０】
2010183566.tif 000156
【図４１】
2010183566.tif 000157
【図４２】
2010183566.tif 000158
【図４３】
2010183566.tif 000159
【図４４】
2010183566.tif 000160
【図４５】
2010183566.tif 000161
【図４６】
2010183566.tif 000162
【手続補正書】
【提出日】平成22年5月21日(2010.5.21)
【手続補正１】
【補正対象書類名】特許請求の範囲
【補正対象項目名】全文
【補正方法】変更
【補正の内容】
【特許請求の範囲】
【請求項１】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信方法において、
送受信を行う無線通信装置間での双方向のトレーニング信号の伝送を通じて、各無線通信装置において、前記アンテナ群毎にダイバーシチ受信状態を最良化するための前記各アンテナ群を構成する複数のアンテナの各々の信号に対するダイバーシチ合成情報をそれらの最適値として各々決定する第１のステップと、
前記第１のステップにより決定された、前記各アンテナ群を構成する複数のアンテナの各々の信号に対するダイバーシチ合成情報の最適値を前記無線通信装置に各々設定する第２のステップと、
前記第２のステップによりダイバーシチ合成情報の最適値が設定された状態で、各無線通信装置が前記アンテナ群毎にデータ送受信時のビームフォーミングおよびダイバーシチ合成を行う第３のステップを有し、
前記第１のステップは、1回または複数回の双方向のトレーニング信号のダイバーシチ受信において、各アンテナ群のダイバーシチ合成受信信号の受信状態を示すトレーニング受信情報に基づいて各アンテナ群のダイバーシチ受信状態を最良化するダイバーシチ合成情報を取得し、ダイバーシチ受信後に該ダイバーシチ合成情報でダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とるマルチアンテナを用いた無線通信方法。
【請求項２】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信方法において、
送受信を行う無線通信装置間での１回または複数回の双方向のトレーニング信号の伝送を通じて、各無線通信装置において、前記アンテナ群毎にダイバーシチ受信状態を最良化するための前記各アンテナ群を構成する複数のアンテナの各々の信号に対するダイバーシチ合成情報をそれらの最適値として各々決定する第１のステップと、
前記第１のステップにより決定された、前記各アンテナ群を構成する複数のアンテナの各々の信号に対するダイバーシチ合成情報の最適値を前記無線通信装置に各々設定する第２のステップと、
前記第２のステップによりダイバーシチ合成情報の最適値が設定された状態で、各無線通信装置が前記アンテナ群毎にデータ送受信時のビームフォーミングおよびダイバーシチ合成を行う第３のステップを有し、
前記トレーニング信号は、複数のトレーニングサブ信号からなり、
前記第１のステップは、前記トレーニングサブ信号のダイバーシチ受信に際し、無線通信装置に具備された各アンテナ群を構成する複数のアンテナの各々の信号に対するダーバーシチ合成情報の１つを順次変更し、変更の前後でのダイバーシチ合成受信信号の受信状態が良好な方のダーバーシチ合成情報で当該アンテナ群を構成する複数のアンテナの各々の信号に対するダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信方法。
【請求項３】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信方法において、
送受信を行う無線通信装置間での１回または複数回の双方向のトレーニング信号伝送を通じて、各無線通信装置において、前記アンテナ群毎にダイバーシチ受信状態を最良化するための前記各アンテナ群を構成する複数のアンテナの各々の信号に対するダイバーシチ合成情報をそれらの最適値として各々決定する第１のステップと、
前記第１のステップにより決定された、前記各アンテナ群を構成する複数のアンテナの各々の信号に対するダイバーシチ合成情報の最適値を前記無線通信装置に各々設定する第２のステップと、
前記第２のステップによりダイバーシチ合成情報の最適値が設定された状態で、各無線通信装置が前記アンテナ群毎にデータ送受信時のビームフォーミングおよびダイバーシチ合成を行う第３のステップを有し、
前記トレーニング信号は、複数のトレーニングサブ信号からなり、
前記第１のステップは、前記複数のトレーニングサブ信号のダイバーシチ受信に際し、無線通信装置に具備された各アンテナ群を構成する複数のアンテナの各々の信号に対するダイバーシチ合成情報を順次変更し、各ダイバーシチ合成情報に対応した受信状態を示すトレーニング受信情報に基づき、各アンテナ群のダイバーシチ合成受信信号の受信状態を最良化するダイバーシチ合成情報を決定し、ダイバーシチ受信後に該ダイバーシチ合成情報で各アンテナ群を構成する複数のアンテナの各々の信号に対するダイバーシチ合成情報を更新することにより、送受信を行う無線通信装置の１組のアンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信方法。
【請求項４】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信方法において、
送受信を行う無線通信装置間での１回または複数回の双方向のトレーニング信号の伝送を通じて、各無線通信装置において、前記アンテナ群毎にダイバーシチ受信状態を最良化するための前記各アンテナ群を構成する複数のアンテナの各々の信号に対するダイバーシチ合成情報をそれらの最適値として各々決定する第１のステップと、
前記第１のステップにより決定された、前記各アンテナ群を構成する複数のアンテナの各々の信号に対するダイバーシチ合成情報の最適値を前記無線通信装置に各々設定する第２のステップと、
前記第２のステップによりダイバーシチ合成情報の最適値が設定された状態で、各無線通信装置が前記アンテナ群毎にデータ送受信時のビームフォーミングおよびダイバーシチ合成を行う第３のステップを有し、
前記トレーニング信号は、複数のトレーニングサブ信号からなり、
前記第１のステップは、前記複数のトレーニングサブ信号のダイバーシチ受信に際し、無線通信装置に具備された各アンテナ群を構成する複数のアンテナの各々の信号に対するダーバーシチ合成情報を順次変更し、各ダイバーシチ合成情報に対応した受信状態を示すトレーニング受信情報に基づき、各アンテナ群のダイバーシチ合成受信信号の受信状態を最良化する合成ウエイト情報を決定し、ダイバーシチ受信後に該ダイバーシチ受信の合成ウェイト情報でダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とるマルチアンテナを用いた無線通信方法。
【請求項５】
前記トレーニング受信情報は、ダイバーシチ合成受信信号のベースバンド受信ＩＱ情報もしくはベースバンド受信ＩＱ情報および受信レベル情報の両方であることを特徴とする請求項１、３、４のいずれかに記載のマルチアンテナを用いた無線通信方法。
【請求項６】
前記トレーニング受信情報は、ダイバーシチ合成受信信号と予め定められた情報系列の相関情報もしくは該相関情報と受信レベル情報の両方であることを特徴とする請求項１、３、４のいずれかに記載のマルチアンテナを用いた無線通信方法。
【請求項７】
前記ダイバーシチ合成情報が１ビット情報であり、前記第１のステップは、相手側無線通信装置からの(自無線通信装置のアンテナ数＋１)回のトレーニングサブ信号受信により各アンテナ群を構成する複数のアンテナの各々の信号に対するダイバーシチ合成情報の最適値を決定することを特徴とする請求項２に記載のマルチアンテナを用いた無線通信方法。
【請求項８】
前記ダイバーシチ合成情報がｎビット情報（ｎは２以上の自然数）であり、前記第１のステップは、相手側無線通信装置からの(自無線通信装置のアンテナ数＋１)回のトレーニングサブ信号受信により各アンテナ群を構成する複数のアンテナの各々の信号に対するダイバーシチ合成情報の最適値を決定することを特徴とする請求項３または４に記載のマルチアンテナを用いた無線通信方法。
【請求項９】
前記トレーニング信号は、複数のトレーニングサブ信号として少なくとも(自無線通信装置のアンテナ数＋１)個のフレームを含み、前記各アンテナ群において、この２番目以降のフレームを、当該アンテナ群を構成する複数のアンテナの各々の信号に対するダイバーシチ合成情報を順次変更して受信することを特徴とする請求項２ないし４のいずれかに記載のマルチアンテナを用いた無線通信方法。
【請求項１０】
前記トレーニング信号は、複数のトレーニングサブ信号として少なくとも(自無線通信装置のアンテナ数＋１)個のシンボルを含み、前記各アンテナ群において、この２番目以降のシンボルを、当該アンテナ群を構成する複数のアンテナの各々の信号に対するダイバーシチ合成情報を順次変更して受信することを特徴とする請求項２ないし４のいずれかに記載のマルチアンテナを用いた無線通信方法。
【請求項１１】
前記第１のステップは、直前の双方向のトレーニング信号の伝送を通じてダイバーシチ合成情報の最適値が設定されている場合には、前記各アンテナ群において、このダイバーシチ合成情報の最適値を初期値として新たにダイバーシチ合成情報の最適値を決定し、ダイバーシチ合成情報の最適値が設定されていない場合にはランダムな初期値を用いて新たにダイバーシチ合成情報の最適値を決定することを特徴とする請求項１ないし４のいずれかに記載のマルチアンテナを用いた無線通信方法。
【請求項１２】
一方の無線通信装置には直前の双方向のトレーニング信号の伝送を通じてダイバーシチ合成情報の最適値が設定されているが、もう一方の無線通信装置にはダイバーシチ合成情報の最適値が設定されていない場合において、次のトレーニング信号の伝送をダイバーシチ合成情報の最適値が設定されている方の無線通信装置から開始することを特徴とする請求項１ないし４のいずれかに記載のマルチアンテナを用いた無線通信方法。
【請求項１３】
複数の無線通信装置と無線通信を行う基地局側の無線通信装置における前記第１のステップでは、常にランダムな初期値を用いてダイバーシチ合成情報の最適値の決定を行い、基地局と無線通信を行う端末側の無線通信装置における前記第１のステップでは、直前の双方向のトレーニング信号の伝送を通じてダイバーシチ合成情報の最適値が設定されている場合には、このダイバーシチ合成情報の最適値を初期値として新たにダイバーシチ合成情報の最適値を決定し、ダイバーシチ合成情報の最適値が設定されていない場合にはランダムな初期値を用いて新たにダイバーシチ合成情報の最適値を決定することを特徴とする請求項１ないし４のいずれかに記載のマルチアンテナを用いた無線通信方法。
【請求項１４】
複数の無線通信装置と無線通信を行う基地局側の無線通信装置からのブロードキャストフレームもしくはマルチキャストフレームの送信では、互いに異なる複数のダイバーシチ合成情報を用いて、同一フレームを複数回送信することを特徴とする請求項１ないし４のいずれかに記載のマルチアンテナを用いた無線通信方法。
【請求項１５】
複数の無線通信装置と無線通信を行う基地局側の無線通信装置からのブロードキャストフレームもしくはマルチキャストフレームの送信では、前記複数の無線通信装置の各々に対して、双方向のトレーニング信号の伝送を通じて、前記第１のステップにより決定され、前記第２のステップにより設定されたダイバーシチ合成情報の最適値を用いて、ブロードキャストフレーム、もしくはマルチキャストフレームを各々送信することを特徴とする請求項１ないし４のいずれかに記載のマルチアンテナを用いた無線通信方法。
【請求項１６】
複数の無線通信装置と無線通信を行う基地局側の無線通信装置における前記第１のステップでは、直前の双方向のトレーニング信号の伝送において決定されたダイバーシチ合成情報の最適値を、当該基地局と無線通信を行う端末側の無線通信装置ごとに記憶しておき、これを初期値として、トレーニングサブ信号の受信における前記複数のアンテナの各々の信号に対するダイバーシチ合成情報を順次変更し、これに対するダイバーシチ受信状態に基づいてダイバーシチ合成情報の最適値を決定することを特徴とする請求項２ないし４のいずれかに記載のマルチアンテナを用いた無線通信方法。
【請求項１７】
前記第２のステップは、各ダイバーシチ合成情報の最適値をＲＦ帯において前記無線通信装置に各々設定することを特徴とする請求項１ないし４のいずれかに記載のマルチアンテナを用いた無線通信方法。
【請求項１８】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信システムにおいて、
送受信を行う無線通信装置間での双方向のトレーニング信号の伝送を通じて、各無線通信装置において、前記アンテナ群毎にダイバーシチ受信状態を最良化するための前記各アンテナ群を構成する複数のアンテナの各々の信号に対するダイバーシチ合成情報をそれらの最適値として各々決定する第１の手段と、
前記第１の手段により決定された、前記各アンテナ群を構成する複数のアンテナの各々の信号に対するダイバーシチ合成情報の最適値を前記無線通信装置に各々設定する第２の手段と、
前記第２の手段によりダイバーシチ合成情報の最適値が設定された状態で、各無線通信装置が前記アンテナ群毎にデータ送受信時のビームフォーミングおよびダイバーシチ合成を行う第３の手段を有し、
前記第１の手段は、1回または複数回の双方向のトレーニング信号のダイバーシチ受信において、各アンテナ群のダイバーシチ合成受信信号の受信状態を示すトレーニング受信情報に基づいてダイバーシチ受信状態を最良化するダイバーシチ合成情報を取得し、ダイバーシチ受信後に該ダイバーシチ合成情報でダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とるマルチアンテナを用いた無線通信システム。
【請求項１９】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信システムにおいて、
送受信を行う各無線通信装置は、
相手側無線通信装置との間での１回または複数回の双方向のトレーニング信号の伝送を通じて、前記アンテナ群毎にダイバーシチ受信状態を最良化するための前記各アンテナ群を構成する複数のアンテナの各々の信号に対するダイバーシチ合成情報をそれらの最適値として各々決定する第１の手段と、
前記第１の手段により決定された、前記各アンテナ群を構成する複数のアンテナの各々の信号に対するダイバーシチ合成情報の最適値を設定する第２の手段と、
前記第２の手段によりダイバーシチ合成情報の最適値が設定された状態で、前記アンテナ群毎にデータ送受信時のビームフォーミングおよびダイバーシチ合成を行う第３の手段を備え、
前記トレーニング信号は、複数のトレーニングサブ信号からなり、
前記第１の手段は、前記トレーニングサブ信号のダイバーシチ受信に際し、無線通信装置に具備された各アンテナ群を構成する複数のアンテナの各々の信号に対するダーバーシチ合成情報の１つを順次変更し、変更の前後でのダイバーシチ合成受信信号の受信状態が良好な方のダーバーシチ合成情報で当該アンテナ群を構成する複数のアンテナの各々の信号に対するダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信システム。
【請求項２０】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信システムにおいて、
送受信を行う各無線通信装置は、
相手側無線通信装置との間での１回または複数回の双方向のトレーニング信号の伝送を通じて、前記アンテナ群毎にダイバーシチ受信状態を最良化するための前記各アンテナ群を構成する複数のアンテナの各々の信号に対するダイバーシチ合成情報をそれらの最適値として各々決定する第１の手段と、
前記第１の手段により決定された、前記各アンテナ群を構成する複数のアンテナの各々の信号に対するダイバーシチ合成情報の最適値を設定する第２の手段と、
前記第２の手段によりダイバーシチ合成情報の最適値が設定された状態で、前記アンテナ群毎にデータ送受信時のビームフォーミングおよびダイバーシチ合成を行う第３の手段を備え、
前記トレーニング信号は、複数のトレーニングサブ信号からなり、
前記第１の手段は、前記複数のトレーニングサブ信号のダイバーシチ受信に際し、無線通信装置に具備された各アンテナ群を構成する複数のアンテナの各々の信号に対するダイバーシチ合成情報を順次変更し、各ダイバーシチ合成情報に対応した受信状態を示すトレーニング受信情報に基づき、各アンテナ群のダイバーシチ合成受信信号の受信状態を最良化するダイバーシチ合成情報を決定し、ダイバーシチ受信後に該ダイバーシチ合成情報で各アンテナ群を構成する複数のアンテナの各々の信号に対するダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信システム。
【請求項２１】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信システムにおいて、
送受信を行う各無線通信装置は、
相手側無線通信装置との間での１回または複数回の双方向のトレーニング信号の伝送を通じて、前記アンテナ群毎にダイバーシチ受信状態を最良化するための前記各アンテナ群を構成する複数のアンテナの各々の信号に対するダイバーシチ合成情報をそれらの最適値として各々決定する第１の手段と、
前記第１の手段により決定された、前記各アンテナ群を構成する複数のアンテナの各々の信号に対するダイバーシチ合成情報の最適値を設定する第２の手段と、
前記第２の手段によりダイバーシチ合成情報の最適値が設定された状態で、前記アンテナ群毎にデータ送受信時のビームフォーミングおよびダイバーシチ合成を行う第３の手段を備え、
前記トレーニング信号は、複数のトレーニングサブ信号からなり、
前記第１の手段は、前記複数のトレーニングサブ信号のダイバーシチ受信に際し、無線通信装置に具備された各アンテナ群を構成する複数のアンテナの各々の信号に対するダイバーシチ合成情報を順次変更し、各ダイバーシチ合成情報に対応した受信状態を示すトレーニング受信情報に基づき、各アンテナ群のダイバーシチ合成受信信号の受信状態を最良化するダイバーシチ合成情報を決定し、ダイバーシチ受信後に該ダイバーシチ受信の合成ウエイト情報で各アンテナ群を構成する複数のアンテナの各々の信号に対するダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信システム。
【請求項２２】
前記トレーニング受信情報は、ダイバーシチ合成受信信号のベースバンド受信ＩＱ情報もしくはベースバンド受信ＩＱ情報および受信レベル情報の両方であることを特徴とする請求項１８、２０、２１のいずれかに記載のマルチアンテナを用いた無線通信システム。
【請求項２３】
前記トレーニング受信情報は、ダイバーシチ合成受信信号と予め定められた情報系列の相関情報もしくは該相関情報と受信レベル情報の両方であることを特徴とする請求項１８、２０、２１のいずれかに記載のマルチアンテナを用いた無線通信システム。
【請求項２４】
前記ダイバーシチ合成情報が１ビット情報であり、前記第１の手段は、相手側無線通信装置からの(自無線通信装置のアンテナ数＋１)回のトレーニングサブ信号受信により各アンテナ群を構成する複数のアンテナの各々の信号に対するダイバーシチ合成情報の最適値を決定することを特徴とする請求項１９に記載のマルチアンテナを用いた無線通信システム。
【請求項２５】
前記ダイバーシチ合成情報がｎビット情報（ｎは２以上の自然数）であり、前記第１の手段は、相手側無線通信装置からの(自無線通信装置のアンテナ数＋１)回のトレーニングサブ信号受信により各アンテナ群を構成する複数のアンテナの各々の信号に対するダイバーシチ合成情報の最適値を決定することを特徴とする請求項２０または２１に記載のマルチアンテナを用いた無線通信システム。
【請求項２６】
前記トレーニング信号は、複数のトレーニングサブ信号として少なくとも(自無線通信装置のアンテナ数＋１)個のフレームを含み、前記各アンテナ群において、この２番目以降のフレームを、当該アンテナ群を構成する複数のアンテナの各々の信号に対するダイバーシチ合成情報を順次変更して受信することを特徴とする請求項１９ないし２１のいずれかに記載のマルチアンテナを用いた無線通信システム。
【請求項２７】
前記トレーニング信号は、複数のトレーニングサブ信号として少なくとも(自無線通信装置のアンテナ数＋１)個のシンボルを含み、前記各アンテナ群において、この２番目以降のシンボルを、当該アンテナ群を構成する複数のアンテナの各々の信号に対するダイバーシチ合成情報を順次変更して受信することを特徴とする請求項１９ないし２１のいずれかに記載のマルチアンテナを用いた無線通信システム。
【請求項２８】
前記第１の手段は、直前の双方向のトレーニング信号の伝送を通じてダイバーシチ合成情報の最適値が設定されている場合には、このダイバーシチ合成情報の最適値を初期値として新たにダイバーシチ合成情報の最適値を決定し、ダイバーシチ合成情報の最適値が設定されていない場合にはランダムな初期値を用いて新たにダイバーシチ合成情報の最適値を決定することを特徴とする請求項１８ないし２１のいずれかに記載のマルチアンテナを用いた無線通信システム。
【請求項２９】
一方の無線通信装置には直前の双方向のトレーニング信号の伝送を通じてダイバーシチ合成情報の最適値が設定されているが、もう一方の無線通信装置にはダイバーシチ合成情報の最適値が設定されていない場合において、次のトレーニング信号の伝送をダイバーシチ合成情報の最適値が設定されている方の無線通信装置から開始することを特徴とする請求項１８ないし２１のいずれかに記載のマルチアンテナを用いた無線通信システム。
【請求項３０】
複数の無線通信装置と無線通信を行う基地局側の無線通信装置における前記第１の手段では、常にランダムな初期値を用いてダイバーシチ合成情報の最適値の決定を行い、基地局と無線通信を行う端末側の無線通信装置における前記第１の手段では、直前の双方向のトレーニング信号の伝送を通じてダイバーシチ合成情報の最適値が設定されている場合には、このダイバーシチ合成情報の最適値を初期値として新たにダイバーシチ合成情報の最適値を決定し、ダイバーシチ合成情報の最適値が設定されていない場合にはランダムな初期値を用いて新たにダイバーシチ合成情報の最適値を決定することを特徴とする請求項１８ないし２１のいずれかに記載のマルチアンテナを用いた無線通信システム。
【請求項３１】
複数の無線通信装置と無線通信を行う基地局側の無線通信装置からのブロードキャストフレームもしくはマルチキャストフレームの送信では、互いに異なる複数のダイバーシチ合成情報を用いて、同一フレームを複数回送信することを特徴とする請求項１８ないし２１のいずれかに記載のマルチアンテナを用いた無線通信システム。
【請求項３２】
複数の無線通信装置と無線通信を行う基地局側の無線通信装置からのブロードキャストフレームもしくはマルチキャストフレームの送信では、前記複数の無線通信装置の各々に対して、双方向のトレーニング信号の伝送を通じて、前記第１の手段により決定され、前記第２の手段により設定されたダイバーシチ合成情報の最適値を用いて、ブロードキャストフレーム、もしくはマルチキャストフレームを各々送信することを特徴とする請求項１８ないし２１のいずれかに記載のマルチアンテナを用いた無線通信システム。
【請求項３３】
複数の無線通信装置と無線通信を行う基地局側の無線通信装置における前記第１の手段では、直前の双方向のトレーニング信号の伝送において決定されたダイバーシチ合成情報の最適値を、当該基地局と無線通信を行う端末側の無線通信装置ごとに記憶しておき、これを初期値として、各トレーニングサブ信号の受信における前記複数のアンテナの各々の信号に対するダイバーシチ合成情報を順次変更し、これらに対するダイバーシチ受信状態に基づいてダイバーシチ合成情報の最適値を決定することを特徴とする請求項１９ないし２１のいずれかに記載のマルチアンテナを用いた無線通信システム。
【請求項３４】
前記第２の手段は、各ダイバーシチ合成情報の最適値をＲＦ帯において前記無線通信装置に各々設定するすることを特徴とする請求項１８ないし２１のいずれかに記載のマルチアンテナを用いた無線通信システム。
【請求項３５】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信装置において、
アンテナ群を構成する複数のアンテナの各々の信号に対するダイバーシチ合成情報を生成するダイバーシチ合成情報生成手段と、
前記ダイバーシチ合成情報生成手段により生成されたダイバーシチ合成情報に基づいて前記各アンテナ群を構成する複数のアンテナの各々の信号の振幅および位相を制御するダイバーシチ合成情報設定手段と、
前記ダイバーシチ合成情報設定手段との組み合わせにより前記アンテナ群毎にビームフォーミング送信およびダイバーシチ受信を行う信号分配合成手段を備え、
前記ダイバーシチ合成情報生成手段は、
前記各アンテナ群を構成する複数のアンテナの各々の信号に対する初期捕捉用ダイバーシチ合成情報を出力し、初期状態からダイバーシチ合成情報の最適値への引き込みを可能にする初期捕捉用ダイバーシチ合成情報生成手段と、
相手側無線通信装置との間での双方向のトレーニング信号の伝送でのダイバーシチ受信に際し、前記各アンテナ群を構成する複数のアンテナの各々の信号に対するダイバーシチ合成情報を順次変更して生成するトレーニング用ダイバーシチ合成情報生成手段と、
前記ダイバーシチ合成情報生成手段により生成された各ダイバーシチ合成情報が各々設定された状態でダイバーシチ受信されるトレーニング信号の受信状態を示すトレーニング受信情報に基づいてダイバーシチ受信状態を最良化するダイバーシチ合成情報をダイバーシチ合成情報の最適値として決定し、データ送受信時のビームフォーミングおよびダイバーシチ合成のためのダイバーシチ合成情報の最適値を生成するダイバーシチ合成情報最適値生成手段を備え、
１回または複数回の双方向のトレーニング信号のダイバーシチ受信において、前記ダイバーシチ合成情報生成手段により生成された各ダーバーシチ合成情報が各々設定された状態でダイバーシチ受信されるトレーニング受信情報に基づいてダイバーシチ合成受信信号の受信状態を最良化するダイバーシチ合成情報を取得し、ダイバーシチ受信後に該ダイバーシチ合成情報でダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信装置。
【請求項３６】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信装置において、
アンテナ群を構成する複数のアンテナの各々の信号に対するダイバーシチ合成情報を生成するダイバーシチ合成情報生成手段と、
前記ダイバーシチ合成情報生成手段により生成されたダイバーシチ合成情報に基づいて前記各アンテナ群を構成する複数のアンテナの各々の信号の振幅および位相を制御するダイバーシチ合成情報設定手段と、
前記ダイバーシチ合成情報設定手段との組み合わせにより前記アンテナ群毎にビームフォーミング送信およびダイバーシチ受信を行う信号分配合成手段を備え、
前記ダイバーシチ合成情報生成手段は、
前記アンテナ群を構成する複数のアンテナの各々の信号に対する初期捕捉用ダイバーシチ合成情報を生成し、初期状態からダイバーシチ合成情報の最適値への引き込みを可能にする初期捕捉用ダイバーシチ合成情報生成手段と、
相手側無線通信装置との間での１回または複数回の双方向のトレーニング信号の伝送でのダイバーシチ受信に際し、前記各アンテナ群を構成する複数のアンテナの各々の信号に対するダイバーシチ合成情報を順次変更して生成するトレーニング用ダイバーシチ合成情報生成手段と、
前記ダイバーシチ合成情報生成手段により生成された各ダイバーシチ合成情報が各々設定された状態でダイバーシチ受信されるトレーニング信号の受信状態を示す情報に基づいて各設定におけるダイバーシチ受信状態を判定する受信状態判定手段と、
前記受信状態判定手段により判定されたダイバーシチ受信状態を最良化するダイバーシチ合成情報をダイバーシチ合成情報の最適値として決定し、データ送受信時のビームフォーミングおよびダイバーシチ合成のためのダイバーシチ合成情報の最適値を生成するダイバーシチ合成情報最適値生成手段を備え、
前記トレーニング信号は、複数のトレーニングサブ信号からなり、
前記トレーニングサブ信号のダイバーシチ受信に際し、無線通信装置に具備された各アンテナ群を構成する複数のアンテナの各々の信号に対するダイバーシチ合成情報の１つを順次変更し、変更前後でのダーバーシチ合成受信信号の受信状態が良好な方のダイバーシチ合成情報で当該アンテナ群を構成する複数のアンテナの各々の信号に対するダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信装置。
【請求項３７】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信装置において、
アンテナ群を構成する複数のアンテナの各々の信号に対するダイバーシチ合成情報を生成するダイバーシチ合成情報生成手段と、
前記ダイバーシチ合成情報生成手段により生成されたダイバーシチ合成情報に基づいて前記各アンテナ群を構成する複数のアンテナの各々の信号の振幅および位相を制御するダイバーシチ合成情報設定手段と、
前記ダイバーシチ合成情報設定手段との組み合わせにより前記アンテナ群毎にビームフォーミング送信およびダイバーシチ受信を行う信号分配合成手段を備え、
前記ダイバーシチ合成情報生成手段は、
前記アンテナ群を構成する複数のアンテナの各々の信号に対する初期捕捉用ダイバーシチ合成情報を生成し、初期状態からダイバーシチ合成情報の最適値への引き込みを可能にする初期捕捉用ダイバーシチ合成情報生成手段と、
相手側無線通信装置との間での１回または複数回の双方向のトレーニング信号の伝送でのダイバーシチ受信に際し、前記各アンテナ群を構成する複数のアンテナの各々の信号に対するダイバーシチ合成情報を順次変更して生成するトレーニング用ダイバーシチ合成情報生成手段と、
前記ダイバーシチ合成情報生成手段により生成された各ダイバーシチ合成情報が各々設定された状態でダイバーシチ受信されるトレーニング信号の受信状態を示すトレーニング受信情報を保持するトレーニング受信情報保持手段と、
前記トレーニング受信状態保持手段により保持されたトレーニング受信情報に基づいてダイバーシチ合成受信信号の受信状態を最良化するダイバーシチ合成情報をダイバーシチ合成情報の最適値として決定し、データ送受信時のビームフォーミングおよびダイバーシチ合成のためのダイバーシチ合成情報の最適値を生成するダイバーシチ合成情報最適値生成手段を備え、
前記トレーニング信号は、複数のトレーニングサブ信号からなり、
前記複数のトレーニングサブ信号のダイバーシチ受信に際し、無線通信装置に具備された各アンテナ群を構成する複数のアンテナの各々の信号に対するダイバーシチ合成情報を順次変更し、各ダーバーシチ合成情報に対応したトレーニング受信情報を取得して前記トレーニング受信情報保持手段に格納し、前記トレーニング受信情報保持手段に保持されたトレーニング受信情報に基づいてダイバーシチ合成受信信号の受信状態を最良化するダイバーシチ合成情報を決定し、ダイバーシチ受信後に該ダイバーシチ合成情報でダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信装置。
【請求項３８】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信装置において、
アンテナ群を構成する複数のアンテナの各々の信号に対するダイバーシチ合成情報を生成するダイバーシチ合成情報生成手段と、
前記ダイバーシチ合成情報に基づいて前記アンテナ群を構成する複数のアンテナの各々の信号の振幅および位相を制御するダイバーシチ合成情報設定手段と、
前記ダイバーシチ合成情報設定手段との組み合わせにより前記アンテナ群毎にビームフォーミング送信およびダイバーシチ受信を行う信号分配合成手段とを備え、
前記ダイバーシチ合成情報生成手段は、
前記アンテナ群を構成する複数のアンテナの各々の信号に対する初期捕捉用ダイバーシチ合成情報を生成し、初期状態からダイバーシチ合成情報の最適値への引き込みを可能にする初期捕捉用ダイバーシチ合成情報生成手段と、
相手側無線通信装置との間での１回または複数回の双方向のトレーニング信号の伝送でのダイバーシチ受信に際し、前記各アンテナ群を構成する複数のアンテナの各々の信号に対するダイバーシチ合成情報を順次変更して生成するトレーニング用ダイバーシチ合成情報生成手段と、
前記ダイバーシチ合成情報生成手段により生成された各ダイバーシチ合成情報が各々設定された状態でダイバーシチ受信されるトレーニング信号の受信状態を示すトレーニング受信情報を保持するトレーニング受信情報保持手段と、
前記トレーニング受信状態保持手段により保持されたトレーニング受信情報に基づいてダイバーシチ合成受信信号の受信状態を最良化する合成ウエイト情報をダイバーシチ合成情報の最適値として前記アンテナ群毎に決定し、データ送受信における前記アンテナ群毎のビームフォーミングおよびダイバーシチ合成のためのダイバーシチ合成情報の最適値を前記アンテナ群毎に生成するダイバーシチ合成情報最適値生成手段を備え、
前記トレーニング信号は、複数のトレーニングサブ信号からなり、
前記複数のトレーニングサブ信号のダイバーシチ受信に際し、無線通信装置に具備された各アンテナ群を構成する複数のアンテナの各々の信号に対するダイバーシチ合成情報を順次変更し、各ダーバーシチ合成情報に対応したトレーニング受信情報を取得して前記トレーニング受信情報保持手段に格納し、前記トレーニング受信情報保持手段に保持されたトレーニング受信情報に基づいてダイバーシチ合成受信信号の受信状態を最良化する合成ウエイト情報を決定し、ダイバーシチ受信後に該合成ウエイト情報でダイバーシチ合成情報を更新することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信装置。
【請求項３９】
前記トレーニング受信情報は、ダイバーシチ合成受信信号のベースバンド受信ＩＱ情報もしくはベースバンド受信ＩＱ情報および受信レベル情報の両方であることを特徴とする請求項３５、３７、３８のいずれかに記載のマルチアンテナを用いた無線通信システム。
【請求項４０】
前記トレーニング受信情報は、ダイバーシチ合成受信信号と予め定められた情報系列の相関情報もしくは該相関情報と受信レベル情報の両方であることを特徴とする請求項３５、３７、３８のいずれかに記載のマルチアンテナを用いた無線通信装置。
【請求項４１】
前記ダイバーシチ合成情報が１ビット情報であり、前記ダイバーシチ合成情報生成手段は、前記各アンテナ群を構成する複数のアンテナの各々の信号に対するダイバーシチ合成情報を順次位相反転して生成し、前記受信状態判定手段は、前記位相反転の前後での、前記トレーニング受信情報としての受信レベル情報を比較して前記アンテナ群毎のダイバーシチ受信状態を判定し、前記ダイバーシチ合成情報最適値生成手段は、前記受信状態判定手段により判定されたダイバーシチ受信状態に基づいて前記アンテナ群毎の当該複数のアンテナにおけるダイバーシチ合成情報の最適値を決定することを特徴とする請求項３６に記載のマルチアンテナを用いた無線通信装置。
【請求項４２】
前記ダイバーシチ合成情報がｎビット情報（ｎは２以上の自然数）であり、前記ダイバーシチ合成情報生成手段は、前記各アンテナ群を構成する複数のアンテナの各々の信号に対するダイバーシチ合成情報を順次位相反転して生成し、前記トレーニング受信情報保持手段は、前記位相反転の前後の、前記トレーニング受信情報としてのベースバンド受信ＩＱ情報もしくはベースバンド受信ＩＱ情報および受信レベル情報の両方を保持し、前記ダイバーシチ合成情報最適値生成手段は、前記トレーニング受信情報保持手段により保持されたトレーニング受信情報に基づいて前記アンテナ群毎の当該複数のアンテナにおけるダイバーシチ合成情報の最適値を決定することを特徴とする請求項３７または３８に記載のマルチアンテナを用いた無線通信装置。
【請求項４３】
前記ダイバーシチ合成情報生成手段は、直前の双方向のトレーニング信号の伝送を通じてダイバーシチ合成情報の最適値が設定されている場合には、このダイバーシチ合成情報の最適値を初期値として新たにダイバーシチ合成情報の最適値を決定し、ダイバーシチ合成情報の最適値が設定されていない場合にはランダムな初期値を用いて新たにダイバーシチ合成情報の最適値を決定することを特徴とする請求項３５ないし３８のいずれかに記載のマルチアンテナを用いた無線通信装置。
【請求項４４】
端末側の無線通信装置として機能するマルチアンテナを用いた無線通信装置であって、基地局側の無線通信装置との間のデータ送受信においてビームフォーミングおよびダイバーシチ合成を行うための直前の双方向のトレーニング信号の伝送において、最初のトレーニング信号の送信を行うことを特徴とする請求項３５ないし３８のいずれかに記載のマルチアンテナを用いた無線通信装置。
【請求項４５】
基地局側の無線通信装置として機能するマルチアンテナを用いた無線通信装置であって、前記ダイバーシチ合成情報生成手段において、直前に双方向のトレーニング信号の伝送を行った場合においても、そうでない場合においても常にランダムな初期値を用いて新たにダイバーシチ合成情報を決定することを特徴とする請求項３５ないし３８のいずれかに記載のマルチアンテナを用いた無線通信装置。
【請求項４６】
複数の無線通信装置と無線通信を行う基地局側の無線通信装置からのブロードキャストフレームもしくはマルチキャストフレームの送信では、互いに異なる複数のダイバーシチ合成情報を用いて、同一フレームを複数回送信することを特徴とする請求項３５ないし３８のいずれかに記載のマルチアンテナを用いた無線通信装置。
【請求項４７】
複数の無線通信装置と無線通信を行う基地局側の無線通信装置からのブロードキャストフレームもしくはマルチキャストフレームの送信では、前記複数の無線通信装置の各々に対して、双方向のトレーニング信号の伝送を通じて取得されたダイバーシチ合成情報の最適値を用いて、ブロードキャストフレーム、もしくはマルチキャストフレームを各々送信することを特徴とする請求項３５ないし３８のいずれかに記載のマルチアンテナを用いた無線通信装置。
【請求項４８】
複数の無線通信装置と無線通信を行う基地局側の無線通信装置において、双方向のトレーニング信号の伝送を通じて取得されたダイバーシチ合成情報の最適値を、当該基地局と無線通信を行う端末側の無線通信装置毎に記憶するためのダイバーシチ合成情報最適値記憶手段を備え、前記ダイバーシチ合成情報設定手段は、端末側の無線通信装置との間でのデータ送受信に先立ち、前記ダイバーシチ合成情報最適値記憶手段に保持された当該無線通信装置に対するダイバーシチ合成情報の最適値を設定することを特徴とする請求項３５ないし３８のいずれかに記載のマルチアンテナを用いた無線通信装置。
【請求項４９】
前記ダイバーシチ合成情報設定手段は、ＲＦ帯においてダイバーシチ合成情報を設定することを特徴とする請求項３５ないし３８のいずれかに記載のマルチアンテナを用いた無線通信装置。
【請求項５０】
前記受信状態判定手段は、前記各アンテナ群毎のダイバーシチ合成受信信号レベルあるいはAGCアンプの利得を指標としてダイバーシチ受信状態を判定することを特徴とする請求項３６に記載のマルチアンテナを用いた無線通信装置。
【請求項５１】
前記トレーニング信号が、前記トレーニングサブ信号として複数のフレームまたはシンボルを含み、前記ダイバーシチ合成情報最適値生成手段は、前記各アンテナ群毎の各フレームまたはシンボルのベースバンドＩＱ信号またはＩＦ信号の振幅を指標としてダイバーシチ合成受信信号の受信状態を判定することを特徴とする請求項３７または３８に記載のマルチアンテナを用いた無線通信装置。
【請求項５２】
前記ダイバーシチ合成情報設定手段および前記信号分配合成手段は、ＲＦ帯で動作しており、１つの送受信系統だけを用いてマルチアンテナでのビームフォーミング送信およびダイバーシチ受信を行うことを特徴とする請求項３５ないし３８のいずれかに記載のマルチアンテナを用いた無線通信装置。
【手続補正２】
【補正対象書類名】明細書
【補正対象項目名】００７２
【補正方法】変更
【補正の内容】
【００７２】
【図１】本発明に係る無線通信システムの第１実施形態の基本構成を示すブロック図である。
【図２】ウエイト処理部に1ビット移相器を用いた場合の動作を概念的に示す図である。
【図３】ウエイト処理部の具体的構成の一例を示すブロック図である。
【図４】トレーニング信号の例を示す図である。
【図５】第１実施形態における、複素ウエイトの最適値決定処理を示すフローチャートである。
【図６】本発明に係る無線通信装置の第１実施形態の構成を示すブロック図である。
【図７】図６のビーム形成用ウエイト生成部の具体的構成を示すブロック図である。
【図８】図７のビーム形成用ウエイト生成部の動作の一例を示すタイミングチャートである。
【図９】第１実施形態におけるダイバーシチ合成受信信号生成の様子を示す図である。
【図１０】トレーニング信号の他の例を示す図である。
【図１１】トレーニング信号のさらに他の例を示す図である。
【図１２】送信側からベースバンド送信IQ情報"１"を送信したときの受信側での受信情報を模式的に示す図である。
【図１３】無線LANで使用されるバースト検出、AGC動作およびタイミング同期のためのプリアンブルにおけるベースバンドIQ信号を示す図である。
【図１４】マルチパス波が存在しない場合の、相関演算の出力信号を示す
【図１５】第２実施形態における、複素ウエイトの最適値決定処理を示すフローチャートである。
【図１６】本発明に係る無線通信装置の第２実施形態の構成を示すブロック図である。
【図１７】図１６のビーム形成用ウエイト生成部の具体的構成を示すブロック図である。
【図１８】図１７のビーム形成用ウエイト生成部の動作の一例を示すタイミングチャートである。
【図１９】ブロードキャストフレームもしくはマルチキャストフレームの伝送を含めた場合の、本発明の無線通信システムの動作例を示す図である。
【図２０】トレーニング開始フレームの再送の送信回数とACKフレームが送信される確率の関係(STA側で移相器の最適設定が既知の場合)を示す図である。
【図２１】トレーニング開始フレームの再送の送信回数とACKフレームが送信される確率の関係(STA側で移相器の最適設定が未知の場合)を示す図である。
【図２２】STA側で移相器設定が最適化されている場合の、AP側の移相器設定とその時の受信レベルとの関係を示す図である。
【図２３】仮想AP技術を用いた場合の、本発明の無線通信システムの動作例を示す図である。
【図２４】STAがパワーセーブ動作を行う場合の動作例を示す図である。
【図２５】APからSTAへのマルチキャストフレーム、ブロードキャストフレームを伝送する場合の、本発明の無線通信システムの動作例を示す図である。
【図２６】マルチキャストフレームおよびブロードキャストフレームの送信を行う場合の、本発明の無線通信システムの動作例を示す図である。
【図２７】図１１に示したトレーニング信号の受信による、無線通信装置における複素ウエイトの最適値決定処理を示すフローチャートである。
【図２８】本発明に係る無線通信装置の第３実施形態の構成を示すブロック図である。
【図２９】図２８のビーム形成用ウエイト生成部の具体的構成を示すブロック図である。
【図３０】トレーニングシンボルを用いて双方向トレーニングを行う場合の伝送シーケンスの例である。
【図３１】複数回の双方向のレーニングを行う場合の伝送シーケンスの例である。
【図３２】アンテナ間の伝達関数の一例を示す図である。
【図３３】本発明における複素ウエイト(素波SＡｉＢｊ)の更新の一例を示す説明図である。
【図３４】本発明における複素ウエイト(受信信号RＸ)の更新一例を示す説明図である。
【図３５】複数のアンテナ群を備えた無線通信システムのモデル構成を示すブロック図である。
【図３６】アンテナ群の数が共に1である無線通信システムのモデル構成を示すブロック図である。
【図３７】基地局側が最初のトレーニング信号伝送を行った場合のトレーニング信号伝送回数と受信レベル分布の改善を示す。
【図３８】端末側が最初のトレーニング信号伝送を行った場合のトレーニング信号伝送回数と受信レベル分布の改善を示す。
【図３９】受信信号の合成をベースバンド処理で行った場合とRF帯処理で受信信号の合成を行った場合のバースト検出での受信レベルの改善の比較を示す。
【図４０】IEEE802.11nのアンテナ選択用のトレーニングシーケンスを示す図である。
【図４１】MIMO伝送による通信容量の増大効果を示す図である。
【図４２】従来のMIMO技術を用いた無線通信システムを示すブロック図である。
【図４３】IEEE802.11nシステムにおけるスループットとサービスエリア半径の関係のシミュレーション結果を示す図である。
【図４４】従来技術による無線基地局の構成を示すブロック図である。
【図４５】従来技術による無線基地局の他の構成を示すブロック図である。
【図４６】従来のMIMO技術および本発明における初期捕捉段階における受信レベル分布の比較を示す図である。
【手続補正３】
【補正対象書類名】明細書
【補正対象項目名】０１０９
【補正方法】変更
【補正の内容】
【０１０９】
無線通信装置Aは、まず、無線通信装置Bに具備されたQ個のアンテナ群Bｎ１〜BｎＮから送信された最初のトレーニングフレーム1を、無線通信装置Aに具備されたP個のアンテナ群Aｋ１〜AｋＭで受信し、トレーニングフレーム1に対するACKを返信する。無線通信装置Bに具備されたQ個のアンテナ群Bｎ１〜BｎＮはそれぞれ、N本のアンテナBｎ１,Bｎ２,・・・,BｎＮからなり、アンテナ群Bｎ１〜BｎＮ毎にN個の信号波が送信される。無線通信装置A に具備されたP個のアンテナ群Aｋ１〜AｋＭはそれぞれ、M本のアンテナAｋ１,Aｋ２,・・・,AｋＭからなり、アンテナ群Aｋ１〜AｋＭ毎にM個の信号波の合成波が受信される。
【手続補正４】
【補正対象書類名】明細書
【補正対象項目名】０１１３
【補正方法】変更
【補正の内容】
【０１１３】
次に、各アンテナ群Aｋ１〜AｋＭにおいて、1つのアンテナ、例えばアンテナAｋ１の信号に対する複素ウエイトWＡｋ１だけを先の複素ウエイトの最適値WＡｋ１から反転(0⇔1)させる。この新しい複素ウエイトWＡｋ１,WＡｋ２,・・・,WＡｋＭを用いて、引き続くトレーニングフレーム2-1をダイバーシチ受信し、このときの各アンテナ群Aｋ１〜AｋＭにおける受信状態が先の複素ウエイトの最適値WＡｋ１,WＡｋ２,・・・,WＡｋＭを用いた時より改善されたどうかを調べる。
【手続補正５】
【補正対象書類名】明細書
【補正対象項目名】０１１４
【補正方法】変更
【補正の内容】
【０１１４】
このときの受信状態が先の複素ウエイトの最適値WＡｋ１,WＡｋ２,・・・,WＡｋＭを用いた時より改善されていなければ、先の複素ウエイトの最適値WＡｋ１,WＡｋ２,・・・,WＡｋＭをそのまま保持し、改善されていれば、複素ウエイトの最適値WＡｋ１,WＡｋ２,・・・,WＡｋＭを今回のものに更新して保持する。以上により、当該アンテナ群Aｋ１〜AｋＭにおけるアンテナAｋ１の信号に対する複素ウエイトの最適値WＡｋ１を決定する。
【手続補正６】
【補正対象書類名】明細書
【補正対象項目名】０１２４
【補正方法】変更
【補正の内容】
【０１２４】
今度は、無線通信装置Bが、無線通信装置AのP個のアンテナ群Aｋ１〜AｋＭから送信されたトレーニングフレーム1,2-1〜2-Nを受信し、各アンテナ群Bｎ１〜BｎＮを構成する各アンテナBｎ１,Bｎ２,・・・,BｎＮの信号に対する複素ウエイトの最適値WＢｎ１,WＢｎ２,・・・,WＢｎＮを順次決定する。
【手続補正７】
【補正対象書類名】明細書
【補正対象項目名】０１３２
【補正方法】変更
【補正の内容】
【０１３２】
S4での比較結果がPＡｋｉ＞PＡｋ，ＭＡＸでなければ、複素ウエイトの最適値WＡｋを更新せずに、S6に進む。S6では、変数iを1だけインクリメントする(i←i+1)。次に、変数iがアンテナ数M以下か否かを判定する(S7)。S7で、変数iがアンテナ数M以下と判定されれば、S2に戻って処理を繰り返し、変数iがアンテナ数M以下でないと判定されれば、変数iにi-Mを代入(i←i-M)、すなわち変数iを再び1とした後、S2に戻って処理を繰り返す。
【手続補正８】
【補正対象書類名】明細書
【補正対象項目名】０１３３
【補正方法】変更
【補正の内容】
【０１３３】
以上のフローにより、各アンテナ群Aｋ１〜AｋＭを構成する各アンテナAｋ１,Aｋ２,・・・,AｋＭの信号に対する複素ウエイトWＡｋ１,WＡｋ２,・・・,WＡｋＭを、最初のトレーニングフレーム1に続くトレーニングフレームを受信する度に1つずつ最適化できる。したがって、アンテナ数がMの場合、少なくとも(M+1)個のトレーニングフレームのダイバーシチ受信により各アンテナ群Aｋ１〜AｋＭにおける複素ウエイトWＡｋ=(WＡｋ１,WＡｋ２,・・・,WＡｋＭ)を最適化できる。なお、以上のフローにより、各アンテナ群Aｋ１〜AｋＭを構成する各アンテナAｋ１,Aｋ２,・・・,AｋＭの信号のベクトルの向きを合わせて最適化することはできるが、これだけでは、各アンテナ群でダイバーシチ受信された受信信号のベクトルの向きを合わせることはできない。無線通信装置Aでの受信においては、送受信回路13-1〜13-Pから出力されるベースバンド受信IQ情報におけるベクトルの向きのばらつきは、直後の空間デマッピング部14において補償され、同一向きに揃えられた上でダイバーシチ合成される。しかし、無線通信装置Aからの送信においては、送受信回路13-1〜13-Pには同一向きのベクトルの送信信号が印加されるので、無線通信装置Bでの受信においては、無線通信装置Aの各アンテナ群からの信号が必ずしも同相で合成されない。このため、さらに、各アンテナ群でダイバーシチ受信された受信信号のベクトルの向きを合わせる処理を行ってもよい。例えば、トレーニング信号として同一フレームの複数シンボルを使用する場合には、送受信回路13-1〜13-Pから出力されるベースバンド受信IQ情報が右半平面内（I>0の領域）となるように当該アンテナ群の複素ウエイトに対して回転の処理を行ってもよい。具体的には、トレーニングフレーム１に対する当該アンテナ群でのベースバンド受信IQ情報が右半平面内にある場合には、以上のフローで求まったM個の複素ウエイトをそのまま使用し、左半平面にある場合にはM個の複素ウエイトを各々位相反転したものを複素ウエイトとして使用してもよい。
【手続補正９】
【補正対象書類名】明細書
【補正対象項目名】０２８４
【補正方法】変更
【補正の内容】
【０２８４】
これらP個の複素受信IQ信号は空間デマッピング部108およびビーム形成用ウエイト生成部30の両方に入力される。一方、受信レベル情報は、ビーム形成用ウエイト生成部30に入力される。受信レベル情報は、ダイバーシチ合成受信信号の各トレーニングフレームについての受信レベルに関連する情報ならば如何なるものでもよく、例えば、RSSI(Received Signal Strength Information)情報、あるいはそれをレベルに変換した情報、無線受信部36が備えるAGCアンプの利得、あるいはそれをレベルに変換した情報などを用いることができる。ただし、トレーニング信号として、同一フレームの複数のトレーニングシンボルを使用する場合には、受信レベル情報は複数のトレーニングシンボルで同一であるので、受信レベル情報を使用せず、P個の複素受信IQ信号だけを使用することもできる。空間デマッピング部108では、MIMOにおける処理、例えば、空間多重、時空間符号化、受信ダイバーシチ等に応じた処理が行われる。空間デマッピング部108から出力される複素受信IQ信号は時空間符号・復号部109に入力される。
【手続補正１０】
【補正対象書類名】明細書
【補正対象項目名】０２８５
【補正方法】変更
【補正の内容】
【０２８５】
時空間符号を使用する場合には、当該時空間符号に対する復号処理が行われ、その処理された信号が時空間符号・復号部109から出力される。時空間符号を使用しない場合には、時空間符号・復号部109に入力された複素受信IQ信号がそのまま出力される。
【手続補正１１】
【補正対象書類名】明細書
【補正対象項目名】０２８６
【補正方法】変更
【補正の内容】
【０２８６】
時空間符号・復号部109からの1つまたは複数の出力信号はそれぞれ、ベースバンド復調部110-1,110-2,・・・,110-Kに入力され、復調処理される。OFDM変調を用いる場合には、入力された複素受信IQ信号をシンボル毎に分割し、それぞれをフーリエ変換する。フーリエ変換で求まった各周波数成分をQAM復調したデータをパラレルシリアル変換して受信データ系列を得る。
【手続補正１２】
【補正対象書類名】明細書
【補正対象項目名】０３５６
【補正方法】変更
【補正の内容】
【０３５６】
以上の動作により、AP側の移相器設定が12（"1100"）に最適化され、STA1側の移相器設定が2（"0010"）に最適化された後、これらの移相器設定でAPとSTA1間での双方向のデータ伝送が行われる。
【手続補正１３】
【補正対象書類名】明細書
【補正対象項目名】０３６１
【補正方法】変更
【補正の内容】
【０３６１】
例えば、APは、アンテナ１に対する移相器設定を反転した13（"1101"）に変更してACKフレームを受信し、その受信レベルを調べる。移相器設定が5（"0101"）の場合の方が受信レベルは高いので、APは、移相器設定を5（"0101"）に戻して、さらにNull Dataを送信する。この後、APは、アンテナ２に対する移相器設定を反転した1（"0001"）に変更してACKフレームを受信し、その受信レベルを調べる。このときの受信レベルは移相器設定が5（"0101"）の場合よりも大きいので、移相器設定を1（"0001"）とし、次のNull Dataをこの移相器設定で送信する。この後、APは、アンテナ３に対する移相器設定を反転した3（"0011"）に変更してACKフレームを受信し、その受信レベルを調べる。移相器設定が1（"0001"）の場合の方が受信レベルは高いので、移相器設定を1（"0001"）に戻して、さらにNull Dataを送信する。この後、APは、アンテナ４に対する移相器設定を反転した0（"0000"）に変更してACKフレームを受信し、その受信レベルを調べる。本例では、移相器設定が1（"0001"）のとき受信レベルが最大であるのでり、APは、移相器設定1（"0001"）を用いて引き続くトレーニング信号送信およびデータの送受信を行う。
【手続補正書】
【提出日】平成22年7月2日(2010.7.2)
【手続補正１】
【補正対象書類名】特許請求の範囲
【補正対象項目名】全文
【補正方法】変更
【補正の内容】
【特許請求の範囲】
【請求項１】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信方法において、
送受信を行う無線通信装置間での双方向のトレーニング信号の伝送を通じて、各無線通信装置において、前記アンテナ群毎にダイバーシチ受信状態を最良化するための前記各アンテナ群を構成する複数のアンテナの各々の信号に対するダイバーシチ合成情報をそれらの最適値として各々決定する第１のステップと、
前記第１のステップにより決定された、前記各アンテナ群を構成する複数のアンテナの各々の信号に対するダイバーシチ合成情報の最適値を前記無線通信装置に各々設定する第２のステップと、
前記第２のステップによりダイバーシチ合成情報の最適値が設定された状態で、各無線通信装置が前記アンテナ群毎にデータ送受信時のビームフォーミングおよびダイバーシチ合成を行う第３のステップを有し、
前記第１のステップは、複数回の双方向のトレーニング信号のダイバーシチ受信において、各アンテナ群のダイバーシチ合成受信信号の受信状態を示すトレーニング受信情報に基づいて各アンテナ群のダイバーシチ受信状態を最良化するダイバーシチ合成情報を取得し、ダイバーシチ受信後に該ダイバーシチ合成情報でダイバーシチ合成情報を更新し、該更新されたダイバーシチ合成情報を設定してトレーニング信号を送信することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とるマルチアンテナを用いた無線通信方法。
【請求項２】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信方法において、
送受信を行う無線通信装置間での複数回の双方向のトレーニング信号の伝送を通じて、各無線通信装置において、前記アンテナ群毎にダイバーシチ受信状態を最良化するための前記各アンテナ群を構成する複数のアンテナの各々の信号に対するダイバーシチ合成情報をそれらの最適値として各々決定する第１のステップと、
前記第１のステップにより決定された、前記各アンテナ群を構成する複数のアンテナの各々の信号に対するダイバーシチ合成情報の最適値を前記無線通信装置に各々設定する第２のステップと、
前記第２のステップによりダイバーシチ合成情報の最適値が設定された状態で、各無線通信装置が前記アンテナ群毎にデータ送受信時のビームフォーミングおよびダイバーシチ合成を行う第３のステップを有し、
前記トレーニング信号は、複数のトレーニングサブ信号からなり、
前記第１のステップは、前記トレーニングサブ信号のダイバーシチ受信に際し、無線通信装置に具備された各アンテナ群を構成する複数のアンテナの各々の信号に対するダーバーシチ合成情報の１つを順次変更し、変更の前後でのダイバーシチ合成受信信号の受信状態が良好な方のダーバーシチ合成情報で当該アンテナ群を構成する複数のアンテナの各々の信号に対するダイバーシチ合成情報を更新し、該更新されたダイバーシチ合成情報を設定してトレーニング信号を送信することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信方法。
【請求項３】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信方法において、
送受信を行う無線通信装置間での複数回は複数回の双方向のトレーニング信号伝送を通じて、各無線通信装置において、前記アンテナ群毎にダイバーシチ受信状態を最良化するための前記各アンテナ群を構成する複数のアンテナの各々の信号に対するダイバーシチ合成情報をそれらの最適値として各々決定する第１のステップと、
前記第１のステップにより決定された、前記各アンテナ群を構成する複数のアンテナの各々の信号に対するダイバーシチ合成情報の最適値を前記無線通信装置に各々設定する第２のステップと、
前記第２のステップによりダイバーシチ合成情報の最適値が設定された状態で、各無線通信装置が前記アンテナ群毎にデータ送受信時のビームフォーミングおよびダイバーシチ合成を行う第３のステップを有し、
前記トレーニング信号は、複数のトレーニングサブ信号からなり、
前記第１のステップは、前記複数のトレーニングサブ信号のダイバーシチ受信に際し、無線通信装置に具備された各アンテナ群を構成する複数のアンテナの各々の信号に対するダイバーシチ合成情報を順次変更し、各ダイバーシチ合成情報に対応した受信状態を示すトレーニング受信情報に基づき、各アンテナ群のダイバーシチ合成受信信号の受信状態を最良化するダイバーシチ合成情報を決定し、ダイバーシチ受信後に該ダイバーシチ合成情報で各アンテナ群を構成する複数のアンテナの各々の信号に対するダイバーシチ合成情報を更新し、該更新されたダイバーシチ合成情報を設定してトレーニング信号を送信することにより、送受信を行う無線通信装置の１組のアンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信方法。
【請求項４】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信方法において、
送受信を行う無線通信装置間での複数回の双方向のトレーニング信号の伝送を通じて、各無線通信装置において、前記アンテナ群毎にダイバーシチ受信状態を最良化するための前記各アンテナ群を構成する複数のアンテナの各々の信号に対するダイバーシチ合成情報をそれらの最適値として各々決定する第１のステップと、
前記第１のステップにより決定された、前記各アンテナ群を構成する複数のアンテナの各々の信号に対するダイバーシチ合成情報の最適値を前記無線通信装置に各々設定する第２のステップと、
前記第２のステップによりダイバーシチ合成情報の最適値が設定された状態で、各無線通信装置が前記アンテナ群毎にデータ送受信時のビームフォーミングおよびダイバーシチ合成を行う第３のステップを有し、
前記トレーニング信号は、複数のトレーニングサブ信号からなり、
前記第１のステップは、前記複数のトレーニングサブ信号のダイバーシチ受信に際し、無線通信装置に具備された各アンテナ群を構成する複数のアンテナの各々の信号に対するダーバーシチ合成情報を順次変更し、各ダイバーシチ合成情報に対応した受信状態を示すトレーニング受信情報に基づき、各アンテナ群のダイバーシチ合成受信信号の受信状態を最良化する合成ウエイト情報を決定し、ダイバーシチ受信後に該ダイバーシチ受信の合成ウェイト情報でダイバーシチ合成情報を更新し、該更新されたダイバーシチ合成情報を設定してトレーニング信号を送信することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とるマルチアンテナを用いた無線通信方法。
【請求項５】
前記トレーニング受信情報は、ダイバーシチ合成受信信号のベースバンド受信ＩＱ情報もしくはベースバンド受信ＩＱ情報および受信レベル情報の両方であることを特徴とする請求項１、３、４のいずれかに記載のマルチアンテナを用いた無線通信方法。
【請求項６】
前記トレーニング受信情報は、ダイバーシチ合成受信信号と予め定められた情報系列の相関情報もしくは該相関情報と受信レベル情報の両方であることを特徴とする請求項１、３、４のいずれかに記載のマルチアンテナを用いた無線通信方法。
【請求項７】
前記ダイバーシチ合成情報が１ビット情報であり、前記第１のステップは、相手側無線通信装置からの(自無線通信装置のアンテナ数＋１)回のトレーニングサブ信号受信により各アンテナ群を構成する複数のアンテナの各々の信号に対するダイバーシチ合成情報の最適値を決定することを特徴とする請求項２に記載のマルチアンテナを用いた無線通信方法。
【請求項８】
前記ダイバーシチ合成情報がｎビット情報（ｎは２以上の自然数）であり、前記第１のステップは、相手側無線通信装置からの(自無線通信装置のアンテナ数＋１)回のトレーニングサブ信号受信により各アンテナ群を構成する複数のアンテナの各々の信号に対するダイバーシチ合成情報の最適値を決定することを特徴とする請求項３または４に記載のマルチアンテナを用いた無線通信方法。
【請求項９】
前記トレーニング信号は、複数のトレーニングサブ信号として少なくとも(自無線通信装置のアンテナ数＋１)個のフレームを含み、前記各アンテナ群において、この２番目以降のフレームを、当該アンテナ群を構成する複数のアンテナの各々の信号に対するダイバーシチ合成情報を順次変更して受信することを特徴とする請求項２ないし４のいずれかに記載のマルチアンテナを用いた無線通信方法。
【請求項１０】
前記トレーニング信号は、複数のトレーニングサブ信号として少なくとも(自無線通信装置のアンテナ数＋１)個のシンボルを含み、前記各アンテナ群において、この２番目以降のシンボルを、当該アンテナ群を構成する複数のアンテナの各々の信号に対するダイバーシチ合成情報を順次変更して受信することを特徴とする請求項２ないし４のいずれかに記載のマルチアンテナを用いた無線通信方法。
【請求項１１】
前記第１のステップは、直前の双方向のトレーニング信号の伝送を通じてダイバーシチ合成情報の最適値が設定されている場合には、前記各アンテナ群において、このダイバーシチ合成情報の最適値を初期値として新たにダイバーシチ合成情報の最適値を決定し、ダイバーシチ合成情報の最適値が設定されていない場合にはランダムな初期値を用いて新たにダイバーシチ合成情報の最適値を決定することを特徴とする請求項１ないし４のいずれかに記載のマルチアンテナを用いた無線通信方法。
【請求項１２】
一方の無線通信装置には直前の双方向のトレーニング信号の伝送を通じてダイバーシチ合成情報の最適値が設定されているが、もう一方の無線通信装置にはダイバーシチ合成情報の最適値が設定されていない場合において、次のトレーニング信号の伝送をダイバーシチ合成情報の最適値が設定されている方の無線通信装置から開始することを特徴とする請求項１ないし４のいずれかに記載のマルチアンテナを用いた無線通信方法。
【請求項１３】
複数の無線通信装置と無線通信を行う基地局側の無線通信装置における前記第１のステップでは、常にランダムな初期値を用いてダイバーシチ合成情報の最適値の決定を行い、基地局と無線通信を行う端末側の無線通信装置における前記第１のステップでは、直前の双方向のトレーニング信号の伝送を通じてダイバーシチ合成情報の最適値が設定されている場合には、このダイバーシチ合成情報の最適値を初期値として新たにダイバーシチ合成情報の最適値を決定し、ダイバーシチ合成情報の最適値が設定されていない場合にはランダムな初期値を用いて新たにダイバーシチ合成情報の最適値を決定することを特徴とする請求項１ないし４のいずれかに記載のマルチアンテナを用いた無線通信方法。
【請求項１４】
複数の無線通信装置と無線通信を行う基地局側の無線通信装置からのブロードキャストフレームもしくはマルチキャストフレームの送信では、互いに異なる複数のダイバーシチ合成情報を用いて、同一フレームを複数回送信することを特徴とする請求項１ないし４のいずれかに記載のマルチアンテナを用いた無線通信方法。
【請求項１５】
複数の無線通信装置と無線通信を行う基地局側の無線通信装置からのブロードキャストフレームもしくはマルチキャストフレームの送信では、前記複数の無線通信装置の各々に対して、双方向のトレーニング信号の伝送を通じて、前記第１のステップにより決定され、前記第２のステップにより設定されたダイバーシチ合成情報の最適値を用いて、ブロードキャストフレーム、もしくはマルチキャストフレームを各々送信することを特徴とする請求項１ないし４のいずれかに記載のマルチアンテナを用いた無線通信方法。
【請求項１６】
複数の無線通信装置と無線通信を行う基地局側の無線通信装置における前記第１のステップでは、直前の双方向のトレーニング信号の伝送において決定されたダイバーシチ合成情報の最適値を、当該基地局と無線通信を行う端末側の無線通信装置ごとに記憶しておき、これを初期値として、トレーニングサブ信号の受信における前記複数のアンテナの各々の信号に対するダイバーシチ合成情報を順次変更し、これに対するダイバーシチ受信状態に基づいてダイバーシチ合成情報の最適値を決定することを特徴とする請求項２ないし４のいずれかに記載のマルチアンテナを用いた無線通信方法。
【請求項１７】
前記第２のステップは、各ダイバーシチ合成情報の最適値をＲＦ帯において前記無線通信装置に各々設定することを特徴とする請求項１ないし４のいずれかに記載のマルチアンテナを用いた無線通信方法。
【請求項１８】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信システムにおいて、
送受信を行う無線通信装置間での双方向のトレーニング信号の伝送を通じて、各無線通信装置において、前記アンテナ群毎にダイバーシチ受信状態を最良化するための前記各アンテナ群を構成する複数のアンテナの各々の信号に対するダイバーシチ合成情報をそれらの最適値として各々決定する第１の手段と、
前記第１の手段により決定された、前記各アンテナ群を構成する複数のアンテナの各々の信号に対するダイバーシチ合成情報の最適値を前記無線通信装置に各々設定する第２の手段と、
前記第２の手段によりダイバーシチ合成情報の最適値が設定された状態で、各無線通信装置が前記アンテナ群毎にデータ送受信時のビームフォーミングおよびダイバーシチ合成を行う第３の手段を有し、
前記第１の手段は、複数回の双方向のトレーニング信号のダイバーシチ受信において、各アンテナ群のダイバーシチ合成受信信号の受信状態を示すトレーニング受信情報に基づいてダイバーシチ受信状態を最良化するダイバーシチ合成情報を取得し、ダイバーシチ受信後に該ダイバーシチ合成情報でダイバーシチ合成情報を更新し、該更新されたダイバーシチ合成情報を設定してトレーニング信号を送信することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とるマルチアンテナを用いた無線通信システム。
【請求項１９】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信システムにおいて、
送受信を行う各無線通信装置は、
相手側無線通信装置との間での複数回の双方向のトレーニング信号の伝送を通じて、前記アンテナ群毎にダイバーシチ受信状態を最良化するための前記各アンテナ群を構成する複数のアンテナの各々の信号に対するダイバーシチ合成情報をそれらの最適値として各々決定する第１の手段と、
前記第１の手段により決定された、前記各アンテナ群を構成する複数のアンテナの各々の信号に対するダイバーシチ合成情報の最適値を設定する第２の手段と、
前記第２の手段によりダイバーシチ合成情報の最適値が設定された状態で、前記アンテナ群毎にデータ送受信時のビームフォーミングおよびダイバーシチ合成を行う第３の手段を備え、
前記トレーニング信号は、複数のトレーニングサブ信号からなり、
前記第１の手段は、前記トレーニングサブ信号のダイバーシチ受信に際し、無線通信装置に具備された各アンテナ群を構成する複数のアンテナの各々の信号に対するダーバーシチ合成情報の１つを順次変更し、変更の前後でのダイバーシチ合成受信信号の受信状態が良好な方のダーバーシチ合成情報で当該アンテナ群を構成する複数のアンテナの各々の信号に対するダイバーシチ合成情報を更新し、該更新されたダイバーシチ合成情報を設定してトレーニング信号を送信することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信システム。
【請求項２０】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信システムにおいて、
送受信を行う各無線通信装置は、
相手側無線通信装置との間での複数回の双方向のトレーニング信号の伝送を通じて、前記アンテナ群毎にダイバーシチ受信状態を最良化するための前記各アンテナ群を構成する複数のアンテナの各々の信号に対するダイバーシチ合成情報をそれらの最適値として各々決定する第１の手段と、
前記第１の手段により決定された、前記各アンテナ群を構成する複数のアンテナの各々の信号に対するダイバーシチ合成情報の最適値を設定する第２の手段と、
前記第２の手段によりダイバーシチ合成情報の最適値が設定された状態で、前記アンテナ群毎にデータ送受信時のビームフォーミングおよびダイバーシチ合成を行う第３の手段を備え、
前記トレーニング信号は、複数のトレーニングサブ信号からなり、
前記第１の手段は、前記複数のトレーニングサブ信号のダイバーシチ受信に際し、無線通信装置に具備された各アンテナ群を構成する複数のアンテナの各々の信号に対するダイバーシチ合成情報を順次変更し、各ダイバーシチ合成情報に対応した受信状態を示すトレーニング受信情報に基づき、各アンテナ群のダイバーシチ合成受信信号の受信状態を最良化するダイバーシチ合成情報を決定し、ダイバーシチ受信後に該ダイバーシチ合成情報で各アンテナ群を構成する複数のアンテナの各々の信号に対するダイバーシチ合成情報を更新し、該更新されたダイバーシチ合成情報を設定してトレーニング信号を送信することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信システム。
【請求項２１】
送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信システムにおいて、
送受信を行う各無線通信装置は、
相手側無線通信装置との間での複数回の双方向のトレーニング信号の伝送を通じて、前記アンテナ群毎にダイバーシチ受信状態を最良化するための前記各アンテナ群を構成する複数のアンテナの各々の信号に対するダイバーシチ合成情報をそれらの最適値として各々決定する第１の手段と、
前記第１の手段により決定された、前記各アンテナ群を構成する複数のアンテナの各々の信号に対するダイバーシチ合成情報の最適値を設定する第２の手段と、
前記第２の手段によりダイバーシチ合成情報の最適値が設定された状態で、前記アンテナ群毎にデータ送受信時のビームフォーミングおよびダイバーシチ合成を行う第３の手段を備え、
前記トレーニング信号は、複数のトレーニングサブ信号からなり、
前記第１の手段は、前記複数のトレーニングサブ信号のダイバーシチ受信に際し、無線通信装置に具備された各アンテナ群を構成する複数のアンテナの各々の信号に対するダイバーシチ合成情報を順次変更し、各ダイバーシチ合成情報に対応した受信状態を示すトレーニング受信情報に基づき、各アンテナ群のダイバーシチ合成受信信号の受信状態を最良化するダイバーシチ合成情報を決定し、ダイバーシチ受信後に該ダイバーシチ受信の合成ウエイト情報で各アンテナ群を構成する複数のアンテナの各々の信号に対するダイバーシチ合成情報を更新し、該更新されたダイバーシチ合成情報を設定してトレーニング信号を送信することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信システム。
【請求項２２】
前記トレーニング受信情報は、ダイバーシチ合成受信信号のベースバンド受信ＩＱ情報もしくはベースバンド受信ＩＱ情報および受信レベル情報の両方であることを特徴とする請求項１８、２０、２１のいずれかに記載のマルチアンテナを用いた無線通信システム。
【請求項２３】
前記トレーニング受信情報は、ダイバーシチ合成受信信号と予め定められた情報系列の相関情報もしくは該相関情報と受信レベル情報の両方であることを特徴とする請求項１８、２０、２１のいずれかに記載のマルチアンテナを用いた無線通信システム。
【請求項２４】
前記ダイバーシチ合成情報が１ビット情報であり、前記第１の手段は、相手側無線通信装置からの(自無線通信装置のアンテナ数＋１)回のトレーニングサブ信号受信により各アンテナ群を構成する複数のアンテナの各々の信号に対するダイバーシチ合成情報の最適値を決定することを特徴とする請求項１９に記載のマルチアンテナを用いた無線通信システム。
【請求項２５】
前記ダイバーシチ合成情報がｎビット情報（ｎは２以上の自然数）であり、前記第１の手段は、相手側無線通信装置からの(自無線通信装置のアンテナ数＋１)回のトレーニングサブ信号受信により各アンテナ群を構成する複数のアンテナの各々の信号に対するダイバーシチ合成情報の最適値を決定することを特徴とする請求項２０または２１に記載のマルチアンテナを用いた無線通信システム。
【請求項２６】
前記トレーニング信号は、複数のトレーニングサブ信号として少なくとも(自無線通信装置のアンテナ数＋１)個のフレームを含み、前記各アンテナ群において、この２番目以降のフレームを、当該アンテナ群を構成する複数のアンテナの各々の信号に対するダイバーシチ合成情報を順次変更して受信することを特徴とする請求項１９ないし２１のいずれかに記載のマルチアンテナを用いた無線通信システム。
【請求項２７】
前記トレーニング信号は、複数のトレーニングサブ信号として少なくとも(自無線通信装置のアンテナ数＋１)個のシンボルを含み、前記各アンテナ群において、この２番目以降のシンボルを、当該アンテナ群を構成する複数のアンテナの各々の信号に対するダイバーシチ合成情報を順次変更して受信することを特徴とする請求項１９ないし２１のいずれかに記載のマルチアンテナを用いた無線通信システム。
【請求項２８】
前記第１の手段は、直前の双方向のトレーニング信号の伝送を通じてダイバーシチ合成情報の最適値が設定されている場合には、このダイバーシチ合成情報の最適値を初期値として新たにダイバーシチ合成情報の最適値を決定し、ダイバーシチ合成情報の最適値が設定されていない場合にはランダムな初期値を用いて新たにダイバーシチ合成情報の最適値を決定することを特徴とする請求項１８ないし２１のいずれかに記載のマルチアンテナを用いた無線通信システム。
【請求項２９】
一方の無線通信装置には直前の双方向のトレーニング信号の伝送を通じてダイバーシチ合成情報の最適値が設定されているが、もう一方の無線通信装置にはダイバーシチ合成情報の最適値が設定されていない場合において、次のトレーニング信号の伝送をダイバーシチ合成情報の最適値が設定されている方の無線通信装置から開始することを特徴とする請求項１８ないし２１のいずれかに記載のマルチアンテナを用いた無線通信システム。
【請求項３０】
複数の無線通信装置と無線通信を行う基地局側の無線通信装置における前記第１の手段では、常にランダムな初期値を用いてダイバーシチ合成情報の最適値の決定を行い、基地局と無線通信を行う端末側の無線通信装置における前記第１の手段では、直前の双方向のトレーニング信号の伝送を通じてダイバーシチ合成情報の最適値が設定されている場合には、このダイバーシチ合成情報の最適値を初期値として新たにダイバーシチ合成情報の最適値を決定し、ダイバーシチ合成情報の最適値が設定されていない場合にはランダムな初期値を用いて新たにダイバーシチ合成情報の最適値を決定することを特徴とする請求項１８ないし２１のいずれかに記載のマルチアンテナを用いた無線通信システム。
【請求項３１】
複数の無線通信装置と無線通信を行う基地局側の無線通信装置からのブロードキャストフレームもしくはマルチキャストフレームの送信では、互いに異なる複数のダイバーシチ合成情報を用いて、同一フレームを複数回送信することを特徴とする請求項１８ないし２１のいずれかに記載のマルチアンテナを用いた無線通信システム。
【請求項３２】
複数の無線通信装置と無線通信を行う基地局側の無線通信装置からのブロードキャストフレームもしくはマルチキャストフレームの送信では、前記複数の無線通信装置の各々に対して、双方向のトレーニング信号の伝送を通じて、前記第１の手段により決定され、前記第２の手段により設定されたダイバーシチ合成情報の最適値を用いて、ブロードキャストフレーム、もしくはマルチキャストフレームを各々送信することを特徴とする請求項１８ないし２１のいずれかに記載のマルチアンテナを用いた無線通信システム。
【請求項３３】
複数の無線通信装置と無線通信を行う基地局側の無線通信装置における前記第１の手段では、直前の双方向のトレーニング信号の伝送において決定されたダイバーシチ合成情報の最適値を、当該基地局と無線通信を行う端末側の無線通信装置ごとに記憶しておき、これを初期値として、各トレーニングサブ信号の受信における前記複数のアンテナの各々の信号に対するダイバーシチ合成情報を順次変更し、これらに対するダイバーシチ受信状態に基づいてダイバーシチ合成情報の最適値を決定することを特徴とする請求項１９ないし２１のいずれかに記載のマルチアンテナを用いた無線通信システム。
【請求項３４】
前記第２の手段は、各ダイバーシチ合成情報の最適値をＲＦ帯において前記無線通信装置に各々設定するすることを特徴とする請求項１８ないし２１のいずれかに記載のマルチアンテナを用いた無線通信システム。
【請求項３５】
請求項１に記載のマルチアンテナを用いた無線通信方法を実行するために用いられるマルチアンテナを用いた無線通信装置であって、
アンテナ群を構成する複数のアンテナの各々の信号に対するダイバーシチ合成情報を生成するダイバーシチ合成情報生成手段と、
前記ダイバーシチ合成情報生成手段により生成されたダイバーシチ合成情報に基づいて前記各アンテナ群を構成する複数のアンテナの各々の信号の振幅および位相を制御するダイバーシチ合成情報設定手段と、
前記ダイバーシチ合成情報設定手段との組み合わせにより前記アンテナ群毎にビームフォーミング送信およびダイバーシチ受信を行う信号分配合成手段を備え、
前記ダイバーシチ合成情報生成手段は、
前記各アンテナ群を構成する複数のアンテナの各々の信号に対する初期捕捉用ダイバーシチ合成情報を出力し、初期状態からダイバーシチ合成情報の最適値への引き込みを可能にする初期捕捉用ダイバーシチ合成情報生成手段と、
相手側無線通信装置との間での双方向のトレーニング信号の伝送でのダイバーシチ受信に際し、前記各アンテナ群を構成する複数のアンテナの各々の信号に対するダイバーシチ合成情報を順次変更して生成するトレーニング用ダイバーシチ合成情報生成手段と、
前記ダイバーシチ合成情報生成手段により生成された各ダイバーシチ合成情報が各々設定された状態でダイバーシチ受信されるトレーニング信号の受信状態を示すトレーニング受信情報に基づいてダイバーシチ受信状態を最良化するダイバーシチ合成情報をダイバーシチ合成情報の最適値として決定し、データ送受信時のビームフォーミングおよびダイバーシチ合成のためのダイバーシチ合成情報の最適値を生成するダイバーシチ合成情報最適値生成手段を備え、
複数回の双方向のトレーニング信号のダイバーシチ受信において、前記ダイバーシチ合成情報生成手段により生成された各ダーバーシチ合成情報が各々設定された状態でダイバーシチ受信されるトレーニング受信情報に基づいてダイバーシチ合成受信信号の受信状態を最良化するダイバーシチ合成情報を取得し、ダイバーシチ受信後に該ダイバーシチ合成情報でダイバーシチ合成情報を更新し、該更新されたダイバーシチ合成情報を設定してトレーニング信号を送信することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信装置。
【請求項３６】
請求項２に記載のマルチアンテナを用いた無線通信方法を実行するために用いられるマルチアンテナを用いた無線通信装置であって、
アンテナ群を構成する複数のアンテナの各々の信号に対するダイバーシチ合成情報を生成するダイバーシチ合成情報生成手段と、
前記ダイバーシチ合成情報生成手段により生成されたダイバーシチ合成情報に基づいて前記各アンテナ群を構成する複数のアンテナの各々の信号の振幅および位相を制御するダイバーシチ合成情報設定手段と、
前記ダイバーシチ合成情報設定手段との組み合わせにより前記アンテナ群毎にビームフォーミング送信およびダイバーシチ受信を行う信号分配合成手段を備え、
前記ダイバーシチ合成情報生成手段は、
前記アンテナ群を構成する複数のアンテナの各々の信号に対する初期捕捉用ダイバーシチ合成情報を生成し、初期状態からダイバーシチ合成情報の最適値への引き込みを可能にする初期捕捉用ダイバーシチ合成情報生成手段と、
相手側無線通信装置との間での複数回の双方向のトレーニング信号の伝送でのダイバーシチ受信に際し、前記各アンテナ群を構成する複数のアンテナの各々の信号に対するダイバーシチ合成情報を順次変更して生成するトレーニング用ダイバーシチ合成情報生成手段と、
前記ダイバーシチ合成情報生成手段により生成された各ダイバーシチ合成情報が各々設定された状態でダイバーシチ受信されるトレーニング信号の受信状態を示す情報に基づいて各設定におけるダイバーシチ受信状態を判定する受信状態判定手段と、
前記受信状態判定手段により判定されたダイバーシチ受信状態を最良化するダイバーシチ合成情報をダイバーシチ合成情報の最適値として決定し、データ送受信時のビームフォーミングおよびダイバーシチ合成のためのダイバーシチ合成情報の最適値を生成するダイバーシチ合成情報最適値生成手段を備え、
前記トレーニング信号は、複数のトレーニングサブ信号からなり、
前記トレーニングサブ信号のダイバーシチ受信に際し、無線通信装置に具備された各アンテナ群を構成する複数のアンテナの各々の信号に対するダイバーシチ合成情報の１つを順次変更し、変更前後でのダーバーシチ合成受信信号の受信状態が良好な方のダイバーシチ合成情報で当該アンテナ群を構成する複数のアンテナの各々の信号に対するダイバーシチ合成情報を更新し、該更新されたダイバーシチ合成情報を設定してトレーニング信号を送信することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信装置。
【請求項３７】
請求項３に記載のマルチアンテナを用いた無線通信方法を実行するために用いられるマルチアンテナを用いた無線通信装置であって、
アンテナ群を構成する複数のアンテナの各々の信号に対するダイバーシチ合成情報を生成するダイバーシチ合成情報生成手段と、
前記ダイバーシチ合成情報生成手段により生成されたダイバーシチ合成情報に基づいて前記各アンテナ群を構成する複数のアンテナの各々の信号の振幅および位相を制御するダイバーシチ合成情報設定手段と、
前記ダイバーシチ合成情報設定手段との組み合わせにより前記アンテナ群毎にビームフォーミング送信およびダイバーシチ受信を行う信号分配合成手段を備え、
前記ダイバーシチ合成情報生成手段は、
前記アンテナ群を構成する複数のアンテナの各々の信号に対する初期捕捉用ダイバーシチ合成情報を生成し、初期状態からダイバーシチ合成情報の最適値への引き込みを可能にする初期捕捉用ダイバーシチ合成情報生成手段と、
相手側無線通信装置との間での複数回の双方向のトレーニング信号の伝送でのダイバーシチ受信に際し、前記各アンテナ群を構成する複数のアンテナの各々の信号に対するダイバーシチ合成情報を順次変更して生成するトレーニング用ダイバーシチ合成情報生成手段と、
前記ダイバーシチ合成情報生成手段により生成された各ダイバーシチ合成情報が各々設定された状態でダイバーシチ受信されるトレーニング信号の受信状態を示すトレーニング受信情報を保持するトレーニング受信情報保持手段と、
前記トレーニング受信状態保持手段により保持されたトレーニング受信情報に基づいてダイバーシチ合成受信信号の受信状態を最良化するダイバーシチ合成情報をダイバーシチ合成情報の最適値として決定し、データ送受信時のビームフォーミングおよびダイバーシチ合成のためのダイバーシチ合成情報の最適値を生成するダイバーシチ合成情報最適値生成手段を備え、
前記トレーニング信号は、複数のトレーニングサブ信号からなり、
前記複数のトレーニングサブ信号のダイバーシチ受信に際し、無線通信装置に具備された各アンテナ群を構成する複数のアンテナの各々の信号に対するダイバーシチ合成情報を順次変更し、各ダーバーシチ合成情報に対応したトレーニング受信情報を取得して前記トレーニング受信情報保持手段に格納し、前記トレーニング受信情報保持手段に保持されたトレーニング受信情報に基づいてダイバーシチ合成受信信号の受信状態を最良化するダイバーシチ合成情報を決定し、ダイバーシチ受信後に該ダイバーシチ合成情報でダイバーシチ合成情報を更新し、該更新されたダイバーシチ合成情報を設定してトレーニング信号を送信することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信装置。
【請求項３８】
請求項４に記載のマルチアンテナを用いた無線通信方法を実行するために用いられるマルチアンテナを用いた無線通信装置であって、
アンテナ群を構成する複数のアンテナの各々の信号に対するダイバーシチ合成情報を生成するダイバーシチ合成情報生成手段と、
前記ダイバーシチ合成情報に基づいて前記アンテナ群を構成する複数のアンテナの各々の信号の振幅および位相を制御するダイバーシチ合成情報設定手段と、
前記ダイバーシチ合成情報設定手段との組み合わせにより前記アンテナ群毎にビームフォーミング送信およびダイバーシチ受信を行う信号分配合成手段とを備え、
前記ダイバーシチ合成情報生成手段は、
前記アンテナ群を構成する複数のアンテナの各々の信号に対する初期捕捉用ダイバーシチ合成情報を生成し、初期状態からダイバーシチ合成情報の最適値への引き込みを可能にする初期捕捉用ダイバーシチ合成情報生成手段と、
相手側無線通信装置との間での複数回の双方向のトレーニング信号の伝送でのダイバーシチ受信に際し、前記各アンテナ群を構成する複数のアンテナの各々の信号に対するダイバーシチ合成情報を順次変更して生成するトレーニング用ダイバーシチ合成情報生成手段と、
前記ダイバーシチ合成情報生成手段により生成された各ダイバーシチ合成情報が各々設定された状態でダイバーシチ受信されるトレーニング信号の受信状態を示すトレーニング受信情報を保持するトレーニング受信情報保持手段と、
前記トレーニング受信状態保持手段により保持されたトレーニング受信情報に基づいてダイバーシチ合成受信信号の受信状態を最良化する合成ウエイト情報をダイバーシチ合成情報の最適値として前記アンテナ群毎に決定し、データ送受信における前記アンテナ群毎のビームフォーミングおよびダイバーシチ合成のためのダイバーシチ合成情報の最適値を前記アンテナ群毎に生成するダイバーシチ合成情報最適値生成手段を備え、
前記トレーニング信号は、複数のトレーニングサブ信号からなり、
前記複数のトレーニングサブ信号のダイバーシチ受信に際し、無線通信装置に具備された各アンテナ群を構成する複数のアンテナの各々の信号に対するダイバーシチ合成情報を順次変更し、各ダーバーシチ合成情報に対応したトレーニング受信情報を取得して前記トレーニング受信情報保持手段に格納し、前記トレーニング受信情報保持手段に保持されたトレーニング受信情報に基づいてダイバーシチ合成受信信号の受信状態を最良化する合成ウエイト情報を決定し、ダイバーシチ受信後に該合成ウエイト情報でダイバーシチ合成情報を更新し、該更新されたダイバーシチ合成情報を設定してトレーニング信号を送信することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定することを特徴とするマルチアンテナを用いた無線通信装置。
【請求項３９】
前記トレーニング受信情報は、ダイバーシチ合成受信信号のベースバンド受信ＩＱ情報もしくはベースバンド受信ＩＱ情報および受信レベル情報の両方であることを特徴とする請求項３５、３７、３８のいずれかに記載のマルチアンテナを用いた無線通信システム。
【請求項４０】
前記トレーニング受信情報は、ダイバーシチ合成受信信号と予め定められた情報系列の相関情報もしくは該相関情報と受信レベル情報の両方であることを特徴とする請求項３５、３７、３８のいずれかに記載のマルチアンテナを用いた無線通信装置。
【請求項４１】
前記ダイバーシチ合成情報が１ビット情報であり、前記ダイバーシチ合成情報生成手段は、前記各アンテナ群を構成する複数のアンテナの各々の信号に対するダイバーシチ合成情報を順次位相反転して生成し、前記受信状態判定手段は、前記位相反転の前後での、前記トレーニング受信情報としての受信レベル情報を比較して前記アンテナ群毎のダイバーシチ受信状態を判定し、前記ダイバーシチ合成情報最適値生成手段は、前記受信状態判定手段により判定されたダイバーシチ受信状態に基づいて前記アンテナ群毎の当該複数のアンテナにおけるダイバーシチ合成情報の最適値を決定することを特徴とする請求項３６に記載のマルチアンテナを用いた無線通信装置。
【請求項４２】
前記ダイバーシチ合成情報がｎビット情報（ｎは２以上の自然数）であり、前記ダイバーシチ合成情報生成手段は、前記各アンテナ群を構成する複数のアンテナの各々の信号に対するダイバーシチ合成情報を順次位相反転して生成し、前記トレーニング受信情報保持手段は、前記位相反転の前後の、前記トレーニング受信情報としてのベースバンド受信ＩＱ情報もしくはベースバンド受信ＩＱ情報および受信レベル情報の両方を保持し、前記ダイバーシチ合成情報最適値生成手段は、前記トレーニング受信情報保持手段により保持されたトレーニング受信情報に基づいて前記アンテナ群毎の当該複数のアンテナにおけるダイバーシチ合成情報の最適値を決定することを特徴とする請求項３７または３８に記載のマルチアンテナを用いた無線通信装置。
【請求項４３】
前記ダイバーシチ合成情報生成手段は、直前の双方向のトレーニング信号の伝送を通じてダイバーシチ合成情報の最適値が設定されている場合には、このダイバーシチ合成情報の最適値を初期値として新たにダイバーシチ合成情報の最適値を決定し、ダイバーシチ合成情報の最適値が設定されていない場合にはランダムな初期値を用いて新たにダイバーシチ合成情報の最適値を決定することを特徴とする請求項３５ないし３８のいずれかに記載のマルチアンテナを用いた無線通信装置。
【請求項４４】
端末側の無線通信装置として機能するマルチアンテナを用いた無線通信装置であって、基地局側の無線通信装置との間のデータ送受信においてビームフォーミングおよびダイバーシチ合成を行うための直前の双方向のトレーニング信号の伝送において、最初のトレーニング信号の送信を行うことを特徴とする請求項３５ないし３８のいずれかに記載のマルチアンテナを用いた無線通信装置。
【請求項４５】
基地局側の無線通信装置として機能するマルチアンテナを用いた無線通信装置であって、前記ダイバーシチ合成情報生成手段において、直前に双方向のトレーニング信号の伝送を行った場合においても、そうでない場合においても常にランダムな初期値を用いて新たにダイバーシチ合成情報を決定することを特徴とする請求項３５ないし３８のいずれかに記載のマルチアンテナを用いた無線通信装置。
【請求項４６】
複数の無線通信装置と無線通信を行う基地局側の無線通信装置からのブロードキャストフレームもしくはマルチキャストフレームの送信では、互いに異なる複数のダイバーシチ合成情報を用いて、同一フレームを複数回送信することを特徴とする請求項３５ないし３８のいずれかに記載のマルチアンテナを用いた無線通信装置。
【請求項４７】
複数の無線通信装置と無線通信を行う基地局側の無線通信装置からのブロードキャストフレームもしくはマルチキャストフレームの送信では、前記複数の無線通信装置の各々に対して、双方向のトレーニング信号の伝送を通じて取得されたダイバーシチ合成情報の最適値を用いて、ブロードキャストフレーム、もしくはマルチキャストフレームを各々送信することを特徴とする請求項３５ないし３８のいずれかに記載のマルチアンテナを用いた無線通信装置。
【請求項４８】
複数の無線通信装置と無線通信を行う基地局側の無線通信装置において、双方向のトレーニング信号の伝送を通じて取得されたダイバーシチ合成情報の最適値を、当該基地局と無線通信を行う端末側の無線通信装置毎に記憶するためのダイバーシチ合成情報最適値記憶手段を備え、前記ダイバーシチ合成情報設定手段は、端末側の無線通信装置との間でのデータ送受信に先立ち、前記ダイバーシチ合成情報最適値記憶手段に保持された当該無線通信装置に対するダイバーシチ合成情報の最適値を設定することを特徴とする請求項３５ないし３８のいずれかに記載のマルチアンテナを用いた無線通信装置。
【請求項４９】
前記ダイバーシチ合成情報設定手段は、ＲＦ帯においてダイバーシチ合成情報を設定することを特徴とする請求項３５ないし３８のいずれかに記載のマルチアンテナを用いた無線通信装置。
【請求項５０】
前記受信状態判定手段は、前記各アンテナ群毎のダイバーシチ合成受信信号レベルあるいはAGCアンプの利得を指標としてダイバーシチ受信状態を判定することを特徴とする請求項３６に記載のマルチアンテナを用いた無線通信装置。
【請求項５１】
前記トレーニング信号が、前記トレーニングサブ信号として複数のフレームまたはシンボルを含み、前記ダイバーシチ合成情報最適値生成手段は、前記各アンテナ群毎の各フレームまたはシンボルのベースバンドＩＱ信号またはＩＦ信号の振幅を指標としてダイバーシチ合成受信信号の受信状態を判定することを特徴とする請求項３７または３８に記載のマルチアンテナを用いた無線通信装置。
【請求項５２】
前記ダイバーシチ合成情報設定手段および前記信号分配合成手段は、ＲＦ帯で動作しており、１つの送受信系統だけを用いてマルチアンテナでのビームフォーミング送信およびダイバーシチ受信を行うことを特徴とする請求項３５ないし３８のいずれかに記載のマルチアンテナを用いた無線通信装置。
【手続補正２】
【補正対象書類名】明細書
【補正対象項目名】００５３
【補正方法】変更
【補正の内容】
【００５３】
上記課題を解決するため、本発明の第１のマルチアンテナを用いた無線通信方法は、送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信方法であって、送受信を行う無線通信装置間での双方向のトレーニング信号の伝送を通じて、各無線通信装置において、前記アンテナ群毎にダイバーシチ受信状態を最良化するための前記各アンテナ群を構成する複数のアンテナの各々の信号に対するダイバーシチ合成情報をそれらの最適値として各々決定する第１のステップと、前記第１のステップにより決定された、前記各アンテナ群を構成する複数のアンテナの各々の信号に対するダイバーシチ合成情報の最適値を前記無線通信装置に各々設定する第２のステップと、前記第２のステップによりダイバーシチ合成情報の最適値が設定された状態で、各無線通信装置が前記アンテナ群毎にデータ送受信時のビームフォーミングおよびダイバーシチ合成を行う第３のステップを有し、前記第１のステップは、複数回の双方向のトレーニング信号のダイバーシチ受信において、各アンテナ群のダイバーシチ合成受信信号の受信状態を示すトレーニング受信情報に基づいて各アンテナ群のダイバーシチ受信状態を最良化するダイバーシチ合成情報を取得し、ダイバーシチ受信後に該ダイバーシチ合成情報でダイバーシチ合成情報を更新し、該更新されたダイバーシチ合成情報を設定してトレーニング信号を送信することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定する点に特徴がある。
【手続補正３】
【補正対象書類名】明細書
【補正対象項目名】００５４
【補正方法】変更
【補正の内容】
【００５４】
また、本発明の第２のマルチアンテナを用いた無線通信方法は、送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信方法であって、送受信を行う無線通信装置間での複数回の双方向のトレーニング信号の伝送を通じて、各無線通信装置において、前記アンテナ群毎にダイバーシチ受信状態を最良化するための前記各アンテナ群を構成する複数のアンテナの各々の信号に対するダイバーシチ合成情報をそれらの最適値として各々決定する第１のステップと、前記第１のステップにより決定された、前記各アンテナ群を構成する複数のアンテナの各々の信号に対するダイバーシチ合成情報の最適値を前記無線通信装置に各々設定する第２のステップと、前記第２のステップによりダイバーシチ合成情報の最適値が設定された状態で、各無線通信装置が前記アンテナ群毎にデータ送受信時のビームフォーミングおよびダイバーシチ合成を行う第３のステップを有し、前記トレーニング信号は、複数のトレーニングサブ信号からなり、前記第１のステップは、前記トレーニングサブ信号のダイバーシチ受信に際し、無線通信装置に具備された各アンテナ群を構成する複数のアンテナの各々の信号に対するダーバーシチ合成情報の１つを順次変更し、変更の前後でのダイバーシチ合成受信信号の受信状態が良好な方のダーバーシチ合成情報で当該アンテナ群を構成する複数のアンテナの各々の信号に対するダイバーシチ合成情報を更新し、該更新されたダイバーシチ合成情報を設定してトレーニング信号を送信することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定する点に特徴がある。
【手続補正４】
【補正対象書類名】明細書
【補正対象項目名】００５５
【補正方法】変更
【補正の内容】
【００５５】
また、本発明の第３のマルチアンテナを用いた無線通信方法は、送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信方法であって、送受信を行う無線通信装置間での複数回は複数回の双方向のトレーニング信号伝送を通じて、各無線通信装置において、前記アンテナ群毎にダイバーシチ受信状態を最良化するための前記各アンテナ群を構成する複数のアンテナの各々の信号に対するダイバーシチ合成情報をそれらの最適値として各々決定する第１のステップと、前記第１のステップにより決定された、前記各アンテナ群を構成する複数のアンテナの各々の信号に対するダイバーシチ合成情報の最適値を前記無線通信装置に各々設定する第２のステップと、前記第２のステップによりダイバーシチ合成情報の最適値が設定された状態で、各無線通信装置が前記アンテナ群毎にデータ送受信時のビームフォーミングおよびダイバーシチ合成を行う第３のステップを有し、前記トレーニング信号は、複数のトレーニングサブ信号からなり、前記第１のステップは、前記複数のトレーニングサブ信号のダイバーシチ受信に際し、無線通信装置に具備された各アンテナ群を構成する複数のアンテナの各々の信号に対するダイバーシチ合成情報を順次変更し、各ダイバーシチ合成情報に対応した受信状態を示すトレーニング受信情報に基づき、各アンテナ群のダイバーシチ合成受信信号の受信状態を最良化するダイバーシチ合成情報を決定し、ダイバーシチ受信後に該ダイバーシチ合成情報で各アンテナ群を構成する複数のアンテナの各々の信号に対するダイバーシチ合成情報を更新し、該更新されたダイバーシチ合成情報を設定してトレーニング信号を送信することにより、送受信を行う無線通信装置の１組のアンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定する点に特徴がある。
【手続補正５】
【補正対象書類名】明細書
【補正対象項目名】００５６
【補正方法】変更
【補正の内容】
【００５６】
さらに、本発明の第４のマルチアンテナを用いた無線通信方法は、送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信方法であって、送受信を行う無線通信装置間での複数回の双方向のトレーニング信号の伝送を通じて、各無線通信装置において、前記アンテナ群毎にダイバーシチ受信状態を最良化するための前記各アンテナ群を構成する複数のアンテナの各々の信号に対するダイバーシチ合成情報をそれらの最適値として各々決定する第１のステップと、前記第１のステップにより決定された、前記各アンテナ群を構成する複数のアンテナの各々の信号に対するダイバーシチ合成情報の最適値を前記無線通信装置に各々設定する第２のステップと、前記第２のステップによりダイバーシチ合成情報の最適値が設定された状態で、各無線通信装置が前記アンテナ群毎にデータ送受信時のビームフォーミングおよびダイバーシチ合成を行う第３のステップを有し、前記トレーニング信号は、複数のトレーニングサブ信号からなり、前記第１のステップは、前記複数のトレーニングサブ信号のダイバーシチ受信に際し、無線通信装置に具備された各アンテナ群を構成する複数のアンテナの各々の信号に対するダーバーシチ合成情報を順次変更し、各ダイバーシチ合成情報に対応した受信状態を示すトレーニング受信情報に基づき、各アンテナ群のダイバーシチ合成受信信号の受信状態を最良化する合成ウエイト情報を決定し、ダイバーシチ受信後に該ダイバーシチ受信の合成ウェイト情報でダイバーシチ合成情報を更新し、該更新されたダイバーシチ合成情報を設定してトレーニング信号を送信することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定する点に特徴がある。
【手続補正６】
【補正対象書類名】明細書
【補正対象項目名】００５７
【補正方法】変更
【補正の内容】
【００５７】
本発明の第１のマルチアンテナを用いた無線通信システムは、送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信システムであって、送受信を行う無線通信装置間での双方向のトレーニング信号の伝送を通じて、各無線通信装置において、前記アンテナ群毎にダイバーシチ受信状態を最良化するための前記各アンテナ群を構成する複数のアンテナの各々の信号に対するダイバーシチ合成情報をそれらの最適値として各々決定する第１の手段と、前記第１の手段により決定された、前記各アンテナ群を構成する複数のアンテナの各々の信号に対するダイバーシチ合成情報の最適値を前記無線通信装置に各々設定する第２の手段と、前記第２の手段によりダイバーシチ合成情報の最適値が設定された状態で、各無線通信装置が前記アンテナ群毎にデータ送受信時のビームフォーミングおよびダイバーシチ合成を行う第３の手段を有し、前記第１の手段は、複数回の双方向のトレーニング信号のダイバーシチ受信において、各アンテナ群のダイバーシチ合成受信信号の受信状態を示すトレーニング受信情報に基づいてダイバーシチ受信状態を最良化するダイバーシチ合成情報を取得し、ダイバーシチ受信後に該ダイバーシチ合成情報でダイバーシチ合成情報を更新し、該更新されたダイバーシチ合成情報を設定してトレーニング信号を送信することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定する点に特徴がある。
【手続補正７】
【補正対象書類名】明細書
【補正対象項目名】００５８
【補正方法】変更
【補正の内容】
【００５８】
また、本発明の第２のマルチアンテナを用いた無線通信システムは、送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信システムであって、送受信を行う各無線通信装置は、相手側無線通信装置との間での複数回の双方向のトレーニング信号の伝送を通じて、前記アンテナ群毎にダイバーシチ受信状態を最良化するための前記各アンテナ群を構成する複数のアンテナの各々の信号に対するダイバーシチ合成情報をそれらの最適値として各々決定する第１の手段と、前記第１の手段により決定された、前記各アンテナ群を構成する複数のアンテナの各々の信号に対するダイバーシチ合成情報の最適値を設定する第２の手段と、前記第２の手段によりダイバーシチ合成情報の最適値が設定された状態で、前記アンテナ群毎にデータ送受信時のビームフォーミングおよびダイバーシチ合成を行う第３の手段を備え、前記トレーニング信号は、複数のトレーニングサブ信号からなり、前記第１の手段は、前記トレーニングサブ信号のダイバーシチ受信に際し、無線通信装置に具備された各アンテナ群を構成する複数のアンテナの各々の信号に対するダーバーシチ合成情報の１つを順次変更し、変更の前後でのダイバーシチ合成受信信号の受信状態が良好な方のダーバーシチ合成情報で当該アンテナ群を構成する複数のアンテナの各々の信号に対するダイバーシチ合成情報を更新し、該更新されたダイバーシチ合成情報を設定してトレーニング信号を送信することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定する点に特徴がある。
【手続補正８】
【補正対象書類名】明細書
【補正対象項目名】００５９
【補正方法】変更
【補正の内容】
【００５９】
また、本発明の第３のマルチアンテナを用いた無線通信システムは、送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信システムであって、送受信を行う各無線通信装置は、相手側無線通信装置との間での複数回の双方向のトレーニング信号の伝送を通じて、前記アンテナ群毎にダイバーシチ受信状態を最良化するための前記各アンテナ群を構成する複数のアンテナの各々の信号に対するダイバーシチ合成情報をそれらの最適値として各々決定する第１の手段と、前記第１の手段により決定された、前記各アンテナ群を構成する複数のアンテナの各々の信号に対するダイバーシチ合成情報の最適値を設定する第２の手段と、前記第２の手段によりダイバーシチ合成情報の最適値が設定された状態で、前記アンテナ群毎にデータ送受信時のビームフォーミングおよびダイバーシチ合成を行う第３の手段を備え、前記トレーニング信号は、複数のトレーニングサブ信号からなり、前記第１の手段は、前記複数のトレーニングサブ信号のダイバーシチ受信に際し、無線通信装置に具備された各アンテナ群を構成する複数のアンテナの各々の信号に対するダイバーシチ合成情報を順次変更し、各ダイバーシチ合成情報に対応した受信状態を示すトレーニング受信情報に基づき、各アンテナ群のダイバーシチ合成受信信号の受信状態を最良化するダイバーシチ合成情報を決定し、ダイバーシチ受信後に該ダイバーシチ合成情報で各アンテナ群を構成する複数のアンテナの各々の信号に対するダイバーシチ合成情報を更新し、該更新されたダイバーシチ合成情報を設定してトレーニング信号を送信することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定する
【手続補正９】
【補正対象書類名】明細書
【補正対象項目名】００６０
【補正方法】変更
【補正の内容】
【００６０】
さらに、本発明の第４のマルチアンテナを用いた無線通信システムは、送信および受信の少なくとも一方において複数の送受信機を用いるMIMO(Multiple Input Multiple Output)、MISO(Multiple Input Single Output)あるいはSIMO(Single Input Multiple Output)無線通信において、送受信系統毎に複数のアンテナからなるアンテナ群を用い、前記アンテナ群毎にMIMO技術を適用して無線通信を行う、マルチアンテナを用いた無線通信システムであって、送受信を行う各無線通信装置は、相手側無線通信装置との間での複数回の双方向のトレーニング信号の伝送を通じて、前記アンテナ群毎にダイバーシチ受信状態を最良化するための前記各アンテナ群を構成する複数のアンテナの各々の信号に対するダイバーシチ合成情報をそれらの最適値として各々決定する第１の手段と、前記第１の手段により決定された、前記各アンテナ群を構成する複数のアンテナの各々の信号に対するダイバーシチ合成情報の最適値を設定する第２の手段と、前記第２の手段によりダイバーシチ合成情報の最適値が設定された状態で、前記アンテナ群毎にデータ送受信時のビームフォーミングおよびダイバーシチ合成を行う第３の手段を備え、前記トレーニング信号は、複数のトレーニングサブ信号からなり、前記第１の手段は、前記複数のトレーニングサブ信号のダイバーシチ受信に際し、無線通信装置に具備された各アンテナ群を構成する複数のアンテナの各々の信号に対するダイバーシチ合成情報を順次変更し、各ダイバーシチ合成情報に対応した受信状態を示すトレーニング受信情報に基づき、各アンテナ群のダイバーシチ合成受信信号の受信状態を最良化するダイバーシチ合成情報を決定し、ダイバーシチ受信後に該ダイバーシチ受信の合成ウエイト情報で各アンテナ群を構成する複数のアンテナの各々の信号に対するダイバーシチ合成情報を更新し、該更新されたダイバーシチ合成情報を設定してトレーニング信号を送信することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定する点に特徴がある。
【手続補正１０】
【補正対象書類名】明細書
【補正対象項目名】００６１
【補正方法】変更
【補正の内容】
【００６１】
本発明の第１のマルチアンテナを用いた無線通信装置は、上記第１のマルチアンテナを用いた無線通信方法を実行するために用いられるマルチアンテナを用いた無線通信装置であって、アンテナ群を構成する複数のアンテナの各々の信号に対するダイバーシチ合成情報を生成するダイバーシチ合成情報生成手段と、前記ダイバーシチ合成情報生成手段により生成されたダイバーシチ合成情報に基づいて前記各アンテナ群を構成する複数のアンテナの各々の信号の振幅および位相を制御するダイバーシチ合成情報設定手段と、前記ダイバーシチ合成情報設定手段との組み合わせにより前記アンテナ群毎にビームフォーミング送信およびダイバーシチ受信を行う信号分配合成手段を備え、前記ダイバーシチ合成情報生成手段は、前記各アンテナ群を構成する複数のアンテナの各々の信号に対する初期捕捉用ダイバーシチ合成情報を出力し、初期状態からダイバーシチ合成情報の最適値への引き込みを可能にする初期捕捉用ダイバーシチ合成情報生成手段と、相手側無線通信装置との間での双方向のトレーニング信号の伝送でのダイバーシチ受信に際し、前記各アンテナ群を構成する複数のアンテナの各々の信号に対するダイバーシチ合成情報を順次変更して生成するトレーニング用ダイバーシチ合成情報生成手段と、前記ダイバーシチ合成情報生成手段により生成された各ダイバーシチ合成情報が各々設定された状態でダイバーシチ受信されるトレーニング信号の受信状態を示すトレーニング受信情報に基づいてダイバーシチ受信状態を最良化するダイバーシチ合成情報をダイバーシチ合成情報の最適値として決定し、データ送受信時のビームフォーミングおよびダイバーシチ合成のためのダイバーシチ合成情報の最適値を生成するダイバーシチ合成情報最適値生成手段を備え、複数回の双方向のトレーニング信号のダイバーシチ受信において、前記ダイバーシチ合成情報生成手段により生成された各ダーバーシチ合成情報が各々設定された状態でダイバーシチ受信されるトレーニング受信情報に基づいてダイバーシチ合成受信信号の受信状態を最良化するダイバーシチ合成情報を取得し、ダイバーシチ受信後に該ダイバーシチ合成情報でダイバーシチ合成情報を更新し、該更新されたダイバーシチ合成情報を設定してトレーニング信号を送信することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定する点に特徴がある。
【手続補正１１】
【補正対象書類名】明細書
【補正対象項目名】００６２
【補正方法】変更
【補正の内容】
【００６２】
また、本発明の第２のマルチアンテナを用いた無線通信装置は、上記第２のマルチアンテナを用いた無線通信方法を実行するために用いられるマルチアンテナを用いた無線通信装置であって、アンテナ群を構成する複数のアンテナの各々の信号に対するダイバーシチ合成情報を生成するダイバーシチ合成情報生成手段と、前記ダイバーシチ合成情報生成手段により生成されたダイバーシチ合成情報に基づいて前記各アンテナ群を構成する複数のアンテナの各々の信号の振幅および位相を制御するダイバーシチ合成情報設定手段と、前記ダイバーシチ合成情報設定手段との組み合わせにより前記アンテナ群毎にビームフォーミング送信およびダイバーシチ受信を行う信号分配合成手段を備え、前記ダイバーシチ合成情報生成手段は、前記アンテナ群を構成する複数のアンテナの各々の信号に対する初期捕捉用ダイバーシチ合成情報を生成し、初期状態からダイバーシチ合成情報の最適値への引き込みを可能にする初期捕捉用ダイバーシチ合成情報生成手段と、相手側無線通信装置との間での複数回の双方向のトレーニング信号の伝送でのダイバーシチ受信に際し、前記各アンテナ群を構成する複数のアンテナの各々の信号に対するダイバーシチ合成情報を順次変更して生成するトレーニング用ダイバーシチ合成情報生成手段と、前記ダイバーシチ合成情報生成手段により生成された各ダイバーシチ合成情報が各々設定された状態でダイバーシチ受信されるトレーニング信号の受信状態を示す情報に基づいて各設定におけるダイバーシチ受信状態を判定する受信状態判定手段と、前記受信状態判定手段により判定されたダイバーシチ受信状態を最良化するダイバーシチ合成情報をダイバーシチ合成情報の最適値として決定し、データ送受信時のビームフォーミングおよびダイバーシチ合成のためのダイバーシチ合成情報の最適値を生成するダイバーシチ合成情報最適値生成手段を備え、前記トレーニング信号は、複数のトレーニングサブ信号からなり、前記トレーニングサブ信号のダイバーシチ受信に際し、無線通信装置に具備された各アンテナ群を構成する複数のアンテナの各々の信号に対するダイバーシチ合成情報の１つを順次変更し、変更前後でのダーバーシチ合成受信信号の受信状態が良好な方のダイバーシチ合成情報で当該アンテナ群を構成する複数のアンテナの各々の信号に対するダイバーシチ合成情報を更新し、該更新されたダイバーシチ合成情報を設定してトレーニング信号を送信することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定する点に特徴がある。
【手続補正１２】
【補正対象書類名】明細書
【補正対象項目名】００６３
【補正方法】変更
【補正の内容】
【００６３】
また、本発明の第３のマルチアンテナを用いた無線通信装置は、上記第３のマルチアンテナを用いた無線通信方法を実行するために用いられるマルチアンテナを用いた無線通信装置であって、アンテナ群を構成する複数のアンテナの各々の信号に対するダイバーシチ合成情報を生成するダイバーシチ合成情報生成手段と、前記ダイバーシチ合成情報生成手段により生成されたダイバーシチ合成情報に基づいて前記各アンテナ群を構成する複数のアンテナの各々の信号の振幅および位相を制御するダイバーシチ合成情報設定手段と、前記ダイバーシチ合成情報設定手段との組み合わせにより前記アンテナ群毎にビームフォーミング送信およびダイバーシチ受信を行う信号分配合成手段を備え、前記ダイバーシチ合成情報生成手段は、前記アンテナ群を構成する複数のアンテナの各々の信号に対する初期捕捉用ダイバーシチ合成情報を生成し、初期状態からダイバーシチ合成情報の最適値への引き込みを可能にする初期捕捉用ダイバーシチ合成情報生成手段と、相手側無線通信装置との間での複数回の双方向のトレーニング信号の伝送でのダイバーシチ受信に際し、前記各アンテナ群を構成する複数のアンテナの各々の信号に対するダイバーシチ合成情報を順次変更して生成するトレーニング用ダイバーシチ合成情報生成手段と、前記ダイバーシチ合成情報生成手段により生成された各ダイバーシチ合成情報が各々設定された状態でダイバーシチ受信されるトレーニング信号の受信状態を示すトレーニング受信情報を保持するトレーニング受信情報保持手段と、前記トレーニング受信状態保持手段により保持されたトレーニング受信情報に基づいてダイバーシチ合成受信信号の受信状態を最良化するダイバーシチ合成情報をダイバーシチ合成情報の最適値として決定し、データ送受信時のビームフォーミングおよびダイバーシチ合成のためのダイバーシチ合成情報の最適値を生成するダイバーシチ合成情報最適値生成手段を備え、前記トレーニング信号は、複数のトレーニングサブ信号からなり、前記複数のトレーニングサブ信号のダイバーシチ受信に際し、無線通信装置に具備された各アンテナ群を構成する複数のアンテナの各々の信号に対するダイバーシチ合成情報を順次変更し、各ダーバーシチ合成情報に対応したトレーニング受信情報を取得して前記トレーニング受信情報保持手段に格納し、前記トレーニング受信情報保持手段に保持されたトレーニング受信情報に基づいてダイバーシチ合成受信信号の受信状態を最良化するダイバーシチ合成情報を決定し、ダイバーシチ受信後に該ダイバーシチ合成情報でダイバーシチ合成情報を更新し、該更新されたダイバーシチ合成情報を設定してトレーニング信号を送信することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定する点に特徴がある。
【手続補正１３】
【補正対象書類名】明細書
【補正対象項目名】００６４
【補正方法】変更
【補正の内容】
【００６４】
さらに、本発明の第４のマルチアンテナを用いた無線通信装置は、上記第４のマルチアンテナを用いた無線通信方法を実行するために用いられるマルチアンテナを用いた無線通信装置であって、アンテナ群を構成する複数のアンテナの各々の信号に対するダイバーシチ合成情報を生成するダイバーシチ合成情報生成手段と、前記ダイバーシチ合成情報に基づいて前記アンテナ群を構成する複数のアンテナの各々の信号の振幅および位相を制御するダイバーシチ合成情報設定手段と、前記ダイバーシチ合成情報設定手段との組み合わせにより前記アンテナ群毎にビームフォーミング送信およびダイバーシチ受信を行う信号分配合成手段とを備え、前記ダイバーシチ合成情報生成手段は、前記アンテナ群を構成する複数のアンテナの各々の信号に対する初期捕捉用ダイバーシチ合成情報を生成し、初期状態からダイバーシチ合成情報の最適値への引き込みを可能にする初期捕捉用ダイバーシチ合成情報生成手段と、相手側無線通信装置との間での複数回の双方向のトレーニング信号の伝送でのダイバーシチ受信に際し、前記各アンテナ群を構成する複数のアンテナの各々の信号に対するダイバーシチ合成情報を順次変更して生成するトレーニング用ダイバーシチ合成情報生成手段と、前記ダイバーシチ合成情報生成手段により生成された各ダイバーシチ合成情報が各々設定された状態でダイバーシチ受信されるトレーニング信号の受信状態を示すトレーニング受信情報を保持するトレーニング受信情報保持手段と、前記トレーニング受信状態保持手段により保持されたトレーニング受信情報に基づいてダイバーシチ合成受信信号の受信状態を最良化する合成ウエイト情報をダイバーシチ合成情報の最適値として前記アンテナ群毎に決定し、データ送受信における前記アンテナ群毎のビームフォーミングおよびダイバーシチ合成のためのダイバーシチ合成情報の最適値を前記アンテナ群毎に生成するダイバーシチ合成情報最適値生成手段を備え、前記トレーニング信号は、複数のトレーニングサブ信号からなり、前記複数のトレーニングサブ信号のダイバーシチ受信に際し、無線通信装置に具備された各アンテナ群を構成する複数のアンテナの各々の信号に対するダイバーシチ合成情報を順次変更し、各ダーバーシチ合成情報に対応したトレーニング受信情報を取得して前記トレーニング受信情報保持手段に格納し、前記トレーニング受信情報保持手段に保持されたトレーニング受信情報に基づいてダイバーシチ合成受信信号の受信状態を最良化する合成ウエイト情報を決定し、ダイバーシチ受信後に該合成ウエイト情報でダイバーシチ合成情報を更新し、該更新されたダイバーシチ合成情報を設定してトレーニング信号を送信することにより、送受信を行う１組の無線通信装置の各アンテナ群間での伝送における伝送路行列の相関行列の最大固有値に対する固有ベクトルの組に漸近するベクトルの組を、該１組の無線通信装置の各アンテナ群間でのダイバーシチ合成情報の最適値として決定する点に特徴がある。